(57)【要約】  手術部位から微粒子を排出するための方法が開示される。この方法は、微粒子排出モジュール及び外科用ハブを通信可能に接続することであって、外科用ハブが外科用ハブ筐体を備え、微粒子排出モジュールが、外科用ハブ筐体内に受容されるように構成されていることを含む。この方法は、手術部位から微粒子排出モジュール内に微粒子を除去することと、除去された微粒子を分析することと、除去された微粒子の分析に基づいて、微粒子排出モジュールの動作を修正することと、を更に含む。
2021519637.tif 000002
【特許請求の範囲】
【請求項１】
手術部位から微粒子を排出する方法であって、
微粒子排出モジュール及び外科用ハブを通信可能に接続することであって、前記外科用ハブが外科用ハブ筐体を備え、前記微粒子排出モジュールが、前記外科用ハブ筐体内に受容されるように構成されている、ことと、
前記手術部位から前記微粒子排出モジュール内に微粒子を除去することと、
除去された前記微粒子を分析することと、
前記除去された微粒子の前記分析に基づいて、前記微粒子排出モジュールの動作を修正することと、を含む、方法。
【請求項２】
発生器モジュールを前記外科用ハブ筐体に取り付けることを更に含む、請求項１に記載の方法。
【請求項３】
前記発生器モジュールと前記微粒子排出モジュールとを通信可能に接続することを更に含む、請求項２に記載の方法。
【請求項４】
前記発生器モジュールを単極装置、双極装置、及び超音波装置のうちの少なくとも１つに接続することを更に含む、請求項２に記載の方法。
【請求項５】
前記除去された微粒子の前記分析に基づいて、前記発生器モジュールの動作を修正することを更に含む、請求項２に記載の方法。
【請求項６】
前記発生器モジュールが複数のサブ発生器モジュールを備え、前記外科用ハブは、前記サブ発生器モジュール間の通信を容易にして、前記サブ発生器モジュールが単一の発生器モジュールとして機能することを可能にするように構成されている、請求項２に記載の方法。
【請求項７】
前記微粒子排出モジュールが流体ラインを含み、前記流体ラインの端部が前記外科用ハブ筐体内で終端する、請求項１に記載の方法。
【請求項８】
手術部位から微粒子を排出する方法であって、
微粒子排出モジュール及び外科用ハブを接続することであって、前記外科用ハブが外科用ハブ筐体を備え、前記微粒子排出モジュールが、前記外科用ハブ筐体内に受容されるように構成されている、ことと、
前記手術部位内で外科用器具を起動させることと、
前記手術部位から前記微粒子排出モジュール内に微粒子を引き出すことと、
前記微粒子を分析することと、
前記微粒子の前記分析に基づいて、前記微粒子排出モジュールの動作パラメータを修正することと、を含む、方法。
【請求項９】
前記外科用器具が、単極装置、双極装置、及び超音波装置のうちの少なくとも１つを含む、請求項８に記載の方法。
【請求項１０】
発生器モジュールを前記外科用ハブ筐体に取り付けることを更に含む、請求項８に記載の方法。
【請求項１１】
前記発生器モジュールと排煙モジュールとを通信可能に接続することを更に含む、請求項１０に記載の方法。
【請求項１２】
前記発生器モジュールを単極装置、双極装置、及び超音波装置のうちの少なくとも１つに接続することを更に含む、請求項１０に記載の方法。
【請求項１３】
前記微粒子の前記分析に基づいて、前記発生器モジュールの動作を修正することを更に含む、請求項１０に記載の方法。
【請求項１４】
前記発生器モジュールが複数のサブ発生器モジュールを備え、前記外科用ハブは、前記サブ発生器モジュール間の通信を容易にして、前記サブ発生器モジュールが単一の発生器モジュールとして機能することを可能にするように構成されている、請求項１０に記載の方法。
【請求項１５】
手術部位から煙を排出する方法であって、
排煙モジュール及び外科用ハブを接続することであって、前記外科用ハブが外科用ハブ筐体を備え、前記排煙モジュールが、前記外科用ハブ筐体内に受容されるように構成されている、ことと、
前記排煙モジュールの構成要素を前記手術部位内に挿入することと、
前記手術部位から煙を除去することと、
除去された前記煙を分析することと、
前記除去された煙の前記分析に基づいて、前記排煙モジュールの動作を修正することと、を含む、方法。
【請求項１６】
発生器モジュールを前記外科用ハブ筐体に取り付けることを更に含む、請求項１５に記載の方法。
【請求項１７】
前記発生器モジュールと前記排煙モジュールとを接続することを更に含む、請求項１６に記載の方法。
【請求項１８】
前記発生器モジュールを単極装置、双極装置、及び超音波装置のうちの少なくとも１つに接続することを更に含む、請求項１６に記載の方法。
【請求項１９】
前記除去された煙の前記分析に基づいて、前記発生器モジュールの動作を修正することを更に含む、請求項１６に記載の方法。
【請求項２０】
前記発生器モジュールが複数のサブ発生器モジュールを備え、前記外科用ハブは、前記サブ発生器モジュール間の通信を容易にして、前記サブ発生器モジュールが単一の発生器モジュールとして機能することを可能にするように構成されている、請求項１６に記載の方法。
【発明の詳細な説明】
【技術分野】
【０００１】
（関連出願の相互参照）
本出願は、米国特許法第１１９条（ｅ）の下で、各開示の全体が参照により本明細書に組み込まれる、「ＭＥＴＨＯＤ  ＦＯＲ  ＡＤＡＰＴＩＶＥ  ＣＯＮＴＲＯＬ  ＳＣＨＥＭＥＳ  ＦＯＲ  ＳＵＲＧＩＣＡＬ  ＮＥＴＷＯＲＫ  ＣＯＮＴＲＯＬ  ＡＮＤ  ＩＮＴＥＲＡＣＴＩＯＮ」と題する２０１８年１１月３０日出願の米国特許仮出願第６２／７７３，７７８号、「ＭＥＴＨＯＤ  ＦＯＲ  ＳＩＴＵＡＴＩＯＮＡＬ  ＡＷＡＲＥＮＥＳＳ  ＦＯＲ  ＳＵＲＧＩＣＡＬ  ＮＥＴＷＯＲＫ  ＯＲ  ＳＵＲＧＩＣＡＬ  ＮＥＴＷＯＲＫ  ＣＯＮＮＥＣＴＥＤ  ＤＥＶＩＣＥ  ＣＡＰＡＢＬＥ  ＯＦ  ＡＤＪＵＳＴＩＮＧ  ＦＵＮＣＴＩＯＮ  ＢＡＳＥＤ  ＯＮ  Ａ  ＳＥＮＳＥＤ  ＳＩＴＵＡＴＩＯＮ  ＯＲ  ＵＳＡＧＥ」と題する２０１８年１１月３０日出願の米国特許仮出願第６２／７７３，７２８号、「ＭＥＴＨＯＤ  ＦＯＲ  ＦＡＣＩＬＩＴＹ  ＤＡＴＡ  ＣＯＬＬＥＣＴＩＯＮ  ＡＮＤ  ＩＮＴＥＲＰＲＥＴＡＴＩＯＮ」と題する２０１８年１１月３０日出願の米国特許仮出願第６２／７７３，７４１号、及び、「ＭＥＴＨＯＤ  ＦＯＲ  ＣＩＲＣＵＬＡＲ  ＳＴＡＰＬＥＲ  ＣＯＮＴＲＯＬ  ＡＬＧＯＲＩＴＨＭ  ＡＤＪＵＳＴＭＥＮＴ  ＢＡＳＥＤ  ＯＮ  ＳＩＴＵＡＴＩＯＮＡＬ  ＡＷＡＲＥＮＥＳＳ」と題する２０１８年１１月３０日出願の米国特許仮出願６２／７７３，７４２号に対する優先権を主張する。
【０００２】
本出願は、米国特許法第１１９条（ｅ）の下で、各開示の全体が参照により本明細書に組み込まれる、「ＭＥＴＨＯＤ  ＦＯＲ  ＯＰＥＲＡＴＩＮＧ  Ａ  ＰＯＷＥＲＥＤ  ＡＲＴＩＣＵＬＡＴＩＮＧ  ＭＵＬＴＩ−ＣＬＩＰ  ＡＰＰＬＩＥＲ」と題する２０１８年１０月２５日出願の米国特許仮出願第６２／７５０，５２９号、「ＳＵＲＧＩＣＡＬ  ＣＬＩＰ  ＡＰＰＬＩＥＲ」と題する２０１８年１０月２５日出願の米国特許仮出願第６２／７５０，５３９号、及び「ＳＵＲＧＩＣＡＬ  ＣＬＩＰ  ＡＰＰＬＩＥＲ」と題する２０１８年１０月２５日出願の米国特許仮出願第６２／７５０，５５５号に対する優先権を主張する。
【０００３】
本出願はまた、米国特許法第１１９条（ｅ）の下で、各開示の全体が参照により本明細書に組み込まれる、「ＣＯＮＴＲＯＬ  ＦＯＲ  Ａ  ＳＵＲＧＩＣＡＬ  ＮＥＴＷＯＲＫ  ＯＲ  ＳＵＲＧＩＣＡＬ  ＮＥＴＷＯＲＫ  ＣＯＮＮＥＣＴＥＤ  ＤＥＶＩＣＥ  ＴＨＡＴ  ＡＤＪＵＳＴＳ  ＩＴＳ  ＦＵＮＣＴＩＯＮ  ＢＡＳＥＤ  ＯＮ  Ａ  ＳＥＮＳＥＤ  ＳＩＴＵＡＴＩＯＮ  ＯＲ  ＵＳＡＧＥ」と題する２０１８年９月１０日出願の米国特許仮出願第６２／７２９，１８３号、「ＡＵＴＯＭＡＴＥＤ  ＤＡＴＡ  ＳＣＡＬＩＮＧ，ＡＬＩＧＮＭＥＮＴ，ＡＮＤ  ＯＲＧＡＮＩＺＩＮＧ  ＢＡＳＥＤ  ＯＮ  ＰＲＥＤＥＦＩＮＥＤ  ＰＡＲＡＭＥＴＥＲＳ  ＷＩＴＨＩＮ  Ａ  ＳＵＲＧＩＣＡＬ  ＮＥＴＷＯＲＫ  ＢＥＦＯＲＥ  ＴＲＡＮＳＭＩＳＳＩＯＮ」と題する２０１８年９月１０日出願の米国特許仮出願第６２／７２９，１７７号、「ＩＮＤＩＲＥＣＴ  ＣＯＭＭＡＮＤ  ＡＮＤ  ＣＯＮＴＲＯＬ  ＯＦ  Ａ  ＦＩＲＳＴ  ＯＰＥＲＡＴＩＮＧ  ＲＯＯＭ  ＳＹＳＴＥＭ  ＴＨＲＯＵＧＨ  ＴＨＥ  ＵＳＥ  ＯＦ  Ａ  ＳＥＣＯＮＤ  ＯＰＥＲＡＴＩＮＧ  ＲＯＯＭ  ＳＹＳＴＥＭ  ＷＩＴＨＩＮ  Ａ  ＳＴＥＲＩＬＥ  ＦＩＥＬＤ  ＷＨＥＲＥ  ＴＨＥ  ＳＥＣＯＮＤ  ＯＰＥＲＡＴＩＮＧ  ＲＯＯＭ  ＳＹＳＴＥＭ  ＨＡＳ  ＰＲＩＭＡＲＹ  ＡＮＤ  ＳＥＣＯＮＤＡＲＹ  ＯＰＥＲＡＴＩＮＧ  ＭＯＤＥＳ」と題する２０１８年９月１０日出願の米国特許仮出願第６２／７２９，１７６号、「ＰＯＷＥＲＥＤ  ＳＴＡＰＬＩＮＧ  ＤＥＶＩＣＥ  ＴＨＡＴ  ＩＳ  ＣＡＰＡＢＬＥ  ＯＦ  ＡＤＪＵＳＴＩＮＧ  ＦＯＲＣＥ，ＡＤＶＡＮＣＥＭＥＮＴ  ＳＰＥＥＤ，ＡＮＤ  ＯＶＥＲＡＬＬ  ＳＴＲＯＫＥ  ＯＦ  ＣＵＴＴＩＮＧ  ＭＥＭＢＥＲ  ＯＦ  ＴＨＥ  ＤＥＶＩＣＥ  ＢＡＳＥＤ  ＯＮ  ＳＥＮＳＥＤ  ＰＡＲＡＭＥＴＥＲ  ＯＦ  ＦＩＲＩＮＧ  ＯＲ  ＣＬＡＭＰＩＮＧ」と題する２０１８年９月１０日出願の米国特許仮出願第６２／７２９，１８５号、「ＰＯＷＥＲＥＤ  ＳＵＲＧＩＣＡＬ  ＴＯＯＬ  ＷＩＴＨ  Ａ  ＰＲＥＤＥＦＩＮＥＤ  ＡＤＪＵＳＴＡＢＬＥ  ＣＯＮＴＲＯＬ  ＡＬＧＯＲＩＴＨＭ  ＦＯＲ  ＣＯＮＴＲＯＬＬＩＮＧ  ＡＴ  ＬＥＡＳＴ  ＯＮＥ  ＥＮＤ  ＥＦＦＥＣＴＯＲ  ＰＡＲＡＭＥＴＥＲ  ＡＮＤ  Ａ  ＭＥＡＮＳ  ＦＯＲ  ＬＩＭＩＴＩＮＧ  ＴＨＥ  ＡＤＪＵＳＴＭＥＮＴ」と題する２０１８年９月１０日出願の米国特許仮出願第６２／７２９，１８４号、「ＳＥＮＳＩＮＧ  ＴＨＥ  ＰＡＴＩＥＮＴ  ＰＯＳＩＴＩＯＮ  ＡＮＤ  ＣＯＮＴＡＣＴ  ＵＴＩＬＩＺＩＮＧ  ＴＨＥ  ＭＯＮＯ−ＰＯＬＡＲ  ＲＥＴＵＲＮ  ＰＡＤ  ＥＬＥＣＴＲＯＤＥ  ＴＯ  ＰＲＯＶＩＤＥ  ＳＩＴＵＡＴＩＯＮＡＬ  ＡＷＡＲＥＮＥＳＳ  ＴＯ  ＴＨＥ  ＨＵＢ」と題する２０１８年９月１０日出願の米国特許仮出願第６２／７２９，１８２号、「ＳＵＲＧＩＣＡＬ  ＮＥＴＷＯＲＫ  ＲＥＣＯＭＭＥＮＤＡＴＩＯＮＳ  ＦＲＯＭ  ＲＥＡＬ  ＴＩＭＥ  ＡＮＡＬＹＳＩＳ  ＯＦ  ＰＲＯＣＥＤＵＲＥ  ＶＡＲＩＡＢＬＥＳ  ＡＧＡＩＮＳＴ  Ａ  ＢＡＳＥＬＩＮＥ  ＨＩＧＨＬＩＧＨＴＩＮＧ  ＤＩＦＦＥＲＥＮＣＥＳ  ＦＲＯＭ  ＴＨＥ  ＯＰＴＩＭＡＬ  ＳＯＬＵＴＩＯＮ」と題する２０１８年９月１０日出願の米国特許仮出願第６２／７２９，１９１号、「ＵＬＴＲＡＳＯＮＩＣ  ＥＮＥＲＧＹ  ＤＥＶＩＣＥ  ＷＨＩＣＨ  ＶＡＲＩＥＳ  ＰＲＥＳＳＵＲＥ  ＡＰＰＬＩＥＤ  ＢＹ  ＣＬＡＭＰ  ＡＲＭ  ＴＯ  ＰＲＯＶＩＤＥ  ＴＨＲＥＳＨＯＬＤ  ＣＯＮＴＲＯＬ  ＰＲＥＳＳＵＲＥ  ＡＴ  Ａ  ＣＵＴ  ＰＲＯＧＲＥＳＳＩＯＮ  ＬＯＣＡＴＩＯＮ」と題する２０１８年９月１０日出願の米国特許仮出願第６２／７２９，１９５号、及び「ＷＩＲＥＬＥＳＳ  ＰＡＩＲＩＮＧ  ＯＦ  Ａ  ＳＵＲＧＩＣＡＬ  ＤＥＶＩＣＥ  ＷＩＴＨ  ＡＮＯＴＨＥＲ  ＤＥＶＩＣＥ  ＷＩＴＨＩＮ  Ａ  ＳＴＥＲＩＬＥ  ＳＵＲＧＩＣＡＬ  ＦＩＥＬＤ  ＢＡＳＥＤ  ＯＮ  ＴＨＥ  ＵＳＡＧＥ  ＡＮＤ  ＳＩＴＵＡＴＩＯＮＡＬ  ＡＷＡＲＥＮＥＳＳ  ＯＦ  ＤＥＶＩＣＥＳ」と題する２０１８年９月１０日出願の米国特許仮出願第６２／７２９，１８６号に対する優先権を主張する。
【０００４】
本出願はまた、米国特許法第１１９条（ｅ）の下で、各開示の全体が参照により本明細書に組み込まれる、「ＣＯＮＴＲＯＬＬＩＮＧ  ＡＮ  ＵＬＴＲＡＳＯＮＩＣ  ＳＵＲＧＩＣＡＬ  ＩＮＳＴＲＵＭＥＮＴ  ＡＣＣＯＲＤＩＮＧ  ＴＯ  ＴＩＳＳＵＥ  ＬＯＣＡＴＩＯＮ」と題する２０１８年８月２３日出願の米国特許仮出願第６２／７２１，９９５号、「ＳＩＴＵＡＴＩＯＮＡＬ  ＡＷＡＲＥＮＥＳＳ  ＯＦ  ＥＬＥＣＴＲＯＳＵＲＧＩＣＡＬ  ＳＹＳＴＥＭＳ」と題する２０１８年８月２３日出願の米国特許仮出願第６２／７２１，９９８号、「ＩＮＴＥＲＲＵＰＴＩＯＮ  ＯＦ  ＥＮＥＲＧＹ  ＤＵＥ  ＴＯ  ＩＮＡＤＶＥＲＴＥＮＴ  ＣＡＰＡＣＩＴＩＶＥ  ＣＯＵＰＬＩＮＧ」と題する２０１８年８月２３日出願の米国特許仮出願第６２／７２１，９９９号、「ＢＩＰＯＬＡＲ  ＣＯＭＢＩＮＡＴＩＯＮ  ＤＥＶＩＣＥ  ＴＨＡＴ  ＡＵＴＯＭＡＴＩＣＡＬＬＹ  ＡＤＪＵＳＴＳ  ＰＲＥＳＳＵＲＥ  ＢＡＳＥＤ  ＯＮ  ＥＮＥＲＧＹ  ＭＯＤＡＬＩＴＹ」と題する２０１８年８月２３日出願の米国特許仮出願第６２／７２１，９９４号、及び「ＲＡＤＩＯ  ＦＲＥＱＵＥＮＣＹ  ＥＮＥＲＧＹ  ＤＥＶＩＣＥ  ＦＯＲ  ＤＥＬＩＶＥＲＩＮＧ  ＣＯＭＢＩＮＥＤ  ＥＬＥＣＴＲＩＣＡＬ  ＳＩＧＮＡＬＳ」と題する２０１８年８月２３日出願の米国特許仮出願第６２／７２１，９９６号に対する優先権を主張する。
【０００５】
本出願は更に、米国特許法第１１９条（ｅ）の下で、各開示の全体が参照により本明細書に組み込まれる、「ＳＭＡＲＴ  ＡＣＴＩＶＡＴＩＯＮ  ＯＦ  ＡＮ  ＥＮＥＲＧＹ  ＤＥＶＩＣＥ  ＢＹ  ＡＮＯＴＨＥＲ  ＤＥＶＩＣＥ」と題する２０１８年６月３０日出願の米国仮特許出願第６２／６９２，７４７号、「ＳＭＡＲＴ  ＥＮＥＲＧＹ  ＡＲＣＨＩＴＥＣＴＵＲＥ」と題する２０１８年６月３０日出願の米国仮特許出願第６２／６９２，７４８号、及び「ＳＭＡＲＴ  ＥＮＥＲＧＹ  ＤＥＶＩＣＥＳ」と題する２０１８年６月３０日出願の米国仮特許出願第６２／６９２，７６８号に対する優先権を主張する。
【０００６】
本出願はまた、米国特許法第１１９条（ｅ）の下で、各開示の全体が参照により本明細書に組み込まれる、「ＭＥＴＨＯＤ  ＯＦ  ＵＳＩＮＧ  ＲＥＩＮＦＯＲＣＥＤ  ＦＬＥＸ  ＣＩＲＣＵＩＴＳ  ＷＩＴＨ  ＭＵＬＴＩＰＬＥ  ＳＥＮＳＯＲＳ  ＷＩＴＨ  ＥＬＥＣＴＲＯＳＵＲＧＩＣＡＬ  ＤＥＶＩＣＥＳ」と題する２０１８年６月２８日出願の米国特許仮出願第６２／６９１，２２８号、「ＣＯＮＴＲＯＬＬＩＮＧ  Ａ  ＳＵＲＧＩＣＡＬ  ＩＮＳＴＲＵＭＥＮＴ  ＡＣＣＯＲＤＩＮＧ  ＴＯ  ＳＥＮＳＥＤ  ＣＬＯＳＵＲＥ  ＰＡＲＡＭＥＴＥＲＳ」と題する２０１８年６月２８日出願の米国特許仮出願第６２／６９１，２２７号、「ＳＵＲＧＩＣＡＬ  ＩＮＳＴＲＵＭＥＮＴ  ＨＡＶＩＮＧ  Ａ  ＦＬＥＸＩＢＬＥ  ＥＬＥＣＴＲＯＤＥ」と題する２０１８年６月２８日出願の米国特許仮出願第６２／６９１，２３０号、「ＳＵＲＧＩＣＡＬ  ＥＶＡＣＵＡＴＩＯＮ  ＳＥＮＳＩＮＧ  ＡＮＤ  ＭＯＴＯＲ  ＣＯＮＴＲＯＬ」と題する２０１８年６月２８日出願の米国特許仮出願第６２／６９１，２１９号、「ＣＯＭＭＵＮＩＣＡＴＩＯＮ  ＯＦ  ＳＭＯＫＥ  ＥＶＡＣＵＡＴＩＯＮ  ＳＹＳＴＥＭ  ＰＡＲＡＭＥＴＥＲＳ  ＴＯ  ＨＵＢ  ＯＲ  ＣＬＯＵＤ  ＩＮ  ＳＭＯＫＥ  ＥＶＡＣＵＡＴＩＯＮ  ＭＯＤＵＬＥ  ＦＯＲ  ＩＮＴＥＲＡＣＴＩＶＥ  ＳＵＲＧＩＣＡＬ  ＰＬＡＴＦＯＲＭ」と題する２０１８年６月２８日出願の米国特許仮出願第６２／６９１，２５７号、「ＳＵＲＧＩＣＡＬ  ＥＶＡＣＵＡＴＩＯＮ  ＳＹＳＴＥＭ  ＷＩＴＨ  Ａ  ＣＯＭＭＵＮＩＣＡＴＩＯＮ  ＣＩＲＣＵＩＴ  ＦＯＲ  ＣＯＭＭＵＮＩＣＡＴＩＯＮ  ＢＥＴＷＥＥＮ  Ａ  ＦＩＬＴＥＲ  ＡＮＤ  Ａ  ＳＭＯＫＥ  ＥＶＡＣＵＡＴＩＯＮ  ＤＥＶＩＣＥ」と題する２０１８年６月２８日出願の米国特許仮出願第６２／６９１，２６２号、及び「ＤＵＡＬ  ＩＮ−ＳＥＲＩＥＳ  ＬＡＲＧＥ  ＡＮＤ  ＳＭＡＬＬ  ＤＲＯＰＬＥＴ  ＦＩＬＴＥＲＳ」と題する２０１８年６月２８日出願の米国特許仮出願第６２／６９１，２５１号に対する優先権を主張する。
【０００７】
本出願は、米国特許法第１１９条（ｅ）の下で、各開示の全体が参照により本明細書に組み込まれる、「ＳＵＲＧＩＣＡＬ  ＳＵＴＵＲＩＮＧ  ＳＹＳＴＥＭＳ」と題する２０１８年５月１日出願の米国特許仮出願第６２／６６５，１２９号、「ＳＵＲＧＩＣＡＬ  ＩＮＳＴＲＵＭＥＮＴＳ  ＣＯＭＰＲＩＳＩＮＧ  ＣＯＮＴＲＯＬ  ＳＹＳＴＥＭＳ」と題する２０１８年５月１日出願の米国特許仮出願第６２／６６５，１３９号、「ＳＵＲＧＩＣＡＬ  ＩＮＳＴＲＵＭＥＮＴＳ  ＣＯＭＰＲＩＳＩＮＧ  ＨＡＮＤＬＥ  ＡＲＲＡＮＧＥＭＥＮＴＳ」と題する２０１８年５月１日出願の米国特許仮出願第６２／６６５，１７７号、「ＭＯＤＵＬＡＲ  ＳＵＲＧＩＣＡＬ  ＩＮＳＴＲＵＭＥＮＴＳ」と題する２０１８年５月１日出願の米国特許仮出願第６２／６６５，１２８号、「ＳＵＲＧＩＣＡＬ  ＤＩＳＳＥＣＴＯＲＳ」と題する２０１８年５月１日出願の米国特許仮出願第６２／６６５，１９２号、及び「ＳＵＲＧＩＣＡＬ  ＣＬＩＰ  ＡＰＰＬＩＥＲ」と題する２０１８年５月１日出願の米国特許仮出願第６２／６６５，１３４号に対する優先権を主張する。
【０００８】
本出願はまた、米国特許法第１１９条（ｅ）の下で、開示の全体が参照により本明細書に組み込まれる、「ＭＥＴＨＯＤ  ＯＦ  ＨＵＢ  ＣＯＭＭＵＮＩＣＡＴＩＯＮ」と題する２０１８年４月１９日出願の米国特許仮出願第６２／６５９，９００号に対する優先権を主張する。
【０００９】
本出願は更に、米国特許法第１１９条（ｅ）の下で、各開示の全体が参照により本明細書に組み込まれる、「ＣＡＰＡＣＩＴＩＶＥ  ＣＯＵＰＬＥＤ  ＲＥＴＵＲＮ  ＰＡＴＨ  ＰＡＤ  ＷＩＴＨ  ＳＥＰＡＲＡＢＬＥ  ＡＲＲＡＹ  ＥＬＥＭＥＮＴＳ」と題する２０１８年３月３０日出願の米国特許仮出願第６２／６５０，８９８号、「ＳＵＲＧＩＣＡＬ  ＳＹＳＴＥＭＳ  ＷＩＴＨ  ＯＰＴＩＭＩＺＥＤ  ＳＥＮＳＩＮＧ  ＣＡＰＡＢＩＬＩＴＩＥＳ」と題する２０１８年３月３０日出願の米国特許仮出願第６２／６５０，８８７号、「ＳＭＯＫＥ  ＥＶＡＣＵＡＴＩＯＮ  ＭＯＤＵＬＥ  ＦＯＲ  ＩＮＴＥＲＡＣＴＩＶＥ  ＳＵＲＧＩＣＡＬ  ＰＬＡＴＦＯＲＭ」と題する２０１８年３月３０日出願の米国特許仮出願第６２／６５０，８８２号、及び「ＳＵＲＧＩＣＡＬ  ＳＭＯＫＥ  ＥＶＡＣＵＡＴＩＯＮ  ＳＥＮＳＩＮＧ  ＡＮＤ  ＣＯＮＴＲＯＬＳ」と題する２０１８年３月３０日出願の米国特許仮出願第６２／６５０，８７７号に対する優先権を主張する。
【００１０】
本出願はまた、米国特許法第１１９条（ｅ）の下で、各開示の全体が参照により本明細書に組み込まれる、「ＩＮＴＥＲＡＣＴＩＶＥ  ＳＵＲＧＩＣＡＬ  ＳＹＳＴＥＭＳ  ＷＩＴＨ  ＥＮＣＲＹＰＴＥＤ  ＣＯＭＭＵＮＩＣＡＴＩＯＮ  ＣＡＰＡＢＩＬＩＴＩＥＳ」と題する２０１８年３月２８日出願の米国特許仮出願第６２／６４９，３０２号、「ＤＡＴＡ  ＳＴＲＩＰＰＩＮＧ  ＭＥＴＨＯＤ  ＴＯ  ＩＮＴＥＲＲＯＧＡＴＥ  ＰＡＴＩＥＮＴ  ＲＥＣＯＲＤＳ  ＡＮＤ  ＣＲＥＡＴＥ  ＡＮＯＮＹＭＩＺＥＤ  ＲＥＣＯＲＤ」と題する２０１８年３月２８日出願の米国特許仮出願第６２／６４９，２９４号、「ＳＵＲＧＩＣＡＬ  ＨＵＢ  ＳＩＴＵＡＴＩＯＮＡＬ  ＡＷＡＲＥＮＥＳＳ」と題する２０１８年３月２８日出願の米国特許仮出願第６２／６４９，３００号、「ＳＵＲＧＩＣＡＬ  ＨＵＢ  ＳＰＡＴＩＡＬ  ＡＷＡＲＥＮＥＳＳ  ＴＯ  ＤＥＴＥＲＭＩＮＥ  ＤＥＶＩＣＥＳ  ＩＮ  ＯＰＥＲＡＴＩＮＧ  ＴＨＥＡＴＥＲ」と題する２０１８年３月２８日出願の米国特許仮出願第６２／６４９，３０９号、「ＣＯＭＰＵＴＥＲ  ＩＭＰＬＥＭＥＮＴＥＤ  ＩＮＴＥＲＡＣＴＩＶＥ  ＳＵＲＧＩＣＡＬ  ＳＹＳＴＥＭＳ」と題する２０１８年３月２８日出願の米国特許仮出願第６２／６４９，３１０号、「ＵＳＥ  ＯＦ  ＬＡＳＥＲ  ＬＩＧＨＴ  ＡＮＤ  ＲＥＤ−ＧＲＥＥＮ−ＢＬＵＥ  ＣＯＬＯＲＡＴＩＯＮ  ＴＯ  ＤＥＴＥＲＭＩＮＥ  ＰＲＯＰＥＲＴＩＥＳ  ＯＦ  ＢＡＣＫ  ＳＣＡＴＴＥＲＥＤ  ＬＩＧＨＴ」と題する２０１８年３月２８日出願の米国特許仮出願第６２／６４９，２９１号、「ＡＤＡＰＴＩＶＥ  ＣＯＮＴＲＯＬ  ＰＲＯＧＲＡＭ  ＵＰＤＡＴＥＳ  ＦＯＲ  ＳＵＲＧＩＣＡＬ  ＤＥＶＩＣＥＳ」と題する２０１８年３月２８日出願の米国特許仮出願第６２／６４９，２９６号、「ＣＬＯＵＤ−ＢＡＳＥＤ  ＭＥＤＩＣＡＬ  ＡＮＡＬＹＴＩＣＳ  ＦＯＲ  ＣＵＳＴＯＭＩＺＡＴＩＯＮ  ＡＮＤ  ＲＥＣＯＭＭＥＮＤＡＴＩＯＮＳ  ＴＯ  Ａ  ＵＳＥＲ」と題する２０１８年３月２８日出願の米国特許仮出願第６２／６４９，３３３号、「ＣＬＯＵＤ−ＢＡＳＥＤ  ＭＥＤＩＣＡＬ  ＡＮＡＬＹＴＩＣＳ  ＦＯＲ  ＳＥＣＵＲＩＴＹ  ＡＮＤ  ＡＵＴＨＥＮＴＩＣＡＴＩＯＮ  ＴＲＥＮＤＳ  ＡＮＤ  ＲＥＡＣＴＩＶＥ  ＭＥＡＳＵＲＥＳ」と題する２０１８年３月２８日出願の米国特許仮出願第６２／６４９，３２７号、「ＤＡＴＡ  ＨＡＮＤＬＩＮＧ  ＡＮＤ  ＰＲＩＯＲＩＴＩＺＡＴＩＯＮ  ＩＮ  Ａ  ＣＬＯＵＤ  ＡＮＡＬＹＴＩＣＳ  ＮＥＴＷＯＲＫ」と題する２０１８年３月２８日出願の米国特許仮出願第６２／６４９，３１５号、「ＣＬＯＵＤ  ＩＮＴＥＲＦＡＣＥ  ＦＯＲ  ＣＯＵＰＬＥＤ  ＳＵＲＧＩＣＡＬ  ＤＥＶＩＣＥＳ」と題する２０１８年３月２８日出願の米国特許仮出願第６２／６４９，３１３号、「ＤＲＩＶＥ  ＡＲＲＡＮＧＥＭＥＮＴＳ  ＦＯＲ  ＲＯＢＯＴ−ＡＳＳＩＳＴＥＤ  ＳＵＲＧＩＣＡＬ  ＰＬＡＴＦＯＲＭＳ」と題する２０１８年３月２８日出願の米国特許仮出願第６２／６４９，３２０号、「ＡＵＴＯＭＡＴＩＣ  ＴＯＯＬ  ＡＤＪＵＳＴＭＥＮＴＳ  ＦＯＲ  ＲＯＢＯＴ−ＡＳＳＩＳＴＥＤ  ＳＵＲＧＩＣＡＬ  ＰＬＡＴＦＯＲＭＳ」と題する２０１８年３月２８日出願の米国特許仮出願第６２／６４９���３０７号、及び「ＳＥＮＳＩＮＧ  ＡＲＲＡＮＧＥＭＥＮＴＳ  ＦＯＲ  ＲＯＢＯＴ−ＡＳＳＩＳＴＥＤ  ＳＵＲＧＩＣＡＬ  ＰＬＡＴＦＯＲＭＳ」と題する２０１８年３月２８日出願の米国特許仮出願第６２／６４９，３２３号に対する優先権を主張する。
【００１１】
本出願は更に、米国特許法第１１９条（ｅ）の下で、各開示の全体が参照により本明細書に組み込まれる、「ＩＮＴＥＲＡＣＴＩＶＥ  ＳＵＲＧＩＣＡＬ  ＰＬＡＴＦＯＲＭ」と題する２０１７年１２月２８日出願の米国特許仮出願第６２／６１１，３４１号、「ＣＬＯＵＤ−ＢＡＳＥＤ  ＭＥＤＩＣＡＬ  ＡＮＡＬＹＴＩＣＳ」と題する２０１７年１２月２８日出願の米国特許仮出願第６２／６１１，３４０号、及び「ＲＯＢＯＴ  ＡＳＳＩＳＴＥＤ  ＳＵＲＧＩＣＡＬ  ＰＬＡＴＦＯＲＭ」と題する２０１７年１２月２８日出願の米国特許仮出願第６２／６１１，３３９号の優先権に対する利益を主張する。
【背景技術】
【００１２】
本開示は、外科システム及びその排出器のための方法に関する。外科用排煙器は、手術部位から煙、並びに流体及び／又は微粒子を排出するように構成されている。例えば、エネルギー装置を伴う外科処置中に、手術部位で煙が発生することがある。
【発明の概要】
【課題を解決するための手段】
【００１３】
一態様では、本開示は、手術部位から微粒子を排出するための方法を提供する。この方法は、微粒子排出モジュール及び外科用ハブを通信可能に接続することであって、外科用ハブが外科用ハブ筐体を備え、微粒子排出モジュールが、外科用ハブ筐体内に受容されるように構成されている、ことと、手術部位から微粒子排出モジュール内に微粒子を除去することと、除去された微粒子を分析することと、除去された微粒子の分析に基づいて、微粒子排出モジュールの動作を修正することと、を含む。
【００１４】
別の態様では、本開示は、手術部位から微粒子を排出するための方法を提供し、この方法は、微粒子排出モジュール及び外科用ハブを接続することであって、外科用ハブが外科用ハブ筐体を備え、微粒子排出モジュールが、外科用ハブ筐体内に受容されるように構成されている、ことと、手術部位内で外科用器具を起動させることと、手術部位から微粒子排出モジュール内に微粒子を引き出すことと、微粒子を分析することと、微粒子の分析に基づいて、微粒子排出モジュールの動作パラメータを修正することと、を含む。
【００１５】
別の態様では、本開示は、手術部位から排煙するための方法を提供し、この方法は、排煙モジュール及び外科用ハブを接続することであって、外科用ハブが外科用ハブ筐体を備え、排煙モジュールが、外科用ハブ筐体内に受容されるように構成されている、ことと、排煙モジュールの構成要素を手術部位に挿入することと、手術部位から煙を除去することと、除去された煙を分析することと、除去された煙の分析に基づいて、排煙モジュールの動作を修正することと、を含む。
【図面の簡単な説明】
【００１６】
様々な態様の特徴が、添付された特許請求の範囲で詳細に説明される。ただし、機構、及び動作の方法の両方についての様々な態様は、それらの更なる目的及び利点と共に、以降の添付図面と併せて、以下の説明を参照することにより最もよく理解することができる。
【図１】本開示の少なくとも１つの態様による、外科用排出システムの排出器ハウジングの斜視図である。
【図２】本開示の少なくとも１つの態様による、外科用排出電気外科用ツールの斜視図である。
【図３】本開示の少なくとも１つの態様による、電気外科用ペンシルに解除可能に固定された外科用排出ツールの立面図である。
【図４】本開示の少なくとも１つの態様による、外科用排出システムの排出器ハウジング内の内部構成要素を示す概略図である。
【図５】本開示の少なくとも１つの態様による、排煙器を含む電気外科システムの概略図である。
【図６】本開示の少なくとも１つの態様による、外科用排出システムの概略図である。
【図７】本開示の少なくとも１つの態様による、外科用排出システムを含む外科用システムの斜視図である。
【図８】本開示の少なくとも１つの態様による、図７の外科用排出システムの排出器ハウジングの斜視図である。
【図９】本開示の少なくとも１つの態様による、図８に示す平面に沿った図８の排出器ハウジング内のソケットの立面断面図である。
【図１０】本開示の少なくとも１つの態様による、排出システムのフィルタの斜視図である。
【図１１】本開示の少なくとも１つの態様による、フィルタの中央長手方向平面に沿って取られた図１０のフィルタの斜視断面図である。
【図１２】本開示の少なくとも１つの態様による、図７の外科用排出システムなどの外科用排出システムのポンプである。
【図１３】本開示の少なくとも１つの態様による、外科用排出システムの一部分の斜視図である。
【図１４】本開示の少なくとも１つの態様による、図１３の外科用排出システムの流体トラップの正面斜視図である。
【図１５】本開示の少なくとも１つの態様による、図１４の流体トラップの背面斜視図である。
【図１６】本開示の少なくとも１つの態様による、図１４の流体トラップの立面断面図である。
【図１７】本開示の少なくとも１つの態様による、明確にするために一部分が除去された状態の図１４の流体トラップの立面断面図であり、流体トラップ内に捕捉された液体及び流体トラップを通って流れる煙を示している。
【図１８】本開示の少なくとも１つの態様による、排出システムの排出器ハウジングの概略図である。
【図１９】本開示の少なくとも１つの態様による、別の排出システムの排出器ハウジングの概略図である。
【図２０】本開示の少なくとも１つの態様による、様々な他のモジュール及びデバイスと通信する排煙システムを示す。
【図２１】本開示の少なくとも１つの態様による、外科用ハブ、クラウド、排煙モジュール、並びに／又は様々な他のモジュールＡ、Ｂ、及びＣ間の相互接続性の例示的なフロー図を示す。
【図２２】本開示の少なくとも１つの態様による、様々な他のモジュール及びデバイスと通信する排煙システムを示す。
【図２３】本開示の少なくとも１つの態様による、セグメント化された制御回路の一態様を示す。
【図２４】本開示の少なくとも１つの態様による、セグメント化された制御回路に段階的に通電するように、排煙モジュールの制御回路部分を操作する方法を開示する。
【図２５】本開示の少なくとも１つの態様による、排煙システムの概略図である。
【図２６】本開示の少なくとも１つの態様による、図２５の排煙システムのフィルタ通信回路の概略図である。
【図２７】本開示の少なくとも１つの態様による、図２５の排煙システムのフィルタデバイスの概略図である。
【図２８】本開示の少なくとも１つの態様による、排出システムのハウジングの概略図である。
【図２９】本開示の少なくとも１つの態様による、電気外科用システムを示す。
【図３０】本開示の少なくとも１つの態様による、図２９の外科用システムの戻りパッドを示す。
【図３１】本開示の少なくとも１つの態様に係る、図３０の戻りパッドの複数の電極を示す。
【図３２】本開示の少なくとも１つの態様による、図３０の戻りパッドの感知装置のアレイを示す。
【図３３】本開示の少なくとも１つの態様による、患者に神経刺激信号及び電気外科的エネルギーを同時に印加するための方法を示す。
【図３４】本開示の少なくとも１つの態様による、コンピュータ実装インタラクティブ外科システムのブロック図である。
【図３５】本開示の少なくとも１つの態様による、手術室内で外科処置を実行するために使用される外科システムである。
【図３６】本開示の少なくとも１つの態様による、可視化システム、ロボットシステム、及びインテリジェント器具とペアリングされた外科用ハブである。
【図３７】本開示の少なくとも１つの態様による、外科用ハブ筐体、及び外科用ハブ筐体のドロアー内に摺動可能に受容可能な組み合わせ発生器モジュールの部分斜視図である。
【図３８】本開示の少なくとも１つの態様による、双極接点、超音波接点、及び単極接点、並びに排煙構成要素を備える組み合わせ発生器モジュールの斜視図である。
【図３９】本開示の少なくとも１つの態様による、複数のモジュールを受容するように構成された横方向モジュール式ハウジングの複数の横方向ドッキングポートの個々の電力バスアタッチメントを示す。
【図４０】本開示の少なくとも１つの態様による、複数のモジュールを受容するように構成された垂直モジュール式ハウジングを示す。
【図４１】本開示の少なくとも１つの態様による、医療施設の１つ以上の手術室、又は外科手術のための専門設備を備えた医療施設内の任意の部屋に配置されたモジュール式装置をクラウドに接続するように構成されたモジュール式通信ハブを備える外科用データネットワークを示す。
【図４２】本開示の少なくとも１つの態様による、コンピュータ実装インタラクティブ外科システムを示す。
【図４３】本開示の少なくとも１つの態様による、モジュール式制御タワーに連結された複数のモジュールを備える外科用ハブを示す。
【図４４】本開示の少なくとも１つの態様による、ユニバーサルシリアルバス（Universal Serial Bus、ＵＳＢ）ネットワークハブ装置の一態様を示す。
【図４５】本開示の少なくとも１つの態様による、外科用器具又はツールの制御システムの論理図を示す。
【図４６】本開示の少なくとも１つの態様による、外科用器具又はツールの態様を制御するように構成された制御回路を示す。
【図４７】本開示の少なくとも１つの態様による、外科用器具又はツールの態様を制御するように構成された組み合わせ論理回路を示す。
【図４８】本開示の少なくとも１つの態様による、外科用器具又はツールの態様を制御するように構成された順序論理回路を示す。
【図４９】本開示の少なくとも１つの態様による、様々な機能を実行するために起動され得る複数のモータを備える外科用器具又はツールを示す。
【図５０】本開示の少なくとも１つの態様による、本明細書に記載される外科用ツールを操作するように構成されたロボット外科用器具の概略図である。
【図５１】本開示の少なくとも１つの態様による、変位部材の遠位並進を制御するようにプログラムされた外科用器具のブロック図を示す。
【図５２】本開示の少なくとも１つの態様による、様々な機能を制御するように構成された外科用器具の概略図である。
【図５３】本開示の少なくとも１つの態様による、他の利点の中でも、インダクタレス同調を提供するように構成された発生器の簡略ブロック図である。
【図５４】本開示の少なくとも１つの態様による、図５３の発生器の１つの形態である発生器の例を示す。
【図５５】本開示の１つの態様による、外科用ハブの状況認識を示す時間線である。
【発明を実施するための形態】
【００１７】
本願の出願人は、各開示の全体が参照により本明細書に組み込まれる、２０１８年１２月４日出願の以下の米国特許出願を所有する。
・代理人整理番号ＥＮＤ８４９５ＵＳＮＰ／１７０７２７Ｍ、発明の名称「ＭＥＴＨＯＤ  ＯＦ  ＨＵＢ  ＣＯＭＭＵＮＩＣＡＴＩＯＮ，ＰＲＯＣＥＳＳＩＮＧ，ＳＴＯＲＡＧＥ  ＡＮＤ  ＤＩＳＰＬＡＹ」、
・代理人整理番号ＥＮＤ８４９５ＵＳＮＰ１／１７０７２７−１Ｍ、発明の名称「ＭＥＴＨＯＤ  ＯＦ  ＨＵＢ  ＣＯＭＭＵＮＩＣＡＴＩＯＮ」、
・代理人整理番号ＥＮＤ８４９６ＵＳＮＰ／１７０７２８Ｍ、発明の名称「ＭＥＴＨＯＤ  ＯＦ  ＣＬＯＵＤ  ＢＡＳＥＤ  ＤＡＴＡ  ＡＮＡＬＹＴＩＣＳ  ＦＯＲ  ＵＳＥ  ＷＩＴＨ  ＴＨＥ  ＨＵＢ」、
・代理人整理番号ＥＮＤ８４９７ＵＳＮＰ／１７０７２９Ｍ、発明の名称「ＭＥＴＨＯＤ  ＯＦ  ＲＯＢＯＴＩＣ  ＨＵＢ  ＣＯＭＭＵＮＩＣＡＴＩＯＮ，ＤＥＴＥＣＴＩＯＮ，ＡＮＤ  ＣＯＮＴＲＯＬ」、
・代理人整理番号ＥＮＤ８５０５ＵＳＮＰ／１７０７７２Ｍ、発明の名称「ＭＥＴＨＯＤ  ＯＦ  ＨＵＢ  ＣＯＭＭＵＮＩＣＡＴＩＯＮ，ＰＲＯＣＥＳＳＩＮＧ，ＤＩＳＰＬＡＹ，ＡＮＤ  ＣＬＯＵＤ  ＡＮＡＬＹＴＩＣＳ」、
・代理人整理番号ＥＮＤ８５３８ＵＳＮＰ／１７０７５１Ｍ、発明の名称「ＭＥＴＨＯＤ  ＯＦ  ＣＯＭＰＲＥＳＳＩＮＧ  ＴＩＳＳＵＥ  ＷＩＴＨＩＮ  Ａ  ＳＴＡＰＬＩＮＧ  ＤＥＶＩＣＥ  ＡＮＤ  ＳＩＭＵＬＴＡＮＥＯＵＳＬＹ  ＤＩＳＰＬＡＹＩＮＧ  ＴＨＥ  ＬＯＣＡＴＩＯＮ  ＯＦ  ＴＨＥ  ＴＩＳＳＵＥ  ＷＩＴＨＩＮ  ＴＨＥ  ＪＡＷＳ」、
・代理人整理番号ＥＮＤ８５３９ＵＳＮＰ／１７０７５２Ｍ、発明の名称「ＭＥＴＨＯＤ  ＯＦ  ＵＳＩＮＧ  ＲＥＩＮＦＯＲＣＥＤ  ＦＬＥＸＩＢＬＥ  ＣＩＲＣＵＩＴＳ  ＷＩＴＨ  ＭＵＬＴＩＰＬＥ  ＳＥＮＳＯＲＳ  ＴＯ  ＯＰＴＩＭＩＺＥ  ＰＥＲＦＯＲＭＡＮＣＥ  ＯＦ  ＲＡＤＩＯ  ＦＲＥＱＵＥＮＣＹ  ＤＥＶＩＣＥＳ」、
・代理人整理番号ＥＮＤ８５４０ＵＳＮＰ／１７０７５３Ｍ、発明の名称「ＭＥＴＨＯＤ  ＯＦ  ＳＥＮＳＩＮＧ  ＰＡＲＴＩＣＵＬＡＴＥ  ＦＲＯＭ  ＳＭＯＫＥ  ＥＶＡＣＵＡＴＥＤ  ＦＲＯＭ  Ａ  ＰＡＴＩＥＮＴ，ＡＤＪＵＳＴＩＮＧ  ＴＨＥ  ＰＵＭＰ  ＳＰＥＥＤ  ＢＡＳＥＤ  ＯＮ  ＴＨＥ  ＳＥＮＳＥＤ  ＩＮＦＯＲＭＡＴＩＯＮ，ＡＮＤ  ＣＯＭＭＵＮＩＣＡＴＩＮＧ  ＴＨＥ  ＦＵＮＣＴＩＯＮＡＬ  ＰＡＲＡＭＥＴＥＲＳ  ＯＦ  ＴＨＥ  ＳＹＳＴＥＭ  ＴＯ  ＴＨＥ  ＨＵＢ」、
・代理人整理番号ＥＮＤ８５５８ＵＳＮＰ１／１８０１３８−１Ｍ、発明の名称「ＭＥＴＨＯＤ  ＦＯＲ  ＣＯＮＴＲＯＬＬＩＮＧ  ＳＭＡＲＴ  ＥＮＥＲＧＹ  ＤＥＶＩＣＥＳ」、
・代理人整理番号ＥＮＤ８５５９ＵＳＮＰ１／１８０１４１−１Ｍ、発明の名称「ＭＥＴＨＯＤ  ＦＯＲ  ＳＭＡＲＴ  ＥＮＥＲＧＹ  ＤＥＶＩＣＥ  ＩＮＦＲＡＳＴＲＵＣＴＵＲＥ」、
・代理人整理番号ＥＮＤ９０１１ＵＳＮＰ１／１８０５１０−１Ｍ、発明の名称「ＭＥＴＨＯＤ  ＦＯＲ  ＡＤＡＰＴＩＶＥ  ＣＯＮＴＲＯＬ  ＳＣＨＥＭＥＳ  ＦＯＲ  ＳＵＲＧＩＣＡＬ  ＮＥＴＷＯＲＫ  ＣＯＮＴＲＯＬ  ＡＮＤ  ＩＮＴＥＲＡＣＴＩＯＮ」、
・代理人整理番号ＥＮＤ９０１５ＵＳＮＰ１／１８０５１４−１Ｍ、発明の名称「ＭＥＴＨＯＤ  ＦＯＲ  ＳＩＴＵＡＴＩＯＮＡＬ  ＡＷＡＲＥＮＥＳＳ  ＦＯＲ  ＳＵＲＧＩＣＡＬ  ＮＥＴＷＯＲＫ  ＯＲ  ＳＵＲＧＩＣＡＬ  ＮＥＴＷＯＲＫ  ＣＯＮＮＥＣＴＥＤ  ＤＥＶＩＣＥ  ＣＡＰＡＢＬＥ  ＯＦ  ＡＤＪＵＳＴＩＮＧ  ＦＵＮＣＴＩＯＮ  ＢＡＳＥＤ  ＯＮ  Ａ  ＳＥＮＳＥＤ  ＳＩＴＵＡＴＩＯＮ  ＯＲ  ＵＳＡＧＥ」、
・代理人整理番号ＥＮＤ９０１７ＵＳＮＰ１／１８０５１６−１Ｍ、発明の名称「ＭＥＴＨＯＤ  ＦＯＲ  ＦＡＣＩＬＩＴＹ  ＤＡＴＡ  ＣＯＬＬＥＣＴＩＯＮ  ＡＮＤ  ＩＮＴＥＲＰＲＥＴＡＴＩＯＮ」、及び
・代理人整理番号ＥＮＤ９０３３ＵＳＮＰ１／１８０５２０−１Ｍ、発明の名称「ＭＥＴＨＯＤ  ＦＯＲ  ＣＩＲＣＵＬＡＲ  ＳＴＡＰＬＥＲ  ＣＯＮＴＲＯＬ  ＡＬＧＯＲＩＴＨＭ  ＡＤＪＵＳＴＭＥＮＴ  ＢＡＳＥＤ  ＯＮ  ＳＩＴＵＡＴＩＯＮＡＬ  ＡＷＡＲＥＮＥＳＳ」。
【００１８】
本願の出願人は、各開示の全体が参照により本明細書に組み込まれる、２０１８年１１月６日出願の以下の米国特許出願を所有する。
・「ＳＵＲＧＩＣＡＬ  ＮＥＴＷＯＲＫ，ＩＮＳＴＲＵＭＥＮＴ，ＡＮＤ  ＣＬＯＵＤ  ＲＥＳＰＯＮＳＥＳ  ＢＡＳＥＤ  ＯＮ  ＶＡＬＩＤＡＴＩＯＮ  ＯＦ  ＲＥＣＥＩＶＥＤ  ＤＡＴＡＳＥＴ  ＡＮＤ  ＡＵＴＨＥＮＴＩＣＡＴＩＯＮ  ＯＦ  ＩＴＳ  ＳＯＵＲＣＥ  ＡＮＤ  ＩＮＴＥＧＲＩＴＹ」と題する米国特許出願第１６／１８２，２２４号、
・「ＳＵＲＧＩＣＡＬ  ＳＹＳＴＥＭ  ＦＯＲ  ＰＲＥＳＥＮＴＩＮＧ  ＩＮＦＯＲＭＡＴＩＯＮ  ＩＮＴＥＲＰＲＥＴＥＤ  ＦＲＯＭ  ＥＸＴＥＲＮＡＬ  ＤＡＴＡ」と題する米国特許出願第１６／１８２，２３０号、
・「ＳＵＲＧＩＣＡＬ  ＳＹＳＴＥＭＳ  ＷＩＴＨ  ＡＵＴＯＮＯＭＯＵＳＬＹ  ＡＤＪＵＳＴＡＢＬＥ  ＣＯＮＴＲＯＬ  ＰＲＯＧＲＡＭＳ」と題する米国特許出願第１６／１８２，２３３号、
・「ＡＤＪＵＳＴＭＥＮＴ  ＯＦ  ＤＥＶＩＣＥ  ＣＯＮＴＲＯＬ  ＰＲＯＧＲＡＭＳ  ＢＡＳＥＤ  ＯＮ  ＳＴＲＡＴＩＦＩＥＤ  ＣＯＮＴＥＸＴＵＡＬ  ＤＡＴＡ  ＩＮ  ＡＤＤＩＴＩＯＮ  ＴＯ  ＴＨＥ  ＤＡＴＡ」と題する米国特許出願第１６／１８２，２３９号、
・「ＳＵＲＧＩＣＡＬ  ＨＵＢ  ＡＮＤ  ＭＯＤＵＬＡＲ  ＤＥＶＩＣＥ  ＲＥＳＰＯＮＳＥ  ＡＤＪＵＳＴＭＥＮＴ  ＢＡＳＥＤ  ＯＮ  ＳＩＴＵＡＴＩＯＮＡＬ  ＡＷＡＲＥＮＥＳＳ」と題する米国特許出願第１６／１８２，２４３号、
・「ＤＥＴＥＣＴＩＯＮ  ＡＮＤ  ＥＳＣＡＬＡＴＩＯＮ  ＯＦ  ＳＥＣＵＲＩＴＹ  ＲＥＳＰＯＮＳＥＳ  ＯＦ  ＳＵＲＧＩＣＡＬ  ＩＮＳＴＲＵＭＥＮＴＳ  ＴＯ  ＩＮＣＲＥＡＳＩＮＧ  ＳＥＶＥＲＩＴＹ  ＴＨＲＥＡＴＳ」と題する米国特許出願第１６／１８２，２４８号、
・「ＩＮＴＥＲＡＣＴＩＶＥ  ＳＵＲＧＩＣＡＬ  ＳＹＳＴＥＭ」と題する米国特許出願第１６／１８２，２５１号、
・「ＡＵＴＯＭＡＴＥＤ  ＤＡＴＡ  ＳＣＡＬＩＮＧ，ＡＬＩＧＮＭＥＮＴ，ＡＮＤ  ＯＲＧＡＮＩＺＩＮＧ  ＢＡＳＥＤ  ＯＮ  ＰＲＥＤＥＦＩＮＥＤ  ＰＡＲＡＭＥＴＥＲＳ  ＷＩＴＨＩＮ  ＳＵＲＧＩＣＡＬ  ＮＥＴＷＯＲＫＳ」と題する米国特許出願第１６／１８２，２６０号、
・「ＳＥＮＳＩＮＧ  ＴＨＥ  ＰＡＴＩＥＮＴ  ＰＯＳＩＴＩＯＮ  ＡＮＤ  ＣＯＮＴＡＣＴ  ＵＴＩＬＩＺＩＮＧ  ＴＨＥ  ＭＯＮＯ−ＰＯＬＡＲ  ＲＥＴＵＲＮ  ＰＡＤ  ＥＬＥＣＴＲＯＤＥ  ＴＯ  ＰＲＯＶＩＤＥ  ＳＩＴＵＡＴＩＯＮＡＬ  ＡＷＡＲＥＮＥＳＳ  ＴＯ  ＴＨＥ  ＨＵＢ」と題する米国特許出願第１６／１８２，２６７号、
・「ＰＯＷＥＲＥＤ  ＳＵＲＧＩＣＡＬ  ＴＯＯＬ  ＷＩＴＨ  ＰＲＥＤＥＦＩＮＥＤ  ＡＤＪＵＳＴＡＢＬＥ  ＣＯＮＴＲＯＬ  ＡＬＧＯＲＩＴＨＭ  ＦＯＲ  ＣＯＮＴＲＯＬＬＩＮＧ  ＥＮＤ  ＥＦＦＥＣＴＯＲ  ＰＡＲＡＭＥＴＥＲ」と題する米国特許出願第１６／１８２，２４９号、
・「ＡＤＪＵＳＴＭＥＮＴＳ  ＢＡＳＥＤ  ＯＮ  ＡＩＲＢＯＲＮＥ  ＰＡＲＴＩＣＬＥ  ＰＲＯＰＥＲＴＩＥＳ」と題する米国特許出願第１６／１８２，２４６号、
・「ＡＤＪＵＳＴＭＥＮＴ  ＯＦ  Ａ  ＳＵＲＧＩＣＡＬ  ＤＥＶＩＣＥ  ＦＵＮＣＴＩＯＮ  ＢＡＳＥＤ  ＯＮ  ＳＩＴＵＡＴＩＯＮＡＬ  ＡＷＡＲＥＮＥＳＳ」と題する米国特許出願第１６／１８２，２５６号、
・「ＲＥＡＬ−ＴＩＭＥ  ＡＮＡＬＹＳＩＳ  ＯＦ  ＣＯＭＰＲＥＨＥＮＳＩＶＥ  ＣＯＳＴ  ＯＦ  ＡＬＬ  ＩＮＳＴＲＵＭＥＮＴＡＴＩＯＮ  ＵＳＥＤ  ＩＮ  ＳＵＲＧＥＲＹ  ＵＴＩＬＩＺＩＮＧ  ＤＡＴＡ  ＦＬＵＩＤＩＴＹ  ＴＯ  ＴＲＡＣＫ  ＩＮＳＴＲＵＭＥＮＴＳ  ＴＨＲＯＵＧＨ  ＳＴＯＣＫＩＮＧ  ＡＮＤ  ＩＮ−ＨＯＵＳＥ  ＰＲＯＣＥＳＳＥＳ」と題する米国特許出願第１６／１８２，２４２号、
・「ＵＳＡＧＥ  ＡＮＤ  ＴＥＣＨＮＩＱＵＥ  ＡＮＡＬＹＳＩＳ  ＯＦ  ＳＵＲＧＥＯＮ／ＳＴＡＦＦ  ＰＥＲＦＯＲＭＡＮＣＥ  ＡＧＡＩＮＳＴ  Ａ  ＢＡＳＥＬＩＮＥ  ＴＯ  ＯＰＴＩＭＩＺＥ  ＤＥＶＩＣＥ  ＵＴＩＬＩＺＡＴＩＯＮ  ＡＮＤ  ＰＥＲＦＯＲＭＡＮＣＥ  ＦＯＲ  ＢＯＴＨ  ＣＵＲＲＥＮＴ  ＡＮＤ  ＦＵＴＵＲＥ  ＰＲＯＣＥＤＵＲＥＳ」と題する米国特許出願第１６／１８２，２５５号、
・「ＩＭＡＧＥ  ＣＡＰＴＵＲＩＮＧ  ＯＦ  ＴＨＥ  ＡＲＥＡＳ  ＯＵＴＳＩＤＥ  ＴＨＥ  ＡＢＤＯＭＥＮ  ＴＯ  ＩＭＰＲＯＶＥ  ＰＬＡＣＥＭＥＮＴ  ＡＮＤ  ＣＯＮＴＲＯＬ  ＯＦ  Ａ  ＳＵＲＧＩＣＡＬ  ＤＥＶＩＣＥ  ＩＮ  ＵＳＥ」と題する米国特許出願第１６／１８２，２６９号、
・「ＣＯＭＭＵＮＩＣＡＴＩＯＮ  ＯＦ  ＤＡＴＡ  ＷＨＥＲＥ  Ａ  ＳＵＲＧＩＣＡＬ  ＮＥＴＷＯＲＫ  ＩＳ  ＵＳＩＮＧ  ＣＯＮＴＥＸＴ  ＯＦ  ＴＨＥ  ＤＡＴＡ  ＡＮＤ  ＲＥＱＵＩＲＥＭＥＮＴＳ  ＯＦ  Ａ  ＲＥＣＥＩＶＩＮＧ  ＳＹＳＴＥＭ／ＵＳＥＲ  ＴＯ  ＩＮＦＬＵＥＮＣＥ  ＩＮＣＬＵＳＩＯＮ  ＯＲ  ＬＩＮＫＡＧＥ  ＯＦ  ＤＡＴＡ  ＡＮＤ  ＭＥＴＡＤＡＴＡ  ＴＯ  ＥＳＴＡＢＬＩＳＨ  ＣＯＮＴＩＮＵＩＴＹ」と題する米国特許出願第１６／１８２，２７８号、
・「ＳＵＲＧＩＣＡＬ  ＮＥＴＷＯＲＫ  ＲＥＣＯＭＭＥＮＤＡＴＩＯＮＳ  ＦＲＯＭ  ＲＥＡＬ  ＴＩＭＥ  ＡＮＡＬＹＳＩＳ  ＯＦ  ＰＲＯＣＥＤＵＲＥ  ＶＡＲＩＡＢＬＥＳ  ＡＧＡＩＮＳＴ  Ａ  ＢＡＳＥＬＩＮＥ  ＨＩＧＨＬＩＧＨＴＩＮＧ  ＤＩＦＦＥＲＥＮＣＥＳ  ＦＲＯＭ  ＴＨＥ  ＯＰＴＩＭＡＬ  ＳＯＬＵＴＩＯＮ」と題する米国特許出願第１６／１８２，２９０号、
・「ＣＯＮＴＲＯＬ  ＯＦ  Ａ  ＳＵＲＧＩＣＡＬ  ＳＹＳＴＥＭ  ＴＨＲＯＵＧＨ  Ａ  ＳＵＲＧＩＣＡＬ  ＢＡＲＲＩＥＲ」と題する米国特許出願第１６／１８２，２３２号、
・「ＳＵＲＧＩＣＡＬ  ＮＥＴＷＯＲＫ  ＤＥＴＥＲＭＩＮＡＴＩＯＮ  ＯＦ  ＰＲＩＯＲＩＴＩＺＡＴＩＯＮ  ＯＦ  ＣＯＭＭＵＮＩＣＡＴＩＯＮ，ＩＮＴＥＲＡＣＴＩＯＮ，ＯＲ  ＰＲＯＣＥＳＳＩＮＧ  ＢＡＳＥＤ  ＯＮ  ＳＹＳＴＥＭ  ＯＲ  ＤＥＶＩＣＥ  ＮＥＥＤＳ」と題する米国特許出願第１６／１８２，２２７号、
・「ＷＩＲＥＬＥＳＳ  ＰＡＩＲＩＮＧ  ＯＦ  Ａ  ＳＵＲＧＩＣＡＬ  ＤＥＶＩＣＥ  ＷＩＴＨ  ＡＮＯＴＨＥＲ  ＤＥＶＩＣＥ  ＷＩＴＨＩＮ  Ａ  ＳＴＥＲＩＬＥ  ＳＵＲＧＩＣＡＬ  ＦＩＥＬＤ  ＢＡＳＥＤ  ＯＮ  ＴＨＥ  ＵＳＡＧＥ  ＡＮＤ  ＳＩＴＵＡＴＩＯＮＡＬ  ＡＷＡＲＥＮＥＳＳ  ＯＦ  ＤＥＶＩＣＥＳ」と題する米国特許出願第１６／１８２，２３１号、
・「ＡＤＪＵＳＴＭＥＮＴ  ＯＦ  ＳＴＡＰＬＥ  ＨＥＩＧＨＴ  ＯＦ  ＡＴ  ＬＥＡＳＴ  ＯＮＥ  ＲＯＷ  ＯＦ  ＳＴＡＰＬＥＳ  ＢＡＳＥＤ  ＯＮ  ＴＨＥ  ＳＥＮＳＥＤ  ＴＩＳＳＵＥ  ＴＨＩＣＫＮＥＳＳ  ＯＲ  ＦＯＲＣＥ  ＩＮ  ＣＬＯＳＩＮＧ」と題する米国特許出願第１６／１８２，２２９号、
・「ＳＴＡＰＬＩＮＧ  ＤＥＶＩＣＥ  ＷＩＴＨ  ＢＯＴＨ  ＣＯＭＰＵＬＳＯＲＹ  ＡＮＤ  ＤＩＳＣＲＥＴＩＯＮＡＲＹ  ＬＯＣＫＯＵＴＳ  ＢＡＳＥＤ  ＯＮ  ＳＥＮＳＥＤ  ＰＡＲＡＭＥＴＥＲＳ」と題する米国特許出願第１６／１８２，２３４号、
・「ＰＯＷＥＲＥＤ  ＳＴＡＰＬＩＮＧ  ＤＥＶＩＣＥ  ＣＯＮＦＩＧＵＲＥＤ  ＴＯ  ＡＤＪＵＳＴ  ＦＯＲＣＥ，ＡＤＶＡＮＣＥＭＥＮＴ  ＳＰＥＥＤ，ＡＮＤ  ＯＶＥＲＡＬＬ  ＳＴＲＯＫＥ  ＯＦ  ＣＵＴＴＩＮＧ  ＭＥＭＢＥＲ  ＢＡＳＥＤ  ＯＮ  ＳＥＮＳＥＤ  ＰＡＲＡＭＥＴＥＲ  ＯＦ  ＦＩＲＩＮＧ  ＯＲ  ＣＬＡＭＰＩＮＧ」と題する米国特許出願第１６／１８２，２４０号、
・「ＶＡＲＩＡＴＩＯＮ  ＯＦ  ＲＡＤＩＯ  ＦＲＥＱＵＥＮＣＹ  ＡＮＤ  ＵＬＴＲＡＳＯＮＩＣ  ＰＯＷＥＲ  ＬＥＶＥＬ  ＩＮ  ＣＯＯＰＥＲＡＴＩＯＮ  ＷＩＴＨ  ＶＡＲＹＩＮＧ  ＣＬＡＭＰ  ＡＲＭ  ＰＲＥＳＳＵＲＥ  ＴＯ  ＡＣＨＩＥＶＥ  ＰＲＥＤＥＦＩＮＥＤ  ＨＥＡＴ  ＦＬＵＸ  ＯＲ  ＰＯＷＥＲ  ＡＰＰＬＩＥＤ  ＴＯ  ＴＩＳＳＵＥ」と題する米国特許出願第１６／１８２，２３５号、及び
・「ＵＬＴＲＡＳＯＮＩＣ  ＥＮＥＲＧＹ  ＤＥＶＩＣＥ  ＷＨＩＣＨ  ＶＡＲＩＥＳ  ＰＲＥＳＳＵＲＥ  ＡＰＰＬＩＥＤ  ＢＹ  ＣＬＡＭＰ  ＡＲＭ  ＴＯ  ＰＲＯＶＩＤＥ  ＴＨＲＥＳＨＯＬＤ  ＣＯＮＴＲＯＬ  ＰＲＥＳＳＵＲＥ  ＡＴ  Ａ  ＣＵＴ  ＰＲＯＧＲＥＳＳＩＯＮ  ＬＯＣＡＴＩＯＮ」と題する米国特許出願第１６／１８２，２３８号。
【００１９】
本願の出願人は、各開示の全体が参照により本明細書に組み込まれる、２０１８年１０月２６日に出願された以下の米国特許出願を所有する。
・米国特許出願第１６／１７２，３０３号、発明の名称「ＭＥＴＨＯＤ  ＦＯＲ  ＯＰＥＲＡＴＩＮＧ  Ａ  ＰＯＷＥＲＥＤ  ＡＲＴＩＣＵＬＡＴＩＮＧ  ＭＵＬＴＩ−ＣＬＩＰ  ＡＰＰＬＩＥＲ」、
・米国特許出願第１６／１７２，１３０号、発明の名称「ＣＬＩＰ  ＡＰＰＬＩＥＲ  ＣＯＭＰＲＩＳＩＮＧ  ＩＮＴＥＲＣＨＡＮＧＥＡＢＬＥ  ＣＬＩＰ  ＲＥＬＯＡＤＳ」、
・米国特許出願第１６／１７２，０６６号、発明の名称「ＣＬＩＰ  ＡＰＰＬＩＥＲ  ＣＯＭＰＲＩＳＩＮＧ  Ａ  ＭＯＶＡＢＬＥ  ＣＬＩＰ  ＭＡＧＡＺＩＮＥ」、
・米国特許出願第１６／１７２，０７８号、発明の名称「ＣＬＩＰ  ＡＰＰＬＩＥＲ  ＣＯＭＰＲＩＳＩＮＧ  Ａ  ＲＯＴＡＴＡＢＬＥ  ＣＬＩＰ  ＭＡＧＡＺＩＮＥ」、
・米国特許出願第１６／１７２，０８７号、発明の名称「ＣＬＩＰ  ＡＰＰＬＩＥＲ  ＣＯＭＰＲＩＳＩＮＧ  ＣＬＩＰ  ＡＤＶＡＮＣＩＮＧ  ＳＹＳＴＥＭＳ」、
・米国特許出願第１６／１７２，０９４号、発明の名称「ＣＬＩＰ  ＡＰＰＬＩＥＲ  ＣＯＭＰＲＩＳＩＮＧ  Ａ  ＣＬＩＰ  ＣＲＩＭＰＩＮＧ  ＳＹＳＴＥＭ」、
・米国特許出願第１６／１７２，１２８号、発明の名称「ＣＬＩＰ  ＡＰＰＬＩＥＲ  ＣＯＭＰＲＩＳＩＮＧ  Ａ  ＲＥＣＩＰＲＯＣＡＴＩＮＧ  ＣＬＩＰ  ＡＤＶＡＮＣＩＮＧ  ＭＥＭＢＥＲ」、
・米国特許出願第１６／１７２，１６８号、発明の名称「ＣＬＩＰ  ＡＰＰＬＩＥＲ  ＣＯＭＰＲＩＳＩＮＧ  Ａ  ＭＯＴＯＲ  ＣＯＮＴＲＯＬＬＥＲ」、
・米国特許出願第１６／１７２，１６４号、発明の名称「ＳＵＲＧＩＣＡＬ  ＳＹＳＴＥＭ  ＣＯＭＰＲＩＳＩＮＧ  Ａ  ＳＵＲＧＩＣＡＬ  ＴＯＯＬ  ＡＮＤ  Ａ  ＳＵＲＧＩＣＡＬ  ＨＵＢ」、
・米国特許出願第１６／１７２，３２８号、発明の名称「ＭＥＴＨＯＤ  ＯＦ  ＨＵＢ  ＣＯＭＭＵＮＩＣＡＴＩＯＮ  ＷＩＴＨ  ＳＵＲＧＩＣＡＬ  ＩＮＳＴＲＵＭＥＮＴ  ＳＹＳＴＥＭＳ」、
・米国特許出願第１６／１７２，２８０号、発明の名称「ＭＥＴＨＯＤ  ＦＯＲ  ＰＲＯＤＵＣＩＮＧ  Ａ  ＳＵＲＧＩＣＡＬ  ＩＮＳＴＲＵＭＥＮＴ  ＣＯＭＰＲＩＳＩＮＧ  Ａ  ＳＭＡＲＴ  ＥＬＥＣＴＲＩＣＡＬ  ＳＹＳＴＥＭ」、
・米国特許出願第１６／１７２，２１９号、発明の名称「ＭＥＴＨＯＤ  ＯＦ  ＨＵＢ  ＣＯＭＭＵＮＩＣＡＴＩＯＮ  ＷＩＴＨ  ＳＵＲＧＩＣＡＬ  ＩＮＳＴＲＵＭＥＮＴ  ＳＹＳＴＥＭＳ」、
・米国特許出願第１６／１７２，２４８号、発明の名称「ＭＥＴＨＯＤ  ＯＦ  ＨＵＢ  ＣＯＭＭＵＮＩＣＡＴＩＯＮ  ＷＩＴＨ  ＳＵＲＧＩＣＡＬ  ＩＮＳＴＲＵＭＥＮＴ  ＳＹＳＴＥＭＳ」、
・米国特許出願第１６／１７２，１９８号、発明の名称「ＭＥＴＨＯＤ  ＯＦ  ＨＵＢ  ＣＯＭＭＵＮＩＣＡＴＩＯＮ  ＷＩＴＨ  ＳＵＲＧＩＣＡＬ  ＩＮＳＴＲＵＭＥＮＴ  ＳＹＳＴＥＭＳ」、及び
・米国特許出願第１６／１７２，１５５号、発明の名称「ＭＥＴＨＯＤ  ＯＦ  ＨＵＢ  ＣＯＭＭＵＮＩＣＡＴＩＯＮ  ＷＩＴＨ  ＳＵＲＧＩＣＡＬ  ＩＮＳＴＲＵＭＥＮＴ  ＳＹＳＴＥＭＳ」。
【００２０】
本願の出願人は、各開示の全体が参照により本明細書に組み込まれる、２０１８年８月２８日出願の以下の米国特許出願を所有する。
・「ＥＳＴＩＭＡＴＩＮＧ  ＳＴＡＴＥ  ＯＦ  ＵＬＴＲＡＳＯＮＩＣ  ＥＮＤ  ＥＦＦＥＣＴＯＲ  ＡＮＤ  ＣＯＮＴＲＯＬ  ＳＹＳＴＥＭ  ＴＨＥＲＥＦＯＲ」と題する米国特許出願第１６／１１５，２１４号、
・「ＴＥＭＰＥＲＡＴＵＲＥ  ＣＯＮＴＲＯＬ  ＯＦ  ＵＬＴＲＡＳＯＮＩＣ  ＥＮＤ  ＥＦＦＥＣＴＯＲ  ＡＮＤ  ＣＯＮＴＲＯＬ  ＳＹＳＴＥＭ  ＴＨＥＲＥＦＯＲ」と題する米国特許出願第１６／１１５，２０５号、
・「ＲＡＤＩＯ  ＦＲＥＱＵＥＮＣＹ  ＥＮＥＲＧＹ  ＤＥＶＩＣＥ  ＦＯＲ  ＤＥＬＩＶＥＲＩＮＧ  ＣＯＭＢＩＮＥＤ  ＥＬＥＣＴＲＩＣＡＬ  ＳＩＧＮＡＬＳ」と題する米国特許出願第１６／１１５，２３３号、
・「ＣＯＮＴＲＯＬＬＩＮＧ  ＡＮ  ＵＬＴＲＡＳＯＮＩＣ  ＳＵＲＧＩＣＡＬ  ＩＮＳＴＲＵＭＥＮＴ  ＡＣＣＯＲＤＩＮＧ  ＴＯ  ＴＩＳＳＵＥ  ＬＯＣＡＴＩＯＮ」と題する米国特許出願第１６／１１５，２０８号、
・「ＣＯＮＴＲＯＬＬＩＮＧ  ＡＣＴＩＶＡＴＩＯＮ  ＯＦ  ＡＮ  ＵＬＴＲＡＳＯＮＩＣ  ＳＵＲＧＩＣＡＬ  ＩＮＳＴＲＵＭＥＮＴ  ＡＣＣＯＲＤＩＮＧ  ＴＯ  ＴＨＥ  ＰＲＥＳＥＮＣＥ  ＯＦ  ＴＩＳＳＵＥ」と題する米国特許出願第１６／１１５，２２０号、
・「ＤＥＴＥＲＭＩＮＩＮＧ  ＴＩＳＳＵＥ  ＣＯＭＰＯＳＩＴＩＯＮ  ＶＩＡ  ＡＮ  ＵＬＴＲＡＳＯＮＩＣ  ＳＹＳＴＥＭ」と題する米国特許出願第１６／１１５，２３２号、
・「ＤＥＴＥＲＭＩＮＩＮＧ  ＴＨＥ  ＳＴＡＴＥ  ＯＦ  ＡＮ  ＵＬＴＲＡＳＯＮＩＣ  ＥＬＥＣＴＲＯＭＥＣＨＡＮＩＣＡＬ  ＳＹＳＴＥＭ  ＡＣＣＯＲＤＩＮＧ  ＴＯ  ＦＲＥＱＵＥＮＣＹ  ＳＨＩＦＴ」と題する米国特許出願第１６／１１５，２３９号、
・「ＤＥＴＥＲＭＩＮＩＮＧ  ＴＨＥ  ＳＴＡＴＥ  ＯＦ  ＡＮ  ＵＬＴＲＡＳＯＮＩＣ  ＥＮＤ  ＥＦＦＥＣＴＯＲ」と題する米国特許出願第１６／１１５，２４７号、
・「ＳＩＴＵＡＴＩＯＮＡＬ  ＡＷＡＲＥＮＥＳＳ  ＯＦ  ＥＬＥＣＴＲＯＳＵＲＧＩＣＡＬ  ＳＹＳＴＥＭＳ」と題する米国特許出願第１６／１１５，２１１号、
・「ＭＥＣＨＡＮＩＳＭＳ  ＦＯＲ  ＣＯＮＴＲＯＬＬＩＮＧ  ＤＩＦＦＥＲＥＮＴ  ＥＬＥＣＴＲＯＭＥＣＨＡＮＩＣＡＬ  ＳＹＳＴＥＭＳ  ＯＦ  ＡＮ  ＥＬＥＣＴＲＯＳＵＲＧＩＣＡＬ  ＩＮＳＴＲＵＭＥＮＴ」と題する米国特許出願第１６／１１５，２２６号、
・「ＤＥＴＥＣＴＩＯＮ  ＯＦ  ＥＮＤ  ＥＦＦＥＣＴＯＲ  ＥＭＥＲＳＩＯＮ  ＩＮ  ＬＩＱＵＩＤ」と題する米国特許出願第１６／１１５，２４０号、
・「ＩＮＴＥＲＲＵＰＴＩＯＮ  ＯＦ  ＥＮＥＲＧＹ  ＤＵＥ  ＴＯ  ＩＮＡＤＶＥＲＴＥＮＴ  ＣＡＰＡＣＩＴＩＶＥ  ＣＯＵＰＬＩＮＧ」と題する米国特許出願第１６／１１５，２４９号、
・「ＩＮＣＲＥＡＳＩＮＧ  ＲＡＤＩＯ  ＦＲＥＱＵＥＮＣＹ  ＴＯ  ＣＲＥＡＴＥ  ＰＡＤ−ＬＥＳＳ  ＭＯＮＯＰＯＬＡＲ  ＬＯＯＰ」と題する米国特許出願第１６／１１５，２５６号、
・「ＢＩＰＯＬＡＲ  ＣＯＭＢＩＮＡＴＩＯＮ  ＤＥＶＩＣＥ  ＴＨＡＴ  ＡＵＴＯＭＡＴＩＣＡＬＬＹ  ＡＤＪＵＳＴＳ  ＰＲＥＳＳＵＲＥ  ＢＡＳＥＤ  ＯＮ  ＥＮＥＲＧＹ  ＭＯＤＡＬＩＴＹ」と題する米国特許出願第１６／１１５，２２３号、及び
・「ＡＣＴＩＶＡＴＩＯＮ  ＯＦ  ＥＮＥＲＧＹ  ＤＥＶＩＣＥＳ」と題する米国特許出願第１６／１１５，２３８号。
【００２１】
本願の出願人は、各開示の全体が参照により本明細書に組み込まれる、２０１８年８月２４日出願の以下の米国特許出願を所有する。
・米国特許出願第１６／１１２，１２９号、発明の名称「ＳＵＲＧＩＣＡＬ  ＳＵＴＵＲＩＮＧ  ＩＮＳＴＲＵＭＥＮＴ  ＣＯＮＦＩＧＵＲＥＤ  ＴＯ  ＭＡＮＩＰＵＬＡＴＥ  ＴＩＳＳＵＥ  ＵＳＩＮＧ  ＭＥＣＨＡＮＩＣＡＬ  ＡＮＤ  ＥＬＥＣＴＲＩＣＡＬ  ＰＯＷＥＲ」、
・米国特許出願第１６／１１２，１５５号、発明の名称「ＳＵＲＧＩＣＡＬ  ＳＵＴＵＲＩＮＧ  ＩＮＳＴＲＵＭＥＮＴ  ＣＯＭＰＲＩＳＩＮＧ  Ａ  ＣＡＰＴＵＲＥ  ＷＩＤＴＨ  ＷＨＩＣＨ  ＩＳ  ＬＡＲＧＥＲ  ＴＨＡＮ  ＴＲＯＣＡＲ  ＤＩＡＭＥＴＥＲ」、
・米国特許出願第１６／１１２，１６８号、発明の名称「ＳＵＲＧＩＣＡＬ  ＳＵＴＵＲＩＮＧ  ＩＮＳＴＲＵＭＥＮＴ  ＣＯＭＰＲＩＳＩＮＧ  Ａ  ＮＯＮ−ＣＩＲＣＵＬＡＲ  ＮＥＥＤＬＥ」、
・米国特許出願第１６／１１２，１８０号、発明の名称「ＥＬＥＣＴＲＩＣＡＬ  ＰＯＷＥＲ  ＯＵＴＰＵＴ  ＣＯＮＴＲＯＬ  ＢＡＳＥＤ  ＯＮ  ＭＥＣＨＡＮＩＣＡＬ  ＦＯＲＣＥＳ」、
・米国特許出願第１６／１１２，１９３号、発明の名称「ＲＥＡＣＴＩＶＥ  ＡＬＧＯＲＩＴＨＭ  ＦＯＲ  ＳＵＲＧＩＣＡＬ  ＳＹＳＴＥＭ」、
・米国特許出願第１６／１１２，０９９号、発明の名称「ＳＵＲＧＩＣＡＬ  ＩＮＳＴＲＵＭＥＮＴ  ＣＯＭＰＲＩＳＩＮＧ  ＡＮ  ＡＤＡＰＴＩＶＥ  ＥＬＥＣＴＲＩＣＡＬ  ＳＹＳＴＥＭ」、
・米国特許出願第１６／１１２，１１２号、発明の名称「ＣＯＮＴＲＯＬ  ＳＹＳＴＥＭ  ＡＲＲＡＮＧＥＭＥＮＴＳ  ＦＯＲ  Ａ  ＭＯＤＵＬＡＲ  ＳＵＲＧＩＣＡＬ  ＩＮＳＴＲＵＭＥＮＴ」、
・米国特許出願第１６／１１２，１１９号、発明の名称「ＡＤＡＰＴＩＶＥ  ＣＯＮＴＲＯＬ  ＰＲＯＧＲＡＭＳ  ＦＯＲ  Ａ  ＳＵＲＧＩＣＡＬ  ＳＹＳＴＥＭ  ＣＯＭＰＲＩＳＩＮＧ  ＭＯＲＥ  ＴＨＡＮ  ＯＮＥ  ＴＹＰＥ  ＯＦ  ＣＡＲＴＲＩＤＧＥ」、
・米国特許出願第１６／１１２，０９７号、発明の名称「ＳＵＲＧＩＣＡＬ  ＩＮＳＴＲＵＭＥＮＴ  ＳＹＳＴＥＭＳ  ＣＯＭＰＲＩＳＩＮＧ  ＢＡＴＴＥＲＹ  ＡＲＲＡＮＧＥＭＥＮＴＳ」、
・米国特許出願第１６／１１２，１０９号、発明の名称「ＳＵＲＧＩＣＡＬ  ＩＮＳＴＲＵＭＥＮＴ  ＳＹＳＴＥＭＳ  ＣＯＭＰＲＩＳＩＮＧ  ＨＡＮＤＬＥ  ＡＲＲＡＮＧＥＭＥＮＴＳ」、
・米国特許出願第１６／１１２，１１４号、発明の名称「ＳＵＲＧＩＣＡＬ  ＩＮＳＴＲＵＭＥＮＴ  ＳＹＳＴＥＭＳ  ＣＯＭＰＲＩＳＩＮＧ  ＦＥＥＤＢＡＣＫ  ＭＥＣＨＡＮＩＳＭＳ」、
・米国特許出願第１６／１１２，１１７号、発明の名称「ＳＵＲＧＩＣＡＬ  ＩＮＳＴＲＵＭＥＮＴ  ＳＹＳＴＥＭＳ  ＣＯＭＰＲＩＳＩＮＧ  ＬＯＣＫＯＵＴ  ＭＥＣＨＡＮＩＳＭＳ」、
・米国特許出願第１６／１１２，０９５号、表題「ＳＵＲＧＩＣＡＬ  ＩＮＳＴＲＵＭＥＮＴＳ  ＣＯＭＰＲＩＳＩＮＧ  Ａ  ＬＯＣＫＡＢＬＥ  ＥＮＤ  ＥＦＦＥＣＴＯＲ  ＳＯＣＫＥＴ」、
・米国特許出願第１６／１１２，１２１号、発明の名称「ＳＵＲＧＩＣＡＬ  ＩＮＳＴＲＵＭＥＮＴ  ＣＯＭＰＲＩＳＩＮＧ  Ａ  ＳＨＩＦＴＩＮＧ  ＭＥＣＨＡＮＩＳＭ」、
・米国特許出願第１６／１１２，１５１号、発明の名称「ＳＵＲＧＩＣＡＬ  ＩＮＳＴＲＵＭＥＮＴＳ  ＣＯＭＰＲＩＳＩＮＧ  Ａ  ＳＹＳＴＥＭ  ＦＯＲ  ＡＲＴＩＣＵＬＡＴＩＯＮ  ＡＮＤ  ＲＯＴＡＴＩＯＮ  ＣＯＭＰＥＮＳＡＴＩＯＮ」、
・米国特許出願第１６／１１２，１５４号、発明の名称「ＳＵＲＧＩＣＡＬ  ＩＮＳＴＲＵＭＥＮＴＳ  ＣＯＭＰＲＩＳＩＮＧ  Ａ  ＢＩＡＳＥＤ  ＳＨＩＦＴＩＮＧ  ＭＥＣＨＡＮＩＳＭ」、
・米国特許出願第１６／１１２，２２６号、発明の名称「ＳＵＲＧＩＣＡＬ  ＩＮＳＴＲＵＭＥＮＴＳ  ＣＯＭＰＲＩＳＩＮＧ  ＡＮ  ＡＲＴＩＣＵＬＡＴＩＯＮ  ＤＲＩＶＥ  ＴＨＡＴ  ＰＲＯＶＩＤＥＳ  ＦＯＲ  ＨＩＧＨ  ＡＲＴＩＣＵＬＡＴＩＯＮ  ＡＮＧＬＥＳ」、
・米国特許出願第１６／１１２，０６２号、発明の名称「ＳＵＲＧＩＣＡＬ  ＤＩＳＳＥＣＴＯＲＳ  ＡＮＤ  ＭＡＮＵＦＡＣＴＵＲＩＮＧ  ＴＥＣＨＮＩＱＵＥＳ」、
・米国特許出願第１６／１１２，０９８号、発明の名称「ＳＵＲＧＩＣＡＬ  ＤＩＳＳＥＣＴＯＲＳ  ＣＯＮＦＩＧＵＲＥＤ  ＴＯ  ＡＰＰＬＹ  ＭＥＣＨＡＮＩＣＡＬ  ＡＮＤ  ＥＬＥＣＴＲＩＣＡＬ  ＥＮＥＲＧＹ」、
・米国特許出願第１６／１１２，２３７号、発明の名称「ＳＵＲＧＩＣＡＬ  ＣＬＩＰ  ＡＰＰＬＩＥＲ  ＣＯＮＦＩＧＵＲＥＤ  ＴＯ  ＳＴＯＲＥ  ＣＬＩＰＳ  ＩＮ  Ａ  ＳＴＯＲＥＤ  ＳＴＡＴＥ」、
・米国特許出願第１６／１１２，２４５号、発明の名称「ＳＵＲＧＩＣＡＬ  ＣＬＩＰ  ＡＰＰＬＩＥＲ  ＣＯＭＰＲＩＳＩＮＧ  ＡＮ  ＥＭＰＴＹ  ＣＬＩＰ  ＣＡＲＴＲＩＤＧＥ  ＬＯＣＫＯＵＴ」、
・米国特許出願第１６／１１２，２４９号、発明の名称「ＳＵＲＧＩＣＡＬ  ＣＬＩＰ  ＡＰＰＬＩＥＲ  ＣＯＭＰＲＩＳＩＮＧ  ＡＮ  ＡＵＴＯＭＡＴＩＣ  ＣＬＩＰ  ＦＥＥＤＩＮＧ  ＳＹＳＴＥＭ」、
・米国特許出願第１６／１１２，２５３号、発明の名称「ＳＵＲＧＩＣＡＬ  ＣＬＩＰ  ＡＰＰＬＩＥＲ  ＣＯＭＰＲＩＳＩＮＧ  ＡＤＡＰＴＩＶＥ  ＦＩＲＩＮＧ  ＣＯＮＴＲＯＬ」、及び
・米国特許出願第１６／１１２，２５７号、発明の名称「ＳＵＲＧＩＣＡＬ  ＣＬＩＰ  ＡＰＰＬＩＥＲ  ＣＯＭＰＲＩＳＩＮＧ  ＡＤＡＰＴＩＶＥ  ＣＯＮＴＲＯＬ  ＩＮ  ＲＥＳＰＯＮＳＥ  ＴＯ  Ａ  ＳＴＲＡＩＮ  ＧＡＵＧＥ  ＣＩＲＣＵＩＴ」。
【００２２】
本願の出願人は、各開示の全体が参照により本明細書に組み込まれる、２０１８年６月２９日出願の以下の米国特許出願を所有する。
・「ＣＡＰＡＣＩＴＩＶＥ  ＣＯＵＰＬＥＤ  ＲＥＴＵＲＮ  ＰＡＴＨ  ＰＡＤ  ＷＩＴＨ  ＳＥＰＡＲＡＢＬＥ  ＡＲＲＡＹ  ＥＬＥＭＥＮＴＳ」と題する米国特許出願第１６／０２４，０９０号、
・「ＣＯＮＴＲＯＬＬＩＮＧ  Ａ  ＳＵＲＧＩＣＡＬ  ＩＮＳＴＲＵＭＥＮＴ  ＡＣＣＯＲＤＩＮＧ  ＴＯ  ＳＥＮＳＥＤ  ＣＬＯＳＵＲＥ  ＰＡＲＡＭＥＴＥＲＳ」と題する米国特許出願第１６／０２４，０５７号、
・「ＳＹＳＴＥＭＳ  ＦＯＲ  ＡＤＪＵＳＴＩＮＧ  ＥＮＤ  ＥＦＦＥＣＴＯＲ  ＰＡＲＡＭＥＴＥＲＳ  ＢＡＳＥＤ  ＯＮ  ＰＥＲＩＯＰＥＲＡＴＩＶＥ  ＩＮＦＯＲＭＡＴＩＯＮ」と題する米国特許出願第１６／０２４，０６７号、
・「ＳＡＦＥＴＹ  ＳＹＳＴＥＭＳ  ＦＯＲ  ＳＭＡＲＴ  ＰＯＷＥＲＥＤ  ＳＵＲＧＩＣＡＬ  ＳＴＡＰＬＩＮＧ」と題する米国特許出願第１６／０２４，０７５号、
・「ＳＡＦＥＴＹ  ＳＹＳＴＥＭＳ  ＦＯＲ  ＳＭＡＲＴ  ＰＯＷＥＲＥＤ  ＳＵＲＧＩＣＡＬ  ＳＴＡＰＬＩＮＧ」と題する米国特許出願第１６／０２４，０８３号、
・「ＳＵＲＧＩＣＡＬ  ＳＹＳＴＥＭＳ  ＦＯＲ  ＤＥＴＥＣＴＩＮＧ  ＥＮＤ  ＥＦＦＥＣＴＯＲ  ＴＩＳＳＵＥ  ＤＩＳＴＲＩＢＵＴＩＯＮ  ＩＲＲＥＧＵＬＡＲＩＴＩＥＳ」と題する米国特許出願第１６／０２４，０９４号、
・「ＳＹＳＴＥＭＳ  ＦＯＲ  ＤＥＴＥＣＴＩＮＧ  ＰＲＯＸＩＭＩＴＹ  ＯＦ  ＳＵＲＧＩＣＡＬ  ＥＮＤ  ＥＦＦＥＣＴＯＲ  ＴＯ  ＣＡＮＣＥＲＯＵＳ  ＴＩＳＳＵＥ」と題する米国特許出願第１６／０２４，１３８号、
・「ＳＵＲＧＩＣＡＬ  ＩＮＳＴＲＵＭＥＮＴ  ＣＡＲＴＲＩＤＧＥ  ＳＥＮＳＯＲ  ＡＳＳＥＭＢＬＩＥＳ」と題する米国特許出願第１６／０２４，１５０号、
・「ＶＡＲＩＡＢＬＥ  ＯＵＴＰＵＴ  ＣＡＲＴＲＩＤＧＥ  ＳＥＮＳＯＲ  ＡＳＳＥＭＢＬＹ」と題する米国特許出願第１６／０２４，１６０号、
・「ＳＵＲＧＩＣＡＬ  ＩＮＳＴＲＵＭＥＮＴ  ＨＡＶＩＮＧ  Ａ  ＦＬＥＸＩＢＬＥ  ＥＬＥＣＴＲＯＤＥ」と題する米国特許出願第１６／０２４，１２４号、
・「ＳＵＲＧＩＣＡＬ  ＩＮＳＴＲＵＭＥＮＴ  ＨＡＶＩＮＧ  Ａ  ＦＬＥＸＩＢＬＥ  ＣＩＲＣＵＩＴ」と題する米国特許出願第１６／０２４，１３２号、
・「ＳＵＲＧＩＣＡＬ  ＩＮＳＴＲＵＭＥＮＴ  ＷＩＴＨ  Ａ  ＴＩＳＳＵＥ  ＭＡＲＫＩＮＧ  ＡＳＳＥＭＢＬＹ」と題する米国特許出願第１６／０２４，１４１号、
・「ＳＵＲＧＩＣＡＬ  ＳＹＳＴＥＭＳ  ＷＩＴＨ  ＰＲＩＯＲＩＴＩＺＥＤ  ＤＡＴＡ  ＴＲＡＮＳＭＩＳＳＩＯＮ  ＣＡＰＡＢＩＬＩＴＩＥＳ」と題する米国特許出願第１６／０２４，１６２号、
・「ＳＵＲＧＩＣＡＬ  ＥＶＡＣＵＡＴＩＯＮ  ＳＥＮＳＩＮＧ  ＡＮＤ  ＭＯＴＯＲ  ＣＯＮＴＲＯＬ」と題する米国特許出願第１６／０２４，０６６号、
・「ＳＵＲＧＩＣＡＬ  ＥＶＡＣＵＡＴＩＯＮ  ＳＥＮＳＯＲ  ＡＲＲＡＮＧＥＭＥＮＴＳ」と題する米国特許出願第１６／０２４，０９６号、
・「ＳＵＲＧＩＣＡＬ  ＥＶＡＣＵＡＴＩＯＮ  ＦＬＯＷ  ＰＡＴＨＳ」と題する米国特許出願第１６／０２４，１１６号、
・「ＳＵＲＧＩＣＡＬ  ＥＶＡＣＵＡＴＩＯＮ  ＳＥＮＳＩＮＧ  ＡＮＤ  ＧＥＮＥＲＡＴＯＲ  ＣＯＮＴＲＯＬ」と題する米国特許出願第１６／０２４，１４９号、
・「ＳＵＲＧＩＣＡＬ  ＥＶＡＣＵＡＴＩＯＮ  ＳＥＮＳＩＮＧ  ＡＮＤ  ＤＩＳＰＬＡＹ」と題する米国特許出願第１６／０２４，１８０号、
・「ＣＯＭＭＵＮＩＣＡＴＩＯＮ  ＯＦ  ＳＭＯＫＥ  ＥＶＡＣＵＡＴＩＯＮ  ＳＹＳＴＥＭ  ＰＡＲＡＭＥＴＥＲＳ  ＴＯ  ＨＵＢ  ＯＲ  ＣＬＯＵＤ  ＩＮ  ＳＭＯＫＥ  ＥＶＡＣＵＡＴＩＯＮ  ＭＯＤＵＬＥ  ＦＯＲ  ＩＮＴＥＲＡＣＴＩＶＥ  ＳＵＲＧＩＣＡＬ  ＰＬＡＴＦＯＲＭ」と題する米国特許出願第１６／０２４，２４５号、
・「ＳＭＯＫＥ  ＥＶＡＣＵＡＴＩＯＮ  ＳＹＳＴＥＭ  ＩＮＣＬＵＤＩＮＧ  Ａ  ＳＥＧＭＥＮＴＥＤ  ＣＯＮＴＲＯＬ  ＣＩＲＣＵＩＴ  ＦＯＲ  ＩＮＴＥＲＡＣＴＩＶＥ  ＳＵＲＧＩＣＡＬ  ＰＬＡＴＦＯＲＭ」と題する米国特許出願第１６／０２４，２５８号、
・「ＳＵＲＧＩＣＡＬ  ＥＶＡＣＵＡＴＩＯＮ  ＳＹＳＴＥＭ  ＷＩＴＨ  Ａ  ＣＯＭＭＵＮＩＣＡＴＩＯＮ  ＣＩＲＣＵＩＴ  ＦＯＲ  ＣＯＭＭＵＮＩＣＡＴＩＯＮ  ＢＥＴＷＥＥＮ  Ａ  ＦＩＬＴＥＲ  ＡＮＤ  Ａ  ＳＭＯＫＥ  ＥＶＡＣＵＡＴＩＯＮ  ＤＥＶＩＣＥ」と題する米国特許出願第１６／０２４，２６５号、及び
・「ＤＵＡＬ  ＩＮ−ＳＥＲＩＥＳ  ＬＡＲＧＥ  ＡＮＤ  ＳＭＡＬＬ  ＤＲＯＰＬＥＴ  ＦＩＬＴＥＲＳ」と題する米国特許出願第１６／０２４，２７３号。
【００２３】
本願の出願人は、各開示の全体が参照により本明細書に組み込まれる、２０１８年３月２９日出願の以下の米国特許出願を所有する。
・「ＩＮＴＥＲＡＣＴＩＶＥ  ＳＵＲＧＩＣＡＬ  ＳＹＳＴＥＭＳ  ＷＩＴＨ  ＥＮＣＲＹＰＴＥＤ  ＣＯＭＭＵＮＩＣＡＴＩＯＮ  ＣＡＰＡＢＩＬＩＴＩＥＳ」と題する米国特許出願第１５／９４０，６４１号、
・「ＩＮＴＥＲＡＣＴＩＶＥ  ＳＵＲＧＩＣＡＬ  ＳＹＳＴＥＭＳ  ＷＩＴＨ  ＣＯＮＤＩＴＩＯＮ  ＨＡＮＤＬＩＮＧ  ＯＦ  ＤＥＶＩＣＥＳ  ＡＮＤ  ＤＡＴＡ  ＣＡＰＡＢＩＬＩＴＩＥＳ」と題する米国特許出願第１５／９４０，６４８号、
・「ＳＵＲＧＩＣＡＬ  ＨＵＢ  ＣＯＯＲＤＩＮＡＴＩＯＮ  ＯＦ  ＣＯＮＴＲＯＬ  ＡＮＤ  ＣＯＭＭＵＮＩＣＡＴＩＯＮ  ＯＦ  ＯＰＥＲＡＴＩＮＧ  ＲＯＯＭ  ＤＥＶＩＣＥＳ」と題する米国特許出願第１５／９４０，６５６号、
・「ＳＰＡＴＩＡＬ  ＡＷＡＲＥＮＥＳＳ  ＯＦ  ＳＵＲＧＩＣＡＬ  ＨＵＢＳ  ＩＮ  ＯＰＥＲＡＴＩＮＧ  ＲＯＯＭＳ」と題する米国特許出願第１５／９４０，６６６号、
・「ＣＯＯＰＥＲＡＴＩＶＥ  ＵＴＩＬＩＺＡＴＩＯＮ  ＯＦ  ＤＡＴＡ  ＤＥＲＩＶＥＤ  ＦＲＯＭ  ＳＥＣＯＮＤＡＲＹ  ＳＯＵＲＣＥＳ  ＢＹ  ＩＮＴＥＬＬＩＧＥＮＴ  ＳＵＲＧＩＣＡＬ  ＨＵＢＳ」と題する米国特許出願第１５／９４０，６７０号、
・「ＳＵＲＧＩＣＡＬ  ＨＵＢ  ＣＯＮＴＲＯＬ  ＡＲＲＡＮＧＥＭＥＮＴＳ」と題する米国特許出願第１５／９４０，６７７号、
・「ＤＡＴＡ  ＳＴＲＩＰＰＩＮＧ  ＭＥＴＨＯＤ  ＴＯ  ＩＮＴＥＲＲＯＧＡＴＥ  ＰＡＴＩＥＮＴ  ＲＥＣＯＲＤＳ  ＡＮＤ  ＣＲＥＡＴＥ  ＡＮＯＮＹＭＩＺＥＤ  ＲＥＣＯＲＤ」と題する米国特許出願第１５／９４０，６３２号、
・「ＣＯＭＭＵＮＩＣＡＴＩＯＮ  ＨＵＢ  ＡＮＤ  ＳＴＯＲＡＧＥ  ＤＥＶＩＣＥ  ＦＯＲ  ＳＴＯＲＩＮＧ  ＰＡＲＡＭＥＴＥＲＳ  ＡＮＤ  ＳＴＡＴＵＳ  ＯＦ  Ａ  ＳＵＲＧＩＣＡＬ  ＤＥＶＩＣＥ  ＴＯ  ＢＥ  ＳＨＡＲＥＤ  ＷＩＴＨ  ＣＬＯＵＤ  ＢＡＳＥＤ  ＡＮＡＬＹＴＩＣＳ  ＳＹＳＴＥＭＳ」と題する米国特許出願第１５／９４０，６４０号、
・「ＳＥＬＦ  ＤＥＳＣＲＩＢＩＮＧ  ＤＡＴＡ  ＰＡＣＫＥＴＳ  ＧＥＮＥＲＡＴＥＤ  ＡＴ  ＡＮ  ＩＳＳＵＩＮＧ  ＩＮＳＴＲＵＭＥＮＴ」と題する米国特許出願第１５／９４０，６４５号、
・「ＤＡＴＡ  ＰＡＩＲＩＮＧ  ＴＯ  ＩＮＴＥＲＣＯＮＮＥＣＴ  Ａ  ＤＥＶＩＣＥ  ＭＥＡＳＵＲＥＤ  ＰＡＲＡＭＥＴＥＲ  ＷＩＴＨ  ＡＮ  ＯＵＴＣＯＭＥ」と題する米国特許出願第１５／９４０，６４９号、
・「ＳＵＲＧＩＣＡＬ  ＨＵＢ  ＳＩＴＵＡＴＩＯＮＡＬ  ＡＷＡＲＥＮＥＳＳ」と題する米国特許出願第１５／９４０，６５４号、
・「ＳＵＲＧＩＣＡＬ  ＳＹＳＴＥＭ  ＤＩＳＴＲＩＢＵＴＥＤ  ＰＲＯＣＥＳＳＩＮＧ」と題する米国特許出願第１５／９４０，６６３号、
・「ＡＧＧＲＥＧＡＴＩＯＮ  ＡＮＤ  ＲＥＰＯＲＴＩＮＧ  ＯＦ  ＳＵＲＧＩＣＡＬ  ＨＵＢ  ＤＡＴＡ」と題する米国特許出願第１５／９４０，６６８号、
・「ＳＵＲＧＩＣＡＬ  ＨＵＢ  ＳＰＡＴＩＡＬ  ＡＷＡＲＥＮＥＳＳ  ＴＯ  ＤＥＴＥＲＭＩＮＥ  ＤＥＶＩＣＥＳ  ＩＮ  ＯＰＥＲＡＴＩＮＧ  ＴＨＥＡＴＥＲ」と題する米国特許出願第１５／９４０，６７１号、
・「ＤＩＳＰＬＡＹ  ＯＦ  ＡＬＩＧＮＭＥＮＴ  ＯＦ  ＳＴＡＰＬＥ  ＣＡＲＴＲＩＤＧＥ  ＴＯ  ＰＲＩＯＲ  ＬＩＮＥＡＲ  ＳＴＡＰＬＥ  ＬＩＮＥ」と題する米国特許出願第１５／９４０，６８６号、
・「ＳＴＥＲＩＬＥ  ＦＩＥＬＤ  ＩＮＴＥＲＡＣＴＩＶＥ  ＣＯＮＴＲＯＬ  ＤＩＳＰＬＡＹＳ」と題する米国特許出願第１５／９４０，７００号、
・「ＣＯＭＰＵＴＥＲ  ＩＭＰＬＥＭＥＮＴＥＤ  ＩＮＴＥＲＡＣＴＩＶＥ  ＳＵＲＧＩＣＡＬ  ＳＹＳＴＥＭＳ」と題する米国特許出願第１５／９４０，６２９号、
・「ＵＳＥ  ＯＦ  ＬＡＳＥＲ  ＬＩＧＨＴ  ＡＮＤ  ＲＥＤ−ＧＲＥＥＮ−ＢＬＵＥ  ＣＯＬＯＲＡＴＩＯＮ  ＴＯ  ＤＥＴＥＲＭＩＮＥ  ＰＲＯＰＥＲＴＩＥＳ  ＯＦ  ＢＡＣＫ  ＳＣＡＴＴＥＲＥＤ  ＬＩＧＨＴ」と題する米国特許出願第１５／９４０，７０４号、
・「ＣＨＡＲＡＣＴＥＲＩＺＡＴＩＯＮ  ＯＦ  ＴＩＳＳＵＥ  ＩＲＲＥＧＵＬＡＲＩＴＩＥＳ  ＴＨＲＯＵＧＨ  ＴＨＥ  ＵＳＥ  ＯＦ  ＭＯＮＯ−ＣＨＲＯＭＡＴＩＣ  ＬＩＧＨＴ  ＲＥＦＲＡＣＴＩＶＩＴＹ」と題する米国特許出願第１５／９４０，７２２号、
・「ＤＵＡＬ  ＣＭＯＳ  ＡＲＲＡＹ  ＩＭＡＧＩＮＧ」と題する米国特許出願第１５／９４０，７４２号、
・「ＡＤＡＰＴＩＶＥ  ＣＯＮＴＲＯＬ  ＰＲＯＧＲＡＭ  ＵＰＤＡＴＥＳ  ＦＯＲ  ＳＵＲＧＩＣＡＬ  ＤＥＶＩＣＥＳ」と題する米国特許出願第１５／９４０，６３６号、
・「ＡＤＡＰＴＩＶＥ  ＣＯＮＴＲＯＬ  ＰＲＯＧＲＡＭ  ＵＰＤＡＴＥＳ  ＦＯＲ  ＳＵＲＧＩＣＡＬ  ＨＵＢＳ」と題する米国特許出願第１５／９４０，６５３号、
・「ＣＬＯＵＤ−ＢＡＳＥＤ  ＭＥＤＩＣＡＬ  ＡＮＡＬＹＴＩＣＳ  ＦＯＲ  ＣＵＳＴＯＭＩＺＡＴＩＯＮ  ＡＮＤ  ＲＥＣＯＭＭＥＮＤＡＴＩＯＮＳ  ＴＯ  Ａ  ＵＳＥＲ」と題する米国特許出願第１５／９４０，６６０号、
・「ＣＬＯＵＤ−ＢＡＳＥＤ  ＭＥＤＩＣＡＬ  ＡＮＡＬＹＴＩＣＳ  ＦＯＲ  ＬＩＮＫＩＮＧ  ＯＦ  ＬＯＣＡＬ  ＵＳＡＧＥ  ＴＲＥＮＤＳ  ＷＩＴＨ  ＴＨＥ  ＲＥＳＯＵＲＣＥ  ＡＣＱＵＩＳＩＴＩＯＮ  ＢＥＨＡＶＩＯＲＳ  ＯＦ  ＬＡＲＧＥＲ  ＤＡＴＡ  ＳＥＴ」と題する米国特許出願第１５／９４０，６７９号、
・「ＣＬＯＵＤ−ＢＡＳＥＤ  ＭＥＤＩＣＡＬ  ＡＮＡＬＹＴＩＣＳ  ＦＯＲ  ＭＥＤＩＣＡＬ  ＦＡＣＩＬＩＴＹ  ＳＥＧＭＥＮＴＥＤ  ＩＮＤＩＶＩＤＵＡＬＩＺＡＴＩＯＮ  ＯＦ  ＩＮＳＴＲＵＭＥＮＴ  ＦＵＮＣＴＩＯＮ」と題する米国特許出願第１５／９４０，６９４号、
・「ＣＬＯＵＤ−ＢＡＳＥＤ  ＭＥＤＩＣＡＬ  ＡＮＡＬＹＴＩＣＳ  ＦＯＲ  ＳＥＣＵＲＩＴＹ  ＡＮＤ  ＡＵＴＨＥＮＴＩＣＡＴＩＯＮ  ＴＲＥＮＤＳ  ＡＮＤ  ＲＥＡＣＴＩＶＥ  ＭＥＡＳＵＲＥＳ」と題する米国特許出願第１５／９４０，６３４号、
・「ＤＡＴＡ  ＨＡＮＤＬＩＮＧ  ＡＮＤ  ＰＲＩＯＲＩＴＩＺＡＴＩＯＮ  ＩＮ  Ａ  ＣＬＯＵＤ  ＡＮＡＬＹＴＩＣＳ  ＮＥＴＷＯＲＫ」と題する米国特許出願第１５／９４０，７０６号、
・「ＣＬＯＵＤ  ＩＮＴＥＲＦＡＣＥ  ＦＯＲ  ＣＯＵＰＬＥＤ  ＳＵＲＧＩＣＡＬ  ＤＥＶＩＣＥＳ」と題する米国特許出願第１５／９４０，６７５号、
・「ＤＲＩＶＥ  ＡＲＲＡＮＧＥＭＥＮＴＳ  ＦＯＲ  ＲＯＢＯＴ−ＡＳＳＩＳＴＥＤ  ＳＵＲＧＩＣＡＬ  ＰＬＡＴＦＯＲＭＳ」と題する米国特許出願第１５／９４０，６２７号、
・「ＣＯＭＭＵＮＩＣＡＴＩＯＮ  ＡＲＲＡＮＧＥＭＥＮＴＳ  ＦＯＲ  ＲＯＢＯＴ−ＡＳＳＩＳＴＥＤ  ＳＵＲＧＩＣＡＬ  ＰＬＡＴＦＯＲＭＳ」と題する米国特許出願第１５／９４０，６３７号、
・「ＣＯＮＴＲＯＬＳ  ＦＯＲ  ＲＯＢＯＴ−ＡＳＳＩＳＴＥＤ  ＳＵＲＧＩＣＡＬ  ＰＬＡＴＦＯＲＭＳ」と題する米国特許出願第１５／９４０，６４２号、
・「ＡＵＴＯＭＡＴＩＣ  ＴＯＯＬ  ＡＤＪＵＳＴＭＥＮＴＳ  ＦＯＲ  ＲＯＢＯＴ−ＡＳＳＩＳＴＥＤ  ＳＵＲＧＩＣＡＬ  ＰＬＡＴＦＯＲＭＳ」と題する米国特許出願第１５／９４０，６７６号、
・「ＣＯＮＴＲＯＬＬＥＲＳ  ＦＯＲ  ＲＯＢＯＴ−ＡＳＳＩＳＴＥＤ  ＳＵＲＧＩＣＡＬ  ＰＬＡＴＦＯＲＭＳ」と題する米国特許出願第１５／９４０，６８０号、
・「ＣＯＯＰＥＲＡＴＩＶＥ  ＳＵＲＧＩＣＡＬ  ＡＣＴＩＯＮＳ  ＦＯＲ  ＲＯＢＯＴ−ＡＳＳＩＳＴＥＤ  ＳＵＲＧＩＣＡＬ  ＰＬＡＴＦＯＲＭＳ」と題する米国特許出願第１５／９４０，６８３号、
・「ＤＩＳＰＬＡＹ  ＡＲＲＡＮＧＥＭＥＮＴＳ  ＦＯＲ  ＲＯＢＯＴ−ＡＳＳＩＳＴＥＤ  ＳＵＲＧＩＣＡＬ  ＰＬＡＴＦＯＲＭＳ」と題する米国特許出願第１５／９４０，６９０号、及び
・「ＳＥＮＳＩＮＧ  ＡＲＲＡＮＧＥＭＥＮＴＳ  ＦＯＲ  ＲＯＢＯＴ−ＡＳＳＩＳＴＥＤ  ＳＵＲＧＩＣＡＬ  ＰＬＡＴＦＯＲＭＳ」と題する米国特許出願第１５／９４０，７１１号。
【００２４】
本願の出願人は、各開示の全体が参照により本明細書に組み込まれる、２０１８年３月８日出願の以下の米国特許仮出願を所有する。
・「ＴＥＭＰＥＲＡＴＵＲＥ  ＣＯＮＴＲＯＬ  ＩＮ  ＵＬＴＲＡＳＯＮＩＣ  ＤＥＶＩＣＥ  ＡＮＤ  ＣＯＮＴＲＯＬ  ＳＹＳＴＥＭ  ＴＨＥＲＥＦＯＲ」と題する米国特許仮出願第６２／６４０，４１７号、及び
・「ＥＳＴＩＭＡＴＩＮＧ  ＳＴＡＴＥ  ＯＦ  ＵＬＴＲＡＳＯＮＩＣ  ＥＮＤ  ＥＦＦＥＣＴＯＲ  ＡＮＤ  ＣＯＮＴＲＯＬ  ＳＹＳＴＥＭ  ＴＨＥＲＥＦＯＲ」と題する米国特許仮出願第６２／６４０，４１５号。
【００２５】
外科用装置及び発生器の様々な態様を詳細に説明する前に、例示される例は、適用又は用途において、添付の図面及び説明で示される部品の構造及び配置の詳細に限定されないことに注意を喚起しておく。例示的な例は、他の態様、変形形態、及び修正で実施されるか、又はそれらに組み込まれてもよく、様々な方法で実施又は実行されてもよい。更に、特に明記しない限り、本明細書で用いられる用語及び表現は、読者の便宜のために例示的な例を説明する目的で選択されたものであり、それらを限定するためのものではない。更に、以下に記述される態様、態様の具現、及び／又は例のうち１つ以上を、以下に記述される他の態様、態様の具現、及び／又は例のうち任意の１つ以上と組み合わせることができるものと理解されたい。
【００２６】
エネルギー装置及び排煙
本開示は、手術部位から煙並びに／又は他の流体及び／若しくは微粒子を排出するためのエネルギー装置及びインテリジェント外科用排出システムに関する。煙は、１つ以上のエネルギー装置を利用する外科的処置中に発生することが多い。エネルギー装置は、エネルギーを使用して、組織に影響を及ぼす。エネルギー装置では、エネルギーは、発生器によって供給される。エネルギデバイスは、１つ以上の無線周波数（ＲＦ）電極を有する電気外科用デバイスなどの、組織接触電極を有するデバイス、及び超音波ブレードを有する超音波デバイスなどの、振動表面を有するデバイスを含む。電気外科用デバイスでは、発生器は、振動電流を発生させて電極に電力供給するように構成されている。超音波デバイスでは、発生器は、超音波振動を発生させて超音波ブレードに電力供給するように構成されている。発生器については、本明細書で更に説明する。
【００２７】
超音波エネルギーは、凝固及び組織を切断するために利用することができる。超音波エネルギーは、組織と接触するエネルギー送達表面（例えば、超音波ブレード）を振動させることによって組織を凝固及び切断する。超音波ブレードは、振動エネルギーを超音波変換器から伝達する導波路に連結することができ、超音波変換器は、機械的振動を生成し、発生器によって電力供給される。高周波（例えば、毎秒５５，５００回）で振動することにより、超音波ブレードは、ブレードと組織との間、すなわち、組織内のタンパク質を変性させて粘着性の凝塊を形成する、ブレード−組織界面で、摩擦及び熱を発生させる。ブレード表面によって組織に及ぼされる圧力により、血管が崩壊され、凝塊が止血封止を形成することを可能にする。切断及び凝固の精度は、例えば、臨床医の技術によって、並びに電力レベル、ブレードの刃、組織牽引、及びブレード圧力を調整することによって制御することができる。
【００２８】
超音波外科用器具は、このような器具の特殊な性能特性によって、外科手技におけるますます広範囲にわたる用途が見出されている。特定の器具構成及び動作パラメータに応じて、超音波外科用器具は、組織の切断及び凝固による止血を実質的に同時にもたらすことができ、望ましくは、患者の外傷を最小限に抑えることができる。切断動作は、典型的には、超音波器具の遠位端においてエンドエフェクタ又はブレード先端によって実現される。超音波エンドエフェクタは、超音波エネルギーをエンドエフェクタと接触させた組織に伝達する。このような性質の超音波器具は、例えば、ロボット支援手術を含む開腹手術用途、腹腔鏡手術又は内視鏡手術用に構成することができる。
【００２９】
電気エネルギーもまた、凝固及び／又は切断のために利用することができる。電気外科用装置は、典型的には、ハンドピースと、遠位端に取り付けられたエンドエフェクタ（例えば、１つ以上の電極）を有する器具と、を含む。エンドエフェクタは、組織に電流が導入されるように組織に対して及び／又は隣接して配置することができる。電気外科手術は、広く使用され、凝固及び切断の両方のための単一の外科器具の使用を含む、多くの利点をもたらす。
【００３０】
電気外科用装置の電極又はチップは、焼灼によって組織を凝固させる及び／又は切断する外科的効果を生み出すために、高電流密度を有する高周波電流を発生させるように、患者との接触点においては小さいものとなっている。戻り電極は、同じ高周波信号を、患者を通過した後、電気外科用発生器に戻して搬送し、したがって、ＲＦ信号のための戻り経路を提供する。
【００３１】
電気外科用装置は、双極又は単極動作用に構成することができる。双極動作中、電流はそれぞれ、エンドエフェクタの作動電極によって組織に導入され、エンドエフェクタの戻り電極によって組織から戻される。単極動作中、電流は、エンドエフェクタの活性電極によって組織に導入され、患者の身体に又は身体に対して別個に位置する戻り電極（例えば、接地パッド）を介して戻される。組織を流れる電流によって生成される熱は、組織内及び／又は組織間の止血封止を形成する場合があり、したがって、例えば、血管を封止するために特に有用な場合がある。電気外科用装置のエンドエフェクタは、組織を離断するための、組織及び電極に対して移動可能な切断部材も含み得る。
【００３２】
印加中、電気外科用装置は、組織を通じて低周波数ＲＦ電流を伝達することができ、これはイオン撹拌又は摩擦（即ち抵抗加熱）を生じさせ、これによって組織の温度を上昇させる。罹患組織と周囲組織との間に境界が作り出されるため、臨床医は、隣接する非標的組織を犠牲にすることなく、高レベルの正確性及び制御で手術することができる。ＲＦエネルギーの低動作温度は、軟組織を除去、収縮、又は成形しながら、同時に血管を封止するために有用である。ＲＦエネルギーは、主にコラーゲンから構成されかつ熱に接触した際に収縮する、結合組織に対して特に良好に作用することができる。他の電気外科用器具として、限定はしないが、とりわけ、不可逆性及び／若しくは可逆性電気穿孔法、並びに／又はマイクロ波技術が挙げられる。本明細書で開示する技術は、とりわけ、超音波、双極及び／若しくは単極のＲＦ（電気外科的）、不可逆性及び／若しくは可逆性電気穿孔、並びに／又はマイクロ波に基づく外科用器具に適用可能である。
【００３３】
電気外科用装置によって印加された電気エネルギーは、発生器から器具に伝達することができる。発生器は、組織に影響を及ぼすために電極に伝達される振動電流からなる高周波波形に電気を変換するように構成されている。電流は、組織を通過して、組織を症灼（組織に対する電流アークが組織炭化を生成する凝固の形態）、乾燥（細胞の水を追い出す直接エネルギー印加）、及び／又は切断（細胞液を気化させて細胞爆発を引き起こす間接エネルギー印加）する。電流に対する組織の応答は、組織の抵抗、組織を通過する電流密度、電力出力、及び電流印加の持続時間の関数である。特定の例では、本明細書に更に記載されるように、電流波形は、異なる手術機能に影響を及ぼすように、及び／又は異なる特性の組織に適応するように調整することができる。例えば、異なる種類の組織−血管組織、神経組織、筋肉、皮膚、脂肪、及び／又は骨は、同じ波形に対して異なって反応することがある。
【００３４】
電気エネルギーは、ＥＮ６０６０１−２−２：２００９＋Ａ１１：２０１１，Ｄｅｆｉｎｉｔｉｏｎ２０１．３．２１８−ＨＩＧＨ  ＦＲＥＱＵＥＮＣＹに記載される周波数範囲内であり得るＲＦエネルギーの形態であってもよい。例えば、単極ＲＦ用途における周波数は、典型的には、高周波漏れ電流に関連する問題を最小限に抑えるために、５ＭＨｚ未満に制限される。２００ｋＨｚ超の周波数は、典型的には、低周波数の電流の使用から生じる神経及び筋肉の不必要な刺激を避けるために、モノポーラ用途に使用され得る。
【００３５】
双極ＲＦ用途において、周波数は、ほぼどのような周波数であってもよい。リスク分析が、神経筋刺激の可能性が許容可能なレベルにまで緩和されたと示す場合などの特定の例では、より低い周波数を双極技術に使用することができる。一般に、１０ｍＡが、組織への熱効果の下側閾値であると認識されている。双極技術の場合には、より高い周波数を使用することもできる。
【００３６】
特定の例では、発生器は、デジタル的に出力波形を生成して、外科用装置に提供し、これにより、外科用装置が種々の組織効果のために波形を利用することができるように構成することができる。発生器は、単極発生器、双極発生器、及び／又は超音波発生器であってもよい。例えば、単一の発生器は、単極装置、双極装置、超音波装置、又は複合型電気外科／超音波装置にエネルギーを供給することができる。発生器は、波形整形を介して組織特異的効果を促進することができ、かつ／又はＲＦエネルギー及び超音波エネルギーを同時に及び／若しくは順次、単一の外科用器具若しくは複数の外科用器具に駆動することができる。
【００３７】
一例では、外科システムは、超音波外科用器具、ＲＦ電気外科用器具、及び複合型超音波／ＲＦ電気外科用器具を含む、発生器及びそれと共に使用可能な様々な外科用器具を含むことができる。発生器は、参照によりその全体が本明細書に組み込まれる２０１６年９月１４日出願の「ＴＥＣＨＮＩＱＵＥＳ  ＦＯＲ  ＯＰＥＲＡＴＩＮＧ  ＧＥＮＥＲＡＴＯＲ  ＦＯＲ  ＤＩＧＩＴＡＬＬＹ  ＧＥＮＥＲＡＴＩＮＧ  ＥＬＥＣＴＲＩＣＡＬ  ＳＩＧＮＡＬ  ＷＡＶＥＦＯＲＭＳ  ＡＮＤ  ＳＵＲＧＩＣＡＬ  ＩＮＳＴＲＵＭＥＮＴＳ」と題された米国特許出願第１５／２６５，２７９号（現在は米国特許出願公開第２０１７／００８６９１４号）に更に記載されているように、様々な外科用器具と共に使用するように構成可能であってもよい。
【００３８】
本明細書に記載されるように、組織を切断する及び／又は血管を焼灼する医療処置は、多くの場合、発生器によって生成され、臨床医によって操作される電極を介して患者の組織に伝達されるＲＦ電気エネルギーを利用することによって行われる。電極は、電極に隣接した患者の身体の細胞質に放電を送達する。この放電が細胞質を加熱させて、組織を切断する、及び／又は血管を焼灼する。
【００３９】
電気外科手術に伴う高温は、電極に隣接した組織の熱壊死を引き起こし得る。電気外科手術に伴う高温に組織が曝露される時間がより長いと、組織が熱壊死を起こす可能性がより高くなる。特定の例では、組織の熱壊死は、組織を切断する速度を低下させ、切断部位から離れて位置する組織への熱損傷の発生率を増加させるだけでなく、術後の合併症、焼痂生成及び治癒時間を増加させる可能性がある。
【００４０】
ＲＦエネルギー放電の集中は、電極が組織を切断することができる効率、及び切断部位から離れた組織損傷の可能性の両方に影響を及ぼす。標準的な電極形状では、ＲＦエネルギーは、意図される切開部位に隣接する比較的大きい領域にわたって均一に分布する傾向がある。ＲＦエネルギー放電の概ね均一な分布は、周囲組織への外来電荷損失の可能性を増加させ、これは、周囲組織における望ましくない組織損傷の可能性を増加させ得る。
【００４１】
典型的な電気外科用発生器は、様々な動作周波数のＲＦ電気エネルギー及び出力電力レベルを生成する。発生器の特定の動作周波数及び電力出力は、使用される特定の電気外科用発生器及び電気外科処置中の医師の必要性に基づいて変動する。特定の動作周波数及び電力出力レベルは、臨床医又は他の手術室職員によって発生器上で手動で調整することができる。これらの種々の設定を適切に調整するには、臨床医又は他の職員の膨大な知識、スキル、及び注意を要する。臨床医が発生器上の様々な設定に対して所望の調整を行うと、発生器は、電気外科手術中にそれらの出力パラメータを維持することができる。一般に、電気外科手術に使用される波形発生器は、切断モードで１〜３００Ｗ及び凝固モードで１〜１２０Ｗの範囲の出力電力、並びに３００〜６００ｋＨｚの範囲の周波数を有するＲＦ波を生成するように適合されている。典型的な波形発生器は、電気外科手術中に選択された設定を維持するように適合されている。例えば、臨床医が発生器の出力電力レベルを５０Ｗに設定し、次いで電極を患者に接触させて電気外科手術を実施した場合、発生器の電力レベルは、急速に上昇し、５０Ｗに維持されることになる。電力レベルを５０Ｗなどの特定の設定に設定すると、臨床医が患者の組織を切断することを可能にすることになるが、そのような高電力レベルを維持することにより、患者の組織の熱壊死の可能性を増加させる。
【００４２】
いくつかの形態では、発生器は、ＲＦエネルギー放電の集中を増加させる電極に関連して電気外科手術を効果的に実行するのに十分な電力を提供し、同時に望ましくない組織損傷を制限し、術後合併症を低減し、より迅速な治癒を促進するように構成されている。例えば、発生器からの波形は、外科処置全体にわたって制御回路によって最適化することができる。しかし、本明細書において特許請求される主題は、いずれかの不利益を解消する、又は上述したものなどの環境においてのみ動作する態様に限定されるものではない。むしろ、この背景技術は単に、本明細書に記載されるいくつかの態様が実施され得る、技術分野の一例を例示するために提示される。
【００４３】
本明細書で提供されるように、エネルギー装置は、組織を治療するために（例えば、標的組織内及び／又は標的組織付近で、組織を切断する、血管を焼灼する、及び／又は組織を凝固させるために）標的組織に機械的及び／又は電気エネルギーを送達する。組織の切断、焼灼、及び／又は凝固により、流体及び／又は微粒子が空気中に放出されることになり得る。外科処置中に放出されるそのような流体及び／又は微粒子は、例えば、空気中に浮遊する炭素粒子及び／又は他の粒子を含み得る、煙を構成することがある。換言すれば、流体は、煙及び／又は他の流体物質を含み得る。内視鏡及び切開手術の約９０％は、なんらかのレベルの煙を発生させる。煙は、臨床医（単数又は複数）、助手（単数又は複数）、及び／又は患者（単数又は複数）の嗅覚にとって不快であることがあり、手術部位の臨床医（単数又は複数）の視界を遮る場合があり、特定の例では吸入すると健康に悪い場合がある。例えば、電気外科処置中に発生した煙は、アクロレイン、アセトニトリル、アクリロニトリル、アセチレン、アルキルベンゼン、ベンゼン、ブタジエン、ブテン、一酸化炭素、クレオソール、エタン、エチレン、ホルムアルデヒド、フリーラジカル、シアン化水素、イソブテン、メタン、フェノール、多環芳香族炭化水素、プロペン、プロピレン、ピリデン、ピロール、スチレン、トルエン、及びキシレン、並びに死んだ及び生きている細胞物質（血液断片を含む）、及びウイルスを含む、有毒化学物質を含有することがある。外科的煙中に特定されている特定の物質は、既知の発癌性物質として特定されている。電気外科処置中に焼灼された１グラムの組織は、フィルタの付いていないタバコ６本の毒性物質及び発癌性物質と同等であり得ることが推定される。加えて、電気外科処置中に放出された煙への曝露は、医療従事者に眼及び肺の炎症を引き起こすことが報告されている。
【００４４】
外科的煙中の物質に関連する毒性及び臭気に加えて、外科的煙中の粒子状物質のサイズは、臨床医（単数又は複数）、助手（単数又は複数）、及び／又は患者（単数又は複数）の呼吸器系に有害であり得る。特定の例では、微粒子は、非常に小さいことがある。特定の例では、非常に小さな粒子状物質の繰り返し吸入は、急性及び慢性の呼吸状態をまねく場合がある。
【００４５】
多くの電気外科システムは、外科処置から生じる煙を捕捉し、捕捉された煙をフィルタ及び排気ポートを介して臨床医（単数又は複数）及び／又は患者から離れる方向に向ける、外科用排出システムを用いる。例えば、排出システムは、電気外科的処置中に発生する煙を排出するように構成され得る。読者は、このような排出システムを「排煙システム」と呼ぶことができるが、そのような排出システムは、手術部位から単に煙を排出するだけではなく、それ以外のものも排出するように構成され得ることを理解するであろう。本開示全体をとおして、排出システムによって排出される「煙」は、煙だけに限定されない。むしろ、本明細書に開示される排煙システムは、液体、気体、蒸気（vapor）、煙、蒸気（steam）、又はこれらの組み合わせを含む様々な流体を排出するために使用することができる。流体は、生物起源とすることができ、及び／又は処置中に外部ソースから手術部位に導入することができる。流体としては、例えば、水、生理食塩水、リンパ液、血液、滲出液、及び／又は化膿性排出物を挙げることができる。その上、流体は、排出システムによって排出される微粒子又は他の物質（例えば、細胞物質又は細胞片）を含み得る。例えば、このような微粒子は、流体中に懸濁され得る。
【００４６】
排出システムは、多くの場合、ポンプ及びフィルタを含む。ポンプは、フィルタの中へと煙を引き込む吸引を発生させる。例えば、吸引は、手術部位から導管開口部へと排出導管を通して、排出システムの排出器ハウジング内に煙を引き込むように構成することができる。外科用排出システム５００００の排出器ハウジング５００１８を図１に示す。本開示の一態様では、ポンプ及びフィルタは、排出器ハウジング５００１８内に配置される。排出器ハウジング５００１８内に引き込まれた煙は、吸引導管５００３６を介してフィルタに移動し、有害な毒素及び不快な臭いは、フィルタを通って移動する際に煙から濾過される。吸引導管は、例えば、真空導管及び／若しくは排出導管並びに／又は真空管及び／若しくは排出管とも呼ばれることがある。次いで、濾過された空気は、排気として外科用排出システムを出ることができる。特定の例では、本明細書に開示される様々な排出システムはまた、手術部位などの所望の位置に流体を送達するように構成することができる。
【００４７】
ここで図２を参照すると、排出器ハウジング５００１８（図１）からの吸引導管５００３６は、ハンドピース５００３２などのハンドピースで終端してもよい。ハンドピース５００３２は、電極チップ５００３４と、電極チップ５００３４付近の及び／又は電極チップ５００３４に隣接する排出導管開口部とを含む電気外科用器具を備える。排出導管開口部は、外科処置中に放出される流体及び／又は微粒子を捕捉するように構成されている。そのような例では、排出システム５００００は、電気外科用器具５００３２に一体化される。更に図２を参照すると、煙Ｓは、吸引導管５００３６内に引き込まれている。
【００４８】
特定の例では、排出システム５００００は、導管開口部を備え、かつシステム内に煙を吸引するように構成された、別個の外科用ツールを含むことができる。更に他の例では、排出導管及び開口部を備えるツールは、図３に示すような電気外科用ツール上にスナップ嵌めすることができる。例えば、吸引導管５１０３６の一部分は、電極チップ５１０３４の周りに（又はそれに隣接して）配置されてもよい。一例では、吸引導管５１０３６は、クリップ又は他の締結具を有する電極チップ５１０３４を備える電気外科用ツールのハンドピース５１０３２に解除可能に固定されてもよい。
【００４９】
排出器ハウジング５０５１８の様々な内部構成要素を図４に示す。様々な例では、図４の内部構成要素はまた、図１の排出器ハウジング５００１８に組み込むことができる。主に図４を参照すると、排出システム５０５００は、排出器ハウジング５０５１８と、フィルタ５０５０２と、排気機構５０５２０と、ポンプ５０５０６と、を含む。排出システム５０５００は、入口ポート５０５２２及び出口ポート５０５２４を有する排出器ハウジング５０５１８を通る流路５０５０４を画定する。フィルタ５０５０２、排気機構５０５２０、及びポンプ５０５０６は、入口ポート５０５２２と出口ポート５０５２４との間の排出器ハウジング５０５１８を通って流路５０５０４と一列に連続して配置される。入口ポート５０５２２は、例えば、図１の吸引導管５００３６などの吸引導管に流体連結することができ、吸引導管は、手術部位に配置可能な遠位導管開口部を備えることができる。
【００５０】
ポンプ５０５０６は、機械的動作によって流路５０５０４内に圧力差を生成するように構成されている。圧力差は、手術部位から入口ポート５０５２２内へ、かつ流路５０５０４に沿って煙５０５０８を引き込むように構成されている。煙５０５０８がフィルタ５０５０２を通って移動した後、煙５０５０８は、濾過された煙又は空気５０５１０であると考えることができ、これは、流路５０５０４を通って進み続け、出口ポート５０５２４を通って排出される。流路５０５０４は、第１のゾーン５０５１４と、第２のゾーン５０５１６と、を含む。第１のゾーン５０５１４は、ポンプ５０５０６から上流にある。第２のゾーン５０５１６は、ポンプ５０５０６から下流にある。ポンプ５０５０６は、第２のゾーン５０５１６内の流体が第１のゾーン５０５１４内の流体よりも高い圧力を有するように、流路５０５０４内の流体を加圧するように構成されている。モータ５０５１２がポンプ５０５０６を駆動する。様々な好適なモータについては、本明細書で更に説明する。排気機構５０５２０は、出口ポート５０５２４で排出システム５０５００を出る濾過された煙５０５１０の速度、方向、及び／又は他の特性を制御することができる機構である。
【００５１】
排出システム５０５００を通る流路５０５０４は、流路５０５０４を通って移動する流体を実質的に収容し、かつ／又は流路５０５０４の外側の流体から分離する、管又は他の導管から構成することができる。例えば、流路５０５０４の第１のゾーン５０５１４は、流路５０５０４がフィルタ５０５０２とポンプ５０５０６との間に延びる管を含んでもよい。流路５０５０４の第２のゾーン５０５１６も、流路５０５０４がポンプ５０５０６と排気機構５０５２０との間に延びる管を含んでもよい。流路５０５０４はまた、流路５０５０４が入口ポート５０５２２から出口ポート５０５２４まで連続的に延びるように、フィルタ５０５０２、ポンプ５０５０６、及び排気機構５０５２０を通って延びる。
【００５２】
動作中、煙５０５０８は、入口ポート５０５２２でフィルタ５０５０２内に流入することができ、煙５０５０８がフィルタ５０５０２内に引き込まれるように、ポンプ５０５０６によって流路５０５０４を通ってポンプ圧送することができる。次いで、濾過された煙５０５１０は、排気機構５０５２０を通って、排出システム５０５００の出口ポート５０５２４から外へポンプ圧送することができる。出口ポート５０５２４で排出システム５０５００を出る濾過された煙５０５１０は、排気であり、排出システム５０５００を通過した濾過されたガスからなることができる。
【００５３】
様々な例では、本明細書に開示される排出システム（例えば、排出システム５００００及び排出システム５０５００）は、例えば、システム１００（図３９）又はシステム２００（図４７）などの、コンピュータ実装インタラクティブ外科システムに組み込むことができる。本開示の一態様では、例えば、コンピュータ実装外科システム１００は、少なくとも１つのハブ１０６と、クラウド１０４とを含むことができる。主に図４１を参照すると、ハブ１０６は、排煙モジュール１２６を含む。排煙モジュール１２６の動作は、その状況認識及び／若しくはその構成要素からのフィードバックに基づいて、並びに／又はクラウド１０４からの情報に基づいて、ハブ１０６によって制御することができる。コンピュータ実装外科システム１００及び２００、並びにそのための状況認識については、本明細書で更に説明する。
【００５４】
状況認識は、データベース及び／又は器具から受信したデータから外科処置に関連する情報を判定又は推測するための、外科システムのいくつかの態様の能力を包含する。情報は、実行されている処置の種類、手術されている組織の種類、又は処置の対象である体腔を含むことができる。外科処置に関連するコンテキスト情報により、外科システムは、例えば、それに接続され、かつ外科処置の過程でコンテキスト化した情報又は提案を臨床医に提供するモジュール式装置（例えば、排煙システム）を制御する方法を改善することができる。状況認識については、本明細書、及びその全体が参照により本明細書に組み込まれる、「ＩＮＴＥＲＡＣＴＩＶＥ  ＳＵＲＧＩＣＡＬ  ＰＬＡＴＦＯＲＭ」と題する２０１７年１２月２８日出願の米国仮特許出願第６２／６１１，３４１号に更に記載されている。
【００５５】
様々な例では、本明細書に開示される外科システム及び／又は排出システムは、プロセッサを含むことができる。プロセッサは、例えば、感知及び／若しくは集約されたデータ並びに／又は１つ以上のユーザ入力に基づいて、外科システム及び／又は排出システムの１つ以上の動作パラメータを制御するようにプログラムすることができる。図５は、プロセッサ５０３０８を含む電気外科システム５０３００の概略図である。電気外科システム５０３００は、１２０Ｖ又は２４０Ｖのいずれかの交流を提供するＡＣ電源５０３０２によって電力供給される。ＡＣ電源５０３０２によって供給される電圧は、１２０Ｖ又は２４０Ｖの交流を３６０Ｖの直流に変換するＡＣ／ＤＣ変換器５０３０４に向けられる。次いで、３６０Ｖの直流は、電力変換器５０３０６（例えば、バックコンバータ）に向けられる。電力変換器５０３０６は、逓降ＤＣ／ＤＣ変換器である。電力変換器５０３０６は、入力３６０Ｖを０〜１５０Ｖの範囲内の所望のレベルまで逓減させるように適合されている。
【００５６】
プロセッサ５０３０８は、電気外科システム５０３００の様々な様相、機能、及びパラメータを調整するようにプログラムすることができる。例えば、プロセッサ５０３０８は、例えば、図２の電極チップ５００３４及び／又は図３の電極チップ５１０３４と多くの点で類似し得る電極チップ５０３３４における所望の出力電力レベルを判定し、所望の出力電力を提供するように、電圧を指定されたレベルまで逓減するように電力変換器５０３０６に指示することができる。プロセッサ５０３０８は、電気外科システム５０３００及び／又はそのサブシステムを動作させる機械実行可能命令を記憶するように構成されたメモリ５０３１０に連結される。
【００５７】
プロセッサ５０３０８と電力変換器５０３０６との間には、デジタル−アナログ変換器（digital-to-analog converter、「ＤＡＣ」）５０３１２が接続されている。ＤＡＣ５０３１２は、プロセッサ５０３０８によって生成されたデジタルコードをアナログ信号（電流、電圧、又は電荷）に変換するように適合されており、このアナログ信号は、電力変換器５０３０６によって実行される電圧逓減を統制する。電力変換器５０３０６が３６０Ｖをプロセッサ５０３０８が判定したレベルまで逓減すると、所望の出力電力レベルを提供することになり、逓減した電圧は、患者の組織の電気外科処置を達成するために電極チップ５０３３４に向けられ、次いで、戻り電極又は接地電極５０３３５に向けられる。電圧センサ５０３１４及び電流センサ５０３１６は、電気外科用回路内に存在する電圧及び電流を検出し、検出されたパラメータをプロセッサ５０３０８に通信するように適合されており、それにより、プロセッサ５０３０８は、出力電力レベルを調整するかどうかを判定することができる。本明細書で言及したように、典型的な波形発生器は、電気外科処置全体にわたって選択された設定を維持するように適合されている。他の例では、発生器の動作パラメータは、本明細書に更に記載されるように、例えば、外科用ハブ、クラウド、及び／又は状況認識モジュールからの入力などの、プロセッサ５３０８への１つ以上の入力に基づいて、外科処置中に最適化することができる。
【００５８】
プロセッサ５０３０８は、ネットワークを介して通信するために通信装置５０３１８に連結される。通信装置は、物理的ワイヤを介して又は無線で通信するように構成された送受信機５０３２０を含む。通信装置５０３１８は、１つ以上の追加の送受信機を更に含んでもよい。送受信機には、セルラモデム、無線メッシュネットワーク送受信機、Ｗｉ−Ｆｉ（登録商標）送受信機、低電力ワイドエリア（ＬＰＷＡ）送受信機、及び／又は近距離通信送受信機（ＮＦＣ）を含むことができるが、これらに限定されない。通信装置５０３１８は、携帯電話、センサシステム（例えば、環境、位置、動きなど）及び／又はセンサネットワーク（有線及び／又は無線）、コンピューティングシステム（例えば、サーバ、ワークステーションコンピュータ、デスクトップコンピュータ、ラップトップコンピュータ、タブレットコンピュータ（例えば、ｉＰａｄ（登録商標）及びＧａｌａｘｙＴａｂ（登録商標）など）、超携帯型コンピュータ、超モバイルコンピュータ、ネットブックコンピュータ、及び／又はサブノートコンピュータなどを含むことができるか、又はこれらと通信するように構成することができる。本開示の少なくとも１つの態様では、デバイスのうちの１つはコーディネータノードであってもよい。
【００５９】
送受信機５０３２０は、プロセッサ５０３０８から対応するＵＡＲＴを介してシリアル送信データを受信し、シリアル送信データをＲＦ搬送波上に変調し、送信ＲＦ信号を生成し、送信ＲＦ信号を対応するアンテナを介して送信するように構成することができる。送受信機（単数又は複数）は、対応するアンテナを介してシリアル受信データで変調されたＲＦ搬送波を含む受信ＲＦ信号を受信し、シリアル受信データを抽出するために受信ＲＦ信号を復調し、プロセッサに提供するためにシリアル受信データを対応するＵＡＲＴに提供するように更に構成されている。各ＲＦ信号は、関連する搬送波周波数及び関連するチャネル帯域幅を有する。チャネル帯域幅は、搬送波周波数、送信データ、及び／又は受信データに関連付けられている。各ＲＦ搬送波周波数及びチャネル帯域幅は、送受信機（単数又は複数）５０３２０の動作周波数範囲（単数又は複数）に関連する。各チャネル帯域幅は、送受信機（単数又は複数）５０３２０が準拠し得る無線通信規格及び／又はプロトコルに更に関連する。換言すれば、各送受信機５０３２０は、選択された無線通信規格及び／又はプロトコル、例えば、Ｗｉ−Ｆｉ（登録商標）用のＩＥＥＥ８０２．１１ａ／ｂ／ｇ／ｎ及び／又はＺｉｇｂｅｅルーティングを使用した無線メッシュネットワーク用のＩＥＥＥ８０２．１５．４の実装に対応することができる。
【００６０】
プロセッサ５０３０８は、排煙器５０３２６に連結された感知及びインテリジェント制御装置５０３２４に連結される。排煙器５０３２６は、１つ以上のセンサ５０３２７を含むことができ、また、ポンプと、モータドライバ５０３２８によって制御されるポンプモータとを含むことができる。モータドライバ５０３２８は、プロセッサ５０３０８、及び排煙器５０３２６内のポンプモータに通信可能に連結される。感知及びインテリジェント制御装置５０３２４は、排煙器５０３２６と他の装置との間の通信を容易にして、それらの制御プログラムを適合させる、センサアルゴリズム５０３２１及び通信アルゴリズム５０３２２を含む。感知及びインテリジェント制御装置５０３２４は、本明細書に更に記載されるように、例えば、排出導管５０３３６を介して抽出された流体、微粒子、及びガスを評価して、煙抽出効率を改善する及び／又は装置の煙出力を低減するように構成されている。特定の例では、感知及びインテリジェント制御装置５０３２４は、排煙器５０３２６内の１つ以上のセンサ５０３２７、１つ以上の内部センサ５０３３０、及び／又は電気外科システム５０３００の１つ以上の外部センサ５０３３２に通信可能に連結される。
【００６１】
特定の例では、プロセッサは、外科用排出システムの排出器ハウジング内に位置することができる。例えば、図６を参照すると、プロセッサ５０４０８及びそのためのメモリ５０４１０は、外科用排出システム５０４００の排出器ハウジング５０４４０内に配置される。プロセッサ５０４０８は、モータドライバ５０４２８、様々な内部センサ５０４３０、ディスプレイ５０４４２、メモリ５０４１０、及び通信装置５０４１８と信号通信する。通信装置５０４１８は、図５に関して上述した通信装置５０３１８と多くの点で類似している。通信装置５０４１８は、外科用排出システム５０４００内のプロセッサ５０４０８が外科用システム内の他のデバイスと通信することを可能にすることができる。例えば、通信装置５０４１８は、１つ以上の外部センサ５０４３２、１つ以上の外科用デバイス５０４４４、１つ以上のハブ５０４４８、１つ以上のクラウド５０４４６、並びに／又は１つ以上の追加の外科用システム及び／若しくはツールへの有線及び／又は無線通信を可能にすることができる。特定の例では、図６の外科用排出システム５０４００は、図５の電気外科システム５０３００に組み込むことができることを、読者は容易に理解するであろう。外科用排出システム５０４００はまた、そのポンプモータ５０４５１を含むポンプ５０４５０、排出導管５０４３６、及び排気口５０４５２も含む。様々なポンプ、排気導管、及び排気口が、本明細書に更に記載される。外科用排出システム５０４００はまた、例えば、感知及びインテリジェント制御装置５０３２４と多くの点で類似し得る、感知及びインテリジェント制御装置を含むことができる。例えば、そのような感知及びインテリジェント制御装置は、プロセッサ５０４０８、並びに／又はセンサ５０４３０及び／若しくは外部センサ５０４３２のうちの１つ以上と信号通信することができる。
【００６２】
電気外科システム５０３００（図５）及び／又は外科用排出システム５０４００（図６）は、外科システムの１つ以上のパラメータを監視するようにプログラムすることができ、プロセッサ５０３０８及び／又は５０４０８と信号通信するメモリに記憶された１つ以上のアルゴリズムに基づいて、手術機能に影響を及ぼすことができる。本明細書に開示される様々な例示的な態様は、例えば、そのようなアルゴリズムによって実装することができる。
【００６３】
本開示の一態様では、プロセッサ５０３０８及び５０４０８並びにそれらと通信する対応するセンサシステム（図５及び図６）などのプロセッサ及びセンサシステムは、例えば、排煙システム、並びに／又は電気外科システム、エネルギー装置、及び／若しくは発生器などの排煙システムと連携して使用される外部装置及び／若しくはシステムのパラメータを調整するために、真空源を通る空気流を感知するように構成されている。本開示の一態様では、センサシステムは、外科用排出システムの空気流経路に沿って配置された複数のセンサを含むことができる。センサは、センサの間にあるシステムの状態又は状況を検出するために、排出システム内の圧力差を測定することができる。例えば、２つのセンサ間のシステムは、フィルタであってもよく、圧力差を使用して、システムを通る流量を維持するために、フィルタを通る流れが低減された際にポンプモータの速度を増加させることができる。別の実施例として、システムは、排出システムの流体トラップであってもよく、排出システムを通る空気流経路を判定するために圧力差を使用することができる。更に別の実施例では、システムは、排出システムの入口及び出口（又は排気口）であってもよく、圧力差を使用して、最大吸引負荷を閾値未満に維持するために、排出システム内の最大吸引負荷を判定することができる。
【００６４】
本開示の一態様では、プロセッサ５０３０８及び５０４０８並びにそれらと通信する対応するセンサシステム（図５及び図６）などのプロセッサ及びセンサシステムは、手術部位から抽出された流体中のエアロゾル又は炭化微粒子、すなわち煙の比率を検出するように構成されている。例えば、感知システムは、排出システムを通る空気流経路を選択するために使用される、粒子のサイズ及び／又は組成を検出するセンサを含んでもよい。そのような例では、排出システムは、異なる特性を有することができる、第１の濾過経路又は第１の濾過状態、及び第２の濾過経路又は第２の濾過状態を含むことができる。一例では、第１の経路は、微粒子フィルタのみを含み、第２の経路は、流体フィルタ及び微粒子フィルタの両方を含む。特定の例では、第１の経路は、微粒子フィルタを含み、第２の経路は、直列に配置された微粒子フィルタ及びより細かい微粒子フィルタを含む。追加及び／又は代替の濾過経路もまた想定される。
【００６５】
本開示の一態様では、プロセッサ５０３０８及び５０４０８並びにそれらと通信する対応するセンサシステム（図５及び図６）などのプロセッサ及びセンサシステムは、患者の腹部空洞内から排出された粒子に対して化学分析を行うように構成されている。例えば、感知及びインテリジェント制御装置５０３２４は、超音波ブレードを誘導してより少ない煙を発生させるために、超音波発生器の電力レベルを調整するために、粒子数及び種類を感知してもよい。別の実施例では、センサシステムは、排出された流体の粒子数、温度、流体含有量、及び／又は汚染の割合を検出するためのセンサを含んでもよく、発生器の出力を調整するために、検出された特性（単数又は複数）を発生器に通信することができる。例えば、排煙器５０３２６及び／又はそのための感知及びインテリジェント制御装置５０３２４は、排出流量及び／又はポンプのモータ速度を既定の微粒子レベルに調整するように構成されていてもよく、エンドエフェクタによって発生する煙を低減するように発生器の出力電力又は波形に動作可能に影響を及ぼしてもよい。
【００６６】
本開示の一態様では、プロセッサ５０３０８及び５０４０８並びにそれらの対応するセンサシステム（図５及び図６）などのプロセッサ及びセンサシステムは、周囲空気及び／又は排出器ハウジングからの排気中の１つ以上の特性を評価することによって、手術室における粒子数及び汚染を評価するように構成されている。粒子数及び／又は空気品質は、例えば、情報を臨床医に通信するために、及び／又は排煙システム及びそのフィルタ（単数又は複数）の有効性を確立するために、排出器ハウジング上などの排煙システム上に表示されてもよい。
【００６７】
本開示の一態様では、例えば、プロセッサ５０３０８又はプロセッサ５０４０８（図５及び図６）などのプロセッサは、相関を判定する及び／又はポンプの毎分回転数（revolutions-per-minute、ＲＰＭ）の速度を調整するために、内視鏡から得られたサンプル速度画像を感知システム（例えば、感知及びインテリジェント制御装置５０３２４）からの排出器の粒子数と比較するように構成されている。一例では、発生器の起動は、排煙器に通信されてもよく、それにより、予想される必要な排煙速度を実施することができる。発生器の起動は、例えば、外科用ハブ、クラウド通信システム、及び／又は直接接続を介して、外科用排出システムに通信されてもよい。
【００６８】
本開示の一態様では、排煙システム（例えば、図５及び図６を参照）のセンサシステム及びアルゴリズムは、排煙器を制御するように構成することができ、所与の時間における手術野の必要性に基づいて、排煙器の濾過効率を調整するために、そのモータパラメータを適合させることができる。一例では、排煙器の入口に入る及び／又は排煙器の出口若しくは排気口から出る感知された微粒子に基づいてモータポンプ速度を自動的に変更するための、適応空気流ポンプ速度アルゴリズムが提供される。例えば、感知及びインテリジェント制御装置５０３２４（図５）は、例えば、ユーザ選択可能速度及び自動モード速度を含むことができる。自動モード速度では、排出システムを通る空気流は、排出システムに入る煙及び／又は排煙システムから出る濾過された粒子の欠如に基づいて、スケール変更可能であってもよい。特定の例では、自動モード速度は、腹腔鏡モードの自動感知及び補償を提供することができる。
【００６９】
本開示の一態様では、排出システムは、外科用ハブ及びクラウドとの双方向性を改善するために、データ収集及び通信機能を提供する電気及び通信アーキテクチャ（例えば、図５及び図６を参照）を含むことができる。一実施例では、外科用排出システム、並びに／又は、例えば、プロセッサ５０３０８（図５）及びプロセッサ５０４０８（図６）などのそのプロセッサは、システムのエラー、短絡、及び／又は安全チェックを確認するために段階的方法で通電されるセグメント化された制御回路を含むことができる。セグメント化された制御回路はまた、通電された部分と、通電された部分が第１の機能を実行するまで通電されない部分とを有するように構成することができる。セグメント化された制御回路は、ステータス更新を識別して、取り付けられた構成要素のユーザに表示するための回路素子を含むことができる。セグメント化された制御回路はまた、モータがユーザによって起動される第１の状態、及びモータがユーザによって起動されていないが、ポンプをより静かに、かつより遅い速度で動作させる第２の状態でモータを動作させるための回路素子を含む。セグメント化された制御回路は、例えば、排煙器を段階的に通電することを可能にすることができる。
【００７０】
排出システムの電気及び通信アーキテクチャ（例えば、図５及び図６を参照）はまた、相互作用並びにクラウドとのデータの通信のために、外科用ハブ内の他の構成要素との排煙器の相互接続性を提供することができる。外科用排出システムパラメータの外科用ハブ及び／又はクラウドへの通信は、他の取り付けられた装置の出力又は動作に影響を及ぼすために提供することができる。パラメータは、動作可能であってもよく、又は感知されてもよい。動作パラメータとしては、空気流、圧力差、及び空気品質が挙げられる。感知されるパラメータとしては、微粒子濃度、エアロゾルの割合、及び化学分析が挙げられる。
【００７１】
本開示の一態様では、例えば、外科用排出システム５０４００などの排出システムはまた、筐体と、交換可能な構成要素と、制御部と、ディスプレイとを含むことができる。そのような交換可能な構成要素間でセキュリティ識別（identification、ＩＤ）を通信するための回路素子が提供される。例えば、フィルタと排煙電子機器との間の通信は、構成要素の信頼性、残りの寿命を検証するために、構成要素内のパラメータを更新するために、エラーを記録するために、並びに／又はシステムによって識別することができる構成要素の数及び／若しくは種類を制限するために、提供することができる。様々な例では、通信回路は、構成パラメータを有効化及び／又は無効化するための特徴を認証することができる。通信回路は、構成要素と排煙電子機器との間のセキュリティ及び独自の関係を管理するために、暗号化及び／又はエラー処理スキームを採用することができる。使い捨て式／再使用可能な構成要素は、特定の例に含まれる。
【００７２】
本開示の一態様では、排出システムは、流体管理並びに抽出フィルタ及び空気流構成を提供することができる。例えば、流体捕捉機構を含む外科用排出システムが提供され、流体捕捉機構は、抽出又は空気流制御機構の第１及び第２の組を有し、これらは、互いに直列であり、大きい流体液滴及び小さい流体液滴それぞれを抽出する。特定の例では、空気流経路は、主流体管理チャンバの排気ポートの下流から一次リサーバに戻る再循環チャネル又は二次流体チャネルを含むことができる。
【００７３】
本開示の一態様では、高性能パッドを、電気外科システムに連結することができる。例えば、電気外科システム５０３００（図５）の接地電極５０３３５は、容量結合を維持しながらパッドに一体化された局所的な感知を有する高性能パッドを含むことができる。例えば、容量結合性戻り経路パッドは、単極チップの神経束への近接を検出するために、選択した解剖学的位置の神経制御信号及び／又は移動を感知するために使用することができる、小さい分離可能なアレイ要素を有することができる。
【００７４】
電気外科システムは、信号発生器と、電気外科用器具と、戻り電極と、外科用排出システムとを含むことができる。発生器は、ＲＦ電気エネルギーを生成するＲＦ波発生器であってもよい。電気外科用器具に接続されるのは、ユーティリティ導管である。ユーティリティ導管は、信号発生器から電気外科用器具に電気エネルギーを伝達するケーブルを含む。ユーティリティ導管はまた、捕捉及び／又は収集された煙及び／又は流体を手術部位から離れる方向に搬送する真空ホースも含む。そのような例示的な電気外科用システム５０６０１は、図７に示されている。より具体的には、電気外科用システム５０６０１は、発生器５０６４０と、電気外科用器具５０６３０と、戻り電極５０６４６と、排出システム５０６００とを含む。電気外科用器具５０６３０は、ハンドル５０６３２及び排出システム５０６００の吸引ホース５０６３６に流体連結された遠位導管開口部５０６３４を含む。電気外科用器具５０６３０はまた、発生器５０６４０によって電力供給される電極も含む。第１の電気接続部５０６４２、例えば、ワイヤは、電気外科用器具５０６３０から発生器５０６４０まで延びる。第２の電気接続部５０６４４、例えば、ワイヤは、電気外科用器具５０６３０から電極、すなわち戻り電極５０６４６まで延びる。他の例では、電気外科用器具５０６３０は、双極電気外科用器具であってもよい。電気外科用器具５０６３０上の遠位導管開口部５０６３４は、排出システム５０６００の排出器ハウジング５０６１８内に設置されたフィルタのフィルタ端部キャップ５０６０３に延びる吸引ホース５０６３６に流体連結されている。
【００７５】
他の例では、排出システム５０６００の遠位導管開口部５０６３４は、電気外科用器具５０６３０とは別個のハンドピース又はツール上にあってもよい。例えば、排出システム５０６００は、発生器５０６４０に連結されていない、及び／又は組織通電表面を含まない外科用ツールを含むことができる。特定の例では、排出システム５０６００の遠位導管開口部５０６３４は、電気外科用ツールに解放可能に取り付けることができる。例えば、排出システム５０６００は、遠位導管開口部で終端するクリップオン又はスナップ式導管を含むことができ、これは外科用ツールに解除可能に取り付けられてもよい（例えば、図３を参照）。
【００７６】
電気外科用器具５０６３０は、本明細書に記載されるように、患者の標的組織に電気エネルギーを送達して、組織を切断し、かつ／又は標的組織の中及び／若しくは付近の血管を焼灼するように構成されている。具体的には、電極先端部に密着又は隣接した患者の細胞物質の加熱を引き起こすために、電極先端部によって患者に放電が行われる。組織の加熱は、電気外科用器具５０６３０を使用して電気外科手術を実施することが可能となるように、適度に高い温度で生じる。回路を完成させ、かつ患者の身体に進入するエネルギーのための発生器５０６４０への戻り電気経路を設けるために、戻り電極５０６４６が（戻り電極のタイプに応じて）患者に適用される、又は患者に近接して配置されるのいずれかがなされる。
【００７７】
電極先端部による患者の細胞物質の加熱、又は出血を防止するための血管の焼灼は、結果として、本明細書に更に記載されるように、焼灼が行われる場所に煙が放出されることになることが多い。そのような例では、排出導管開口部５０６３４が電極先端部付近にあるため、排出システム５０６００は、外科的処置中に放出される煙を捕捉するように構成されている。真空吸引によって、煙は、電気外科用器具５０６３０を通じて導管開口部５０６３４内に、及び排煙システム５０６００の排出器ハウジング５０６１８に向かって吸引ホース５０６３６内に引き込まれ得る。
【００７８】
ここで図８を参照すると、排出システム５０６００（図７）の排出器ハウジング５０６１８が示されている。排出器ハウジング５０６１８は、フィルタを受容するように寸法決めされ構造化されたソケット５０６２０を含む。排出器ハウジング５０６１８は、排出器ハウジング５０６１８の内部構成要素を完全に又は部分的に包囲することができる。ソケット５０６２０は、第１のレセプタクル５０６２２及び第２のレセプタクル５０６２４を含む。遷移表面５０６２６は、第１のレセプタクル５０６２２と第２のレセプタクル５０６２４との間に延びる。
【００７９】
ここで主に図９を参照すると、ソケット５０６２０は、図８に示す断面平面に沿って描かれている。ソケット５０６２０は、フィルタを受容するように開放された第１の端部５０６２１と、排出器ハウジング５０６１８を通る流路５０６９９と連通する第２の端部５０６２３とを含む。フィルタ５０６７０（図１０及び図１１）は、ソケット５０６２０と取り外し可能に配置されてもよい。例えば、フィルタ５０６７０は、ソケット５０６２０の第１の端部５０６２１に挿入され、また第１の端部から取り外されてもよい。第２のレセプタクル５０６２４は、フィルタ５０６７０の接続ニップルを受容するように構成されている。
【００８０】
外科用排出システムは、多くの場合、フィルタを使用して、煙が排気として放出される前に煙から不要な汚染物質を除去する。特定の例では、フィルタは、交換可能であってもよい。図１０及び図１１に示すフィルタ５０６７０は、本明細書に開示される様々な排出システムで使用することができることを、読者は理解するであろう。フィルタ５０６７０は、交換可能な及び／又は使い捨て式フィルタであってもよい。
【００８１】
フィルタ５０６７０は、前部キャップ５０６７２と、後部キャップ５０６７４と、それらの間に配置されたフィルタ本体５０６７６と、を含む。前部キャップ５０６７２は、特定の例では吸引ホース５０６３６（図７）又は他の煙源から直接煙を受容するように構成されている、フィルタ入口５０６７８を含む。本開示のいくつかの態様では、前部キャップ５０６７２は、煙を煙源から直接向け、そこから流体の少なくとも一部分を除去した後、部分的に処理された煙を更に処理するためにフィルタ本体５０６７６内に通す、流体トラップ（例えば、図１４〜図１７に示す流体トラップ５０７６０）によって置き換えることができる。例えば、フィルタ入口５０６７８は、流体トラップ５０７６０（図１４〜図１７）のポート５０７６６などの流体トラップの排気ポートを介して煙を受容して、部分的に処理された煙をフィルタ５０６７０に伝達するように構成することができる。
【００８２】
煙がフィルタ５０６７０に入ると、フィルタ本体５０６７６内に収容された構成要素によって、煙を濾過することができる。次いで、濾過された煙は、フィルタ５０６７０の後部キャップ５０６７４内に画定されたフィルタ排気口５０６８０を通ってフィルタ５０６７０を出ることができる。フィルタ５０６７０が排出システムに関連付けられている場合、排出システム５０６００の排出器ハウジング５０６１８内で生成された吸引は、フィルタ排気口５０６８０を介してフィルタ５０６７０に伝達されて、フィルタ５０６７０の内部濾過構成要素を介して煙を引き込むことができる。フィルタは、多くの場合、微粒子フィルタ及び炭フィルタを含む。微粒子フィルタは、例えば、高効率微粒子空気（high-efficiency particulate air、ＨＥＰＡ）フィルタ又は超低浸透空気（ultra-low penetration air、ＵＬＰＡ）フィルタとすることができる。ＵＬＰＡ濾過は、迷路と同様のデプスフィルタを利用する。微粒子は、以下の方法のうちの少なくとも１つを使用して濾過することができる：直接遮断（１．０ミクロンを越える粒子が、メディアフィルタの繊維を通過するのに大きすぎるために捕捉される）、慣性衝突（０．５〜１．０ミクロンの粒子が繊維と衝突してそこに留まる）、及び拡散遮断（粒子が繊維を「探索」して線維に付着する際のブラウンランダム熱運動の影響によって０．５ミクロン未満の粒子が捕捉される）。
【００８３】
炭フィルタは、外科的煙によって発生した毒性ガス及び／又は臭気を除去するように構成されている。様々な例では、炭は、活性吸収部位を露出させるために加熱プロセスで処理されていることを意味する「活性化」されていてもよい。炭は、例えば、活性化された未使用の椰子殻からのものであってもよい。
【００８４】
ここで図１１を参照すると、フィルタ５０６７０は、粗いメディアフィルタ層５０６８４、続いて細かな微粒子フィルタ層５０６８６を含む。他の例では、フィルタ５０６７０は、単一のタイプのフィルタからなってもよい。更に他の例では、フィルタ５０６７０は、３つ以上のフィルタ層、及び／又は３つ以上の異なる種類のフィルタ層を含むことができる。粒子状物質がフィルタ層５０６８４及び５０６８６によって除去された後、煙は、例えば、揮発性有機化合物などの煙中のガス状汚染物質を除去するために、フィルタ５０６７０内の炭素リザーバ５０６８８を介して引き込まれる。様々な例では、炭素リザーバ５０６８８は、炭フィルタを含むことができる。濾過された煙は、ここで粒子状物質及びガス状汚染物質を実質的に含まず、フィルタ排気口５０６８０を通って、更なる処理及び／又は除去のために排出システム５０６００内に引き込まれる。
【００８５】
フィルタ５０６７０は、フィルタ本体５０６７６の構成要素間に複数のダムを含む。例えば、第１のダム５０６９０は、例えば、フィルタ入口５０６７８（図１０）と粗いメディアフィルタ５０６８４などの第１の微粒子フィルタとの中間に配置される。第２のダム５０６９２は、例えば、細かい微粒子フィルタ５０６８６などの第２の微粒子フィルタと炭素リザーバ５０６８８との中間に配置される。加えて、第３のダム５０６９４は、炭素リザーバ５０６８８とフィルタ排気口５０６８０との中間に配置される。ダム５０６９０、５０６９２、及び５０６９４は、ガスケット又はＯリングを含むことができ、これはフィルタ本体５０６７６内の構成要素の移動を防止するように構成されている。様々な例では、ダム５０６９０、５０６９２、及び５０６９４のサイズ及び形状は、印加された吸引の方向のフィルタ構成要素の膨張を防止するように選択することができる。
【００８６】
粗いメディアフィルタ５０６８４は、例えば、１０μｍより大きい粒子状物質の大部分を除去するように構成された、ガラス繊維、ポリエステル、及び／又はプリーツ付きフィルタなどの低空気抵抗フィルタ材料を含むことができる。本開示のいくつかの態様では、これは、１０μｍより大きい粒子状物質の少なくとも８５％、１０μｍより大きい粒子状物質の９０％超、１０μｍより大きい粒子状物質の９５％超、１０μｍより大きい粒子状物質の９９％超、１０μｍより大きい粒子状物質の９９．９％超、又は１０μｍより大きい粒子状物質の９９．９９％超を除去するフィルタを含む。
【００８７】
加えて又は代わりに、粗いメディアフィルタ５０６８４は、１μｍより大きい粒子状物質の大部分を除去する低空気抵抗フィルタを含むことができる。本開示のいくつかの態様では、これは、１μｍより大きい粒子状物質の少なくとも８５％、１μｍより大きい粒子状物質の９０％超、１μｍより大きい粒子状物質の９５％超、１μｍより大きい粒子状物質の９９％超、１μｍより大きい粒子状物質の９９．９％超、又は１μｍより大きい粒子状物質の９９．９９％超を除去するフィルタを含む。
【００８８】
細かい微粒子フィルタ５０６８６は、粗いメディアフィルタ５０６８４よりも高い効率の任意のフィルタを含むことができる。これは、例えば、粗いメディアフィルタ５０６８４と同じサイズの粒子のより高い割合を濾過することができ、かつ／又は粗いメディアフィルタ５０６８４よりも小さいサイズの粒子を濾過することができるフィルタを含む。本開示のいくつかの態様では、細かい微粒子フィルタ５０６８６は、ＨＥＰＡフィルタ又はＵＬＰＡフィルタを含むことができる。加えて又は代わりに、細かい微粒子フィルタ５０６８６は、その表面積を増加させるためにプリーツが付いていてもよい。本開示のいくつかの態様では、粗いメディアフィルタ５０６８４は、プリーツ付きＨＥＰＡフィルタを含み、細かい微粒子フィルタ５０６８６は、プリーツ付きＵＬＰＡフィルタを含む。
【００８９】
微粒子濾過後、煙は、炭素リザーバ５０６８８を含むフィルタ５０６７０の下流部分に入る。炭素リザーバ５０６８８は、中間ダム５０６９２と末端ダム５０６９４それぞれとの間に配置された多孔質仕切り５０６９６及び５０６９８によって画定される。本開示のいくつかの態様では、多孔質仕切り５０６９６及び５０６９８は、剛性かつ／又は非可撓性であり、炭素リザーバ５０６８８のための一定の空間容積を画定する。
【００９０】
炭素リザーバ５０６８８は、ガス状汚染物質を除去するために、炭素粒子と累積的に、又は炭素粒子から独立して作用する、追加の吸着剤を含むことができる。追加の吸着剤としては、例えば、酸化マグネシウム及び／又は酸化銅などの吸着剤を挙げることができ、例えば、これは、例えば、一酸化炭素、エチレンオキシド、及び／又はオゾンなどのガス状汚染物質を吸着するように作用することができる。本開示のいくつかの態様では、追加の吸着剤は、リザーバ５０６８８全体にわたって分散され、かつ／又はリザーバ５０６８８の上方、下方、若しくは内部の別個の層に配置される。
【００９１】
再び図４を参照すると、排出システム５０５００は、排出器ハウジング５０５１８内にポンプ５０５０６を含む。同様に、図７に示す排出システム５０６００は、手術部位から吸引ホース５０６３６を通って、及びフィルタ５０６７０（図１０及び図１１）を通って煙を引き込む吸引を生成することができる、排出器ハウジング５０６１８内に配置されたポンプを含むことができる。動作中、ポンプは、煙をフィルタ５０６７０内に移動させ、かつ流路の出口で排気機構（例えば、図４の排気機構５０５２０）から排出させる、排出器ハウジング５０６１８内の圧力差を生成することができる。フィルタ５０６７０は、煙から有害な、汚染した、又はそうでなければ不要な微粒子を抽出するように構成されている。
【００９２】
ポンプは、排出器ハウジング５０６１８を通る流路と一列に配置されてもよく、それにより、排出器ハウジング５０６１８を通って流れるガスは、一方の端部でポンプに入り、他方の端部でポンプを出る。ポンプは、封止された容積式流路を提供することができる。様々な例では、ポンプは、ガスがポンプを通って移動する際に、第１の体積のガスを捕捉（封止）し、かつその体積を第２のより小さい体積に減少させることによって、封止された容積式流路を生成することができる。捕捉されたガスの体積を減少させることにより、ガスの圧力が増加する。第２の加圧された体積のガスは、ポンプ出口でポンプから放出することができる。例えば、ポンプは、圧縮機であってもよい。より具体的には、ポンプは、ハイブリッド再生ブロワ、クローポンプ、ローブ圧縮機、及び／又はスクロール圧縮機を含んでもよい。容積式圧縮機は、排出システム５０６００によって生成される振動及び騒音を制限しながら、改善された圧縮比及び動作圧力を提供することができる。加えて又は代わりに、排出システム５０６００は、流体を移動させるためのファンを含むことができる。
【００９３】
容積式圧縮機、例えば、スクロール圧縮機ポンプ５０６５０の一例を図１２に示す。スクロール圧縮機ポンプ５０６５０は、固定子スクロール５０６５２と移動スクロール５０６５４とを含む。固定子スクロール５０６５２は、移動スクロール５０６５４が偏心して周回している間、定位置に固定することができる。例えば、移動スクロール５０６５４は、固定子スクロール５０６５２の中心長手方向軸の周りを回転するように、偏心して周回することができる。図１２に示すように、固定子スクロール５０６５２及び移動スクロール５０６５４の中心長手方向軸は、スクロール５０６５２、５０６５４の視野平面に対して垂直に延びる。固定子スクロール５０６５２及び移動スクロール５０６５４は、互いに交互配置されて、別個の封止された圧縮チャンバ５０６５６を形成する。
【００９４】
使用中、ガスは、入口５０６５８でスクロール圧縮機ポンプ５０６５０に入ることができる。移動スクロール５０６５４が固定子スクロール５０６５２に対して周回すると、入口ガスは、最初に圧縮チャンバ５０６５６内に捕捉される。圧縮チャンバ５０６５６は、スクロール５０６５２及び５０６５４の螺旋形状に沿って、スクロール圧縮機ポンプ５０６５０の中心に向かって別個の体積のガスを移動させるように構成されている。圧縮チャンバ５０６５６は、ガスが存在する密閉空間を画定する。更に、移動スクロール５０６５４が捕捉されたガスを固定子スクロール５０６５２の中心に向かって移動させると、圧縮チャンバ５０６５６は、容積が減少する。この容積の減少により、圧縮チャンバ５０６５６内のガスの圧力を増加させる。封止された圧縮チャンバ５０６５６内のガスは、容積が減少している間に捕捉され、したがって、ガスを加圧する。加圧されたガスがスクロール圧縮機ポンプ５０６５０の中心に到達すると、加圧されたガスは、出口５０６５９を通って放出される。
【００９５】
ここで図１３を参照すると、排出システム５０７００の一部分が示されている。排出システム５０７００は、排出システム５０６００（図７）に多くの点で類似していてもよい。例えば、排出システム５０７００は、排出器ハウジング５０６１８及び吸引ホース５０６３６を含む。再び図７を参照すると、排出システム５０６００は、吸引を生成し、それによって吸引ホース５０６３６の遠位端から、処理するために排出器ハウジング５０６１８内に煙を引き込むように構成されている。特に、吸引ホース５０６３６は、図１３のフィルタエンドキャップ５０６０３を介して排出器ハウジング５０６１８に接続されていない。むしろ、吸引ホース５０６３６は、流体トラップ５０７６０を介して排出器ハウジング５０６１８に接続される。フィルタ５０６７０と同様のフィルタは、流体トラップ５０７６０の背後の排出器ハウジング５０６１８のソケット内に配置することができる。
【００９６】
流体トラップ５０７６０は、更なる処理及び濾過のために部分的に処理された煙を排出システム５０７００に中継する前に、流体（例えば液体）の少なくとも一部分を煙から抽出して保持する第１の処理点である。排出システム５０７００は、本明細書に記載されるように、手術室（又は他の動作環境）における煙発生に関連する不快な臭気若しくは他の問題を低減又は除去するために、煙を処理、濾過、及び別の方法で清浄するように構成されている。特定の例では、排出システム５０７００によって更に処理される前に、煙から液滴及び／又はエアロゾルを抽出することによって、流体トラップ５０７６０は、とりわけ、排出システム５０７００の効率を増加させ、かつ／又はそれと関連付けられたフィルタの寿命を増加させることができる。
【００９７】
主に図１４〜図１７を参照すると、流体トラップ５０７６０は、排出器ハウジング５０６１８（図１３）から取り外されて示されている。流体トラップ５０７６０は、流体トラップ５０７６０の前側カバー又は表面５０７６４に画定された入口ポート５０７６２を含む。入口ポート５０７６２は、吸引ホース５０６３６（図１３）を解除可能に受容するように構成することができる。例えば、吸引ホース５０６３６の端部は、入口ポート５０７６２内に少なくとも部分的に挿入することができ、それらの間に締まり嵌めで固定することができる。様々な例では、締まり嵌めは、吸引ホース５０６３６を通過する煙の実質的に全てが流体トラップ５０７６０内に移送されるように、流体密及び／又は気密嵌合であってもよい。場合によっては、例えば、ラッチベースの圧縮嵌合、Ｏリング、吸引ホース５０６３６を入口ポート５０７６２とネジ止めにより連結すること、及び／又は他の連結機構などの吸引ホース５０６３６を入口ポート５０７６２に連結又は接合するための他の機構を用いることができる。
【００９８】
様々な例では、吸引ホース５０６３６と流体トラップ５０７６０との間の流体密及び／又は気密嵌合は、これらの構成要素の接合部又はその付近で排出された煙中の流体及び／又は他の物質が漏出するのを防ぐように構成されている。場合によっては、吸引ホース５０６３６は、例えば、Ｏリング及び／又はアダプタなどの中間連結装置を介して入口ポート５０７６２と関連付けられて、吸引ホース５０６３６と流体トラップ５０７６０との間の気密及び／又は流体密接続を更に確実にすることができる。
【００９９】
上述のように、流体トラップ５０７６０は、排気ポート５０７６６を含む。排気ポートは、流体トラップ５０７６０の裏カバー又は表面５０７６８から離れる方向に延びる。排気ポート５０７６６は、流体トラップ５０７６０の内部チャンバ５０７７０と外部環境との間に開放チャネルを画定する。場合によっては、排気ポート５０７６６は、外科用排出システム又はその構成要素と緊密に関連付けられるようなサイズにされ成形される。例えば、排気ポート５０７６６は、流体トラップ５０７６０から排出器ハウジング５０６１８（図１３）内に収容されたフィルタまでの少なくとも部分的に処理された煙に関連付けられ、かつこれを伝達するようなサイズにされ成形されてもよい。特定の例では、排気ポート５０７６６は、流体トラップ５０７６０の前部プレート、上面、又は側面から離れる方向に延びることができる。
【０１００】
特定の例では、排気ポート５０７６６は、排気ポート５０７６６を排出器ハウジング５０６１８から離間させる膜を含む。そのような膜は、空気、水、及び／又は蒸気が排出器ハウジング５０６１８内に自由に入ることを可能にしながら、流体トラップ５０７６０内に収集された水又は他の液体が排気ポート５０７６６を通過し排出器ハウジング５０６１８内に入るのを防止するように作用することができる。例えば、高流量微孔質ポリテトラフルオロエチレン（ＰＴＦＥ）を、排気ポート５０７６６の下流かつポンプの上流に配置して、排出システム５０７００のポンプ又は他の構成要素を損傷及び／又は汚染から保護することができる。
【０１０１】
流体トラップ５０７６０はまた、ユーザが流体トラップ５０７６０を取り扱うのを、並びに／又は流体トラップ５０７６０を吸引ホース５０６３６及び／若しくは排出器ハウジング５０６１８と接続するのを支援するように配置され寸法決めされた把持領域５０７７２を含む。把持領域５０７７２は、細長い凹部であるように描かれている。しかしながら、読者は、把持領域５０７７２が、例えば、少なくとも１つの凹部、溝、突出部、タッセル、及び／又はリングを含んでもよく、これは、ユーザの指に対応するような、又は他の方法で把持面を提供するようなサイズにされ成形されてもよいことを容易に理解するであろう。
【０１０２】
ここで主に図１６及び図１７を参照すると、流体トラップ５０７６０の内部チャンバ５０７７０が示されている。入口ポート５０７６２及び排気ポート５０７６６の相対的な配置は、煙が流体トラップ５０７６０内に入るときの煙からの流体の抽出及び保持を促進するように構成されている。特定の例では、入口ポート５０７６２は、ノッチ付き円筒形状を有することができ、これは、煙及び付随する流体を流体トラップ５０７６０の流体リザーバ５０７７４に向かって、又は別の方法で指向的に排気ポート５０７６６から離れる方向に向けることができる。そのような流体の流れの例を、図１７の矢印Ａ、Ｂ、Ｃ、Ｄ、及びＥで示す。
【０１０３】
図示のように、煙は、入口ポート５０７６２を通って流体トラップ５０７６０に入り（矢印Ａによって示される）、排気ポート５０７６６を通って流体トラップ５０７６０を出る（矢印Ｅによって示される）。入口ポートの幾何学的形状（例えば、より長い上側側壁５０７６１及びより短い下側側壁５０７６３）に少なくとも部分的に起因して、入口ポート５０７６２に入る煙は、最初に流体トラップ５０７６０の流体リザーバ５０７７４内へと主に下向きに向けられる（矢印Ｂによって示される）。煙が矢印Ａ及びＢに沿って流体トラップ５０７６０内へと下向きに引き込まれ続けるにつれて、最初に下向きに向けられた煙は、下向きに回転し、その供給源から横方向に離れる方向に向けられ、流体トラップ５０７６０の上部に向かって、実質的に反対だが平行な経路で排気ポート５０７６６の外へと移動する（矢印Ｄ及びＥによって示される）。
【０１０４】
流体トラップ５０７６０を通る煙の方向的流れは、煙中の液体が流体トラップ５０７６０の下部（例えば、流体リザーバ５０７７４）内に抽出され保持されることを確実にすることができる。更に、流体トラップ５０７６０が直立位置にあるときの入口ポート５０７６２の垂直上方の排気ポート５０７６６の相対的な配置は、流体トラップ５０７６０の内外への流体の流れを実質的に妨げないと同時に、煙の流れによって排気ポート５０７６６を介して液体が意図せず運ばれることを抑制するように構成されている。加えて、特定の例では、入口ポート５０７６２及び出口ポート５０７６６の構成、並びに／又は流体トラップ５０７６０自体のサイズ及び形状は、流体トラップ５０７６０が密封性であることを可能にすることができる。
【０１０５】
様々な例では、排出システムは、例えば、図５及び図６に関して本明細書で更に説明するように、複数のセンサ及びインテリジェント制御部を含むことができる。本開示の一態様では、排出システムは、１つ以上の温度センサ、１つ以上の流体検出センサ、１つ以上の圧力センサ、１つ以上の粒子センサ、及び／又は１つ以上の化学センサを含むことができる。温度センサは、外科用排出システムを通って移動する、及び／又は外科用排出システムから手術室内に排出される、手術部位における流体の温度を検出するように配置することができる。圧力センサは、排出器ハウジング内などの排出システム内の圧力を検出するように配置することができる。例えば、圧力センサは、フィルタの上流、フィルタとポンプとの間、及び／又はポンプの下流に配置することができる。特定の例では、圧力センサは、排出システムの外側の周囲環境内の圧力を検出するように配置することができる。同様に、粒子センサは、排出器ハウジング内などの排出システム内の粒子を検出するように配置することができる。粒子センサは、例えば、フィルタの上流、フィルタとポンプとの間、及び／又はポンプの下流にあってもよい。様々な例では、粒子センサは、例えば、手術室内の空気品質を判定するために、周囲環境内の粒子を検出するように配置することができる。
【０１０６】
排出システム５０８００の排出器ハウジング５０８１８を、図１８に概略的に示す。排出器ハウジング５０８１８は、例えば、排出器ハウジング５００１８及び／又は５０６１８と多くの点で類似していてもよく、かつ／又は本明細書に開示される様々な排出システムに組み込むことができる。排出器ハウジング５０８１８は、本明細書で更に説明する多数のセンサを含む。特定の排出器ハウジングは、図１８に示す各センサを含まなくてもよく、かつ／又は追加のセンサ（単数又は複数）を含んでもよいことを読者は理解するであろう。本明細書に開示される排出器ハウジング５００１８及び５０６１８と同様に、図１８の排出器ハウジング５０８１８は、入口５０８２２及び出口５０８２４を含む。流体トラップ５０８６０、フィルタ５０８７０、及びポンプ５０８０６は、入口５０８２２と出口５０８２４との間の排出器ハウジング５０８１８を通る流路５０８０４に沿って連続して整列される。
【０１０７】
排出器ハウジングは、本明細書で更に説明するように、モジュール式及び／又は交換可能な構成要素を含むことができる。例えば、排出器ハウジングは、モジュール式流体トラップ及び／又は交換可能なフィルタを受容するように寸法決めされたソケット又はレセプタクル５０８７１を含むことができる。特定の例では、図１８に示すように、流体トラップ及びフィルタは、単一の交換式モジュール５０８５９に組み込むことができる。より具体的には、流体トラップ５０８６０及びフィルタ５０８７０は、モジュール式及び／又は交換可能であり得る交換式モジュール５０８５９を形成し、排出器ハウジング５０８１８内のレセプタクル５０８７１内に取り外し可能に設置することができる。他の例では、流体トラップ５０８６０及びフィルタ５０８７０は、分離した、かつ別個のモジュール式構成要素とすることができ、これは、排出器ハウジング５０８１８内に一緒に組み立てる、及び／又は別個に設置することができる。
【０１０８】
排出器ハウジング５０８１８を更に参照すると、排出器ハウジング５０８１８は、内部の様々なパラメータ及び／又は周囲環境のパラメータを検出するための複数のセンサを含む。加えて又は代わりに、排出器ハウジング５０８１８内に設置された１つ以上のモジュール式構成要素は、１つ以上のセンサを含むことができる。例えば、図１８を更に参照すると、交換式モジュール５０８５９は、内部の様々なパラメータを検出するための複数のセンサを含む。
【０１０９】
様々な例では、排出器ハウジング５０８１８及び／又は排出器ハウジング５０８１８と適合するモジュール式構成要素（単数又は複数）は、１つ以上のセンサからの入力を受信し、かつ／又は１つ以上のシステム及び／若しくはドライバに出力を通信するように構成されている、プロセッサ５０３０８及び５０４０８（それぞれ図５及び図６）などのプロセッサを含むことができる。排出器ハウジング５０８１８と共に使用するための様々なプロセッサは、本明細書で更に説明する。
【０１１０】
動作中、手術部位からの煙を、入口５０８２２から流体トラップ５０８６０を介して排出器ハウジング５０８１８に引き込むことができる。図１８の排出器ハウジング５０８１８を通る流路５０８０４は、様々な一列に並んだ構成要素の間に延びる封止された導管又は管５０８０５を含むことができる。様々な例では、煙は、流体検出センサ５０８３０及び化学センサ５０８３２を通過して、本明細書に更に記載されるダイバータ弁５０８３４に流れることができる。センサ５０８３０などの流体検出センサは、煙中の流体粒子を検出することができる。一例では、流体検出センサ５０８３０は、連続性センサとすることができる。例えば、流体検出センサ５０８３０は、２つの離間した電極と、それらの間の連続性の程度を検出するためのセンサとを含むことができる。例えば、流体が存在しない場合、連続性は、ゼロ又は実質的にゼロであり得る。化学センサ５０８３２は、煙の化学的特性を検出することができる。
【０１１１】
ダイバータ弁５０８３４において、流体を、流体トラップ５０８６０の凝縮器５０８３５内に向けることができ、煙は、フィルタ５０８７０に向かって進み続けることができる。バッフル５０８６４は、煙からの流体液滴の流体トラップ５０８６０内のリザーバへの凝縮を促進するように、凝縮器５０８３５内に配置される。流体検出センサ５０８３６は、排出器ハウジング内の任意の流体が完全に、又は少なくとも実質的に流体トラップ５０８６０内に捕捉されることを確実にすることができる。
【０１１２】
更に図１８を参照すると、煙は、その後、交換式モジュール５０８５９のフィルタ５０８７０に流入するように向けることができる。フィルタ５０８７０への入口では、煙は、粒子センサ５０８３８及び圧力センサ５０８４０を通過して流れることができる。一形態では、粒子センサ５０８３８は、本明細書で更に説明するように、レーザー粒子カウンタを含むことができる。煙は、図１８に示すように、プリーツ付き超低浸透空気（ＵＬＰＡ）フィルタ５０８４２及び炭フィルタ５０８４４を介して濾過することができる。
【０１１３】
フィルタを出ると、濾過された煙は、圧力センサ５０８４６を通過して流れることができ、次いで、排出器ハウジング５０８１８内の流路５０８０４に沿ってポンプ５０８０６に向かって進み続けることができる。ポンプ５０８０６を通って移動すると、濾過された煙は、出口の粒子センサ５０８４８及び圧力センサ５０８５０を通過して排出器ハウジング５０８１８に流れることができる。一形態では、微粒子センサ５０８４８は、本明細書で更に説明するように、レーザー微粒子カウンタを含むことができる。図１８の排出器ハウジング５０８１８はまた、手術室内の環境などの周囲環境の様々な特性を検出するために、空気品質粒子センサ５０８５２及び周囲圧力センサ５０８５４を含む。少なくとも１つの形態では、空気品質粒子センサ又は外部／周囲空気粒子センサ５０８５２は、レーザー粒子カウンタを含むことができる。図１８に示す様々なセンサについては、本明細書で更に説明する。更に、様々な例では、代替的な感知手段を、本明細書に開示される排煙システムに利用することができる。例えば、粒子を計数するための、及び／又は流体中の微粒子濃度を判定するための代替的なセンサが、本明細書で更に開示される。
【０１１４】
様々な例では、図１８に示す流体トラップ５０８６０は、捕捉された流体の流出及び／又は漏出を防止するように構成することができる。例えば、流体トラップ５０８６０の幾何学的形状は、捕捉された流体が流出及び／又は漏出するのを防止するように選択されてもよい。特定の例では、流体トラップ５０８６０は、捕捉された流体が流体トラップ５０８６０から飛び散るのを防止するためのバッフル及び／又はスクリーン５０８６２などのスプラッタスクリーンを含むことができる。１つ以上の例では、流体トラップ５０８６０は、流体トラップ内の流体の体積を検出し、かつ／又は流体トラップ５０８６０が容量まで充填されているかどうかを判定するためのセンサを含むことができる。流体トラップ５０８６０は、流体をそこから空にするための弁を含んでもよい。読者は、様々な代替的な流体トラップ構成及び幾何学的形状を用いて、排出器ハウジング５０８１８内に引き込まれた流体を捕捉することができることを容易に理解するであろう。
【０１１５】
特定の例では、フィルタ５０８７０は、追加の及び／又はより少ない濾過レベルを含むことができる。例えば、フィルタ５０８７０は、粗いメディアフィルタ、細かいメディアフィルタ、及び吸着剤ベースのフィルタの群から選択される１つ以上の濾過層を含むことができる。粗いメディアフィルタは、例えば、ガラス繊維、ポリエステル、及び／又はプリーツフィルタで構成することができる低空気抵抗フィルタであってもよい。細かいメディアフィルタは、高効率微粒子空気（ＨＥＰＡ）フィルタ及び／又はＵＬＰＡフィルタであってもよい。吸着剤ベースのフィルタは、例えば、活性炭フィルタであってもよい。読者は、様々な代替的フィルタ構成及び幾何学的形状を用いて、排出器ハウジング５０８１８を通る流路に沿って引き込まれた煙を濾過することができることを容易に理解するであろう。
【０１１６】
１つ以上の例では、図１８に示すポンプ５０８０６は、例えば、ハイブリッド再生ブロワ、クローポンプ、及び／又はローブ圧縮機などの、別の圧縮機及び／若しくはポンプに置き換える、かつ／又はこれらと組み合わせて使用することができる。読者は、様々な代替的なポンプ構成及び幾何学的形状を用いて、流路５０８０４内に吸引を生成して、煙を排出器ハウジング５０８１８内に引き込むことができることを容易に理解するであろう。
【０１１７】
図１８に示すセンサなどの排出システム内の様々なセンサは、プロセッサと通信することができる。プロセッサは、排出システムに組み込むことができ、かつ／又は別の外科用器具及び／若しくは外科用ハブの構成要素であってもよい。様々なプロセッサについては、本明細書で更に説明する。オンボードプロセッサは、センサ（単数又は複数）からの入力に基づいて、排出器システム（例えば、ポンプ５０８０６のためのモータ）の１つ以上の動作パラメータを調整するように構成することができる。加えて又は代わりに、オンボードプロセッサは、センサ（単数又は複数）からの入力に基づいて、電気外科用ツール及び／又は撮像装置などの別の装置の１つ以上の動作パラメータを調整するように構成することができる。
【０１１８】
ここで図１９を参照すると、排出システム５０９００用の別の排出器ハウジング５０９１８が示されている。図１９の排出器ハウジング５０９１８は、図１８の排出器ハウジング５０８１８と多くの点で類似していてもよい。例えば、排出器ハウジング５０９１８は、排出器ハウジング５０９１８への入口５０９２２と排出器ハウジング５０９１８の出口５０９２４との間の流路５０９０４を画定する。入口５０９２２と出口５０９２４との中間に、流体トラップ５０９６０、フィルタ５０９７０、ポンプ５０９０６が順次配置されている。排出器ハウジング５０９１８は、例えば、レセプタクル５０８７１と同様に、モジュール式流体トラップ及び／又は交換可能なフィルタを受容するように寸法決めされたソケット又はレセプタクル５０９７１を含むことができる。切換弁５０９３４において、流体は、流体トラップ５０９６０の凝縮器５０９３５内に方向付けることができ、煙は、そのままフィルタ５０９７０に向かうことができる。特定の例では、流体トラップ５０９６０は、捕捉された流体が流体トラップ５０９６０から飛散するのを防止するために、例えば、バッフル５０９６４などのバッフル及び／又はスクリーン５０９６２などのスプラッタスクリーンを含むことができる。フィルタ５０９７０は、プリーツ加工された超低浸透空気（ＵＬＰＡ）フィルタ５０９４２及び炭フィルタ５０９４４を含む。封止された導管又は管５０９０５は、様々な一列の構成要素間に延びる。排出器ハウジング５０９１８はまた、本明細書で更に説明し、かつ図１８及び図１９に示す、センサ５０８３０、５０８３２、５０８３６、５０８３８、５０８４０、５０８４６、５０８４８、５０８５０、５０８５２、及び５０８５４を含む。
【０１１９】
図１９を更に参照すると、排出器ハウジング５０９１８はまた、遠心送風機機構５０９８０及び再循環弁５０９９０も含む。再循環弁５０９９０は、流体トラップ５０９６０を通って流体を再循環させるために選択的に開放及び閉鎖することができる。例えば、流体検出センサ５０８３６が流体を検出する場合、再循環弁５０９９０は、流体がフィルタ５０９７０から離れるように方向付けられて流体トラップ５０９６０内に戻るように開放することができる。流体検出センサ５０８３６が流体を検出しない場合、弁５０９９０は、煙がフィルタ５０９７０へと方向付けられるように閉鎖することができる。再循環弁５０９９０を介して流体が再循環されるときに、流体は、再循環導管５０９８２を通って引き込まれ得る。遠心送風機機構５０９８０は、再循環導管５０９８２と係合して、再循環導管５０９８２内に再循環吸引力を発生させる。より具体的には、再循環弁５０９９０が開放され、ポンプ５０９０６が起動されると、フィルタ５０９７０の下流のポンプ５０９０６によって生成された吸引力は、第１の遠心ブロワ又はかご形５０９８４の回転を発生させることができ、これは、再循環弁５０９９０を通って流体トラップ５０９６０内に再循環される流体を引き込む、第２の遠心ブロワ又はかご形５０９８６に伝達することができる。
【０１２０】
本開示の様々な態様では、図５及び図６の制御部概略図は、図１８及び図１９の様々なセンサシステム及び排出器ハウジングと共に利用することができる。
【０１２１】
他の取り付けられた装置の出力又は動作に影響を及ぼすための排煙システムパラメータの外科用ハブ又はクラウドへの通信ＥＮＤ８５４６ＵＳＮＰ（Ｍ−１／１６４４６９）
電気外科用器具が使用されている外科手術の過程において、外科用煙内の微粒子の種類、微粒子濃度、及び粒径などのパラメータは、これまで監視されていない。外科手術中の煙監視をしていないこととは、手術部位に存在する排煙装置が、外科手術の過程のパラメータ変化（例えば、排出されている煙中のより高い微粒子濃度など）を補うために、動作を調整してより慎重に排煙できなかったことを意味する。
【０１２２】
図２０〜図２２及び図２５〜図３５を参照すると、本明細書に記載される例示的なスマート排煙システム５６１００は、検出又は感知されたパラメータを、外科用ハブ２０６又はクラウド分析コンピューティング環境２０４（以下、クラウド２０４）に通信することができ、これにより、外科用ハブ２０６又はクラウド２０４と通信する他のデバイスの出力及び動作に影響を及ぼす。例えば、様々な微粒子濃度が検出される場合、この様々なパラメータは、外科用ハブ２０６又はクラウド２０４に通信され、外科用ハブ２０６又はクラウド２０４は、電気外科用器具に適用される電力レベルなど、スマート排煙システム５６１００における別の構成要素の動作を調整し、様々なパラメータを補うことができる。
【０１２３】
スマート排煙システムによって検出されたパラメータによって他の装置の動作を自動的に調整することにより、電気外科用器具の動作によって発生した煙がより効率的に除去され、外科手術中にその場にいる医師及び他の人員の危険性が低減される。
【０１２４】
図２０は、本開示の少なくとも１つの態様による、様々なモジュール及び装置が互いに通信している排煙システム５６１００を示す。排煙システム５６１００で識別されたモジュールとデバイスとの間の通信は、外科用ハブ２０４及び／又はクラウド２０４を通じた接続を介して直接的又は間接的に発生し得る。排煙システム５６１００は、例えば、図２５〜図３５に記載されるように、外科用ハブ２０６及び／又はクラウド２０４にインタラクティブに連結することができる。このようにして、排煙モジュール２２６によって感知又は検出されたパラメータは、図３２〜図２４に示されるようなコンピュータ実装外科用システム内の他のモジュール、デバイス、又は構成要素の機能に影響を及ぼし得る。図２０は、例えば、クラウド２０４と、外科用ハブ２０６と、排煙モジュール２２６と、モジュールＡ５６１０８と、モジュールＢ５６１０６と、モジュールＣ５６１０４と、を備えるコンピュータ実装排煙システム５６１００を示す。モジュールＡ５６１０８、Ｂ５６１０６、及びＣ５６１０４は、外科用ハブ２０６と通信するか、又はその一部であるモジュール又はデバイスのいずれかであってもよい。例えば、モジュールＡ５６１０８、Ｂ５６１０６、及びＣ５６１０４は、可視化システム２０８の構成要素、ロボットシステム２２２の構成要素、インテリジェント器具２３５、撮像モジュール２３８、発生器モジュール２４０、吸引／灌注モジュール２２８、通信モジュール２３０、プロセッサモジュール２３２、ストレージアレイ２３４、手術室マッピングモジュール２４２などであってもよい。これらの様々な種類のモジュール及び構成要素の例及び説明は、例えば、図２５〜図３５の説明において見出すことができる。
【０１２５】
排煙モジュール２２６は、少なくとも１つのセンサを備える。このセンサは、例えば、周囲圧力センサ、空気品質微粒子センサなどといった、動作パラメータを検出するセンサを含む、任意の種類のセンサであってよい。更に、センサは、例えば、圧力センサ、流体検出センサ、化学センサ、レーザー微粒子カウンタなどといった、内部センサであってもよい。更に、排煙モジュール２２６の様々な部分にわたって圧力差を決定するために、排煙モジュール２２６に２つ以上の圧力センサが含まれてもよい。排煙システム５６１００の文脈で使用されるセンサの説明は、例えば、図４〜図６、図１８、及び図１９に関連して見出すことができる。
【０１２６】
様々な態様では、排煙モジュール２２６、並びにモジュールＡ５６１０８、Ｂ５６１０６、及びＣ５６１０４は、例えば、外科用ハブ２０６及び／又はクラウド２０４と直接的又は間接的に通信してもよい。図２０を再び参照すると、排煙モジュール２０６、並びにモジュールＡ５６１０８、Ｂ５６１０６、及びＣ５６１０４は、外科用ハブ２０６と双方向通信で係合するように示されている。この双方向通信は、矢印５６１１２などの２方向の矢印によって示される。この双方向通信は、一例では、排煙モジュール２２６のモジュール式ハウジング又はモジュールＡ５６１０８、Ｂ５６１０６、及びＣ５６１０４を、内側コネクタコンソールを含むモジュール式バックプレーンに接続することによって達成され得る。モジュール式バックプレーンは、排煙モジュール２２６のモジュール式ハウジング又はモジュールＡ５６１０８、Ｂ５６１０６、及びＣ５６１０４に、外科用ハブ２０６によって横方向又は垂直方向に接続するように構成されている。この例が図２７〜図３１に示される。代替例では、双方向通信は、排煙モジュール２２６のハウジング又は、外科用ハブ２０６とインターフェース接続を可能とし得る装置の後部に有線接続アタッチメントを有するスタンドアローンハウジングであるモジュールＡ５６１０８、Ｂ５６１０６、及びＣ５６１０４によって確立されてもよい。あるいは、別の例では、排煙モジュール２２６、並びにモジュールＡ５６１０８、Ｂ５６１０６、及びＣ５６１０４は、互いに直接接続されてもよい。更に別の例では、排煙モジュール２２６、並びにモジュールＡ５６１０８、Ｂ５６１０６、及びＣ５６１０４は、直接的又は間接的のいずれかで、外科用ハブ２０６及び／又はクラウド２０４と通信するための無線通信モジュールを備えてもよい。図２０に示される例では、外科用ハブ２０６は、クラウド２０４と双方向通信しているものとして示されている。あるいは、別の例では、破線５６１１０によって示される排煙モジュール２２６、また並びにモジュールＡ５６１０８、Ｂ５６１０６、及びＣ５６１０４のいずれか１つ又は全ては、外科用ハブ２０６を通過することなく、クラウドから直接命令又は情報を受信するために、クラウド２０４と直接通信してもよい。
【０１２７】
図２１は、本開示の少なくとも１つの態様による、外科用ハブ２０６、クラウド２０４、排煙モジュール２２６、並びに／又は様々な他のモジュールＡ５６１０８、Ｂ５６１０６、及びＣ５６１０４間の相互接続性の例示的な方法フロー図５６２００を示す。例示的な方法５６２００は、図２１に示すフローチャートを参照して説明されるが、この方法と関連する動作を実施する他の多くの方法も使用可能であると、理解されよう。例えば、ブロックのいくつかの順序を変更してよく、特定のブロックを他のブロックと組み合わせてよく、記載したブロックのいくつかは任意である。
【０１２８】
また図２５〜図３５を参照すると、最初に、排煙モジュール２２６によって、パラメータが取得される（５６２０２）。例えば、空気品質微粒子センサなどの排煙モジュール２２６のセンサ構成要素は、パラメータを検出する。このパラメータは、例えば、手術室の空気品質など、手術室の周囲環境に関連する任意のパラメータであってもよい。この例では、感知されたパラメータが１つのみ存在するが、本開示はそのような方法で限定されるべきではない。代替的な例では、任意の数の異なるセンサによって、多くの感知されたパラメータが存在し得る。パラメータの感知頻度、及び排煙モジュール２２６の起動頻度は、排出される煙の量に依存する。例えば、煙がほとんど排出されていない場合、排煙モジュール２２６は、よりゆっくりと作動し、及び／又はより低い頻度でパラメータを感知してもよい。あるいは、排煙モジュール２２６が急速に発生している煙を排出するように活発に作動している場合、設備が適切に機能していることを確実にするために、排煙モジュール２２６がより高速で作動し、及び／又はより頻繁にパラメータを感知することが有用であり得る。これにより、手術室にいる全ての外科医、人員、及び医療機器にとって安全な環境を提供することができる。感知され得る他のパラメータとしては、例えば、微粒子濃度、エアロゾルの割合、又は化学分析などの内部センサによって感知されるものが挙げられる。あるいは、排煙モジュール２２６のハウジング上のセンサによって感知される動作パラメータとしては、例えば、空気流、圧力差、又は空気品質が挙げられる。排煙システム５６１００の文脈で使用されるセンサの説明は、例えば、図４〜図６、図１８、及び図１９に見出すことができる。
【０１２９】
次に、排煙モジュール２２６は、この取得したパラメータの値を、外科用ハブ２０６又はクラウド２０４に送信する（５６２０４）。例えば、手術室の空気品質の値が取得された場合、排煙モジュール２２６によって外科用ハブ２０６に送られてもよい。外科用ハブ２０６は、パラメータを処理してもよく、及び／又は、受信した空気品質パラメータをクラウド２０４に通信してもよい。これは、ネットワークルータ２１１、ネットワークハブ２０７、ネットワークスイッチ２０９、又はこれらの任意の組み合わせを介して達成され得る。代替例では、排煙モジュール２２６は、有線又は無線通信技術を使用して、空気品質パラメータをクラウド２０４に直接通信してもよい。
【０１３０】
次に、パラメータの値が処理され（５６２０６）、パラメータの値が外科用排出システム５６１００又は別のモジュール式装置が動作すべき方法に影響を及ぼすかどうかが判定される（５６２０８）。この処理は、クラウド２０４内の外科用ハブ２０６、又は外科用ハブ２０６とクラウド２０４との組み合わせで生じ得る。感知されたパラメータに対して実行される処理は、検出されたパラメータの値を様々なアルゴリズム及び学習ソフトウェアにおいて使用して、排煙モジュール２２６又はモジュールＡ５６１０８、Ｂ５６１０６、及びＣ５６１０４のいずれかの動作を自動的に調整し、検出されたパラメータの値を補正すべきかどうかを判定することを含む。パラメータの値は、排煙変数である。アルゴリズム及び学習ソフトウェアは、処理前にクラウド２０４（ストレージ１０５）又は外科用ハブ２０６（ストレージ２４８）に記憶されてもよく、必要に応じてリモート更新されてもよい。
【０１３１】
例えば、感知された空気品質パラメータの値が空気中の大量の煙粒子を示す場合、クラウド２０４は、空気品質パラメータの値を使用して、手術室の周囲空気品質を改善するために、排煙モジュール又はモジュールＡ５６１０８、Ｂ５６１０６、及びＣ５６１０４の動作をどのように変更するかを判定できるソフトウェアアルゴリズムを含んでもよい。この例では、クラウド２０４は、インテリジェント器具２３５の動作を修正すべきか、また、波形をインテリジェント器具２３５に供給する発生器の出力を調整することによって、この動作が最適に調整されるかを判定できる。発生器２４０は、組織に影響を及ぼすために電極に伝達される振動電流からなる高周波波形に電気を変換するように構成されている。代替例では、クラウド２０４は、モジュールＡ５６１０８、Ｂ５６１０６、及びＣ５６１０４のいずれも調整する必要がないが、排煙モジュール２２６の動作を調整すべきかを判定することができる。この代替例では、クラウド２０４は、空気品質パラメータの値が、手術室から煙をより迅速に排出するために排煙モジュール２２６の動作が調整された場合に、排煙モジュール２２６がより安全な環境を提供できることを示すことを判定し得る。
【０１３２】
次に、外科用排出システム５６１００又はモジュール式装置に動作を調整するための命令が送られる（５６２１０）。例えば、クラウド２０４は、感知された空気品質パラメータの値に基づいて、インテリジェント器具２３５の動作を調整すべきであると判定することができる。この例では、これは、発生器モジュール２４０の出力を修正することによって、クラウド２０４によって最も効果的に達成された。したがって、この例のステップ５６２１０では、クラウド２０４は、発生器モジュール２４０（例えば、モジュールＡ５６１０８）に命令を送信する。この例では、インテリジェント器具２３５の動作を変更するために、発生器モジュール２４０の出力を修正するように支持する命令を、発生器モジュール２４０に送信する。
【０１３３】
最後に、外科用排出システム５６１００又はモジュール式装置の動作は、命令に基づいて調整される（５６２１２）。例えば、発生器モジュール２４０は、クラウド２０４から受信した命令に従い、インテリジェント器具２３５ヘの波形出力の形状を変更する。この調整により、インテリジェント器具２３５は、所望の様式で組織に効果をもたらす。例では、様々なモジュールに対する命令は、クラウド２０４又は外科用ハブ２０６に予め記憶されているが、必要に応じてリモート更新されてもよい。あるいは、これらの命令は、必要に応じて、クラウド２０４又は外科用ハブ２０６によって動的に生成される。
【０１３４】
図２２は、本開示の少なくとも１つの態様による、様々な他のモジュール及びデバイスと通信する排煙システム５６３００を示す。図２２に例示される例は、図２０に示すコンピュータ実装外科用システムの代替例を開示する。引き続き図２５〜図３５及び図２２を参照すると、クラウド２０４及び外科用ハブ２０６が示されている。代替例において、例示される例は、１つのクラウド２０４及び１つの外科用ハブ２０６を示すが、コンピュータ実装された外科用システム内に、２つ以上のクラウド２０４及び／又は外科用ハブ２０６が存在してもよい。
【０１３５】
図２２では、外科用ハブ２０６は、吸引／灌注モジュール２２８、排煙モジュール２２６、及び発生器モジュール２４０などの様々なモジュールを含み得る。排煙モジュール２２６は、異なるパラメータを検出する第１のセンサ５６３０２及び第２のセンサ５６３０４を含んでもよい。例えば、第１のセンサ５６３０２は、手術室から排出されている煙に対する化学分析を行う化学センサであってもよく、第２のセンサ５６３０４は、手術室から排出されている煙の微粒子濃度を決定するレーザー微粒子カウンタであってもよい。代替例では、排煙モジュール２２６内に２つ超又は２つ未満のセンサが存在してもよい。
【０１３６】
この例では、第１のセンサ５６３０２は、第１のパラメータ５６３０６、例えば、手術室から排出されている煙のｐＨを感知する。第２センサ５６３０４は、第２のパラメータ５６３０８、例えば、手術室から排出されている煙の微粒子数（百万分率）を感知する。排煙モジュール２２６は、外科用ハブ２０６に接続されてもよく、又は外科用ハブ２０６の一部であってもよく、したがって、第１のパラメータ５６３０６及び第２のパラメータ５６３０８は、感知された後に自動的に外科用ハブ２０６に提供されてもよい。代替例では、外科用ハブ２０６は、排煙モジュール２２６から定期的に、又は感知されたパラメータ情報に対するユーザからの要求により、任意の感知されたパラメータを要求することができ、排煙モジュール２２６は、要求に応じて、感知されたパラメータの値を提供する。あるいは、排煙モジュール２２６は、要求されることなく、感知された値を外科用ハブ２０６に定期的に提供してもよい。
【０１３７】
ある例では、外科用ハブ２０６は、第１のパラメータ５６３０６及び第２のパラメータ５６３０８を処理、修正、又は操作して、第１の処理されたパラメータ５６３０６’及び第２の処理されたパラメータ５６３０８’にすることができる。代替例では、外科用ハブ２０６は、第１のパラメータ５６３０６及び第２のパラメータ５６３０８に対する任意の処理を実行しなくてもよい。外科用ハブ２０６は、感知されたパラメータの値に基づいて、様々なモジュールの動作を調整すべきかどうかを判定するために、第１の処理されたパラメータ５６３０６’及び第２の処理されたパラメータ５６３０８’を更なる処理のためにクラウド２０４に送信してもよい。クラウド２０４は、様々なアルゴリズムを実行して、第１の処理されたパラメータ５６３０６’及び第２の処理されたパラメータ５６３０８’の値が、排煙モジュール２２６を含む他のモジュール及び装置のいずれかの動作を、手術室内のより理想的な手術環境をもたらすために調整すべきかを示しているかどうかを判定することができる。この例では、クラウド２０４は、第１の処理されたパラメータ５６３０６’及び第２の処理されたパラメータ５６３０８’の値が許容可能な閾値を上回っているか又は下回っており、したがって、他のモジュールの動作は、第１の処理されたパラメータ５６３０６’及び第２の処理されたパラメータ５６３０８’の感知／検出された値を補正するように調整すべきであると判定することができる。
【０１３８】
図２２に示される例では、クラウド２０４は、可視化システム２０８のディスプレイを、手術部位を正確に描写するように調整すべきであると判定することができる。この場合、クラウド２０４は、命令Ａ５６３１２を可視化システム２０８に送信して、その手術部位の表示を調整することができる。可視化システム２０８は、外科用ハブ２０６に通信可能に連結される。
【０１３９】
更に、この例では、クラウド２０４は、様々なアルゴリズムを実行後、第１の処理されたパラメータ５６３０６’又は第２の処理されたパラメータ５６３０８’の値のいずれかに基づいて、吸引／灌注モジュール２２８の動作も調整すべきであると判定することができる。この例では、命令Ｂ５６３１０は、クラウド２０４から外科用ハブ２０６に送信されてもよい。外科用ハブ２０６は、命令Ｂ５６３１０を吸引／灌注モジュール２２８に送信してもよい。代替例では、外科用ハブ２０６は、外科用ハブ２０６内に位置するプロセッサ２４４に、吸引／灌注モジュール２２８の動作を調整させることができる。別の代替例では、クラウド２０４は、命令Ｂ５６３１０を外科用ハブ２０６を通じて最初に送信することなく、吸引／灌注モジュール２２８に命令Ｂ５６３１０を直接送信することができる。
【０１４０】
クラウド２０４は、様々なアルゴリズムを実行後、発生器モジュール２４０には動作の調整が有効ではない場合がある、又は、感知されたパラメータが、発生器モジュール２４０の動作における調整から効果的に影響を受けない場合があることを判定できる。したがって、図２２に例示される例では、クラウド２０４は、発生器モジュール２４０に命令を送信しなくてもよい。あるいは、クラウド２０４は、動作の修正が必要でないという命令を発生器モジュール２４０に送信してもよい。
【０１４１】
セグメント化された制御回路であって、システムのエラー、短絡、及び安全チェックを確認するために段階的方法で通電される回路を含む排煙システム
排出システムが適切に機能していないとき、排煙システムにおいて故障が検出されない場合は、排煙システムが外科的状況で知らずに操作される場合がある。これは、危険な又は発癌性がある煙が手術室から適切に取り除かれない、安全ではない手術環境の原因となる場合がある。あるいは、排煙システムの一部は適切に機能し得るが、他の部分は適切に機能しない場合がある。これは、排煙システムを、一般に、通電及び操作には危険である状態にし得る。
【０１４２】
図２０〜図２２に記載されるように、外科用ハブ２０６及び／又はクラウド２０４に連結された排煙モジュール２２６を備える排煙システム５６１００、５６３００は、例えば、図２３に記載されるように、セグメント化された制御回路５７１００を更に備えてもよい。セグメント化された制御回路５７１００は、段階的に通電されて、故障、エラー、短絡を確認し、排煙モジュール２２６を起動している間に様々な安全性チェックを実行して、排煙モジュール２２６の操作が安全であると判定するのを助けることができる。
【０１４３】
排煙モジュール２２６を段階的方法で開始することにより、排煙モジュール２２６の操作試みる前に、故障及びエラーを識別することができる。これにより、排煙システムを修理、又は必要に応じて新しい排煙モジュールと交換できるため、外科手術の全体的な安全性を改善することができる。
【０１４４】
一態様では、図２０〜図２２に記載される排煙モジュール２２６は、セグメント化された制御回路を含み、この回路は、エラー、短絡を確認するため、及びシステムの安全性チェックを実行するために、段階的な方法で通電され得る。図２３は、本開示の少なくとも１つの態様による、セグメント化された制御回路５７１００の一態様を示す。特定の特徴部、モジュール、プロセッサ、モータなどが、図２３に示される様々なセグメントにグループ化されているが、本開示はこの例に限定されるべきではないことに留意されたい。代替的な例では、セグメントは、図２３に開示されるものよりも多い、より少ない、又は異なる構成要素を含んでもよい。更に、別の代替例では、セグメント化された回路の例におけるセグメントの数は、３つ超又は３つ未満のセグメントであってもよい。
【０１４５】
図２３の例では、セグメント化された制御回路５７１００は、第１のセグメント５７１０２と、第２のセグメント５７１０４と、第３のセグメント５７１０６とを含む。ある例では、第１のセグメント５７１０２は、メインプロセッサ５７１０８及び安全プロセッサ５７１１０を含む。メインプロセッサ５７１０８は、電源ボタン又はスイッチ５７１２０に直接接続されてもよい。したがって、この例では、第１のセグメント５７１０２、具体的にはメインプロセッサ５７１０８は、起動される第１のセグメント５７１０２及び構成要素５７１０８である。
【０１４６】
安全プロセッサ５７１１０及び／又はメインプロセッサ５７１０８は、感知回路５７１１２及びディスプレイ回路５７１１４を含み得る第２のセグメント５７１０４、並びに、モータ制御回路５７１１６及びモータ５７１１８を含み得る第３のセグメント５７１０６などの、１つ以上の追加の回路セグメント及びそれらの構成要素と相互作用するように構成されてもよい。回路セグメント及びそれらの構成要素のそれぞれは、安全プロセッサ５７１１０及び／又はメインプロセッサ５７１０８に連結され、又はこれらと通信してよい。メインプロセッサ５７１０８及び／又は安全プロセッサ５７１１０はまた、メモリに連結されてもよく、又は内部メモリを含んでもよい。メインプロセッサ５７１０８及び／又は安全プロセッサ５７１１０はまた、外科用ハブ２０６及び／又はクラウド２０４などのネットワークを介した通信を可能にする通信装置と連結されてもよく、又は、有線若しくは無線通信してもよい。
【０１４７】
メインプロセッサ５７１０８は、例えば、１つ以上の回路セグメント、電池、及び／又は複数のスイッチに連結された、複数の入力を備えてよい。セグメント化された制御回路５７１００は、例えば、排煙モジュール２２６内のプリント回路基板組立体（ＰＣＢＡ）など、任意の好適な回路によって実装されてもよい。プロセッサという用語は、本明細書で使用するとき、任意のマイクロプロセッサ、プロセッサ、１つ若しくは複数のコントローラ、又は、コンピュータの中央処理装置（ＣＰＵ）の機能を１つの集積回路又は最大で数個の集積回路上に組み込んだ、他の基本コンピューティングデバイスを含むと理解されるべきである。メインプロセッサ５７１０８及び安全プロセッサ５７１１０は、デジタルデータを入力として受理し、メモリに記憶された命令に従ってそのデータを処理し、結果を出力として提供する、多目的のプログラム可能装置である。これは、内部メモリを有するので、逐次的デジタル論理の一例である。安全プロセッサ５７１１０は、拡張性がある性能、接続性及びメモリの選択肢を提供しながら、高度な集積型安全特性を提供するために、中でも特に、安全限界用途向けに特異的に構成されてもよい。
【０１４８】
図２３に示される例では、第２のセグメント５７１０４は、メインプロセッサ５７１０８に連結されるか、又はそれと信号通信する、感知回路５７１１２及びディスプレイ回路５７１１４を備えてもよい。本明細書で一般に説明される排煙モジュール２２６の感知回路５７１１２は、一部は排煙モジュール２２６の内部にあり、一部は外部にあり、排煙モジュール２２６のハウジング上に配置されている、様々なセンサを含む。これらのセンサとして、様々な圧力センサ、流体センサ、化学センサ、レーザー微粒子カウンタ、又は他のレーザーセンサ、及び空気品質センサが挙げられる。排煙システム５６１００の文脈で使用されるセンサの説明は、例えば、図４〜図６、図１８、及び図１９に見出すことができる。
【０１４９】
代替的な態様では、感知回路５７１１２は、排煙モジュール２２６の外部ハウジング上に位置するいくつかのセンサが、通信装置を介して、感知回路５７１１２、メインプロセッサ５７１０８、及び／若しくは安全プロセッサ５７１０２との通信並びに／又は接続に関与するとき、通信装置を含んでもよい。ディスプレイ回路５７１１４は、排煙モジュール２２６又は排煙モジュール２２６若しくは外科用ハブ２０６と通信する別の装置によって得られたテキスト、画像、グラフ、チャートなどを表示し得る、画面又は他のディスプレイを含んでもよい。例えば、ディスプレイ回路５７１１４は、撮像モジュール２３８、装置／器具２３５、及び／又は可視化システム２０８から受信した画像又はデータを表示し、オーバーレイすることができる、モニタ又は画面（例えば、ディスプレイ２１０、２１７又はモニタ１３５）を含んでもよい。このディスプレイ又は画面は、セグメント化された制御回路５７１００内の各セグメントのステータス、又は各セグメント内の各構成要素のステータスをユーザに提示できる。各セグメントのステータス、又は各セグメントの各構成要素のステータスは、各構成要素又はセグメントを識別すること、各構成要素又はセグメントのステータスを受信又は判定すること、及び各構成要素又はセグメントのステータスをユーザに表示することによって、セグメント化された制御回路５７１００によって識別されてもよい。構成要素又はセグメントは、例えば、固有のデータパケットフォーマット、認証、暗号化、ＩＤ番号、パスワード、信号通信、フラグなどを使用して識別されてもよい。構成要素又はセグメントのステータスは、フラグ、指示、感知されたパラメータの値、測定値などを使用して決定されてもよい。
【０１５０】
これらの機能（識別、判定、表示）は、例えば、Ｗｉ−Ｆｉ、有線接続、信号通信、Ｔｈｒｅａｄ、Ｂｌｕｅｔｏｏｔｈ、ＲＦＩＤ、又はＮＦＣを使用して実行されてもよい。例えば、セグメント化された制御回路５７１００の構成要素は、ネットワークを介して通信するための通信装置を含んでもよく、又はネットワークを介した通信を可能にする外部通信装置に連結されてもよい。通信装置は、物理的有線又は無線で通信するように構成された送受信機を含むことができる。装置は、１つ以上の追加の送受信機を更に含んでもよい。送受信機には、セルラモデム、無線メッシュネットワーク送受信機、Ｗｉ−Ｆｉ（登録商標）送受信機、低電力ワイドエリア（ＬＰＷＡ）送受信機、及び／又は近距離通信送受信機（ＮＦＣ）を含むことができるが、これらに限定されない。通信装置は、メインプロセッサ５７１０８、安全プロセッサ５７１１０、ディスプレイ回路５７１１４、外科用ハブ２０６、又はクラウド２０４を備えてもよく、又はこれらと通信するように構成されてもよく、これは、構成要素及びそれらの関連するステータスの識別情報を検証してもよく、又はその識別情報を受信してもよい。送受信機は、プロセッサから対応するＵＡＲＴを介してシリアル送信データを受信し、シリアル送信データをＲＦ搬送波上に変調し、送信ＲＦ信号を生成し、ＲＦ信号を対応するアンテナを介して送信するように構成することができる。各送受信機は、本明細書に記載されるように、選択された無線通信規格及び／又はプロトコル、例えば、Ｗｉ−Ｆｉ（登録商標）のためのＩＥＥＥ８０２．１１ａ／ｂ／ｇ／ｎ及び／又はＺｉｇｂｅｅルーティングを使用する無線メッシュネットワークのためのＩＥＥＥ８０２．１５．４の実装に対応してもよい。代替的な態様では、ディスプレイ回路は、煙検出器の状態、オン／オフ動作、残存するフィルタ寿命などを示すために、可聴信号又は小さな光／ディスプレイを含むことができる。各構成要素及びそれらのステータスの識別は、それぞれの構成要素によって自発的に提供されてもよく、定期的又は不定期的間隔でそのような情報を送信又は伝達することができる。不定期的間隔の例は、例えば、ユーザが送信すべき情報を指示する場合であってもよい。代替例では、各構成要素又はセグメントの識別情報及びステータス情報は、規則的又は不規則な間隔で要求されてもよい。例えば、モータ制御回路５７１１６の識別情報及びステータスは、１分、２０分、４０分、１時間、３時間、２４時間などごとに要求されてもよい。
【０１５１】
別の態様では、セグメント化された制御回路５７１００は、排煙モジュール２２６が全ての取り付けられた構成要素にクエリ又はポーリングすることを可能にするステータス回路の通電を可能にする。ステータス回路は、セグメントのうちのいずれかに位置してもよいが、この例では、第１のセグメント５７１０２内に位置してもよい。このステータス回路は、第１のセグメント５７１０２、第２のセグメント５７１０４、第３のセグメント５７１０６内の構成要素、並びに図２５〜図３５に示されるものなどの任意の他の追加の構成要素を含む全ての構成要素をクエリ／ポーリングすることが可能であり得る。取り付けられた構成要素のポーリング／クエリは、構成要素又はセグメントが排煙システム又はハブと互換性があり得る、互換性、構成要素又はセグメントが正しい構成要素であり、信頼できるとする、信頼性、使用ステータス、つまり、フィルタなどの使用に基づく寿命を有する任意のセグメント又は構成要素のステータス、及び、モータ及びモータに接続されたポンプに通電する前のフィルタの正確な挿入など、セグメント又は構成要素の正しい挿入、を検証するために行われてもよい。ある例では、インテリジェント器具２３５などのインテリジェント器具は、適切なデバイスが使用されていること、並びに、ポーリング／クエリされたインテリジェント器具と共に排煙システムが機能できること、又は、機能方法を知っていることを検証するために更にクエリ／ポーリングされてもよい。例えば、ポーリング又はクエリされるインテリジェント器具２３５は、Ｚｉｐ  Ｐｅｎ（登録商標）であってもよい。どのＺｉｐ  Ｐｅｎ（登録商標）が使用されているかを知ることは、排煙システムがどのように機能するのかを決定するのに役立ち得る。未確認のインテリジェント器具が使用されている場合、排煙システムは、モータの通電が不適切であるか、又は安全でないと判断でき、エラーがディスプレイ回路５７１１４によって表示されてもよい。これは、インテリジェント器具２３５だけではなく、スマート手術環境の任意の構成要素に対して行われてもよい。あるいは、未確認のインテリジェント器具が使用されている場合、排煙システムは、デバイスが普遍的に安全動作モードで使用され得ると判定してもよい。
【０１５２】
上記のように、排煙モジュール２２６が他の構成要素をクエリ／ポーリングすることを可能にするステータス回路に通電することはまた、クエリ／ポーリングされた構成要素について独自の識別、認証、及びステータステキスト文字列を提供することができる。これにより、模倣デバイスがセキュリティデバイスを欺くことを防止するための、排煙モジュール２２６及び排煙モジュール２２６の下位構成要素の制御された識別が可能になる。例えば、セキュリティデバイスを欺く試みの例は、固有の接続を行うために「スキマー」を構築することによって行われる。システムが欺かれるのを防止するために、各構成要素を認証するための動作を実行することができる。排煙システムに取り付けられた各構成要素は、記憶されたデータ、セキュリティ暗号化、認証、パラメータ、又はこれらのいくつかの組み合わせに基づいて認証されてもよい。記憶されたデータは、識別番号又は別の識別子、製品名、及び製品タイプ、一意のデバイス識別子、会社商標、シリアル番号、及び／又は他の製造データ、構成パラメータ、使用情報、有効若しくは無効化された特徴、又は取り付けられた構成要素の使用方法に関するアルゴリズム／命令を含んでもよい。
【０１５３】
図２３に示される例では、第３のセグメント５７１０６は、モータ制御回路５７１１６及びモータ５７１１８を含み得る。モータ制御回路５７１１６及び／又はモータ５７１１８は、メインプロセッサ５７１０８及び／又は安全プロセッサ５７１１０に連結され、又はこれらと信号通信してもよい。メインプロセッサ５７１０８は、モータ制御回路５７１１６にモータ５７１１８の速度を増減させるように指示してもよい。代替例では、モータ制御回路５７１１６及びモータ５７１１８は、安全プロセッサ５７１１０に連結され、又はこれ信号通信してもよい。モータ５７１１８は、排煙モジュール２２６内のポンプに連結されてもよく（図４及び図６〜図１９参照）、モータ５７１１８の動作は、ポンプを機能させることができる。具体的には、ある例では、モータ５７１１８は２つの異なる状態で動作してもよい。第１の状態は、モータ５７１１８がユーザによって起動されるときであってもよい。この第１の状態では、モータ５７１１８は、第２の状態よりも高い速度で動作してもよい。第２の状態では、モータ５７１１８、モータ制御回路５７１１６、メインプロセッサ５７１０８、又は安全プロセッサ５７１１０は、ユーザ活動の欠如を感知して、又はメインプロセッサ５７１０８、安全プロセッサ５７１１０、外科用ハブ２０４、クラウド２０６、又は外科用ハブ２０６内に位置する別のモジュール（例えば、プロセッサモジュール２３２）から命令を受信して、モータ５７１１８の動作速度を減速させてもよい。
【０１５４】
モータ５７１１８が動作し得る異なる状態の数は、２つに限定されない。モータ５７１１８は、パラメータの様々な測定値に基づいて、その動作状態を変更又は選択することができる。別の態様では、モータ５７１１８は、特定の閾値内、上、又は下に入るユーザ活動レベルに基づいて、その動作状態を判定又は設定することができる。更に、これらの閾値は、排煙モジュール２２６の他のモジュール又は構成要素の閾値に関連するか、又はそれと相互関連し得る。
【０１５５】
代替的な例では、モータ５７１１８は、任意選択的にスリープモードと呼ばれるモードを有してもよい。この例では、所定の時間の間使用されないとき、スリープモードが起動されるか、又はモータ５７１１８は、スリープモード（中止モード、又は低電力モード）にシャットダウンされてもよい。スリープモードに入る前の非活動の閾値時間量は、外科処置のタイプ、処置を行う特定の外科医、又は他の要因を含む多数の要因に応じて変化し得る。したがって、所定の時間量を予め設定してもよいが、容易に調整することができる。例えば、例示的なアクティブ状態からスリープモード状態への切り替えから閾値は１０分であってもよい。この例では、インテリジェント器具２３５が１０分を超えて外科医によって使用されない場合、モータ制御回路５７１１６又はモータ５７１１８は、スリープモードに入る命令を受信できる。代替例では、インテリジェント器具２３５が１０分を超えて外科医によって使用されない場合、インテリジェント器具２３５は、モータ５７１１８をスリープモード状態に減速させることによって自動的にスリープモードを起動してもよい。更に、排煙モジュール２２６又はインテリジェント器具２３５が再び使用されるか、又はユーザとの対話を感知するとき、排煙モジュール２２６は、セグメント化された回路５７１００に再通電する再起動シーケンスを受けてもよい。この再起動シーケンスは、エラー又は欠陥をチェックしながらセグメント化された回路５７１００に通電するために使用される起動シーケンスと同じであってもよい。あるいは、再起動シーケンスは、ユーザとの対話が感知されたときに、セグメント化された回路５７１００に迅速に再通電するための起動シーケンスの短縮バージョンであってもよい。
【０１５６】
図２４に示される例は、本開示の少なくとも１つの態様による、セグメント化された制御回路５７１００に段階的に通電するように、排煙モジュール２２６の制御回路部分を操作する方法５７２００を開示する。このようにして、制御回路の様々な部分は、後続のセグメントに通電する前に安全チェックを実行することができ、安全な電気起動回路方法を提供することができる。例示的な方法５７２００は、図２４に示すフローチャートを参照して説明されるが、この方法と関連する動作を実施する他の多くの方法も使用可能であると、理解されよう。例えば、ブロックのいくつかの順序を変更してよく、特定のブロックを他のブロックと組み合わせてよく、記載したブロックのいくつかは任意である。
【０１５７】
方法５７２００によれば、制御回路５７１００は、最初に第１のセグメント５７１０２を起動させる（５７２０２）。例えば、図２３で前述したように、第１のセグメント５７１０２は、メインプロセッサ５７１０８及び安全プロセッサ５７１１０を含んでもよい。代替例では、他の構成要素も第１のセグメント５７１０２に含まれてもよく、又は第１のセグメント５７１０２は、メインプロセッサ５７１０８及び／若しくは安全プロセッサ５７１１０を含まなくてもよい。
【０１５８】
次に、第１のセグメント５７１０２は第１の機能５７２０４を実行する。この第１の機能は、例えば、制御回路５７１００及び／又は排煙モジュール２２６の安全性を検証することに関連し得る。例えば、メインプロセッサ５７１０８又は安全プロセッサ５７１１０は、セグメント化された制御回路５７１００の高電力部分に係合する前に、短絡及び他のエラーのために各セグメント又はセグメントの構成要素をチェックしてもよい。メインプロセッサ５７１０８及び／又は安全プロセッサ５７１１０は、各コンポーネント又は各セグメントに対して安全チェックを実行して、それらが適切に機能していることを判定してもよい。更に、別の例では、メインプロセッサ５７１０８又は安全プロセッサ５７１１０は、排煙モジュール２２６内の構成要素が正しい構成要素であることを確実にするために検証機能を実行してもよい。例えば、排煙システム５６１００、５６３００の構成要素が正しい構成要素であることを確実にするために、メインプロセッサ５７１０８又は安全プロセッサ５７１１０は、トラステッドプラットフォームモジュール（ＴＰＭ）を含んでもよく、又は、ＴＰＭは、セグメント化された制御回路５７１００内の別個の構成要素であってもよい。この検証は様々な方法で行うことができる。例えば、１つの例示的な方法は、ＴＰＭ内に、各構成要素又はセグメントのキーを記憶することである。接続された構成要素が比較され、各構成要素又はセグメントのキーがＴＰＭ内に見つからない場合、排煙モジュール２２６は、それらのモジュールを有効化又は電力供給できない。更なる例では、説明されるキーは、暗号化を組み込んでもよく、あるいは、メインプロセッサ５７１０８又は安全プロセッサ５７１１０などの排煙モジュール２２６の構成要素による認証を必要としてもよい。
【０１５９】
更に、例えば、メインプロセッサ５７１０８及び／又は安全プロセッサ５７１１０は、特定の安全条件が満たされない場合に、セグメント化された制御回路５７１００による回路部分の活性化を阻止する、メモリに格納されたスイッチング論理を含んでもよい。例えば、論理スイッチ又は複数の論理スイッチと連携する安全プロセッサ５７１１８内に記憶された様々な状態が存在し得る。例えば、保護ハウジングが完全に閉じられていない場合、フィルタモジュールが完全に又は適切に挿入されていない場合、流体リザーバが完全に又は適切に挿入されていない場合、ホースが適切に又は完全に挿入されていない場合、流体リザーバが十分に満たされていない場合に、論理スイッチが動作し、セグメント化された制御回路５７１００又は排煙モジュール２２６の連携部分は起動されなくてよい。
【０１６０】
代替例では、排煙モジュール２２６、又は様々なセグメントのうちの１つが作動又は操作するのを可能にする前に、ハウジングが完全かつ適切に閉じられることを確実にするための別個の筐体回路が存在してもよい。例えば、ハウジングが完全に閉じていない場合、回路は完全でなくてもよい。したがって、セグメント化された制御回路５７１００の残りのセグメント又は構成要素は活性化されなくてもよい。この筐体回路の概念は、未認証の整備を防止するために、改ざん回路内で使用されてもよい。例えば、改ざん回路は確認回路を含んでもよい。開放されるべきではないハウジングが開放されている場合、確認回路は、電気的又は機械的のいずれかで恒久的に破壊され得る。この破壊可能な確認回路は、２つの堅固に固定された電気的接続ブロックを橋渡しできる内部接続ストリップを有し、１つのブロックは、筐体のシェル上に配置されてもよく、他のブロックは、筐体の基部フレーム上に配置されてもよい。内部接続部は、シェル及び基部フレームのそれぞれの上にラッチ特徴部を有する、それぞれの接続ブロックにロックし得る剛性の挿入可能な電気コネクタを有してもよい。破壊されると、ハウジングが開放されているか又は改ざんされていることが明白となり得る。いったん破壊されると、電気コネクタを容易に取り外し、交換のためにハウジングが開放されると交換することができる。代替的な態様では、ブロック及びラッチ特徴部は、異なる位置に配置されてもよく、各セグメントは、別個のブロック及びラッチ機構を含んでもよい。例えば、第１のセグメント５７１０２の第２のセグメント５７１０４、及び第３のセグメント５７１０６はそれぞれ、別個の確認回路を有してもよい。第１のセグメント５７１０２が改ざんされているか又は開放されている場合、確認回路は、剛性の内側接続ストリップが破断されてもよく、したがって、改ざんされていると識別でき、及び／又は、確認回路は、交換されてもよい。別個の確認回路を有することにより、セグメント化された制御回路５７１００の様々なセグメント又は構成要素のいずれかが改ざんされている場合、容易に検出可能であり得る。
【０１６１】
あるいは、筐体回路は、セグメント化されたセキュリティデバイスとして使用されてもよい。例えば、システムの一部が整備を必要とする場合、筐体回路は、システムの一部が開放され、整備されることを可能にし得るが、セグメント化された制御回路５７１００の無許可の別個の部分が開放され、分解され、又は変更された後に、セグメント化された制御回路５７１００又は排煙モジュール２２６の使用を防止することができる。例えば、排煙システム２２６のセグメント化された制御回路５７１００を整備すべきであるが、ディスプレイ回路５７１１４のみに整備が必要である場合、点検技術者又は他の担当者が第３のセグメント５７１０６又は第１のセグメント５７１０２を整備する理由がない場合がある。したがって、第３のセグメント５７１０６及び第１のセグメント５７１０２は、単回使用ヒューズ又は他の機械的／電気機械的デバイス、又はそのようなもののデジタル版を含む別個の筐体回路を含んでもよい。第３のセグメント５７１０６及び第１のセグメント５７１０２が開放、変更、又は分解されると、ヒューズを飛ばすことができ、第３のセグメント５７１０６及び第１のセグメント５７１０２に電力が到達しないようにすることができる。
【０１６２】
エラー、短絡回路、故障、又は他の問題が検出された場合、セグメント化された制御回路５７１００は、セグメント化された制御回路５７１００の少なくとも１つのセグメントを実行する一方で、他のセグメントを実行しないことが可能であり得る。セグメント化された制御回路５７１００の安全性を確保するために、セグメント化された制御回路５７１００の一部及びそれらの間の接続には、機械的にスイッチ、ヒューズ、及びブレーカーが付けられ、安全でない状態が存在する場合には、スイッチ、ヒューズ、及びブレーカーが妨害し、通電を阻止することを可能にする。任意の好適な機械的スイッチ、電気機械的スイッチ、又は固体スイッチを用いて、複数のスイッチを実装してよい。例えば、メインプロセッサ５７１０８とモータ制御回路５７１１６との間には、単回使用ヒューズ、リセット可能ヒューズ、又は固体切り替え装置が存在し得る。一般に、ヒューズは、電気回路の過電流保護を提供するように動作する電気安全装置である。それは、過度に多くの電流が流れるときに溶解する金属ワイヤ又はストリップを含んでもよく、それによって電流を遮断する。一般に、リセット可能ヒューズは、電子回路内の過電流異常を保護するために使用される受動電子部品である、ポリマー正温度係数（ＰＰＴＣ）デバイスである。このデバイスはまた、ポリヒューズ又はポリスイッチとしても知られ得る。一般に、固体スイッチは、とりわけホール効果装置、磁気抵抗性（ＭＲ）装置、巨大磁気抵抗性（ＧＭＲ）装置、及び磁力計などの、磁場の影響下にて動作する。他の実装形態では、スイッチは、とりわけ光センサ、赤外線センサ、及び紫外線センサなどの光の影響下で動作する固体スイッチであってもよい。更に、スイッチは、例えばトランジスタ（例えば、ＦＥＴ、接合ＦＥＴ、金属酸化物半導体ＦＥＴ（ＭＯＳＦＥＴ）、バイポーラなど）などの固体装置であってもよい。他のスイッチは、とりわけ、無線スイッチ、超音波スイッチ、加速度計、及び慣性センサを含んでもよい。
【０１６３】
次に、第２のセグメントを起動できる（５７２０６）。例えば、感知回路５７１１２及びディスプレイ回路５７１１４を含む第２のセグメント５７１０４を通電してもよい。次に、第３のセグメントを起動できる（５７２０８）。例えば、モータ制御回路５７１１６及びモータ５７１１８を含む第３のセグメント５７１０６を通電してもよい。この例示的な態様は、第２のセグメントの前に第１のセグメント５７１０２を、第３のセグメント５７１０６の前に第２のセグメント５７１０４を起動すると開示しているが、適切であると判断された場合にセグメント起動の順序を修正してもよい。更に、代替例では、第２のセグメント５７１０４及び第３のセグメント５７１０６に通電する間に、様々なエラーチェック、検証などが行われてもよい。
【０１６４】
読者は、本明細書に記載される様々な外科用排出システム及び構成要素をコンピュータ実装インタラクティブ外科システム、外科用ハブ、及び／又はロボットシステムに組み込むことができることを容易に理解するであろう。例えば、外科用排出システムは、外科用ハブ、ロボットシステム、及び／又はコンピュータ実装インタラクティブ外科システムにデータを通信することができ、かつ／又は、外科用ハブ、ロボットシステム、及び／又はコンピュータ実装インタラクティブ外科システムからデータを受信することができる。コンピュータ実装インタラクティブ外科システム、ロボットシステム、及び外科用ハブの様々な実施例を、以下に更に説明する。
【０１６５】
フィルタと排煙デバイスとの間の通信のための通信回路を有する外科用排出システム
一般に、医療デバイスにネットワークサービスを提供することにより、医療デバイスの悪意のある攻撃にさらされる可能性がある。ネットワークシステム内に提供されるネットワークワイドファイアウォールサービスが提供され得るが、これらのサービスは、医療デバイス内部の構成要素からのセキュリティ攻撃に対して脆弱である可能性がある。すなわち、ファイアウォールサービスは、医療デバイスの構成要素の種類、製品、構成、又は認証に関連して情報を有していないことがあり、したがって、医療デバイスの本物でない／未認証の構成要素から来る悪意のある攻撃から医療デバイスシステムを保護することができない場合がある。例えば、本物でない／未認証の構成要素（例えば、フィルタデバイス）は、ランサムウェアを含むことがあり、これは、医療デバイスユーザの医療デバイスへのアクセス、又は医療デバイス内のデータへのアクセスを拒否する可能性がある。更に、本物でない／未認証の構成要素は、医療デバイスの他の本物の／認証済みの構成要素と互換性がない場合があり、その結果、医療構成要素全体の寿命が短縮し、かつ／又は性能が低下する可能性がある。これはまた、医療デバイスの動作の予期せぬ中断をもたらし得る。
【０１６６】
本開示の態様により、上述の欠陥が対処され得る。いくつかの実施例では、外科用排出システムは、排煙デバイスと複数のフィルタ構成要素を有する交換可能なフィルタデバイスとの間の通信を促進し得る通信回路を含んでもよい。通信回路は、フィルタデバイス（複数のフィルタ構成要素を含む）を認証し、フィルタデバイスの残存寿命を検証し、フィルタデバイスから出力されたパラメータを更新し、フィルタデバイスから出力されたエラーを記録してもよい。通信回路は、外科用排出システムによって識別され得るフィルタ構成要素の数又は種類を制限してもよく、認証の結果に基づいて複数のフィルタ構成要素を有効化／無効化してもよい。いくつかの実施例では、通信回路は、フィルタ構成要素情報を使用することによってフィルタデバイス／構成要素を認証してもよく、フィルタ構成要素情報は、フィルタデバイス／構成要素の製品種類、製品名、一意のデバイス識別子、製品商標、シリアル番号、又は構成パラメータを含んでもよい。いくつかの実施例では、フィルタデバイス及び／又は通信回路は、フィルタデバイスと通信回路との間で通信されるデータ／パラメータを暗号化又は復号化してもよい。
【０１６７】
このようにして、本開示の例示的な実施形態による外科用排出システムは、医療デバイスの本物でない／未認証の構成要素を検出し、暗号化によって医療デバイスのデータ／パラメータを保護し、フィルタ構成要素の残存寿命及びエラーをチェックすることによって、フィルタデバイス内の考えられる問題を予めチェックすることができる。これにより、有利には、外科システムが、本物でない／未認証の構成要素によって引き起こされ得る悪意のある攻撃及び性能の低下を防止し、医療デバイスの動作に予期せぬ中断を伴わずに外科用排出システムの動作を継続することを可能にし得る。
【０１６８】
図２５は、本開示の１つ以上の態様による、例示的な排煙システム５８１００の上位レベル構成図を示す。排煙システム５８１００は、ポンプ５８１６０及びポンプ５８１６０に動作可能に連結されたモータ５８１６５を有する排煙デバイス５８１０５と、表示デバイス５８１７０と、通信装置５８１８０と、プロセッサ５８１１０と、メモリ５８１２０と、１つ又は２つ以上のセンサ５８１４０Ａ〜Ｂと、を含んでもよい。いくつかの実施例では、排煙デバイス５８１０５は、フィルタデバイス５８１５０と、フィルタ通信回路５８１３０と、を含んでもよい。フィルタデバイス５８１５０は、フィルタ通信回路５８１３０を通じて排煙デバイス５８１０５（例えば、プロセッサ５８１１０）と通信していてもよい。
【０１６９】
排煙システム５８１００は、図６に示される排煙システムと類似し得る。例えば、プロセッサ５８１１０は、モータドライバ又はモータ５８１６５、様々なセンサ５８１４０Ａ〜Ｂ、表示デバイス５８１７０、メモリ５８１２０、及び通信装置５８１８０と信号通信してもよい。通信装置５８１８０は、図５及び図６に関連して上述された通信装置と類似し得る。つまり、通信装置５８１８０は、排煙システム５８１００内のプロセッサ５８１１０が、外科システム内の他のデバイスと通信することを可能にし得る。例えば、通信装置５８１８０は、外部センサ、外科用デバイス、ハブ、クラウド、並びに／又は様々な追加の外科システム及び／若しくはツールへの有線及び／又は無線通信を可能にし得る。読者は、図２５の排煙システムが、特定の例において図５の外科システムに組み込まれ得ることを容易に理解するであろう。
【０１７０】
いくつかの実施例では、フィルタデバイス５８１５０は、吸引導管５８１５５に連結されてもよい。排気機構５８１９０は、ポンプ５８１６０に連結されてもよい。排気機構５８１９０は、排気機構５０５２０と類似し得る。いくつかの実施例では、吸引導管５８１５５、フィルタデバイス５８１５０、ポンプ５８１６０、及び排気機構５８１９０は、入口ポート（例えば、入口ポート５０５２２）と出口ポート（例えば、出口ポート５０５２４）との間の流路（例えば、流路５０５０４）と一列に連続して配置されてもよい。入口は、手術部位において遠位導管開口部を備える吸引導管５８１５５に流体連結されていてもよい。排気機構５８１９０は、排煙デバイス５８１０５の外側に位置するように示されているが、いくつかの実施例では、排気機構５８１９０は、排煙デバイス５８１０５内に位置していてもよい。
【０１７１】
いくつかの実施例では、プロセッサ５８１１０は、フィルタデバイス５８１５０と排煙デバイス５８１０５との間の通信のためにフィルタ通信回路５８１３０と信号通信してもよい。いくつかの実施例では、フィルタ通信回路５８１３０は、排煙デバイス５８１０５又はフィルタデバイス５８１５０内に位置していてもよい。他の実施例では、通信回路５８１３０は、排煙デバイス５８１０５の外側に位置していてもよい。いくつかの実施例では、通信回路５８１３０は、図５に示される感知及びインテリジェント制御デバイスの一部であってもよい。
【０１７２】
図２６は、本開示の例示的な実施形態による、フィルタ通信回路５８１３０を示す。フィルタ通信回路５８２２０は、マスタコントローラ５８２１０と、認証ユニット５８２２０と、エラーログユニット５８２３０と、更新ユニット５８２４０と、暗号化／記述ユニット５８２５０と、残存寿命検証ユニット５８２６０と、データストレージユニット５８２７０と、を含んでもよい。いくつかの実施例では、マスタコントローラ５８２１０は、プロセッサ５８１１０と信号通信し、フィルタ通信回路５８１３０内の他のユニット５８２２０〜５８２７０を制御してもよい。他の実施例では、プロセッサ５８１１０は、マスタコントローラ５８２１０として機能してもよい。
【０１７３】
図２７は、本開示の例示的な実施形態によるフィルタデバイス５８１５０を示す。フィルタデバイス５８１５０は、複数のフィルタ構成要素を含んでもよい。フィルタ構成要素は、コントローラ５８３１０、フィルタ要素ユニット５８３２０、及びフィルタセンサユニット５８３３０を含んでもよい。フィルタ要素ユニット５８３２０は、１つ又は２つ以上のフィルタ要素５８３２５Ａ〜Ｃを含んでもよい。フィルタセンサユニット５８３３０は、１つ又は２つ以上のフィルタセンサ５８３３５Ａ〜Ｃを含んでもよい。コントローラ５８３１０は、フィルタ要素ユニット５８３２０及びフィルタセンサユニット５８３３０を制御し、かつこれらと通信してもよい。フィルタデバイス５８１５０は、図１０、図１１、図１８、及び図１９に示される実施例（例えば、フィルタ５０６７０）と類似し得る。いくつかの実施例では、１つ又は２つ以上のフィルタ要素５８３２５Ａ〜Ｃは、図１０、図１１、図１８、及び図１９に示される流体フィルタ、粗い媒体フィルタ５０６８４、細かい微粒子フィルタ５０６８６、微粒子フィルタ、炭素貯留部５０６８８、若しくは炭フィルタ、又はフィルタデバイス５８１５０内の任意の他のフィルタであってもよい。フィルタ要素５８３２５Ａ〜Ｃはまた、センサ以外のフィルタデバイス内の切換弁、バッフル、回転かご、又は任意の他の要素（例えば、ダム５０６９０、５０６９２、５０６９４、後部キャップ５０６７４など）を含んでもよい。いくつかの実施例では、１つ又は２つ以上のフィルタセンサ５８３３５Ａ〜Ｃは、図１８及び図１９に示される実施例（例えば、流体検出センサ５０８３０、化学センサ５０８３２、流体センサ５０８３６、圧力センサ５０８４０、レーザー粒子カウンタ５０８３８など）と類似し得る。
【０１７４】
いくつかの実施例では、フィルタデバイス５８１５０内のコントローラ５８３１０は、フィルタ通信回路５８１３０のマスタコントローラ５８２１０と信号通信してもよい。いくつかの実施例では、フィルタデバイス５８１５０は、複数のフィルタ構成要素から出力されたパラメータを通信回路５８１３０に送信する前に、パラメータを暗号化してもよい。暗号化されたパラメータを受信すると、通信回路（例えば、暗号化／記述ユニット５８２５０）は、以下で考察されるように、暗号化されたパラメータを復号化してもよい。
【０１７５】
図２６を再び参照すると、認証ユニット５８２２０は、フィルタデバイス５８１５０又は複数のフィルタ構成要素を認証／検証してもよい。いくつかの実施例では、認証ユニット５８２２０は、フィルタデバイス５８１５０内に取り付けられたフィルタ構成要素の数を識別してもよい。認証ユニット５８２２０はまた、通信回路によって識別され得るフィルタ構成要素の数又は種類を制限することもできる。例えば、フィルタ構成要素が、フィルタデバイス５８１５０に使用されることが認証された構成要素の種類ではない場合、又はフィルタデバイス５８１５０に使用されるフィルタ構成要素の数が所定の値（例えば、１０、２０、５０など）以上である場合、認証ユニット５８２２０は、フィルタ構成要素又はフィルタデバイス５８１５０を無効化することができる。認証ユニット５８２２０はまた、認証の結果に基づいて、フィルタデバイス５８１５０又は複数のフィルタ構成要素を有効化又は無効化してもよい。
【０１７６】
エラーログユニット５８２３０は、複数のフィルタ構成要素又はフィルタデバイス５８１５０からのエラー又はエラーメッセージを記録してもよい。いくつかの実施例では、エラーログユニット５８２３０は、データストレージユニット５８２７０にエラーメッセージ及びエラーメッセージを記録してもよい。フィルタ通信回路５８１３０は、エラーメッセージを読み取り、エラーメッセージを使用して、フィルタデバイス５８１５０で起こったことを把握することができる。エラー及びエラーメッセージの例としては、センサ／フィルタ障害に起因して発生するエラー、センサ／フィルタによって検出された奇妙／危険な化学物質、微粒子フィルタで検出された湿分、目詰まりしたフィルタ、圧力差（例えば、圧力センサ５０８４０と５０８４６との間）、及び本物でない／未認証のフィルタデバイス／構成要素を含んでもよい。
【０１７７】
更新ユニット５８２４０は、複数のフィルタ構成要素から出力されたパラメータを更新してもよい。更新されたパラメータは、動作可能であってもよく、感知されてもよい。動作可能なパラメータは、空気流、圧力差、空気品質、又はフィルタデバイス５８１５０の動作に関連する任意の他のパラメータを含んでもよい。感知されるパラメータとしては、微粒子濃度、エアロゾルの割合、化学分析、又はフィルタデバイス５８１５０内のセンサ（例えば、圧力、流体、化学物質、粒子）によって感知される任意の他の値を含んでもよい。これらのパラメータは、データストレージユニット５８２７０に記憶され、更新ユニット５８２４０によって自動的に又は手動で更新されてもよい。例えば、更新ユニット５８２４０は、圧力差の変化が圧力センサ（例えば、５０８４０、５０８４６）によって検出されるときに、データストレージユニット５８２７０に記憶された圧力差値を更新してもよい。フィルタ通信回路５８１３０は、フィルタ構成要素（例えば、フィルタ要素５８３２５Ａ〜Ｃ／フィルタセンサ５８３３５Ａ〜Ｃ）の各々から、又はスレーブコントローラ５８３１０を通じてこれらのパラメータを直接受信してもよい。
【０１７８】
暗号化／記述ユニット５８２５０は、複数のフィルタ構成要素から出力されたパラメータを暗号化又は復号化してもよい。暗号化／記述ユニット５８２５０は、フィルタデバイス５８１５０から受信した任意のデータ又はパケットを暗号化又は復号化してもよい。いくつかの実施例では、フィルタデバイス５８１５０はまた、暗号化／記述ユニット５８２５０と類似している暗号化／記述ユニットを含んでもよい。フィルタデバイス５８１５０の暗号化／記述ユニットは、フィルタ通信回路５８１３０に複数のフィルタ構成要素から出力されたパラメータを送信する前に、パラメータを暗号化し、フィルタ通信回路５８１３０からのデータを復号化してもよい。フィルタデバイス５８１５０とフィルタ通信回路５８１３０との間で通信される暗号化されたデータ／パラメータは、暗号化されたデータ／パラメータが復号化されていない限り、フィルタ構成要素、フィルタデバイス５８１５０、及び排煙デバイス５８１０５に可視／読み取り可能でなくてもよい。
【０１７９】
いくつかの実施例では、暗号化／記述ユニット５８２５０及びフィルタデバイス５８１５０は、データ／パラメータを暗号化又は復号化するために同じ（秘密の）鍵を使用する対称暗号化によってデータ／パラメータを暗号化又は復号化してもよい。他の実施例では、暗号化／記述ユニット５８２５０及びフィルタデバイス５８１５０は、データ／パラメータを暗号化又は復号化するために同じ（秘密の）鍵を使用する対称暗号化によって、データ／パラメータを暗号化又は復号化してもよい。非対称暗号化では、秘密鍵／公開鍵のうちの１つを使用してデータを暗号化してもよく、他の鍵を使用してデータを復号化してもよい。
【０１８０】
残存寿命検証ユニット５８２６０は、複数のフィルタ構成要素の残存寿命を検証／予測してもよい。いくつかの実施例では、残存寿命検証ユニット５８２６０は、フィルタ構成要素の残存寿命を検証するために、複数のフィルタ構成要素に関する使用情報を使用してもよい。フィルタ構成要素使用情報は、使用時間データ、各フィルタ部材が使用された回数、各フィルタ構成要素が発生させたエラーの数又は種類、各フィルタ構成要素の標準寿命、及びフィルタ要素５８３２５Ａ〜Ｃの上流（例えば、５０８４０）及び下流（例えば、５０８４６）に位置している圧力センサ間の圧力差を含んでいてもよい。いくつかの実施例では、フィルタ要素５８３２５Ａ（例えば、ＵＬＰＡフィルタ）の圧力差値が、フィルタ要素５８３２５Ａが目詰まりしていることを示し得る所定の値を超える場合、残存寿命検証ユニット５８２６０は、フィルタ要素５８３２５Ａの残存寿命がゼロであるか、又は間もなく、例えば、所定の期間（例えば、１〜５時間、１〜５日、１〜５週間、若しくは１〜５ヶ月）内にゼロになると、かつフィルタ要素５８３２５Ａを交換すべきであると判定してもよい。フィルタ構成要素使用情報が、相当量の質分が微粒子又は炭フィルタに入ったことを示す場合、残存寿命検証ユニット５８２６０は、微粒子又は炭フィルタの残存寿命がゼロであるか、又は間もなく、例えば、所定の期間（例えば、１〜５時間、１〜５日、１〜５週間、若しくは１〜５ヶ月）内にゼロになると、かつ微粒子又は炭フィルタを交換すべきであると判定してもよい。フィルタ構成要素使用情報が、フィルタセンサ５８３３５Ａ又はフィルタ要素５８３２５Ａにエラーがある（例えば、適切に動作しない）ことを示す場合、残存寿命検証ユニット５８２６０は、フィルタセンサ５８３３５Ａ又はフィルタ要素５８３２５Ａがゼロであるか、又は間もなく、例えば、所定の期間（例えば、１〜５時間、１〜５日、１〜５週間、若しくは１〜５ヶ月）内にゼロになると、かつフィルタセンサ５８３３５Ａ又はフィルタ要素５８３２５Ａを交換すべきであると判定してもよい。いくつかの実施例では、フィルタ構成要素使用情報は、データストレージユニット５８２７０に記憶されてもよい。
【０１８１】
データストレージユニット５８２７０は、フィルタ構成要素に関する情報を記憶してもよい。フィルタ構成要素情報は、複数のフィルタ構成要素の製品種類、製品名、一意のデバイス識別子、製品商標、シリアル番号、及び構成パラメータを含んでもよい。いくつかの実施例では、フィルタ構成要素に関する情報は、例えば、認証ユニット５８２２０がフィルタ構成要素を認証／検証するときに、フィルタ構成要素から発生してもよい。いくつかの実施例では、データストレージユニット５８２７０はまた、本物の／認証済みのフィルタ構成要素に関する情報を含んでもよい。本物のフィルタ構成要素情報は、本物の／認証済みのフィルタ構成要素の製品種類、製品名、一意のデバイス識別子、製品商標、シリアル番号、及び構成パラメータのリストを含んでもよい。いくつかの実施例では、フィルタ構成要素情報及び／又は本物のフィルタ構成要素情報は、平文で記憶されてもよい。他の実施例では、フィルタ構成要素情報及び／又は本物のフィルタ構成要素情報は、暗号化された形態で記憶されてもよい。いくつかの実施例では、データストレージユニット５８２７０はまた、無効化及び有効化された機能に関する情報、及び排煙デバイス５８１０５がフィルタ構成要素を使用し得る方法についてのアルゴリズム又は命令を記憶してもよい。
【０１８２】
いくつかの実施例では、フィルタデバイス５８１５０からのデータ／パラメータは、例えば、データパケットとして、排煙デバイス５８１０５（例えば、データストレージユニット５８２７０）に送達されてもよい。本明細書で使用されるとき、データパケットは、２つのデバイス（例えば、フィルタデバイス５８１５０及び排煙デバイス５８１０５）間で通信されるデータのユニットを指し得る。排煙デバイス５８１０５（例えば、プロセッサ５８１１０、マスタコントローラ５８２１０）は、受信したデータパケットを元のデータ／パラメータに組み合わせる方法を知っていてもよい。
【０１８３】
いくつかの実施例では、認証ユニット５８２２０は、フィルタ構成要素情報及び／又は本物のフィルタ構成要素情報を使用することによって、フィルタデバイス５８１５０内の複数のフィルタ構成要素を認証／検証してもよい。例えば、認証ユニット５８２２０は、フィルタ構成要素のフィルタ構成要素情報を本物のフィルタ構成要素情報と比較してもよい。すなわち、認証ユニット５８２２０は、フィルタ構成要素情報（例えば、フィルタデバイス５８１５０内のフィルタの一意のデバイス識別子／商標／シリアル番号）が、予め記憶された本物のフィルタ構成要素情報（例えば、本物の認証フィルタ構成要素の一意のデバイス識別子／商標／シリアル番号のリスト内にある）に一致するかどうかをチェックすることができる。フィルタ構成要素のフィルタ構成要素情報が本物のフィルタ構成要素情報と一致しないと判定された場合、認証ユニット５８２２０は、フィルタ構成要素が本物／認証済みではないと判定してもよい。フィルタ構成要素が本物でないと判定された場合、認証ユニット５８２２０は、フィルタデバイス機能（例えば、煙濾過、煙感知、データ処理など）又はフィルタデバイス／構成要素を無効化してもよい。いくつかの実施例では、認証ユニット５８２２０は、ポンプ５８１６０／モータ５８１６５を停止するか、又はフィルタのうちの１つの入力ポートを閉鎖することによって、フィルタデバイス／構成要素又はフィルタデバイス機能を無効化してもよい。
【０１８４】
いくつかの実施例では、シリアル番号は、フィルタデバイス／構成要素（例えば、スレーブコントローラ５８３１０）の消去可能なプログラム可能な読み取り専用メモリ（Erasable Programmable Read-Only Memory、ＥＰＲＯＭ）又は電気的に消去可能なプログラム可能な読み取り専用メモリ（Electrically Erasable Programmable Read-Only Memory、ＥＥＰＲＯＭ）などのチップ内に位置していてもよい。例えば、場合によっては、特定のチップ群のみを本物のフィルタデバイス／構成要素に使用してもよく、それらのチップ上のシリアル番号は、チップを有するフィルタデバイス／構成要素が本物であることを示し得る。いくつかの実施例では、フィルタデバイス５８１５０が排煙デバイス５８１０５に接続されているとき、認証ユニット５８２２０は、フィルタ構成要素内のチップ（例えば、ＥＰＲＯＭ／ＥＥＰＲＯＭ）のシリアル番号を読み取ることができ、それが本物であるか否かをチェックすることができる。いくつかの実施例では、認証ユニット５８２２０は、設定されたシリアル番号範囲を受け入れるようにプログラムされてもよい。
【０１８５】
いくつかの実施例では、フィルタ通信回路５８１３０（例えば、マスタコントローラ５８２１０）は、マスタデバイスとして機能してもよく、フィルタデバイス５８１５０（例えば、スレーブコントローラ５８３１０を含む複数のフィルタ構成要素）は、スレーブデバイスとして機能してもよい。いくつかの実施例では、マスタデバイスとスレーブデバイスとの間の通信は、認証工程を実施するときに、マスタデバイスからスレーブデバイスへと一方向性であってもよい。すなわち、それは、スレーブデバイスを認証／検証することができるマスタデバイスのみであってもよく、スレーブデバイスは、マスタデバイスを認証／検証することができない。この場合、スレーブデバイスは、マスタデバイスから要求された情報（例えば、フィルタ構成要素の製品種類、製品名、一意のデバイス識別子、製品商標、シリアル番号、及び構成パラメータを含むフィルタ構成要素情報）のみを提供してもよい。いくつかの実施例では、マスタデバイスとスレーブデバイスとの間の通信は双方向性であってもよい。
【０１８６】
いくつかの実施例では、複数のフィルタ構成要素は、階層構造を有してもよい。例えば、フィルタ構成要素の１つ（例えば、スレーブコントローラ５８３１０）は、マスタ構成要素として機能してもよく、残りのフィルタ構成要素はスレーブ構成要素として機能してもよい。この場合、残りのフィルタ構成要素は、マスタ構成要素にデータ／パラメータを直接報告してもよく、これは、次いで、受信したデータ／パラメータをマスタデバイス（マスタコントローラ５８２１０）に報告してもよい。他の実施例では、フィルタ構成要素の各々は、マスタデバイスにデータ／パラメータを直接報告してもよい。
【０１８７】
いくつかの実施例では、排煙デバイス５８１０５及びフィルタデバイス５８１５０は、例えば、（双方向性又は一方向性の）無線接続を使用して、フィルタ通信回路５８１３０を通じて互いに通信してもよい。無線接続の例としては、ＲＦＩＤ（読み取り専用又は読み取り／書き込み）、Ｂｌｕｅｔｏｏｔｈ、Ｚｉｇｂｅｅ、ＩＲ、又は任意の他の好適な無線プロトコルを挙げることができる。他の実施例では、排煙デバイス５８１０５及びフィルタデバイス５８１５０は、有線接続を用いて互いと通信してもよい。この場合、排煙デバイス５８１０５とフィルタデバイス５８１５０との間に電気コネクタが提供される。例えば、図１３及び図１４を再び参照すると、電気コネクタは、フィルタデバイス５８１５０を受容するように構成されたソケット２１２０上に位置していてもよい。いくつかの実施例では、第１のレセプタクル２１２２及び／又は第２のレセプタクル２１２４は、排煙デバイス５８１０５（例えば、プロセッサ５８１１０、マスタコントローラ５８２１０）とフィルタデバイス５８１５０（例えば、スレーブコントローラ５８３１０又は他のフィルタ構成要素５８３２５Ａ〜Ｃ、５８３３５Ａ〜Ｃ）を電気的に接続する電気コネクタとして機能し得る。いくつかの実施例では、電気コネクタはポゴピン又はプラグ型コネクタであってもよい。
【０１８８】
図７を再び参照すると、いくつかの実施例では、排煙デバイス５０６００、５８１００から発生器５０６４０に延在するケーブルコネクタ、例えばワイヤがあってもよい。ケーブルコネクタは、起動信号及びエネルギー送達に関する情報を送達してもよく、排煙デバイス５０６００、５８１００は、起動信号及びエネルギー送達情報に基づいて、排煙デバイス５０６００、５８１００内の構成要素を制御してもよい。例えば、排煙デバイス５０６００は、例えば、ポンプ電力／モータ速度を低下させることによって、又は発生器が活性化されていないか、又は完全に起動されていないことを示すエネルギー送達情報／信号を受信したことに応じてポンプ５８１６０／モータ５８１６５を停止することによって、吸引力／速度を低下させるか又は吸引を停止してもよい。排煙デバイス５０６００はまた、発生器が起動されるか、又は完全に起動されたことを示すエネルギー送達情報／信号の受信に応じて吸引力／速度を増加させることもできる。これにより、排煙デバイス５０６００は、発生器５０６４０が起動又は停止される際に、吸引力／速度のレベルを変化させることが可能であってもよい。
【０１８９】
いくつかの実施例では、フィルタ通信回路５８１３０は、悪意のあるソフトウェア攻撃から暗号化されていない鍵及び認証情報を保護するために使用され得る、信頼済みプラットフォームモジュール（Trusted Platform Module、ＴＰＭ）を含んでもよい。いくつかの実施例では、ＴＰＭは、鍵操作及び他のセキュリティ関連タスクのための保護空間を提供する特殊なマイクロプロセッサ又はチップであってもよい。いくつかの実施例では、ＴＰＭは、例えば、失敗したアクセスの数を制限するために、アンチプレイ保護のための単調カウンタを使用してもよい。例えば、単調カウンタを使用するＴＰＭは、フィルタデバイス５８１５０の未認証の構成要素によって悪意を持って又は不正に繰り返されるデータを送信しようとする試みを防止することができる。ＴＰＭは、システム５８１００に非一元的かつ強化されたセキュリティを提供することができる。
【０１９０】
いくつかの実施例では、表示デバイス５８１７０は、インタラクティブデータポイントとして機能し、排煙システム５８１００のための入力を受信し、出力を表示することができる。いくつかの実施例では、表示デバイス５８１７０は、タッチスクリーンを含んでもよい。いくつかの実施例では、表示デバイス５８１７０は、鍵／ボタンを有する排煙コンソールを表示して、排煙システム５８１００内の構成要素のステータスを制御（例えば、起動／停止）するか、又はチェックしてもよい。例えば、鍵／ボタンを使用して、ユーザは、排煙システム５８１００内の構成要素から出力された起動ステータス又はデータ／パラメータ（例えば、ファン／モータ速度の大きさ）をチェックしてもよい。他の実施例では、排出システムは、排煙システム５８１００内の構成要素のステータスを制御又はチェックするキー／ボタンを有する機械的コンソールを含んでもよい。いくつかの実施例では、表示デバイス５８１７０上の排煙コンソールは、例えば、デフォルト設定によって、機械的コンソールと類似して見えることがある。この場合、表示デバイス５８１７０は、例えば、表示デバイス５８１７０の隅に、ユーザがメニュー構造にアクセスすることを可能にし得る（小さな）アイコンを表示してもよく、このメニュー構造は、起動されたときにより多くの調整オプションを示す。
【０１９１】
いくつかの実施例では、表示デバイス５８１７０は、外科システム１００内の他の表示デバイス（例えば、ハブディスプレイ１３５）とインタラクティブに動作してもよい。例えば、表示デバイス５８１７０は、排煙デバイス５８１０５がハブ１０６に接続されていないときに一次表示デバイスとして機能してもよい。排煙デバイス５８１０５がハブ１０６に接続されたときに、表示デバイス５８１７０は、ハブディスプレイ１３５が一次表示デバイスとして機能する間に、二次表示デバイスとして機能してもよい。この場合、表示デバイス５８１７０はまた、排煙デバイス５８１０５だけでなくハブ１０６も制御するための制御ボタンも含むことができる。いくつかの実施例では、ハブディスプレイ１３５及び／又は表示デバイス５８１７０は、ハブディスプレイ１３５及び表示デバイス５８１７０のうちの一方が他方の入力デバイスになることを可能にし得るアイコンを含んでもよい。
【０１９２】
いくつかの実施例では、外科システム内の１つ又は２つ以上の構成要素は、フィルタデバイス５８１５０、フィルタデバイス５８１５０内のフィルタ構成要素、流体トラップ５０７６０（例えば、流体貯留部５０７７４を含む）、空気ホース５０６３６、電気外科用器具５０６３０（例えば、Ｚｉｐ  Ｐｅｎ（登録商標））、外科用器具内のブレード、又は排煙システム５８１００内の任意の他の構成要素を含む、使い捨て／再使用可能であってもよい。
【０１９３】
二重の一連の大液滴及び小液滴フィルタ
排煙システムによって手術部位から抽出された流体は、外科処置中に発生し得る煙に加えて、液体（例えば、大滴及び小液滴）並びに様々な微粒子を含有し得る。排出された流体中の異なる種類及び／又は状態の組み合わせは、手術部位から流出した流体を濾過することを困難にし得る。更に、流体中の特定の種類の物質は、排煙システム内の特定のフィルタに有害であり得る。例えば、流体中の液体液滴の存在は、非常に効果であり得る、微粒子／炭フィルタなどの特定のフィルタを損傷する場合がある。また、これらのフィルタは、大液滴だけでなく、比較的小さな液滴によっても、容易に損傷／閉塞され得る。
【０１９４】
本開示の態様により、上述の欠陥が対処され得る。特定の例では、外科用排出システムは、ポンプと、ポンプに動作可能に連結されたモータと、ポンプに流体連結された流路と、を含んでもよい。流路は、流路を通って移動する流体中の大液滴を抽出するように構成された第１の流体フィルタと、流体中の小液滴を抽出するように構成された第２の流体フィルタと、を含んでもよい。第１の流体フィルタは、第２の流体フィルタと直列に連結され、かつ第２の流体フィルタの上流に位置付けられてもよい。第２の流体フィルタの出口ポートは、内部に水分／液滴が入ったときに損傷を受ける可能性がある、非流体フィルタの入口ポートに連結されてもよい。特定の例では、外科用排出システムはまた、第１の流体フィルタ又は第２の流体フィルタから流出した流体を再循環させるように構成された１つ又は２つ以上の再循環チャネルを含んでもよい。
【０１９５】
このようにして、本開示は、流体が大液滴及び小液滴によって損傷され得る非流体フィルタに入る前に、排煙システムが大液滴だけでなく小液滴を抽出することを可能にすることができる。また、第２の流体フィルタは、第１の流体フィルタで使用される構成要素よりも精巧であり、かつより高価であり得るフィルタ要素を使用する場合があり、第２の流体フィルタ内のこのフィルタ要素は、大液滴によって容易かつ迅速に目詰まりする傾向があり得る。本開示では、第２の流体フィルタの上流の大液滴を抽出するように構成された第１の流体フィルタを提供することによって、排出システムは、第２の流体フィルタを損傷及び／又は閉塞から効果的に保護し、ポンプの電力及び費用を節約することができる。最後に、１つ又は２つ以上の再循環チャネルを提供することによって、本開示は、排煙システムが、非流体フィルタを損傷する可能性がある液滴が非流体フィルタに入らないことを確実にすることを可能にする。
【０１９６】
図２８は、本開示の少なくとも１つの態様による、排煙システム５９１００のハウジングの概略図を示す。排煙システム５９１００は、排出ハウジング５９１０５と、排出ハウジング５９１０５に連結された流体トラップ５９１１０と、を含んでもよい。排出システム５９１００はまた、第１の流体フィルタデバイス５９１２０と、第２の流体フィルタデバイス５９１３０と、非流体フィルタデバイス５９１４０と、ポンプ５９１７０と、も含むことができる。ポンプ５９１７０は、モータに動作可能に連結されていてもよい。排煙システム５９１００は、複数のセンサ５９１９０Ａ〜Ｋ及びインテリジェント制御部を更に含んでもよい。流体トラップ５９１１０、非流体フィルタデバイス５９１４０、ポンプ５９１７０は、図１８及び図１９に示される実施例（例えば、流体トラップ、ＵＬＰＡフィルタ、炭フィルタ、スクロールポンプ）と類似し得る。流体トラップ５９１１０、フィルタデバイス５９１２０、５９１３０、５９１４０、及びポンプ５９１７０は、入口５９１１２と出口５９１７５との間の排出器ハウジング５９１０５を通る流路に沿って順次整列されてもよい。本明細書で使用されるとき、非流体フィルタデバイス５９１４０は、液滴に対して脆弱であり、かつ液滴が内部に入ったときに損傷され得るフィルタデバイス又はフィルタ（例えば、微粒子／炭フィルタ）を指すことができる。
【０１９７】
様々な例では、複数のセンサは、１つ又は２つ以上の流体検出センサ、１つ又は２つ以上の圧力センサ、１つ又は２つ以上の粒子センサ、及び／又は１つ又は２つ以上の化学センサを含んでもよい。複数のセンサ５９１９０Ａ〜Ｋは、図１８及び図１９に示されるセンサ（例えば、センサ５０８３０、５０８３２、５０８３６、５０８４０、５０８３８、５０８４６、５０８４８、５０８５０、５０８５４、５０８５２）と類似し得る。例えば、圧力センサは、排出器ハウジング５９１０５内などの排出システム５９１００内の圧力を検出するように位置付けられてもよい。例えば、圧力センサは、フィルタデバイス５９１２０、５９１３０、５９１４０（例えば、センサ５９１９０Ｅ）のうちの１つの上流、フィルタデバイス５９１２０、５９１３０、５９１４０とポンプ５９１７０（例えば、センサ５９１９０Ｇ）との間、及び／又はポンプ５９１７０（例えば、センサ５９１９０Ｉ）の下流に位置付けられてもよい。特定の例では、圧力センサ５９１９０Ｋは、周囲環境内の圧力を検出するために、排出システム５９１００の外側に位置付けられてもよい。
【０１９８】
同様に、粒子センサ５９１９０Ｆ、５９１９０Ｈは、排出器ハウジング５９１０５内などの排出システム５９１００内の粒子を検出するように位置付けられてもよい。粒子センサは、例えば、フィルタデバイス５９１２０、５９１３０、５９１４０（例えば、センサ５９１９０Ｆ）のうちの１つの上流、フィルタデバイス５９１２０、５９１３０、５９１４０とポンプ５９１７０との間、及び／又はポンプ５９１７０（例えば、センサ５９１９０Ｈ）の下流に位置付けられてもよい。様々な例では、粒子センサ５９１９０Ｊは、例えば、手術室内の空気品質を判定するために、周囲環境内の粒子を検出するように位置付けてもよい。
【０１９９】
様々な例では、流体検出センサは、フィルタデバイス５９１２０、５９１３０、５９１４０（例えば、センサ５９１９０Ａ、５９１９０Ｃ、５９１９０Ｄ）のうちの１つの上流、フィルタデバイス５９１２０、５９１３０、５９１４０とポンプ５９１７０との間、ポンプ５９１７０の下流、又は排出ハウジング５９１０６の外側に位置付けられてもよい。同様に、化学センサは、フィルタデバイス５９１２０、５９１３０、５９１４０のうちの１つ（例えば、センサ５９１９０Ｂ）の上流、フィルタデバイス５９１２０、５９１３０、５９１４０とポンプ５９１７０との間、ポンプ５９１７０の下流、又は排出ハウジング５９１０６の外側に位置付けられてもよい。
【０２００】
当業者であれば、特定の排出システムは、図２８に示される各センサを含まなくてもよく、かつ／又は追加のセンサを含み得ることを理解するであろう。排出システム５９１００内の構成要素は、モジュール式及び／又は交換可能であってもよい。例えば、流体トラップ５９１１０、フィルタデバイス５９１２０、５９１３０、５９１４０、ポンプ５９１７０、複数のセンサ５９１９０Ａ〜Ｋは、モジュール式及び／又は交換可能であってもよい。
【０２０１】
複数のセンサ５９１９０Ａ〜Ｋは、排出ハウジング５９１０５及び／又は周囲環境内の流体経路を通って移動する流体の様々なパラメータを検出してもよい。様々な例では、ハウジング５９１０５と互換性のある、排出ハウジング５９１０５及び／又はモジュール式構成要素は、１つ又は２つ以上のセンサ（例えば、５９１９０Ａ〜Ｋ）からの入力を受信し、かつ／又は１つ又は２つ以上のドライバに出力を通信するように構成され得るプロセッサを含んでもよい。
【０２０２】
本明細書で使用されるとき、流体は、例えば、液体、気体、蒸気、煙、又はこれらの組み合わせを含む吸引導管から入口５９１１２に入る任意の材料を指し得る。流体は、元来生物学的であってもよく、かつ／又は処置中に外部源から手術部位に導入することができる。流体としてはまた、水、生理食塩水、リンパ液、血液、滲出液、及び／又は化膿性排出物も挙げることができる。更に、流体はまた、排出システムによって排出される微粒子又は他の物質（例えば、細胞物質又は破片）も含むことができる。一実施例では、このような微粒子は、流体中に懸濁していてもよい。
【０２０３】
動作中、手術部位からの流体は、流体トラップ５９１１０を介して排出器ハウジング５９１０５へと入口５９１１２内に引き込まれ得る。図２８のハウジング５９１０５を通る流路は、様々な一列の構成要素の間に延在する封止された導管又は管であってもよい。様々な例では、流体は、流体検出センサ５９１９０Ａ及び化学センサ５９１９０Ｂを通過して第１の流体フィルタデバイス５９１２０に流れてもよい。流体検出センサ５９１９０Ａは、流体／煙中の流体粒子を検出してもよく、化学センサ５９１９０Ｂは、流体の化学的特性を検出してもよい。流体検出センサ５９１９０Ａはまた、流体検出センサ５９１９０Ａ付近の流体中の液滴の濃度（例えば、液体対気体比）及び／又は液滴のサイズを検出してもよい。第１の流体フィルタデバイス５９１２０は、流体中の大液滴を抽出してもよい。次いで、流体は、第２の流体フィルタ５９１３０に流入するように方向付けられてもよい。第２の流体フィルタ５９１３０において、第１の流体フィルタデバイス５９１２０から流出した流体中の小液滴が抽出されてもよい。流体はその後、第２の流体フィルタデバイス５９１３０を通過して流れてもよく、非流体フィルタデバイス５９１４０に流入するように方向付けられてもよい。
【０２０４】
非流体フィルタデバイス５９１４０の入口において、流体は、レーザー粒子カウンタ５９１９０Ｆ及び圧力センサ５９１９０Ｅを通過して流れてもよい。流体は、１つ又は２つ以上の非流体型フィルタ５９１４４、５９１４６を介して濾過されてもよい。特定の例では、図２８に示される非流体フィルタデバイス５９１４０は、追加の及び／又はより少ない濾過レベルを含んでもよい。例えば、非流体フィルタデバイス５９１４０は、次のフィルタ群：コース媒体フィルタ、細かい媒体フィルタ、及び吸着剤ベースのフィルタから選択される１つ又は２つ以上の濾過層を含むことができる。コース媒体フィルタは、例えば、繊維ガラス、ポリエステル、及び／又はプリーツ加工されたフィルタで構成され得る低空気抵抗フィルタであってもよい。細かい媒体フィルタは、高効率微粒子空気（ＨＥＰＡ）フィルタ及び／又はＵＬＰＡフィルタであってもよい。吸着剤ベースのフィルタは、例えば、活性炭フィルタ（例えば、炭フィルタ）であってもよい。特定の例では、非流体フィルタデバイス５９１４０はまた、１つ若しくは２つ以上のバッフル５９１４２又は類似した構造体を含んでもよく、その場合、非流体フィルタデバイス５９１４０に流入する流体は、凝縮されてもよい。特定の例では、バッフル５９１４２は、非流体フィルタデバイス５９１４０の入口ポート付近に位置していてもよい。特定の他の例では、バッフル５９１４２は、非流体フィルタデバイス５９１４０内の任意の他の好適な位置に位置付けられてもよい。
【０２０５】
非流体フィルタデバイス５９１４０を出ると、流体は、圧力センサ５９１９０Ｇを通過して流れ、次いで、排出器ハウジング５９１０５内の流路５９１４８に沿ってポンプ５９１７０に向かって進むことができる。ポンプ５９１７０を通って移動すると、濾過された流体は、レーザー粒子センサ５９１９０Ｈ及び排出器ハウジング５９１０５の出口５９１７５にある圧力センサ５９１９０Ｉを通って流れることができる。排出器ハウジング５９１０５はまた、手術室内の環境などの周囲環境の様々な特性を検出するために、空気品質粒子センサ５９１９０Ｊ及び周囲圧力センサ５９１９０Ｋも含むことができる。
【０２０６】
様々な例では、流体トラップ５９１１０又は第１の流体フィルタデバイス５９１２０は、捕捉された流体の流出及び／又は漏出を防止するように構成されてもよい。例えば、流体トラップ５９１１０又は第１の流体フィルタデバイス５９１２０の形状は、捕捉された流体が流出及び／又は漏出するのを防止するように選択されてもよい。特定の例では、流体トラップ５９１１０又は第１の流体フィルタデバイス５９１２０は、捕捉された流体が流体トラップ５９１１０又は第１の流体フィルタデバイス５９１２０から飛び散るのを防止するための１つ又は２つ以上のバッフル５９１２６及び／又はスプラッタスクリーンを含んでもよい。１つ又は２つ以上の例では、流体トラップ５９１１０／第１の流体フィルタデバイス５９１２０は、流体トラップ５９１１０／第１の流体フィルタデバイス５９１２０内の流体、及び／又は流体トラップ５９１１０／第１の流体フィルタデバイス５９１２０が体積まで充填されているかどうかを検出するためのセンサを含んでもよい。流体トラップ５９１１０／第１の流体フィルタデバイス５９１２０は、流体トラップ５９１１０の流体貯留部５９１１４又は第１の流体フィルタデバイス５９１２０の流体貯留部５９１２５内の流体を空にするための弁を含んでもよい。
【０２０７】
排出システム５９１００内の様々なセンサは、コントローラと通信してもよく、このコントローラは、排出システム５９１００に組み込まれてもよく、かつ／又は別の外科用器具及び／若しくは外科用ハブの構成要素であってもよい。コントローラは、センサ（複数可）からの入力に基づいて、排出器システムの１つ又は２つ以上の動作パラメータ（例えば、排出器ポンプのためのモータ）を調整してもよく、又はセンサ（複数可）からの入力に基づいて、電気外科用ツール及び／若しくは撮像デバイスなどの別のデバイスの動作パラメータを調整してもよい。
【０２０８】
再び図２８を参照すると、特定の例では、第１の流体フィルタデバイス５９１２０は、流路を通って移動する流体中の大液滴を抽出するように構成されてもよく、第２の流体フィルタデバイス５９１３０は、流体中の小液滴を抽出するように構成されてもよい。図２８に示されるように、第１の流体フィルタデバイス５９１２０は、第２の流体フィルタデバイス５９１３０と直列に連結されてもよい。第１の流体フィルタデバイス５９１２０は、第２の流体フィルタデバイス５９１３０の上流に位置付けられてもよい。特定の例では、第２の流体フィルタデバイス５９１３０の出口ポートは、非流体フィルタデバイス５９１４０の入口ポートに連結されてもよい。
【０２０９】
本明細書で使用されるとき、１０〜２０μｍよりも大きい液滴は、大液滴と見なすことができる。また、１０〜２０μｍよりも小さい液滴は、小液滴と見なすことができる。特定の例では、第１の流体フィルタデバイス５９１２０は、大部分の２０μｍよりも大きい液滴を除去することができる。特定の例では、第１の流体フィルタデバイス５９１２０は、少なくとも８５％の２０μｍよりも大きい液滴、少なくとも９０％の２０μｍよりも大きい液滴、少なくとも９５％の２０μｍよりも大きい液滴、少なくとも９９％の２０μｍよりも大きい液滴、少なくとも９９．９％の２０μｍよりも大きい液滴、又は少なくとも９９．９９％の２０μｍよりも大きい液滴を除去してもよい。
【０２１０】
追加的に又は代替的に、第１の流体フィルタデバイス５９１２０は、大部分の１０μｍよりも大きい液滴を除去してもよい。特定の例では、第１の流体フィルタデバイス５９１２０は、少なくとも８５％の１０μｍよりも大きい液滴、少なくとも９０％の１０μｍよりも大きい液滴、少なくとも９５％の１０μｍよりも大きい液滴、少なくとも９９％の１０μｍより液滴、少なくとも９９．９％の１０μｍよりも大きい液滴、又は少なくとも９９．９９％の１０μｍよりも大きい液滴を除去してもよい。
【０２１１】
第２の流体フィルタデバイス５９１３０は、例えば、大部分の１μｍよりも大きい液滴を除去してもよい。特定の例では、第２の流体フィルタデバイス５９１３０は、少なくとも８５％の１μｍよりも大きい液滴、少なくとも９０％の１μｍよりも大きい液滴、少なくとも９５％の１μｍよりも大きい液滴、少なくとも９９％の１μｍよりも大きい液滴、少なくとも９９．９％の１μｍよりも大きい液滴、又は少なくとも９９．９９％の１μｍよりも大きい液滴を除去してもよい。
【０２１２】
追加的に又は代替的に、第２の流体フィルタデバイス５９１３０は、例えば、大部分の０．１μｍよりも大きい液滴を除去してもよい。特定の例では、第２の流体フィルタデバイス５９１３０は、少なくとも８５％の０．１μｍよりも大きい液滴、少なくとも９０％の０．１μｍよりも大きい液滴、少なくとも９５％の０．１μｍよりも大きい液滴、少なくとも９９％の０．１μｍよりも大きい液滴、少なくとも９９．９％の０．１μｍよりも大きい液滴、又は少なくとも９９．９９％の０．１μｍよりも大きい液滴を除去してもよい。
【０２１３】
特定の例では、第１の流体フィルタデバイス５９１２０は、切換弁５９１２２を含んでもよい。切換弁５９１２２は、図１８及び図１９に示される切換弁５０８３４、５０９３４と類似し得る。例えば、切換弁５９１２２が第１の位置にあるときに、切換弁５９１２２を通じた流体取り込みは、第１の経路５９１２３に沿って方向付けられてもよい。切換弁５９１２２が第２の位置にあるときに、図２８に示されるように、切換弁５９１２２を通じた流体取り込みは、第２の経路５９１２４に沿って方向付けられてもよい。特定の例では、第１の経路５９１２３は、液体／液滴が流体中で検出されなかったとき、又は検出された液体対気体比が閾値を下回るときの流路に対応していてもよい。特定の他の例では、第１の経路５９１２３は、検出された液滴の大部分のサイズ（例えば、８０％、９０％、９５％、又は９９％）が所定の閾値（例えば、１０〜２０μｍ）よりも小さいときの流路に対応していてもよい。
【０２１４】
特定の例では、第２の経路５９１２４は、液体／液滴が流体、例えば、エアロゾル内で検出されたとき、又は検出された液体対気体比が閾値以上であるときの流路に対応していてもよい。特定の他の例では、第２の経路５９１２４は、検出された液滴の大部分のサイズが所定の閾値（例えば、１０〜２０μｍ）以上であるときの流路に対応していてもよい。流体検出センサ５９１９０Ａは、流体中の液滴又はエアロゾルの存在、液体対気体比、及び／又は液滴／エアロゾルのサイズを検出するように構成されてもよい。例えば、流体検出センサ５９１９０Ａは、流体トラップ５９１１０の出力ポート及び／若しくは第１の流体フィルタデバイス５９１２０の入口ポートに、並びに／又はその付近に位置付けられてもよい。閾値以上の液体対気体比（例えば、１：２、１：１、２：１、５：１、１０：１）は、エアロゾルと見なすことができる。第１の経路５９１２３は、第１の流体フィルタデバイス５９１２０を迂回してもよく、第２の経路５９１２４は、流体が第２の流体フィルタデバイス５９１３０内に方向付けられる前に、流体から大液滴を捕捉するために、第１の流体フィルタデバイス５９１２０を通じて流体を方向付けてもよい。液体対気体比又は流体中の液滴のサイズに基づいて流体経路を選択することによって、外科用排出システム５９１００の効率を改善することができる。
【０２１５】
上で考察されるように、流体検出センサ５９１９０Ａが、閾値以上の液体対気体比、閾値サイズよりも大きい液滴、又は両方の組み合わせを検出する場合、流体取り込みは、第２の流体フィルタデバイス５９１３０に入る前に第２の経路５９１２４に切り換えられてもよい。第２の経路５９１２４は、流路内の液体液滴を凝縮するように構成されてもよい。例えば、第２の経路５９１２４は、複数のバッフル５９１２６６又は他の類似した構造体を含んでもよく、その上で、流体は凝縮するように構成され得る。流体が第２の経路５９１２４を通過すると、液体は、その中のバッフル５９１２６上で凝縮することができ、流体貯留部５９１２５内に下向きに滴下するように方向付けられてもよい。
【０２１６】
逆に、流体検出センサ５９１９０Ａが閾値を下回る液体対気体比、閾値サイズよりも小さい液滴、又は両方の組み合わせを検出する場合、流体取り込みは、第２の流体フィルタデバイス５９１３０に直接方向付けられてもよい。切換弁５９１２２は、流体が第２の流体フィルタデバイス５９１３０に直接流れるように、第２の経路５９１２４及び第１の流体フィルタデバイス５９１２０を迂回するように位置付けられてもよい。第１の流体フィルタデバイス５９１２０を迂回することによって、外科用排出システム５９１００は、ポンプ５９１７０を駆動するモータからのより少ない電力しか必要としなくてもよい。例えば、モータは、外科用排出システムを通して非エアゾール煙を引き込むよりも、外科用排出システムを通してエアロゾルを引き込むために、より多くの電力を必要とし得る。
【０２１７】
特定の例では、第２の流体フィルタデバイス５９１３０は、小液滴（例えば、１０〜２０μｍよりも小さい）を捕捉するように構成されたフィルタ５９１３５を含んでもよい。特定の例では、フィルタ５９１３５は、閾値サイズ（例えば、０．１〜１μｍ）よりも大きい液滴を抽出するように構成されてもよい。特定の例では、フィルタ５９１３５は、膜フィルタ、ハニカムフィルタ、及び／又は多孔質構造フィルタ（例えば、薄い多孔質パッド）、又は小液的若しくは０．１〜１μｍよりも大きい液滴を抽出することができる任意の他の好適なフィルタのうちの少なくとも１つであってもよい。第２の流体フィルタデバイス５９１３０から流出した流体は、非流体フィルタデバイス５９１４０に流入してもよい。特定の例では、第２の流体フィルタデバイス５９１３０はまた、１つ又は２つ以上のバッフル又は類似した構造体を含んでもよく、その上で第２の流体フィルタデバイスに流入する流体は凝縮し得る。特定の例では、バッフルは、第２の流体フィルタデバイス５９１３０の入口ポート付近に位置していてもよい。特定の他の例では、バッフルは、第２の流体フィルタデバイス５０１３０内の任意の他の好適な位置に位置付けられてもよい。
【０２１８】
再び図２８を参照すると、排出システム５９１００はまた、第１の再循環チャネル５９１５０も含むことができる。第１の再循環チャネル５９１５０の入口ポート５９１５２は、第２の流体フィルタデバイス５９１３０と非流体フィルタデバイス５９１４０との間に位置付けられてもよい。第１の再循環チャネル５９１５０は、第２の流体フィルタデバイス５９１３０から流出した流体を再循環させるように構成されてもよい。
【０２１９】
第１の再循環チャネル５９１５０内に方向付けられた流体は、第２の流体フィルタデバイス５９１３０の上流の流体経路内に注入されてもよい。例えば、第１の再循環チャネル５９１５０内に方向付けられた流体は、図２８に示されるように、第１の流体フィルタデバイス５９１２０（例えば、流体貯留部５９１２５）内に注入されてもよい。特定の他の例では、第１の再循環チャネル５９１５０内に方向付けられた流体は、第２の流体フィルタデバイス５９１３０の上流部分（例えば、第２の流体フィルタデバイス５９１３０の入口ポート）又は第１の流体フィルタデバイス５９１２０と第２の流体フィルタデバイス５９１３０との間の流路に注入されてもよい。
【０２２０】
特定の例では、第１の再循環チャネル５９１５０（例えば、入口ポート５９１５２付近の第１の再循環チャネル５９１５０の一部分）は、第１の再循環チャネル５９１５０の入口ポート５９１５２から下向きに延在してもよい。これにより、第２の流体フィルタデバイス５９１３０から流出した流体中の大液滴又は小液滴を重力によって第１の再循環チャネル５９１５０に方向付けることができる。
【０２２１】
特定の例では、排出システム５９１００はまた、第１の再循環弁５９１５５も含むことができる。第１の再循環弁５９１５５は、第１の再循環チャネル５９１５０を閉鎖及び／又は開放するように構成されてもよい。第１の再循環弁５９１５５が開放されると、第２の流体フィルタデバイス５９１３０から流出した流体は、第１の再循環チャネル５９１５０に方向付けられてもよい。特定の例では、排出システム５９１００は、流体検出センサ５９１９０Ｄを更に含んでもよい。流体検出センサ５９１９０Ｄは、第１の再循環弁５９１５５付近に位置付けられてもよい。流体検出センサ５９１９０Ｄは、流体検出センサ５９１９０Ａと類似し得る。流体検出センサ５９１９０Ｄは、流体のパラメータ（例えば、流体中の液滴のサイズ、液体対気体比）を検出するように構成されてもよい。第１の再循環弁５９１５５は、流体検出センサ５９１９０Ｄによって検出されたパラメータが所定の閾値以上であるときに、第１の再循環チャネル５９１５０を開放してもよい。例えば、流体検出センサ５９１９０Ｄが、閾値以上の液体対気体比（例えば、１：２、１：１、２：１、５：１、１０：１）及び／又は閾値（例えば、０．１〜１μｍ）よりも大きい液滴サイズを検出する場合、第２の流体フィルタデバイス５９１３０から流出した流体は、第１の再循環チャネルに切り換えられてもよい。このようにして、排出システム５９１００は、フィルタ５９１４４、５９１４６を損傷する可能性のある液滴／湿分が非流体フィルタデバイス５９１４０に入るのを防止することができる。流体検出センサ５９１９０Ｄが閾値を下回る液体対気体比、及び／又は閾値（例えば、０．１〜１μｍ）よりも小さい液滴サイズを検出する場合、第１の再循環弁５９１５５は、第２の流体フィルタデバイス５９１３０から流出した流体が非流体フィルタデバイス５９１４０内に方向付けられるように閉鎖してもよい。
【０２２２】
特定の例では、第１の再循環チャネル５９１５０を通る再循環流体は、第１の流体フィルタデバイス５９１２０及び／又は第２の流体フィルタデバイス５９１３０を再び通ってもよく、再循環工程は、流体検出センサ５９１９０Ｄによって検出されたパラメータが所定の閾値を下回るまで繰り返されてもよい。特定の例では、繰り返しの回数が所定の閾値（例えば、５倍、１０倍、又は０よりも大きい任意の他の好適な値）以上である場合、（これは第１／第２の流体フィルタデバイス５９１２０／５９１３０内のいくつかの構成要素が適切に作動していない（例えば、センサの故障、フィルタ／バッフルに対する損傷又は閉塞に起因して）ことを示し得る）、第１／第２の流体フィルタデバイス５９１２０／５９１３０又は排出システム５９１００は、例えば、ポンプ５９１７０又はモータを停止することによって無効化されてもよい。この場合、排出システム５９１００のプロセッサは、第１／第２の流体フィルタデバイス５９１２０／５９１３０にエラーがあることを排出システム５９１００又はユーザに通知してもよい。
【０２２３】
特定の例では、排出システム５９１００はまた、第２の再循環チャネル５９１６０も含むことができる。第２の再循環チャネル５９１６０の入口ポート５９１６２は、第１の流体フィルタデバイス５９１２０と第２の流体フィルタデバイス５９１３０との間に位置付けられてもよい。第２の再循環チャネル５９１６０は、第１の流体フィルタ５９１２０から流出した流体を再循環させるように構成されてもよい。特定の例では、第２の再循環チャネル５９１６０内に方向付けられた流体は、第１の流体フィルタデバイス５９１２０の流体経路上流（例えば、貯留部５９１１４若しくは流体トラップ５９１１０）又は第１の流体フィルタデバイス５９１２０の上流部分（例えば、第１の流体フィルタの入口ポート又は第１の流体フィルタデバイス５９１２０の貯留部５９１２５）内に注入されてもよい。特定の例では、第２の再循環チャネル５９１６０（例えば、入口ポート５９１６２付近の第２の再循環チャネル５９１６０の一部分）は、第２の再循環チャネル５９１６０の入口ポート５９１６２から下向きに延在してもよい。これにより、第１の流体フィルタデバイス５９１２０から流出した流体中の大液滴又は小液滴を重力によって第２の再循環チャネル５９１６０に方向付けることができる。
【０２２４】
特定の例では、排出システム５９１００は、第２の再循環弁５９１６５を更に含んでもよい。第２の再循環弁５９１６５は、第２の再循環チャネル５９１６０を閉鎖及び／又は開放するように構成されてもよい。第２の再循環弁が開放されると、第１の流体フィルタデバイス５９１２０から流出した流体は、第２の再循環チャネル５９１６０を通って再循環されてもよい。
【０２２５】
特定の例では、排出システム５９１００はまた、流体検出センサ５９１９０Ｃを使用して第２の再循環弁５９１６５を制御することもできる。流体検出センサ５９１９０Ｃは、流体検出センサ５９１９０Ａ、Ｄと類似し得る。流体センサ５９１９０Ｃは、第２の再循環弁５９１６５付近に位置付けられてもよい。流体センサ５９１９０Ｃは、流体のパラメータ（例えば、流体中の液滴のサイズ、液体対気体比）を検出するように構成されてもよい。第２の再循環弁５９１６５は、流体検出センサ５９１９０Ｃによって検出されたパラメータが所定の閾値以上であるときに、第２の再循環チャネル５９１６０を開放してもよい。例えば、流体検出センサ５９１９０Ｃが、閾値以上の液体対気体比（例えば、１：２、１：１、２：１、５：１、１０：１）及び／又は閾値（例えば、１０〜２０μｍ）よりも大きい液滴サイズを検出する場合、第１の流体フィルタデバイス５９１２０から流出した流体は、第２の再循環チャネル５９１６０内に切り換えられてもよい。このようにして、排出システム５９１００は、フィルタ５９１３５を容易に及び／又は迅速に目詰まりさせる可能性のある大液滴／湿分が第２の流体フィルタデバイス５９１４０に入ることを防止することができる。流体センサ５９１９０Ｃが閾値を下回る液体対気体比及び／又は閾値（例えば、１０〜２０μｍ）よりも小さい液滴サイズを検出する場合、第２の再循環弁５９１６５は、第１の流体フィルタデバイス５９１２０から流出した流体が第２の流体フィルタデバイス５９１３０内に方向付けられるように閉鎖してもよい。
【０２２６】
特定の例では、第２の再循環チャネル５９１６０を通る再循環流体は、第１の流体フィルタデバイス５９１２０を再び通ってもよく、再循環工程は、流体検出センサ５９１９０Ｃによって検出されたパラメータが所定の閾値を下回るまで繰り返されてもよい。特定の例では、繰り返しの回数が所定の閾値（例えば、５倍、１０倍、又は０よりも大きい任意の他の好適な値）以上である場合（これは第１の流体フィルタデバイス５９１２０内のいくつかの構成要素が適切に作動していない（例えば、センサの故障、バッフルに対する損傷又は閉塞に起因して）ことを示し得る）、第１の流体フィルタデバイス５９１２０又は排出システム５９１００は、例えば、ポンプ５９１７０又はモータを停止することによって無効化されてもよい。この場合、排出システム５９１００のプロセッサは、第１の流体フィルタデバイス５９１２０にエラーがあることを排出システム５９１００又はユーザに通知してもよい。
【０２２７】
特定の例では、第１の再循環弁５９１５５は、第２の流体フィルタデバイス５９１３０と非流体フィルタデバイス５９１４０との間の流路を開放及び／又は閉鎖するように構成されてもよい。例えば、流体検出センサ５９１９０Ｄによって検出されたパラメータが所定の閾値以上である場合、第１の再循環弁５９１５５は、第１の再循環チャネル５９１５０を開放し、第２の流体フィルタデバイス５９１３０と非流体フィルタデバイス５９１４０との間の流路を同時に閉鎖する。このようにして、本開示は、有利には、排出システム５９１００が、非流体フィルタデバイス５９１４０のフィルタ５９１４４、５９１４６を損傷する可能性のある液滴を含む第２の流体フィルタデバイス５９１３０から流出するほぼ全ての流体を、第１の再循環チャネル５９１５０内に切り換えることを可能にすることができる。また、特定の例では、第１の再循環チャネル５９１５０の閉鎖及び第２の流体フィルタデバイス５９１３０と非流体フィルタデバイス５９１４０との間の流路の開放は、複数の工程／動作とは対照的に、単一の工程／動作で行うことができる。例えば、図２８に示されるように、第１の再循環弁５９１５５が９０度開放されると、第１の再循環弁５９１５５は、第２の流体フィルタデバイス５９１３０と非流体フィルタデバイス５９１４０との間の流路を閉鎖する。
【０２２８】
同様に、特定の例では、第２の再循環弁５９１６５は、第１の流体フィルタデバイス５９１２０と第２の流体フィルタデバイス５９１３０との間の流路を開放及び／又は閉鎖するように構成されてもよい。特定の例では、流体検出センサ５９１９０Ｃによって検出されたパラメータが所定の閾値以上である場合、第２の再循環弁５９１６５は、第２の再循環チャネル５９１６０を開放し、第１の流体フィルタデバイス５９１２０と第２の流体フィルタデバイス５９１３０との間の流路を同時に閉鎖してもよい。このようにして、本開示は、有利には、排出システム５９１００が、第２の流体フィルタデバイス５９１３０及び／又は第２の流体フィルタデバイス５９１３０のフィルタ５９１３５を容易に／迅速に目詰まりさせる可能性のある大液滴を含む第１の流体フィルタデバイス５９１２０から流出したほぼ全ての流体を、第２の再循環チャネル５９１６０内に切り換えることを可能にすることができる。また、特定の例では、第２の再循環チャネル５９１６０の閉鎖及び第１の流体フィルタデバイス５９１２０と第２の流体フィルタデバイス５９１３０との間の流路の開放は、複数の工程／動作とは対照的に、単一の工程／動作で行うことができる。例えば、図２８に示されるように、第２の再循環弁５９１６５が９０度開放されると、第２の再循環弁５９１６５は、第１の流体フィルタデバイス５９１２０と第２の流体フィルタデバイス５９１３０との間の流路を閉鎖する。これは、有利には、プロセッサと排出システム５９１００の構成要素との間の信号／コマンドの数を減少し、信号遅延の可能性及び信号遅延に起因する構成要素の誤動作を防止することができる。
【０２２９】
特定の例では、排出システム５９１００は、１つ又は２つ以上の遠心送風機機構を含んでもよい。例えば、第１の遠心送風機５９１８０Ａ（例えば、回転かご）が、非流体フィルタデバイス５９１４０とポンプ５９１７０との間の流路５９１４８に提供されてもよく、第２の遠心送風機５９１８０Ｂが、第１の再循環チャネル５９１５０に提供されてもよい。第１の遠心送風機５９１８０Ａは、例えば、１つ又は２つ以上のギア５９１８５Ａを介して、第２の遠心送風機５９１８０Ｂに動作可能に連結されてもよい。例えば、第１の再循環弁５９１５５が開放されてポンプ５９１７０が起動されたときに、ポンプ５９１７０によって発生した吸引力は、第１の遠心送風機５９１８０Ａの回転を発生させてもよく、これは、ギア５９１８５Ａを介して第２の遠心送風機５９１８０Ｂに伝達されてもよく、これは、第１の再循環チャネル５９１５０を介して再循環流体を引き込む。
【０２３０】
同様に、第２の再循環チャネル５９１６０に第３の遠心送風機５９１８０Ｃが提供されてもよい。特定の例では、第３の遠心送風機５９１８０Ｃは、例えば、図２８に示されるように、１つ以上のギア５９１８５Ａ〜Ｂ及び第２の遠心送風機５９１８０Ｂを介して、第１の遠心送風機５９１８０Ａに動作可能に連結されてもよい。この場合、第２の再循環弁５９１６５が開放されてポンプ５９１７０が起動されたときに、ポンプ５９１７０によって発生した吸引力は、第１の遠心送風機５９１８０Ａの回転を発生させてもよく、これは、第２の遠心送風機５９１８０Ｂに、次いで、第３の遠心送風機５９１８０Ｃに伝達され、これは、第２の再循環チャネル５９１６０を介して再循環流体を引き込む。特定の他の例では、第３の遠心送風機５９１８０Ｃは、第２の遠心送風機５９１８０Ｂを間に介在させることなく、例えばギア５９１８５Ｂを介して第１の遠心送風機５９１８０Ａに動作可能に連結されていてもよい。この場合、第２の再循環弁５９１６５が開放されてポンプ５９１７０が起動されると、ポンプ５９１７０によって発生した吸引力は、第１の遠心送風機５９１８０Ａの回転を発生させてもよく、これは、１つ又は２つ以上のギア５９１８５Ｂを介して第３の遠心送風機５９１８０Ｃに伝達されてもよく、これは、第２の再循環チャネル５９１６０を通じて再循環流体を引き込む。このようにして、本開示は、有利には、第１及び／又は第２の再循環チャネル５９１５０、５９１６０のための吸引力を発生させる際に、モータ／ポンプ電力を再使用することによって、モータ／ポンプからの電力を低減することができる。特定の他の例では、第１の再循環チャネル５９１５０及び／又は第２の再循環チャネル５９１６０には、吸引力を発生させるために別個のポンプが提供されてもよい。
【０２３１】
読者は、本明細書に記載される様々な外科用排出システム及び構成要素をコンピュータ実装インタラクティブ外科システム、外科用ハブ、及び／又はロボットシステムに組み込むことができることを容易に理解するであろう。例えば、外科用排出システムは、外科用ハブ、ロボットシステム、及び／又はコンピュータ実装インタラクティブ外科システムにデータを通信することができ、かつ／又は、外科用ハブ、ロボットシステム、及び／又はコンピュータ実装インタラクティブ外科システムからデータを受信することができる。コンピュータ実装インタラクティブ外科システム、ロボットシステム、及び外科用ハブの様々な実施例を、以下に更に説明する。
【０２３２】
図２９は、本開示の少なくとも１つの態様による、電気外科用システム６００００を示す。電気外科用システム６００００は、発生器６０００２と、電気外科用器具６０００４と、戻りパッド６０００６と、を含む。発生器６０００２は、第１の導体／ケーブル６０００８を介して、無線周波数レベルで交流を電気外科用器具６０００４に供給する。電気外科用器具６０００４は、患者の標的組織に配置できる電極先端部（すなわち、活性電極）を含む。電気外科用器具６０００４は、発生器６０００２から交流を受け取り、交流を電極先端部を介して患者６００１０の標的組織に送達する。交流は標的組織に受信され、組織からの抵抗により、手術部位において所望の効果（例えば、封止及び／又は切断）をもたらす熱が生成される。交流は患者の体を通して伝導され、最終的に戻りパッド６０００６によって受信される。戻りパッド６０００６によって受信された交流は、第２の導体／ケーブル６００１２を介して発生器６０００２に戻され、交流が流れる閉路を完成してもよい。
【０２３３】
様々な態様によれば、発生器６０００２は、上述した発生器９００と同様であり、例えば、上述のプロセッサ９０２及び波形発生器９０４と同様のプロセッサ及び波形発生器を含んでもよい。
【０２３４】
電気外科用器具６０００４は、発生器６０００２によって供給される電気外科用エネルギーが外科用器具６０００４の活性電極によって患者の組織内に導入され、戻りパッド６００６を介して発生器６０００２に戻る単極性動作を行うように構成されてもよい。様々な態様によれば、電気外科用器具６０００４は、ハンドピース又は鉛筆と、電極先端部とを含む。電極先端部は、電気外科用システム６００００の活性電極として機能し、患者６００１０の標的組織に電気外科的エネルギーを導入する。具体的には、電極先端部に密着又は隣接した患者６００１０の細胞物質の加熱を引き起こすために、電極先端部から患者６００１０に放電が行われる。組織の加熱は、電気外科用器具６０００４を使用して電気外科手術を実施することが可能となるように、適度に高い温度で生じる。
【０２３５】
図３０は、本開示の少なくとも１つの態様による、図２９の外科用システム６００００の戻りパッド６０００６を示す。戻りパッド６０００６は、スリーブ又はカバー６００１４を含んでよく、患者の体からわずかな距離で離れていてよく、患者の体と容量性カップリングすることができ、電気外科用器具６０００４によって患者の体に導入される電流の量を運ぶように構成されている点で、戻りパッド６０００６は、Ｍｅｇａｄｙｎｅ  Ｍｅｄｉｃａｌ  Ｐｒｏｄｕｃｔｓ，Ｉｎｃ．から市販されているＭＥＧＡ  ＳＯＦＴ（登録商標）患者用戻り電極と同様であり得るが、異なるものである。
【０２３６】
戻りパッドは、１つの戻り電極の代わりに、患者の体と容量性カップリングすることができ、電気外科用器具６０００４によって患者の体に導入される電流の量を全体として運ぶように構成されている、複数の電極６００１６を含む（図３１参照）点で、戻りパッド６０００６は、Ｍｅｇａｄｙｎｅ  Ｍｅｄｉｃａｌ  Ｐｒｏｄｕｃｔｓ，Ｉｎｃ．から市販されているＭＥＧＡ  ＳＯＦＴ（登録商標）患者用戻り電極とは異なる。この容量性カップリングについて、患者の体は、コンデンサの１つのプレートとして効果的に作用し、戻りパッドの複数の電極は全体として、コンデンサの他方のプレートとして効果的に作用する。容量性カップリングのより詳細な説明は、例えば、それぞれその内容全体が参照により本明細書に組み込まれる、「ＣＡＰＡＣＩＴＩＶＥ  ＲＥＵＳＡＢＬＥ  ＥＬＥＣＴＲＯＳＵＲＧＩＣＡＬ  ＲＥＴＵＲＮ  ＥＬＥＣＴＲＯＤＥ」と題する２００１年４月１０日に発行された米国特許第６，２１４，０００号、「ＣＡＰＡＣＩＴＩＶＥ  ＲＥＵＳＡＢＬＥ  ＥＬＥＣＴＲＯＳＵＲＧＩＣＡＬ  ＲＥＴＵＲＮ  ＥＬＥＣＴＲＯＤＥ」と題する２００３年６月２４日に発行された米国特許第６，５８２，４２４号に見出すことができる。戻りパッド６０００６は、実質的に矩形であるように図３０に示されているが、戻りパッド６０００６は任意の好適な形状であってもよいことが理解されよう。
【０２３７】
図３１は、本開示の少なくとも１つの態様に係る、図３０の戻りパッド６０００６の複数の電極６００１６を示す。明確にするために、戻りパッド６０００６のスリーブ又はカバー６００１４は、図３１に示されていない。４つの電極６００１６が図３１に示されているが、戻りパッド６０００６は任意の数の電極６００１６を含んでもよいことが理解されよう。例えば、様々な態様によれば、戻りパッド６０００６は１６個の電極６００１６を含む。また、個々の電極６００１６は、実質的に矩形であるように図３１に示されているが、個々の電極は任意の好適な形状であってもよいことが理解されよう。
【０２３８】
戻りパッド６０００６の電極６００１６は、図２９の電気外科用システム６００００の戻り電極と捉えることができ、更に、電極６００１６は患者の体及び／又は発生器６０００２から選択的に分離され得るため、セグメント化された電極とも捉えられ得る。戻りパッド６０００６の電極６００１６はまた、１つの大きな電極として効果的に作用するように互いに連結され得る。例えば、様々な態様によれば、戻りパッド６０００６の電極６００１６のそれぞれは、図２４に示すように、それぞれの導電性部材６００１８によって、切り替え装置６００２０の入力に接続することができる。図３１に示すように、切り替え装置６００２０が開放位置にあるとき、戻りパッド６０００６のそれぞれの電極６００１６は、患者の体及び／又は発生器６０００２から互いに分離される。一方、切り替え装置６００２０が閉位置にあるとき、戻りパッド６０００６の各電極６００１６は、１つの大きな電極として効果的に作用するように互いに連結される。
【０２３９】
切り替え装置６００２０は、処理回路（例えば、電気外科用システムの発生器６０００２の処理回路、外科用ハブ２０６の処理回路、外科用ハブ１０６の処理回路など）によって制御することができる。簡潔さのために、処理回路は、図３１には図示されていない。様々な態様によれば、図３１に示される切り替え装置６００２０は、戻りパッド６０００６に組み込み可能である。他の態様によれば、図３１に示される切り替え装置６０００６は、図２９の電気外科用システム６００００の第２の導体／ケーブル６００１２に組み込むことができる。戻りパッド６０００６はまた、複数の感知装置６００２２を含むことができる（図３２参照）。
【０２４０】
電気外科的処置中に使用するために複数の電極６００１６を一緒に連結することができることにより、戻りパッド６０００６の電極６００１６の全有効サイズは十分に大きく、かつ／又は、電流密度を十分に低く維持して、患者６００１０に対して望まれないいかなる火傷の可能性を軽減するのに十分な表面積を有する。
【０２４１】
図３２は、本開示の少なくとも１つの態様による、図３０の戻りパッド６０００６の感知装置６００２２のアレイを示す。明確にするために、戻りパッド６０００６のスリーブ又はカバー６００１４は、図３２に示されていない。様々な態様によれば、感知装置６００２２の数は電極６００１６の数に対応し、各電極６００１６に対して１つの感知装置６００２２が存在して、各感知装置６００２２は、対応する電極６００１６に取り付けられるか、又は一体化される。しかしながら、図３２に示す感知装置６００２２の数は電極６００１６の数に対応するが、戻りパッド６０００６は、任意の数の感知装置６００２２を含み得ることが理解されるであろう。例えば、１６個の電極６００１６を含む戻りパッド６０００６の態様では、戻りパッド６０００６は、感知装置６００２２を４つ又は８つのみ含んでもよい。感知装置６００２２は、対応する電極６００１６の中心にあるように図３２に示されているが、感知装置６００２２は、対応する電極６００１６の任意の部分上に配置することができ、異なる電極６００１６上の異なる位置に配置することができることが理解されるであろう。
【０２４２】
感知装置６００２２は、患者に適用された単極神経制御信号、及び／又は神経制御信号の適用から生じる患者の解剖学的特徴部の動き（例えば、筋肉の攣縮）を感知するように構成される。単極神経制御信号は、図２９の電気外科用システム６００００の電気外科用器具６０００４によって適用されてもよく、あるいは、異なる発生器に連結された異なる外科用器具によって適用されてもよい。各感知装置６００２２は、例えば、圧力センサ、加速度計、又はこれらの組み合わせなどを含んでもよく、検出された神経制御信号を示す信号、及び／又は患者の解剖学的特徴部の検出された動きを示す信号を出力するように構成されている。このような圧力センサとしては、例えば、ピエゾ抵抗ひずみゲージ、静電容量式圧力センサ、電磁式圧力センサ、及び／又は圧電式圧力センサを挙げることができる。このような加速度計としては、例えば、機械式加速度計、静電容量式加速度計、圧電式加速度計、電磁式加速度計、及び／又は微小電気機械システム（ＭＥＭＳ）加速度計を挙げることができる。それぞれの感知装置６００２２のそれぞれの出力信号は、アナログ信号及び／又はデジタル信号の形態であってもよい。
【０２４３】
クーロンの法則及び電気外科用器具６０００４の活性電極、患者の体及び各感知装置６００２２それぞれの位置を使用して、検出された神経制御信号及び／又は患者の解剖学的特徴部の動きを示す各感知装置６００２２の各出力信号を分析して、患者の体内の神経の位置を決定することができる。クーロンの法則は、Ｅ＝Ｋ（Ｑ／ｒ２）であり、式中、Ｅは神経において神経刺激に必要とされる閾値電流であり、Ｋは定数であり、Ｑは神経刺激電極からの最小電流であり、ｒは神経からの距離である。神経刺激電極から神経への距離に比例して、神経を刺激するのに必要な電流が増加する。したがって、一定の電流刺激を利用して神経刺激電極から神経までの距離を推定することができる。一般に、それぞれの感知装置６００２２の出力信号のそれぞれの強度は、それぞれの感知装置６００２２の患者６００１０の刺激された神経からの距離を示す。
【０２４４】
様々な態様によれば、それぞれの感知装置６００２２のそれぞれの出力信号の分析は、図２９の電気外科用システム６００００の発生器６０００２の処理回路によって、図２９の電気外科用システム６００００の発生器６０００２とは別個の神経モニタリングシステムの処理回路によって、外科用ハブ２６０の処理回路によって、外科用ハブ１０６の処理回路によってなどで、実行することができる。分析はリアルタイムで、又はほぼリアルタイムで行うことができる。様々な態様によれば、それぞれの出力信号は、処理回路によって実行される単極神経刺激アルゴリズムへの入力として機能する。
【０２４５】
様々な態様によると、図３２に示すように、それぞれの感知装置６００２２の出力信号は、導電性部材６００２６を介して、多入力単一出力切り替え装置６００２４（例えば、マルチプレクサ）に入力可能である。多入力単一出力切り替え装置６００２４に対する選択信号Ｓ０、Ｓ１を制御することによって、多入力単一出力切り替え装置６００２４は、上述の分析のために、それぞれの感知装置６００２４の出力信号のうちの１つのみを出力するように制御することができる。例えば、図３２を参照すると、選択信号Ｓ０、Ｓ１を０、０に設定することにより、図３２の左上の電極６００１６に関連付けられた感知装置６００２２からの出力信号を、適用可能な処理回路による分析のために多入力単一出力切り替え装置６００２４によって出力することができる。選択信号Ｓ０、Ｓ１を０、１に設定することにより、図３２の右上の電極６００１６に関連付けられた感知装置６００２２からの出力信号を、適用可能な処理回路による分析のために多入力単一出力切り替え装置６００２４によって出力することができる。選択信号Ｓ０、Ｓ１を１、０に設定することにより、図３２の左下の電極６００１６に関連付けられた感知装置６００２２からの出力信号を、適用可能な処理回路による分析のために多入力単一出力切り替え装置６００２４によって出力することができる。選択信号Ｓ０、Ｓ１を１、１に設定することにより、図３２の右下の電極６００１６に関連付けられた感知装置６００２２からの出力信号を、適用可能な処理回路による分析のために多入力単一出力切り替え装置６００２４によって出力することができる。
【０２４６】
選択信号Ｓ０、Ｓ１は、例えば、図２９の電気外科用システム６００００の発生器６０００２の処理回路、図２９の電気外科用システム６００００の発生器６０００２とは別個の神経モニタリングシステムの処理回路などの処理回路によって、外科用ハブ２６０の処理回路によって、外科用ハブ１０６の処理回路によってなどで、多入力単一出力切り替え装置６００２４に提供され得る。簡潔さのために、処理回路は、図３２には図示されていない。多様な選択信号を十分に高速で提供することによって、それぞれの感知装置の出力信号は、それぞれの感知装置の出力信号の全てのタイムリー分析を可能にして刺激された神経の位置を決定することができるような速度で効果的にスキャンすることができる。
【０２４７】
様々な態様によれば、図３２に示される多入力単一出力切り替え装置６００２４は、戻りパッド６０００６に組み込むことができる。他の態様によれば、図３２に示される多入力単一出力切り替え装置６００２４は、図２９の電気外科用システム６００００の第２の導体／ケーブル６００１２に組み込むことができる。
【０２４８】
多入力単一出力切り替え装置６００２４の制御は、図３２に示される４つの感知装置６００２２に対応する４入力１出力切り替え装置の文脈でこれまで説明した。４つを超える感知装置６００２２（例えば、１６個の感知装置）が存在する態様では、４つを超える感知装置６００２２の出力信号は、多入力単一出力切り替え装置６００２４に入力され、多入力単一出力切り替え装置６００２４の出力を制御するために、２つを超える選択信号（例えば、Ｓ０、Ｓ１、Ｓ２、及びＳ３）が必要とされることが理解されるであろう。
【０２４９】
感知装置６００２４の出力信号がアナログ信号である態様では、多入力単一出力切り替え装置６００２４の出力は、適用可能な処理回路による出力信号の分析の実行前に、アナログデジタル変換器６００２６（図３２で破線で示される）によって対応するデジタル信号に変換することができる。
【０２５０】
感知装置６００２２のアレイを、戻りパッド６０００６の複数の電極６００１６に組み込むことにより、電気外科用器具６０００４の電極先端部に対する患者の神経の位置を決定することができる。決定された神経の位置を外科医に提示することができることによって、患者６００１０の標的組織を切断するために電極先端部を利用しながら、外科医が神経を不注意に傷つける又は切断する可能性を軽減することができる。
【０２５１】
様々な態様において、感知装置６００２２による患者の神経制御信号及び／又は解剖学的特徴部の動きの検出は、戻りパッド６０００６の電極６００１６が互いに連結されている間、又は電極６００１６が互いに連結されていない間に実行することができる。例えば、戻りパッド６０００６のそれぞれの電極６００１６が互いに連結されていないとき、患者６００１０を手術台上に位置決めした後であって、外科手術を開始する前に検出を実行する場合、戻りパッド６０００６は、図３１に示される切り替え装置６００２０を制御して、戻りパッド６０００６のそれぞれの電極６００１６を互いに連結解除するように制御することによって、「感知モード」にすることができる。それぞれの電極６００１６は互いに連結されていないが、神経及び／又は神経束は、上述の電気外科用器具６０００４で刺激され得、戻りパッド６０００６の感知装置６００２２のそれぞれの出力信号は、上述のように分析されて、それに対応付けられた神経、神経束、及び／又は神経叢の位置を特定することができる。この位置は、例えば、発生器６０００２のメモリ回路内、電気外科用器具６０００４以外の外科用器具に連結された異なる発生器のメモリ回路内などに存在し得る、単極神経刺激アルゴリズムプロファイルに入力されてもよい。位置が単極神経刺激アルゴリズムプロファイルに入力されると、この位置は、戻りパッド６０００６の電極６００１６の容量動作から効果的に隔離され、組織切断処置を実施しながら外科医が神経及び／又は神経束に接近する際に外科医に知らせるために、単極神経刺激アルゴリズムプロファイルの感知ノードとして使用される。様々な態様によれば、聴覚的警告、視覚的警告、振動警告などを介して神経及び／又は神経束近傍の位置が外科医に伝えられてもよい。
【０２５２】
図３３に関連して以下により詳細に記載されるように、様々な態様によれば、戻りパッド６０００６のそれぞれの電極６００１６が互いに連結された状態で検出が実行される場合、図２９の電気外科用システム６００００の発生器６０００２は、搬送波が患者の神経を刺激するために十分に低い周波数を有する、搬送波上で変調される高周波波形（無線周波数での交流）を発生させてもよい。これにより、神経制御信号及び／又は解剖学的特徴部の動きの感知が、患者の体との戻りパッド６０００６のそれぞれの電極６００１６の容量性カップリングと同時に実行可能になり得る。特定の波形を患者６００１０に適用し、特定の応答を感知することによって、解剖学的特徴部の動きは、単なる一部の一般的な動きではなく、適用された波形の結果であるということで、信頼性が向上する。変調は、異なる複数の神経サイズを刺激するために、経時的に調整可能である。様々な態様によれば、神経及び／又は神経束を常に刺激する必要なく、適用可能な処理回路が信号から神経及び／又は神経束への距離を判定できるように、変調の振幅を経時変化させることができる。
【０２５３】
図３３は、本開示の少なくとも１つの態様による、患者に神経刺激信号及び電気外科的エネルギーを同時に印加するための方法６００３０を示す。この例示的な手順では、発生器６０００２は、高周波波形として無線周波数レベルで交流を発生させる（６００３２）。様々な態様によれば、発生器６０００２である波形発生器は、この機能を実行する。
【０２５４】
発生器６０００２は、患者の神経を刺激するように構成された低周波波形を発生する（６００３４）。様々な態様によれば、低周波波形は、単極神経制御信号であり、発生器６０００２である波形発生器はこの機能を実行する。
【０２５５】
発生器６０００２は、工程６００３２で生成された高周波波形を利用して、工程６００３４で生成された低周波波形を変調し、合成波形を形成する（６００３６）。様々な態様によれば、発生器６０００２である波形発生器は、この工程を実行する。他の実施形態によれば、発生器６０００２の処理回路は、この機能を実行する。
【０２５６】
発生器６０００２は、工程６００３６で生成された合成波形を電気外科用器具６０００４に供給する（６００３８）。
【０２５７】
電気外科用器具６０００４の電極（すなわち、活性電極）は、合成波形を患者６００１０に印加する（６００４０）。高周波波形は、患者６００１０の標的組織を加熱し、患者の体から出た後に、戻りパッド６０００６の電極６００１６によって受容されるように動作する。低周波波形は、患者の神経を刺激し、かつ／又は、神経制御信号の適用から生じる患者の解剖学的特徴部の動き（例えば、筋肉の攣縮）を起こさせるように動作する。
【０２５８】
切り替え装置６００２０を介して一緒に連結された複数の電極６００１６は、患者の体から出ている電気外科的エネルギーを受信し、電気外科的エネルギーを、それぞれの導電性部材６００１８、切り替え装置６００２０及び第２の導体／ケーブル６００１２によって発生器６０００２に戻す（６００４２）。
【０２５９】
感知装置６００２２は、患者６００１０に適用された単極神経制御信号、及び／又は神経制御信号の適用から生じる患者６００１０の解剖学的特徴部の動き（例えば、筋肉の攣縮）を検出し、対応するそれぞれの出力信号を発生する（６００４４）。それぞれの感知装置６００２２の出力は、上述のようにサンプリングされ、分析のために処理回路に転送される。処理回路は、例えば、図２９の電気外科用システム６００００の発生器６０００２の処理回路、図２９の電気外科用システム６００００の発生器６０００２とは別個の神経モニタリングシステムの処理回路、外科用ハブ２６０の処理回路によって、外科用ハブ１０６の処理回路によってなどであってよい。
【０２６０】
適用可能な処理回路は、出力信号を分析し、出力信号に関連付けられた神経、神経束及び／又は神経ネクサスが位置する場所を決定する（６００４６）。上記のように、様々な態様によれば、それぞれの出力信号は、処理回路によって実行される単極神経刺激アルゴリズムへの入力として機能することができ、単極神経刺激アルゴリズムは、外科医による神経、神経束、及び／又は神経ネクサスの切断又は損傷防止を助けるように動作する。
【０２６１】
コンピュータ実装インタラクティブ外科システム
図３４を参照すると、コンピュータ実装インタラクティブ外科システム１００は、１つ以上の外科システム１０２と、クラウドベースのシステム（例えば、ストレージ装置１０５に連結されたリモートサーバ１１３を含むことができるクラウド１０４）と、を含む。各外科システム１０２は、リモートサーバ１１３を含み得るクラウド１０４と通信する、少なくとも１つの外科用ハブ１０６を含む。一例では、図３４に示すように、外科システム１０２は、互いに、及び／又はハブ１０６と通信するように構成された、可視化システム１０８と、ロボットシステム１１０と、ハンドヘルド式インテリジェント外科用器具１１２と、を含む。いくつかの態様では、外科システム１０２は、Ｍ個のハブ１０６と、Ｎ個の可視化システム１０８と、Ｏ個のロボットシステム１１０と、Ｐ個のハンドヘルド式インテリジェント外科用器具１１２と、を含んでもよく、ここでＭ、Ｎ、Ｏ及びＰは１以上の整数である。
【０２６２】
図３６は、外科手術室１１６内の手術台１１４上に横たわる患者に対して外科処置を実行するために使用される外科システム１０２の例を示す。ロボットシステム１１０は、外科処置において外科システム１０２の一部として使用される。ロボットシステム１１０は、外科医のコンソール１１８と、患者側カート１２０（外科用ロボット）と、外科用ロボットハブ１２２と、を含む。外科医が外科医のコンソール１１８を介して手術部位を見る間、患者側カート１２０は、患者の身体の低侵襲切開部を介して、少なくとも１つの取り外し可能に連結された外科用ツール１１７を操作することができる。手術部位の画像は医療用撮像装置１２４によって得ることができ、医療用撮像装置１２４は、患者側カート１２０によって操作され、撮像装置１２４を向けさせ得る。ロボットハブ１２２は、手術部位の画像を処理し、その後処理した画像を外科医のコンソール１１８を介して外科医に対して表示させるために使用することができる。
【０２６３】
他のタイプのロボットシステムを、外科システム１０２と共に使用するために容易に適合させることができる。本開示と共に使用するのに好適なロボットシステム及び外科用ツールの様々な例は、その開示全体が参照により本明細書に組み込まれる、２０１７年１２月２８日出願の「ＲＯＢＯＴ  ＡＳＳＩＳＴＥＤ  ＳＵＲＧＩＣＡＬ  ＰＬＡＴＦＯＲＭ」と題する米国特許仮出願第６２／６１１，３３９号に記載されている。
【０２６４】
クラウド１０４によって実施され、本開示と共に使用するのに好適なクラウドベース分析法の様々な例は、その開示全体が参照により本明細書に組み込まれる、２０１７年１２月２８日出願の「ＣＬＯＵＤ−ＢＡＳＥＤ  ＭＥＤＩＣＡＬ  ＡＮＡＬＹＴＩＣＳ」と題する米国特許仮出願第６２／６１１，３４０号に記載されている。
【０２６５】
様々な態様では、撮像装置１２４は、少なくとも１つの画像センサと、１つ以上の光学構成要素と、を含む。好適な画像センサとしては、電荷結合素子（ＣＣＤ）センサ及び相補型金属酸化膜半導体（ＣＭＯＳ）センサが挙げられるが、これらに限定されない。
【０２６６】
撮像装置１２４の光学構成要素は、１つ以上の照明光源及び／又は１つ以上のレンズを含んでもよい。１つ以上の照明光源は、手術野の一部を照明するように方向付けられてもよい。１つ以上の画像センサは、組織及び／又は外科用器具から反射又は屈折された光を含む、手術野から反射又は屈折された光を受信することができる。
【０２６７】
１つ以上の照明光源は、可視スペクトル及び不可視スペクトル内の電磁エネルギーを放射するように構成され得る。光学スペクトル又は発光スペクトルと呼ばれることもある可視スペクトルは、人間の目に可視の（すなわち、人間の目で検出可能な）電磁スペクトルの一部分であり、可視光、又は単に光と呼ばれることがある。典型的な人間の目は、空気中の約３８０ｎｍ〜約７５０ｎｍの波長に反応する。
【０２６８】
不可視スペクトル（すなわち、非発光スペクトル）は、可視スペクトルの下方及び上方に位置する（すなわち、約３８０ｎｍ未満及び約７５０ｎｍ超の波長の）電磁スペクトルの一部分である。不可視スペクトルは、人間の目で検出可能ではない。約７５０ｎｍを超える波長は、赤色可視スペクトルよりも長く、これらは不可視赤外線（ＩＲ）、マイクロ波及び無線電磁放射線になる。約３８０ｎｍ未満の波長は、紫色スペクトルよりも短く、これらは不可視紫外線、Ｘ線及びガンマ線電磁放射線になる。
【０２６９】
様々な態様では、撮像装置１２４は、低侵襲性手術で使用するように構成されている。本開示と共に使用するのに好適な撮像装置の例としては、関節鏡、血管鏡、気管支鏡、胆道鏡、結腸鏡、膀胱鏡、十二指腸鏡、腸鏡、食道胃十二指腸鏡（胃鏡）、内視鏡、喉頭鏡、鼻咽喉−腎盂鏡（nasopharyngo-neproscope）、Ｓ状結腸鏡、胸腔鏡、及び尿管鏡が挙げられるが、これらに限定されない。
【０２７０】
一態様では、撮像装置は、トポグラフィーと下層構造とを区別するためにマルチスペクトルモニタリングを用いる。マルチスペクトル画像は、電磁スペクトル全体から特定の波長範囲内の画像データを取り込むものである。波長は、フィルタによって、又は可視光範囲を超える周波数、例えば、ＩＲ及び紫外光を含む特定の波長の光を感知できる器具を使用することによって分離することができる。スペクトル撮像法は、人間の目がその赤色、緑色及び青色の受容体で捕捉することのできない追加情報の抽出を可能にすることができる。マルチスペクトル撮像法の使用は、その開示全体が参照により本明細書に組み込まれる２０１７年１２月２８日出願の「ＩＮＴＥＲＡＣＴＩＶＥ  ＳＵＲＧＩＣＡＬ  ＰＬＡＴＦＯＲＭ」と題する米国特許仮出願第６２／６１１，３４１号の「Ａｄｖａｎｃｅｄ  Ｉｍａｇｉｎｇ  Ａｃｑｕｉｓｉｔｉｏｎ  Ｍｏｄｕｌｅ」の項で詳細に説明されている。マルチスペクトルモニタリングは、処置された組織上で上述の試験の１つ以上を実行するため、１つの手術作業が完了した後に手術野を再配置するのに有用なツールであり得る。
【０２７１】
いかなる外科手術においても手術室及び外科用器具の厳格な滅菌が必要であることは自明である。「外科施術の行われる現場」、すなわち手術室又は処置室に必要とされる厳格な衛生及び滅菌条件は、全ての医療装置及び機器の最大級の滅菌性を必要とする。上記の滅菌プロセスの一部としては、患者と接触する、又は滅菌野に侵入するあらゆるもの（撮像装置１２４並びにその付属品及び構成要素を含む）を滅菌する必要が挙げられる。滅菌野は、トレイ内若しくは滅菌タオル上などの微生物を含まないと見なされる特定の領域と見なされ得ること、又は滅菌野は、外科処置のために準備された患者のすぐ周囲の領域と見なされ得ることは理解されよう。滅菌野は、適切な衣類を着用した洗浄済みのチーム構成員、並びにその領域内の全ての備品及び固定具を含み得る。
【０２７２】
様々な態様では、可視化システム１０８は、図３５に示すように、滅菌野に対して戦略的に配置された１つ以上の撮像センサと、１つ以上の画像処理ユニットと、１つ以上のストレージアレイと、１つ以上のディスプレイと、を含む。一態様では、可視化システム１０８は、ＨＬ７、ＰＡＣＳ及びＥＭＲのインターフェースを含む。可視化システム１０８の様々な構成要素については、その開示全体が参照により本明細書に組み込まれる２０１７年１２月２８日出願の「ＩＮＴＥＲＡＣＴＩＶＥ  ＳＵＲＧＩＣＡＬ  ＰＬＡＴＦＯＲＭ」と題する米国特許仮出願第６２／６１１，３４１号の「Ａｄｖａｎｃｅｄ  Ｉｍａｇｉｎｇ  Ａｃｑｕｉｓｉｔｉｏｎ  Ｍｏｄｕｌｅ」の項で説明されている。
【０２７３】
図３５に示すように、一次ディスプレイ１１９は、手術台１１４に位置する操作者に可視であるように滅菌野内に配置される。加えて、可視化タワー１１１が、滅菌野の外に配置される。可視化タワー１１１は、互いに離れる方に面する第１の非滅菌ディスプレイ１０７及び第２の非滅菌ディスプレイ１０９を含む。ハブ１０６によって誘導される可視化システム１０８は、ディスプレイ１０７、１０９及び１１９を使用して、滅菌野の内側及び外側の操作者に対する情報フローを調整するように構成されている。例えば、ハブ１０６は、可視化システム１０８に、一次ディスプレイ１１９上の手術部位のライブ映像を維持させながら、撮像装置１２４によって記録される手術部位のスナップショットを非滅菌ディスプレイ１０７又は１０９上に表示させることができる。非滅菌ディスプレイ１０７又は１０９上のスナップショットは、例えば、非滅菌操作者が外科処置に関連する診断工程を実行することを可能にすることができる。
【０２７４】
一態様では、ハブ１０６は、滅菌野内で、可視化タワー１１１にある非滅菌操作者によって入力された診断入力又はフィードバックを滅菌領域内の一次ディスプレイ１１９に送り、これを手術台に位置する滅菌操作者が見ることができるようにも構成されている。一実施例では、入力は、ハブ１０６によって一次ディスプレイ１１９に送ることのできる、非滅菌ディスプレイ１０７又は１０９上に表示されるスナップショットに対する修正の形態であってもよい。
【０２７５】
図３５を参照すると、外科用器具１１２は、外科処置において外科システム１０２の一部として使用されている。ハブ１０６はまた、外科用器具１１２のディスプレイへの情報フローを調整するようにも構成されている。例えば、その開示全体が参照により本明細書に組み込まれる、「ＩＮＴＥＲＡＣＴＩＶＥ  ＳＵＲＧＩＣＡＬ  ＰＬＡＴＦＯＲＭ」と題する２０１７年１２月２８日出願の米国仮特許出願第６２／６１１，３４１号における。可視化タワー１１１にある非滅菌操作者によって入力される診断入力又はフィードバックは、ハブ１０６によって滅菌野内の外科用器具ディスプレイ１１５に送られ得、ここで診断入力又はフィードバックは、外科用器具１１２の操作者が見ることができる。外科システム１０２と共に用いるのに好適な例示的外科用器具については、例えば、その開示全体が参照により本明細書に組み込まれる、「Ｓｕｒｇｉｃａｌ  Ｉｎｓｔｒｕｍｅｎｔ  Ｈａｒｄｗａｒｅ」の項目、及び「ＩＮＴＥＲＡＣＴＩＶＥ  ＳＵＲＧＩＣＡＬ  ＰＬＡＴＦＯＲＭ」と題する２０１７年１２月２８日出願の米国仮特許出願第６２／６１１，３４１号で説明されている。
【０２７６】
ここで図３６を参照すると、ハブ１０６が、可視化システム１０８、ロボットシステム１１０及びハンドヘルド式インテリジェント外科用器具１１２と通信している状態で示されている。ハブ１０６は、ハブディスプレイ１３５、撮像モジュール１３８、発生器モジュール１４０、通信モジュール１３０、プロセッサモジュール１３２、及びストレージアレイ１３４を含む。特定の態様では、図３６に示すように、ハブ１０６は、排煙モジュール１２６及び／又は吸引／灌注モジュール１２８を更に含む。
【０２７７】
外科処置中、封止及び／又は切断のために、組織へエネルギーを印加することには、一般に、排煙、過剰な流体の吸引、及び／又は組織の灌注が伴う。異なる供給源からの流体ライン、電力ライン及び／又はデータラインは、外科処置中に絡まり合うことが多い。外科処置中にこの問題に対処することで貴重な時間が失われる場合がある。ラインの絡まりをほどくには、それらの対応するモジュールからラインを抜くことが必要となる場合があり、そのためにはモジュールをリセットすることが必要となる場合がある。ハブのモジュール式筐体１３６は、電力ライン、データライン、及び流体ラインを管理するための統一環境を提供し、このようなライン間の絡まりの頻度を低減させる。
【０２７８】
本開示の態様は、手術部位における組織へのエネルギー印加を伴う外科処置において使用するための外科用ハブを提示する。外科用ハブは、ハブ筐体と、ハブ筐体のドッキングステーション内に摺動可能に受容可能な組み合わせ発生器モジュールと、を含む。ドッキングステーションはデータ接点及び電力接点を含む。組み合わせ発生器モジュールは、単一ユニット内に収容された、超音波エネルギー発生器構成要素、双極ＲＦエネルギー発生器構成要素、及び単極ＲＦエネルギー発生器構成要素のうちの２つ以上を含む。一態様では、組み合わせ発生器モジュールは、更に、排煙構成要素と、組み合わせ発生器モジュールを外科用器具に接続するための少なくとも１つのエネルギー供給ケーブルと、組織への治療エネルギーの印加によって発生した煙、流体及び／又は微粒子を排出するように構成された少なくとも１つの排煙構成要素と、遠隔手術部位から排煙構成要素まで延びる流体ラインと、を含む。
【０２７９】
一態様では、上記の流体ラインは第１の流体ラインであり、第２の流体ラインは、遠隔手術部位から、ハブ筐体内に摺動可能に受容される吸引及び灌注モジュールまで延びている。一態様では、ハブ筐体は、流体インターフェースを備える。
【０２８０】
特定の外科処置は、２つ以上のエネルギータイプを組織に印加することを必要とする場合がある。１つのエネルギータイプは、組織を切断するのにより有益であり得るが、別の異なるエネルギータイプは、組織を封止するのにより有益であり得る。例えば、双極発生器は組織を封止するために使用することができ、一方で、超音波発生器は封止された組織を切断するために使用することができる。本開示の態様は、ハブのモジュール式筐体１３６が様々な発生器を収容して、これらの間の双方向通信を促進するように構成されているという解決法を提示する。ハブのモジュール式筐体１３６の利点の１つは、様々なモジュールの迅速な取り外し及び／又は交換を可能にすることである。
【０２８１】
本開示の態様は、組織へのエネルギー印加を伴う外科処置で使用するためのモジュール式外科用筐体を提示する。モジュール式外科用筐体は、組織に印加するための第１のエネルギーを発生させるように構成された第１のエネルギー発生器モジュールと、第１のデータ及び電力接点を含む第１のドッキングポートを備える第１のドッキングステーションと、を含み、第１のエネルギー発生器モジュールは、電力及びデータ接点と電気係合するように摺動可能に移動可能であり、また第１のエネルギー発生器モジュールは、第１の電力及びデータ接点との電気係合から外れるように摺動可能に移動可能である。
【０２８２】
上記に加えて、モジュール式外科用筐体は、第１のエネルギーとは異なる、組織に印加するための第２のエネルギーを発生させるように構成された第２のエネルギー発生器モジュールと、第２のデータ及び電力接点を含む第２のドッキングポートを備える第２のドッキングステーションと、を更に含み、第２のエネルギー発生器モジュールは、電力及びデータ接点と電気係合するように摺動可能に移動可能であり、また第２のエネルギー発生器モジュールは、第２の電力及びデータ接点との電気係合から外れるように摺動可能に移動可能である。
【０２８３】
更に、モジュール式外科用筐体は、第１のエネルギー発生器モジュールと第２のエネルギー発生器モジュールとの間の通信を容易にするように構成された、第１のドッキングポートと第２のドッキングポートとの間の通信バスを更に含む。
【０２８４】
図３〜図７を参照すると、発生器モジュール１４０と、排煙モジュール１２６と、吸引／灌注モジュール１２８との、モジュール式統合を可能にするハブのモジュール式筐体１３６に関する本開示の態様が提示される。ハブのモジュール式筐体１３６は、モジュール１４０、１２６、１２８間の双方向通信を更に促進する。図３８に示すように、発生器モジュール１４０は、ハブのモジュール式筐体１３６に摺動可能に挿入可能な単一のハウジングユニット１３９内に支持される、一体化された単極、双極及び超音波構成要素を備える発生器モジュールであってもよい。図３８に示すように、発生器モジュール１４０は、単極装置１４６、双極装置１４７及び超音波装置１４８に接続するように構成することができる。あるいは、発生器モジュール１４０は、ハブのモジュール式筐体１３６を介して相互作用する一連の単極、双極及び／又は超音波発生器モジュールを備えてもよい。ハブのモジュール式筐体１３６は、複数の発生器が単一の発生器として機能するように、複数の発生器の挿入と、ハブのモジュール式筐体１３６にドッキングされた発生器間の双方向通信と、を促進するように構成されてもよい。
【０２８５】
一態様では、ハブのモジュール式筐体１３６は、モジュール１４０、１２６、１２８の取り外し可能な取付及びそれらの間の双方向通信を可能にするために、外部及び無線通信ヘッダを備えるモジュール式電力及び通信バックプレーン１４９を備える。
【０２８６】
一態様では、ハブのモジュール式筐体１３６は、モジュール１４０、１２６、１２８を摺動可能に受容するように構成された、本明細書ではドロアーとも称されるドッキングステーション又はドロアー１５１を含む。図３７は、外科用ハブ筐体１３６と、外科用ハブ筐体１３６のドッキングステーション１５１に摺動可能に受容可能な組み合わせ発生器モジュール１４５との部分斜視図を示す。組み合わせ発生器モジュール１４５の後側には、電力及びデータ接点を有するドッキングポート１５２があり、そのドッキングポート１５２は、組み合わせ発生器モジュール１４５がハブのモジュール式筐体１３６の対応するドッキングステーション１５１内の所定の位置へと摺動されると、ハブのモジュール式筐体１３６の対応するドッキングステーション１５１の、電力及びデータ接点を有する対応するドッキングポート１５０と係合するように構成されている。一態様では、組み合わせ発生器モジュール１４５は、図３８に示すように、単一のハウジングユニット１３９内に一緒に組み込まれた、双極、超音波及び単極モジュールと、排煙モジュールと、を含む。
【０２８７】
様々な態様では、排煙モジュール１２６は、捕捉／回収された煙及び／又は流体を手術部位から遠ざけ、例えば、排煙モジュール１２６へと搬送する、流体ライン１５４を含む。排煙モジュール１２６から発生する真空吸引は、煙を手術部位のユーティリティ導管の開口部に引き込むことができる。流体ラインに連結されたユーティリティ導管は、排煙モジュール１２６で終端する可撓管の形態であってもよい。ユーティリティ導管及び流体ラインは、ハブ筐体１３６内に受容される排煙モジュール１２６に向かって延びる流体経路を画定する。
【０２８８】
様々な態様では、吸引／灌注モジュール１２８は、吸い込み（aspiration）流体ライン及び吸引（suction）流体ラインを含む外科用ツールに連結されている。一例では、吸い込み及び吸引流体ラインは、手術部位から吸引／灌注モジュール１２８に向かって延びる可撓管の形態である。１つ以上の駆動システムは、手術部位への、及び手術部位に対する流体の灌注及び吸い込みを引き起こすように構成され得る。
【０２８９】
一態様では、外科用ツールは、その遠位端にエンドエフェクタを有しかつエンドエフェクタに関連付けられた少なくとも１つのエネルギー処置部を有するシャフトと、吸い込み管と、灌注管と、を含む。吸い込み管は、その遠位端に入口ポートを有することができ、吸い込み管はシャフトを通って延びる。同様に、灌注管はシャフトを通って延びることができ、かつエネルギー送達器具に近接した入口ポートを有することができる。エネルギー送達器具は、超音波及び／又はＲＦエネルギーを手術部位に送達するように構成されており、最初にシャフトを通って延びるケーブルによって発生器モジュール１４０に連結されている。
【０２９０】
灌注管は流体源と流体連通することができ、吸い込み管は真空源と流体連通することができる。流体源及び／又は真空源は、吸引／灌注モジュール１２８内に収容され得る。一例では、流体源及び／又は真空源は、吸引／灌注モジュール１２８とは別に、ハブ筐体１３６内に収容され得る。このような例では、流体インターフェースが、吸引／灌注モジュール１２８を流体源及び／又は真空源に接続するように構成され得る。
【０２９１】
一態様では、モジュール１４０、１２６、１２８、及び／又はハブのモジュール式筐体１３６上のそれらの対応するドッキングステーションは、モジュールのドッキングポートを位置合わせして、ハブのモジュール式筐体１３６のドッキングステーション内のこれらの対応部品と係合させるように構成された位置合わせ機構を含み得る。例えば、図３７に示すように、組み合わせ発生器モジュール１４５は、側部ブラケット１５５を含み、この側部ブラケットは、ハブのモジュール式筐体１３６の対応するドッキングステーション１５１の対応するブラケット１５６と摺動可能に係合するように構成されている。上記の複数のブラケットは協働して、組み合わせ発生器モジュール１４５のドッキングポート接点をハブのモジュール式筐体１３６のドッキングポート接点と電気的に係合させるように誘導する。
【０２９２】
いくつかの態様では、ハブのモジュール式筐体１３６のドロアー１５１どうしはサイズが同じ又は実質的に同じであり、モジュールはドロアー１５１内に受容されるサイズに調整される。例えば、側部ブラケット１５５及び／又は１５６は、モジュールのサイズに応じてより大きくなっても小さくなってもよい。他の態様では、ドロアー１５１どうしは互いにサイズが異なり、それぞれ特定のモジュールを収容するように設計される。
【０２９３】
更に、適合しない接点を備えるドロアーにモジュールを挿入することを避けるため、特定のモジュールの接点を特定のドロアーの接点と係合するように、キー構造を設けてもよい。
【０２９４】
図３７に示すように、１つのドロアー１５１のドッキングポート１５０は、通信リンク１５７を介して別のドロアー１５１のドッキングポート１５０に連結されて、ハブのモジュール式筐体１３６内に収容されたモジュール間の双方向通信を容易にすることができる。あるいは又は更に、ハブのモジュール式筐体１３６のドッキングポート１５０は、ハブのモジュール式筐体１３６内に収容されたモジュールどうしの間の無線双方向通信を容易にしてもよい。例えば、Ａｉｒ  Ｔｉｔａｎ−Ｂｌｕｅｔｏｏｔｈなどの任意の好適な無線通信を用いてもよい。
【０２９５】
図３９は、外科用ハブ２０６の複数のモジュールを受容するように構成された、横方向モジュール式ハウジング１６０の複数の横方向ドッキングポートの個々の電力バスアタッチメントを示す。横方向モジュール式ハウジング１６０は、モジュール１６１を横方向に受容して相互接続するように構成されている。モジュール１６１は、モジュール１６１を相互接続するためのバックプレーンを含む横方向モジュール式ハウジング１６０のドッキングステーション１６２内に摺動可能に挿入されている。図３９に示すように、モジュール１６１は、横方向モジュール式ハウジング１６０内で横方向に配置されている。あるいは、モジュール１６１は、横方向モジュール式ハウジング内で垂直方向に配置されてもよい。
【０２９６】
図４０は、外科用ハブ１０６の複数のモジュール１６５を受容するように構成された垂直モジュール式ハウジング１６４を示す。モジュール１６５は、モジュール１６５を相互接続するためのバックプレーンを含む垂直モジュール式ハウジング１６４のドッキングステーション又はドロアー１６７内に摺動可能に挿入されている。垂直モジュール式ハウジング１６４のドロアー１６７は垂直方向に配置されているが、特定の場合では、垂直モジュール式ハウジング１６４は、横方向に配置されたドロアーを含んでもよい。更に、モジュール１６５は、垂直モジュール式ハウジング１６４のドッキングポートを介して互いに相互作用し得る。図３１の例では、モジュール１６５の動作に関連するデータを表示するためのディスプレイ１７７が提供される。加えて、垂直モジュール式ハウジング１６４は、マスタモジュール１７８を含み、マスタモジュール１７８は、マスタモジュール１７８内に摺動可能に受容される複数のサブモジュールを収容する。
【０２９７】
様々な態様では、撮像モジュール１３８は、内蔵型のビデオプロセッサ及びモジュール式光源を備え、様々な撮像装置と共に使用するように適合されている。一態様では、撮像装置は、光源モジュール及びカメラモジュールと共に組み立てることが可能なモジュール式ハウジングで構成されている。ハウジングは、使い捨て式ハウジングであってもよい。少なくとも１つの例では、使い捨て式ハウジングは、再利用可能なコントローラ、光源モジュール、及びカメラモジュールと取り外し可能に連結されている。光源モジュール及び／又はカメラモジュールは、外科処置の種類に応じて選択的に選択することができる。一態様では、カメラモジュールはＣＣＤセンサを含む。別の態様では、カメラモジュールはＣＭＯＳセンサを含む。別の態様では、カメラモジュールはビーム走査式撮像用に構成されている。同様に、光源モジュールは、外科処置に応じて白色光又は異なる光を送達するように構成することができる。
【０２９８】
外科処置中に、手術野から外科用装置を除去して異なるカメラ又は異なる光源を含む別の外科用装置と交換することは非効率的であり得る。手術野の視野を一時的に喪失することは、望ましからぬ結果をもたらし得る。本開示のモジュール撮像装置は、手術野から撮像装置を除去する必要なく、外科処置中に光源モジュール又はカメラモジュール中間体（midstream）の交換を可能にするように構成されている。
【０２９９】
一態様では、撮像装置は、複数のチャネルを含む管状ハウジングを備える。第１のチャネルは、第１のチャネルとスナップ嵌め係合するように構成され得るカメラモジュールを摺動可能に受容するように構成されている。第２のチャネルは、第２のチャネルとスナップ嵌め係合するように構成され得る光源モジュールを摺動可能に受容するように構成されている。別の例では、カメラモジュール及び／又は光源モジュールは、これらの対応するチャネル内の最終位置へと回転させることができる。スナップ嵌め係合の代わりにねじ係合が採用されてもよい。
【０３００】
様々な例では、複数の撮像装置が、複数の視野を提供するために手術野内の様々な位置に配置される。撮像モジュール１３８は、最適な視野を提供するために撮像装置どうしの間を切り替えるように構成することができる。様々な態様では、撮像モジュール１３８は、異なる撮像装置からの画像を統合するように構成することができる。
【０３０１】
本開示と共に使用するのに好適な様々な画像プロセッサ及び撮像装置は、その全体が参照により本明細書に組み込まれる「ＣＯＭＢＩＮＥＤ  ＳＢＩ  ＡＮＤ  ＣＯＮＶＥＮＴＩＯＮＡＬ  ＩＭＡＧＥ  ＰＲＯＣＥＳＳＯＲ」と題する２０１１年８月９日発行の米国特許第７，９９５，０４５号に記載されている。更に、その全体が参照により本明細書に組み込まれる「ＳＢＩ  ＭＯＴＩＯＮ  ＡＲＴＩＦＡＣＴ  ＲＥＭＯＶＡＬ  ＡＰＰＡＲＡＴＵＳ  ＡＮＤ  ＭＥＴＨＯＤ」と題する２０１１年７月１９日発行の米国特許第７，９８２，７７６号は、画像データからモーションアーチファクトを除去するための様々なシステムについて記載している。こうしたシステムは、撮像モジュール１３８と一体化され得る。更に、「ＣＯＮＴＲＯＬＬＡＢＬＥ  ＭＡＧＮＥＴＩＣ  ＳＯＵＲＣＥ  ＴＯ  ＦＩＸＴＵＲＥ  ＩＮＴＲＡＣＯＲＰＯＲＥＡＬ  ＡＰＰＡＲＡＴＵＳ」と題する２０１１年１２月１５日公開の米国特許出願公開第２０１１／０３０６８４０号、及び「ＳＹＳＴＥＭ  ＦＯＲ  ＰＥＲＦＯＲＭＩＮＧ  Ａ  ＭＩＮＩＭＡＬＬＹ  ＩＮＶＡＳＩＶＥ  ＳＵＲＧＩＣＡＬ  ＰＲＯＣＥＤＵＲＥ」と題する２０１４年８月２８日公開の米国特許出願公開第２０１４／０２４３５９７号は、それぞれその全体が参照により本明細書に組み込まれる。
【０３０２】
図４１は、医療施設の１つ以上の手術室、又は外科処置のための専門設備を備えた医療施設内の任意の部屋に配置されたモジュール式装置をクラウドベースのシステム（例えばストレージ装置２０５に連結されたリモートサーバ２１３を含み得るクラウド２０４）に接続するように構成されたモジュール式通信ハブ２０３を備える外科用データネットワーク２０１を示す。一態様では、モジュール式通信ハブ２０３は、ネットワークルータと通信するネットワークハブ２０７及び／又はネットワークスイッチ２０９を備える。モジュール式通信ハブ２０３は更に、ローカルコンピュータシステム２１０に連結することができ、ローカルコンピュータ処理及びデータ操作を提供することができる。外科用データネットワーク２０１は、受動的、インテリジェント又は切替式として構成されてもよい。受動的外科用データネットワークはデータの導管として機能し、データが１つの装置（又はセグメント）から別の装置（又はセグメント）に、及びクラウドコンピューティングリソースに行くことを可能にする。インテリジェント外科用データネットワークは、トラフィックが監視対象の外科用データネットワークを通過することを可能にし、ネットワークハブ２０７又はネットワークスイッチ２０９内の各ポートを構成する追加の機構を含む。インテリジェント外科用データネットワークは、管理可能なハブ又はスイッチと称され得る。スイッチングハブは、各パケットの宛先アドレスを読み取り、次いでパケットを正しいポートに転送する。
【０３０３】
手術室に配置されるモジュール式装置１ａ〜１ｎは、モジュール式通信ハブ２０３に連結されてもよい。ネットワークハブ２０７及び／又はネットワークスイッチ２０９は、ネットワークルータ２１１に連結されて、装置１ａ〜１ｎをクラウド２０４又はローカルコンピュータシステム２１０に接続することができる。装置１ａ〜１ｎに関連付けられたデータは、遠隔データ処理及び操作のためにルータを介してクラウドベースのコンピュータに転送されてもよい。装置１ａ〜１ｎに関連付けられたデータはまた、ローカルでのデータ処理及び操作のためにローカルコンピュータシステム２１０に転送されてもよい。同じ手術室に位置するモジュール式装置２ａ〜２ｍもまた、ネットワークスイッチ２０９に連結されてもよい。ネットワークスイッチ２０９は、ネットワークハブ２０７及び／又はネットワークルータ２１１に連結されて、装置２ａ〜２ｍをクラウド２０４に接続することができる。装置２ａ〜２ｎに関連付けられたデータは、データ処理及び操作のためにネットワークルータ２１１を介してクラウド２０４に転送されてもよい。装置２ａ〜２ｍに関連付けられたデータはまた、ローカルでのデータ処理及び操作のためにローカルコンピュータシステム２１０に転送されてもよい。
【０３０４】
複数のネットワークハブ２０７及び／又は複数のネットワークスイッチ２０９を複数のネットワークルータ２１１と相互接続することによって、外科用データネットワーク２０１が拡張され得ることが理解されるであろう。モジュール式通信ハブ２０３は、複数の装置１ａ〜１ｎ／２ａ〜２ｍを受容するように構成されたモジュール式制御タワー内に収容され得る。ローカルコンピュータシステム２１０もまた、モジュール式制御タワーに収容されてもよい。モジュール式通信ハブ２０３は、ディスプレイ２１２に接続されて、例えば外科処置中に、装置１ａ〜１ｎ／２ａ〜２ｍのうちのいくつかによって取得された画像を表示する。様々な態様では、装置１ａ〜１ｎ／２ａ〜２ｍとしては、外科用データネットワーク２０１のモジュール式通信ハブ２０３に接続され得るモジュール式装置の中でもとりわけ、例えば、内視鏡に連結された撮像モジュール１３８、エネルギーベースの外科用装置に連結された発生器モジュール１４０、排煙モジュール１２６、吸引／灌注モジュール１２８、通信モジュール１３０、プロセッサモジュール１３２、ストレージアレイ１３４、ディスプレイに連結された外科用装置及び／又は非接触センサモジュールなどの様々なモジュールが挙げられ得る。
【０３０５】
一態様では、外科用データネットワーク２０１は、装置１ａ〜１ｎ／２ａ〜２ｍをクラウドに接続する、ネットワークハブ（複数可）、ネットワークスイッチ（複数可）及びネットワークルータ（複数可）との組み合わせを含んでもよい。ネットワークハブ又はネットワークスイッチに連結された装置１ａ〜１ｎ／２ａ〜２ｍのいずれか１つ又は全ては、リアルタイムでデータを収集し、データ処理及び操作のためにデータをクラウドコンピュータに転送することができる。クラウドコンピューティングは、ソフトウェアアプリケーションを取り扱うために、ローカルサーバ又はパーソナル装置を有するのではなく、コンピューティングリソースを共有することに依存することは理解されるであろう。用語「クラウド」は「インターネット」の隠喩として用いられ得るが、この用語はそのように限定はされない。したがって、用語「クラウドコンピューティング」は、本明細書では「インターネットベースのコンピューティングの一種」を指すために用いることができ、この場合、サーバ、ストレージ及びアプリケーションなどの様々なサービスは、インターネットを介して、手術室（例えば、固定式、移動式、一時的又は現場の手術室又は空間）に位置するモジュール式通信ハブ２０３及び／又はコンピュータシステム２１０に、かつモジュール式通信ハブ２０３及び／又はコンピュータシステム２１０に接続された装置に送達される。クラウドインフラストラクチャは、クラウドサービスプロバイダによって維持され得る。この文脈において、クラウドサービスプロバイダは、１つ以上の手術室内に位置する装置１ａ〜１ｎ／２ａ〜２ｍの使用及び制御を調整する事業体であり得る。クラウドコンピューティングサービスは、スマート外科用器具、ロボット及び手術室内に位置する他のコンピュータ化装置によって収集されたデータに基づいて多数の計算を実行することができる。ハブハードウェアは、複数の装置又は接続部がクラウドコンピューティングリソース及びストレージと通信するコンピュータに接続することを可能にする。
【０３０６】
装置１ａ〜１ｎ／２ａ〜２ｍによって収集されたデータにクラウドコンピュータデータ処理技術を適用することで、外科用データネットワークは、外科的成果の改善、コスト低減及び患者満足度の改善を提供する。組織の封止及び切断処置後に、組織の状態を観察して封止された組織の漏出又は灌流を評価するために、装置１ａ〜１ｎ／２ａ〜２ｍのうちの少なくともいくつかを用いることができる。クラウドベースのコンピューティングを使用して、身体組織の試料の画像を含むデータを診断目的で検査して疾患の影響などの病状を特定するために、装置１ａ〜１ｎ／２ａ〜２ｍのうちの少なくともいくつかを用いることができる。そのようなデータには、組織の位置特定及びマージン確認並びに表現型が含まれる。撮像装置と一体化された様々なセンサを使用し、かつ複数の撮像装置によってキャプチャされた画像をオーバーレイするなどの技術を使用して、身体の解剖学的構造を特定するために、装置１ａ〜１ｎ／２ａ〜２ｍのうちの少なくともいくつかを用いることができる。画像データを含む、装置１ａ〜１ｎ／２ａ〜２ｍによって収集されたデータは、画像処理及び操作を含むデータ処理及び操作のために、クラウド２０４若しくはローカルコンピュータシステム２１０又はその両方に転送されてもよい。データは、組織特異的部位及び状態に対する内視鏡的介入、新興技術、標的化放射線、標的化介入及び精密ロボットの適用などの更なる治療を遂行できるかを判定することによって、外科処置の結果を改善するために分析されてもよい。こうしたデータ分析は、予後分析処理を更に採用してもよく、標準化されたアプローチを使用することは、外科処置及び外科医の挙動を確認するか、又は外科処置及び外科医の挙動に対する修正を提案するかのいずれかのために有益なフィードバックを提供することができる。
【０３０７】
一実装形態では、手術室装置１ａ〜１ｎは、ネットワークハブに対する装置１ａ〜１ｎの構成に応じて有線チャネル又は無線チャネルを介して、モジュール式通信ハブ２０３に接続されてもよい。ネットワークハブ２０７は、一態様では、開放型システム間相互接続（ＯＳＩ）モデルの物理層上で機能するローカルネットワークブロードキャスト装置として実装されてもよい。ネットワークハブは、同じ手術室ネットワーク内に位置する装置１ａ〜１ｎに接続性を提供する。ネットワークハブ２０７は、パケット形態のデータを収集し、それらを半二重モードでルータに送信する。ネットワークハブ２０７は、装置データを転送するための任意の媒体アクセス制御／インターネットプロトコル（ＭＡＣ／ＩＰ）は記憶しない。装置１ａ〜１ｎのうちの１つのみが、ネットワークハブ２０７を介して一度にデータを送信することができる。ネットワークハブ２０７は、情報の送信先に関する経路選択テーブル又はインテリジェンスを有さず、全てのネットワークデータを各コネクション全体及びクラウド２０４上のリモートサーバ２１３（図４２）にブロードキャストする。ネットワークハブ２０７は、コリジョンなどの基本的なネットワークエラーを検出することができるが、全ての情報を複数のポートにブロードキャストすることは、セキュリティリスクとなりボトルネックを引き起こすおそれがある。
【０３０８】
別の実装形態では、手術室装置２ａ〜２ｍは、有線チャネル又は無線チャネルを介してネットワークスイッチ２０９に接続されてもよい。ネットワークスイッチ２０９は、ＯＳＩモデルのデータリンク層内で機能する。ネットワークスイッチ２０９は、同じ手術室内に位置する装置２ａ〜２ｍをネットワークに接続するためのマルチキャスト装置である。ネットワークスイッチ２０９は、フレームの形態のデータをネットワークルータ２１１に送信し、全二重モードで機能する。複数の装置２ａ〜２ｍは、ネットワークスイッチ２０９を介して同時にデータを送信することができる。ネットワークスイッチ２０９は、データを転送するために装置２ａ〜２ｍのＭＡＣアドレスを記憶かつ使用する。
【０３０９】
ネットワークハブ２０７及び／又はネットワークスイッチ２０９は、クラウド２０４に接続するためにネットワークルータ２１１に連結されている。ネットワークルータ２１１は、ＯＳＩモデルのネットワーク層内で機能する。ネットワークルータ２１１は、装置１ａ〜１ｎ／２ａ〜２ｍのいずれか１つ又は全てによって収集されたデータを更に処理及び操作するために、ネットワークハブ２０７及び／又はネットワークスイッチ２１１から受信したデータパケットをクラウドベースのコンピュータリソースに送信するための経路を作成する。ネットワークルータ２１１は、例えば、同じ医療施設の異なる手術室又は異なる医療施設の異なる手術室に位置する異なるネットワークなどの、異なる位置に位置する２つ以上の異なるネットワークを接続するために用いられてもよい。ネットワークルータ２１１は、パケット形態のデータをクラウド２０４に送信し、全二重モードで機能する。複数の装置が同時にデータを送信することができる。ネットワークルータ２１１は、データを転送するためにＩＰアドレスを使用する。
【０３１０】
一例では、ネットワークハブ２０７は、複数のＵＳＢ装置をホストコンピュータに接続することを可能にするＵＳＢハブとして実装されてもよい。ＵＳＢハブは、装置をホストシステムコンピュータに接続するために利用可能なポートが多くなるように、単一のＵＳＢポートをいくつかの階層に拡張することができる。ネットワークハブ２０７は、有線チャネル又は無線チャネルを介して情報を受信するための有線又は無線能を含むことができる。一態様では、無線ＵＳＢ短距離高帯域無線通信プロトコルが、手術室内に位置する装置１ａ〜１ｎと装置２ａ〜２ｍとの間の通信のために使用されてもよい。
【０３１１】
他の例では、手術室装置１ａ〜１ｎ／２ａ〜２ｍは、固定及びモバイル装置から短距離にわたってデータを交換し（２．４〜２．４８５ＧＨｚのＩＳＭ帯域における短波長ＵＨＦ電波を使用して）、かつパーソナルエリアネットワーク（ＰＡＮ）を構築するために、Ｂｌｕｅｔｏｏｔｈ無線技術規格を介してモジュール式通信ハブ２０３と通信することができる。他の態様では、手術室装置１ａ〜１ｎ／２ａ〜２ｍは、数多くの無線又は有線通信規格又はプロトコルを介してモジュール式通信ハブ２０３と通信することができ、そのような規格又はプロトコルとしては、Ｗｉ−Ｆｉ（ＩＥＥＥ８０２．１１ファミリー）、ＷｉＭＡＸ（ＩＥＥＥ８０２．１６ファミリー）、ＩＥＥＥ８０２．２０、ロング・ターム・エボリューション（ＬＴＥ）並びにＥｖ−ＤＯ、ＨＳＰＡ＋、ＨＳＤＰＡ＋、ＨＳＵＰＡ＋、ＥＤＧＥ、ＧＳＭ、ＧＰＲＳ、ＣＤＭＡ、ＴＤＭＡ、ＤＥＣＴ及びこれらのイーサネット派生物のみならず３Ｇ、４Ｇ、５Ｇ及びそれ以降と指定される任意の他の無線及び有線プロトコルが挙げられるがこれらに限定されない。コンピューティングモジュールは、複数の通信モジュールを含んでもよい。例えば、第１の通信モジュールは、Ｗｉ−Ｆｉ及びＢｌｕｅｔｏｏｔｈなどのより短距離の無線通信専用であってもよく、第２の通信モジュールは、ＧＰＳ、ＥＤＧＥ、ＧＰＲＳ、ＣＤＭＡ、ＷｉＭＡＸ、ＬＴＥ、Ｅｖ−ＤＯなどのより長距離の無線通信専用であってもよい。
【０３１２】
モジュール式通信ハブ２０３は、手術室装置１ａ〜１ｎ／２ａ〜２ｍの１つ又は全ての中央接続部として機能することができ、フレームとして知られるデータ型を取り扱う。フレームは、装置１ａ〜１ｎ／２ａ〜２ｍによって生成されたデータを搬送する。フレームがモジュール式通信ハブ２０３によって受信されると、フレームは増幅されてネットワークルータ２１１へ送信され、ネットワークルータ２１１は本明細書に記載されるように、数多くの無線又は有線通信規格又はプロトコルを使用することによって、このデータをクラウドコンピューティングリソースに転送する。
【０３１３】
モジュール式通信ハブ２０３は、スタンドアロンの装置として使用されてもよく、又はより大きなネットワークを形成するために互換性のあるネットワークハブ及びネットワークスイッチに接続されてもよい。モジュール式通信ハブ２０３は、一般に据え付け、構成、及び維持が容易であるため、モジュール式通信ハブ２０３は手術室装置１ａ〜１ｎ／２ａ〜２ｍをネットワーク接続するための良好な選択肢となる。
【０３１４】
図４２は、コンピュータ実装インタラクティブ外科システム２００を示す。コンピュータ実装インタラクティブ外科システム２００は、多くの点で、コンピュータ実装インタラクティブ外科システム１００と類似している。例えば、コンピュータ実装インタラクティブ外科システム２００は、多くの点で外科システム１０２と類似する１つ以上の外科システム２０２を含む。各外科システム２０２は、リモートサーバ２１３を含み得るクラウド２０４と通信する少なくとも１つの外科用ハブ２０６を含む。一態様では、コンピュータ実装インタラクティブ外科システム２００は、例えば、インテリジェント外科用器具、ロボット及び手術室内に位置する他のコンピュータ化装置などの複数の手術室装置に接続されたモジュール式制御タワー２３６を備える。図４３に示されるように、モジュール式制御タワー２３６は、コンピュータシステム２１０に連結されたモジュール式通信ハブ２０３を備える。図４２の例に例示するように、モジュール式制御タワー２３６は、内視鏡２３９に連結された撮像モジュール２３８、エネルギー装置２４１に連結された発生器モジュール２４０、排煙器モジュール２２６、吸引／灌注モジュール２２８、通信モジュール２３０、プロセッサモジュール２３２、ストレージアレイ２３４、任意でディスプレイ２３７に連結されたスマート装置／器具２３５及び非接触センサモジュール２４２に連結されている。手術室装置は、モジュール式制御タワー２３６を介してクラウドコンピューティングリソース及びデータストレージに連結されている。ロボットハブ２２２もまた、モジュール式制御タワー２３６及びクラウドコンピューティングリソースに接続されてもよい。中でもとりわけ、装置／器具２３５、可視化システム２０８が、本明細書に記載されるように、有線又は無線通信規格又はプロトコルを介して、モジュール式制御タワー２３６に連結されてもよい。モジュール式制御タワー２３６は、撮像モジュール、装置／器具ディスプレイ及び／又は他の可視化システム２０８から受信した画像を表示及びオーバーレイするためにハブディスプレイ２１５（例えば、モニタ、スクリーン）に連結されてもよい。ハブディスプレイはまた、モジュール式制御タワーに接続された装置から受信したデータを、画像及びオーバーレイ画像と共に表示してもよい。
【０３１５】
図４３は、モジュール式制御タワー２３６に連結された複数のモジュールを備える外科用ハブ２０６を示す。モジュール式制御タワー２３６は、例えばネットワーク接続装置などのモジュール式通信ハブ２０３と、例えばローカルでの処理、可視化及び撮像を提供するためのコンピュータシステム２１０と、を備える。図４３に示すように、モジュール式通信ハブ２０３は、モジュール式通信ハブ２０３に接続できるモジュール（例えば、装置）の数を拡張するために階層化構成で接続されて、モジュールに関連付けられたデータをコンピュータシステム２１０、クラウドコンピューティングリソース、又はその両方に転送することができる。図４３に示すように、モジュール式通信ハブ２０３内のネットワークハブ／スイッチのそれぞれは、３つの下流ポート及び１つの上流ポートを含む。上流のネットワークハブ／スイッチは、クラウドコンピューティングリソース及びローカルディスプレイ２１７への通信接続を提供するためにプロセッサに接続されている。クラウド２０４への通信は、有線又は無線通信チャネルのいずれかを介して行うことができる。
【０３１６】
外科用ハブ２０６は、非接触センサモジュール２４２を使用して、手術室の寸法を測定し、また超音波又はレーザー型非接触測定装置のいずれかを使用して手術室のマップを生成する。その開示内容全体が参照により本明細書に組み込まれる「ＩＮＴＥＲＡＣＴＩＶＥ  ＳＵＲＧＩＣＡＬ  ＰＬＡＴＦＯＲＭ」と題する２０１７年１２月２８日出願の米国仮特許出願第６２／６１１，３４１号中の「Ｓｕｒｇｉｃａｌ  Ｈｕｂ  Ｓｐａｔｉａｌ  Ａｗａｒｅｎｅｓｓ  Ｗｉｔｈｉｎ  ａｎ  Ｏｐｅｒａｔｉｎｇ  Ｒｏｏｍ」の項で説明されるように、超音波ベースの非接触センサモジュールは、超音波のバーストを送信し、超音波のバーストが手術室の外壁に反射したときのエコーを受信することによって手術室を走査し、ここでセンサモジュールが、手術室のサイズを判定し、かつＢｌｕｅｔｏｏｔｈペアリングの距離限界を調整するように構成される。レーザーベースの非接触センサモジュールは、例えば、レーザー光パルスを送信することによって手術室を走査し、手術室の外壁に反射するレーザー光パルスを受信し、送信されたパルスの位相を受信したパルスと比較して手術室のサイズを判定し、Ｂｌｕｅｔｏｏｔｈペアリング距離限界を調整する。
【０３１７】
コンピュータシステム２１０は、プロセッサ２４４と、ネットワークインターフェース２４５と、を備える。プロセッサ２４４は、システムバスを介して、通信モジュール２４７、ストレージ２４８、メモリ２４９、不揮発性メモリ２５０及び入力／出力インターフェース２５１に連結されている。システムバスは、任意の様々なバスアーキテクチャを用いる、メモリバス若しくはメモリコントローラ、ペリフェラルバス若しくは外部バス、及び／又はローカルバスを含むいくつかのタイプのバス構造（複数可）のうちのいずれかであってもよく、それらのアーキテクチャの例としては、９ビットバス、業界標準アーキテクチャ（ＩＳＡ）、マイクロチャネルアーキテクチャ（ＭＳＡ）、拡張ＩＳＡ（ＥＩＳＡ）、インテリジェントドライブエレクトロニクス（ＩＤＥ）、ＶＥＳＡローカルバス（ＶＬＢ）、周辺装置相互接続（ＰＣＩ）、ＵＳＢ、アドバンスドグラフィックスポート（ＡＧＰ）、パーソナルコンピュータメモリカード国際協会バス（ＰＣＭＣＩＡ）、小型計算機システムインターフェース（ＳＣＳＩ）又は任意の他の独自バス（proprietary bus）が挙げられるが、これらに限定されない。
【０３１８】
プロセッサ２４４は、Ｔｅｘａｓ  Ｉｎｓｔｒｕｍｅｎｔｓ製のＡＲＭ  Ｃｏｒｔｅｘの商品名で知られているものなど、任意のシングルコア又はマルチコアプロセッサであってもよい。一態様では、プロセッサは、例えば、Ｔｅｘａｓ  Ｉｎｓｔｒｕｍｅｎｔｓから入手可能なＬＭ４Ｆ２３０Ｈ５ＱＲ  ＡＲＭ  Ｃｏｒｔｅｘ−Ｍ４Ｆプロセッサコアであってもよい。このプロセッサコアは、最大４０ＭＨｚの２５６ＫＢのシングルサイクルフラッシュメモリ若しくは他の不揮発性メモリのオンチップメモリ、性能を４０ＭＨｚ超に改善するためのプリフェッチバッファ、３２ＫＢのシングルサイクルシリアルランダムアクセスメモリ（ＳＲＡＭ）、ＳｔｅｌｌａｒｉｓＷａｒｅ（登録商標）ソフトウェアを搭載した内部読み出し専用メモリ（ＲＯＭ）、２ＫＢの電気的消去可能プログラマブル読み出し専用メモリ（ＥＥＰＲＯＭ）及び／又は、１つ以上のパルス幅変調（ＰＷＭ）モジュール、１つ以上の直交エンコーダ入力（ＱＥＩ）アナログ、１２個のアナログ入力チャネルを備える１つ以上の１２ビットアナログ−デジタル変換器（ＡＤＣ）を含む。なお、その詳細は、製品データシートで入手可能である。
【０３１９】
一態様では、プロセッサ２４４は、同じくＴｅｘａｓ  Ｉｎｓｔｒｕｍｅｎｔｓ製のＨｅｒｃｕｌｅｓ  ＡＲＭ  Ｃｏｒｔｅｘ  Ｒ４の商品名で知られるＴＭＳ５７０及びＲＭ４ｘなどの２つのコントローラ系ファミリーを含む安全コントローラを含んでもよい。安全コントローラは、拡張性のある性能、接続性及びメモリの選択肢を提供しながら、高度な集積型安全機構を提供するために、中でも特に、ＩＥＣ６１５０８及びＩＳＯ２６２６２の安全限界用途専用に構成されてもよい。
【０３２０】
システムメモリとしては、揮発性メモリ及び不揮発性メモリが挙げられる。起動中などにコンピュータシステム内の要素間で情報を転送するための基本ルーチンを含む基本入出力システム（ＢＩＯＳ）は、不揮発性メモリに記憶される。例えば、不揮発性メモリとしては、ＲＯＭ、プログラマブルＲＯＭ（ＰＲＯＭ）、電気的プログラマブルＲＯＭ（ＥＰＲＯＭ）、ＥＥＰＲＯＭ又はフラッシュメモリが挙げられ得る。揮発性メモリとしては、外部キャッシュメモリとして機能するランダムアクセスメモリ（ＲＡＭ）が挙げられる。更に、ＲＡＭは、ＳＲＡＭ、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、エンハンスドＳＤＲＡＭ（ＥＳＤＲＡＭ）、シンクリンクＤＲＡＭ（ＳＬＤＲＡＭ）及びダイレクトランバスＲＡＭ（ＤＲＲＡＭ）などの多くの形態で利用可能である。
【０３２１】
コンピュータシステム２１０はまた、取り外し可能／取り外し不可能な揮発性／不揮発性コンピュータストレージ媒体、例えばディスクストレージなどを含む。ディスクストレージとしては、磁気ディスクドライブ、フロッピーディスクドライブ、テープドライブ、Ｊａｚドライブ、Ｚｉｐドライブ、ＬＳ−６０ドライブ、フラッシュメモリカード又はメモリスティックのようなデバイスが挙げられるが、これらに限定されない。加えて、ディスクストレージは、上記のストレージ媒体を、独立して、又は他のストレージ媒体との組み合わせで含むことができる。他のストレージ媒体としては、コンパクトディスクＲＯＭ装置（ＣＤ−ＲＯＭ）、コンパクトディスク記録可能ドライブ（ＣＤ−Ｒドライブ）、コンパクトディスク書き換え可能ドライブ（ＣＤ−ＲＷドライブ）若しくはデジタル多用途ディスクＲＯＭドライブ（ＤＶＤ−ＲＯＭ）などの光ディスクドライブが挙げられるがこれらに限定されない。ディスクストレージ装置のシステムバスへの接続を容易にするために、取り外し可能な又は取り外し不可能なインターフェースが用いられてもよい。
【０３２２】
コンピュータシステム２１０は、好適な動作環境で説明されるユーザと基本コンピュータリソースとの間で媒介として機能するソフトウェアを含むことを理解されたい。このようなソフトウェアとしてはオペレーティングシステムが挙げられる。ディスクストレージ上に記憶され得るオペレーティングシステムは、コンピュータシステムのリソースを制御及び割り当てするように機能する。システムアプリケーションは、システムメモリ内又はディスクストレージ上のいずれかに記憶されたプログラムモジュール及びプログラムデータを介して、オペレーティングシステムによるリソース管理を活用する。本明細書に記載される様々な構成要素は、様々なオペレーティングシステム又はオペレーティングシステムどうしの組み合わせで実装することができることを理解されたい。
【０３２３】
ユーザは、Ｉ／Ｏインターフェース２５１に連結された入力装置（複数可）を介してコンピュータシステム２１０にコマンド又は情報を入力する。入力装置としては、マウス、トラックボール、スタイラス、タッチパッドなどのポインティングデバイス、キーボード、マイクロフォン、ジョイスティック、ゲームパッド、サテライト・ディッシュ、スキャナ、ＴＶチューナカード、デジタルカメラ、デジタルビデオカメラ、ウェブカメラなどが挙げられるが、これらに限定されない。これら及び他の入力装置は、インターフェースポート（複数可）を介し、システムバスを通じてプロセッサに接続する。インターフェースポート（複数可）としては、例えば、シリアルポート、パラレルポート、ゲームポート及びＵＳＢが挙げられる。出力装置（複数可）は、入力装置（複数可）と同じ種類のポートのうちのいくつかを使用する。したがって、例えば、ＵＳＢポートを使用して、コンピュータシステムに入力を提供し、コンピュータシステムからの情報を出力装置に出力してもよい。出力アダプタは、特別なアダプタを必要とする出力装置の中でもとりわけ、モニタ、ディスプレイ、スピーカ及びプリンタなどのいくつかの出力装置が存在することを示すために提供される。出力アダプタとしては、出力装置とシステムバスとの間の接続手段を提供するビデオ及びサウンドカードが挙げられるが、これはあくまで例示としてのものであり、限定するものではない。遠隔コンピュータ（複数可）などの他の装置及び／又は装置のシステムは、入力及び出力機能の両方を提供することに留意されたい。
【０３２４】
コンピュータシステム２１０は、クラウドコンピュータ（複数可）などの１つ以上の遠隔コンピュータ又はローカルコンピュータへの論理接続を使用するネットワーク化環境で動作することができる。遠隔クラウドコンピュータ（複数可）は、パーソナルコンピュータ、サーバ、ルータ、ネットワークＰＣ、ワークステーション、マイクロプロセッサベースの機器、ピア装置又は他の一般的なネットワークノードなどであり得るが、典型的には、コンピュータシステムに関して説明される要素の多く又は全てを含む。簡潔にするために、遠隔コンピュータ（複数可）と共に、メモリストレージ装置１台のみが示される。遠隔コンピュータ（複数可）は、ネットワークインターフェースを介してコンピュータシステムに論理的に接続され、続いて、通信接続部を介して物理的に接続される。ネットワークインターフェースは、ローカルエリアネットワーク（ＬＡＮ）及びワイドエリアネットワーク（ＷＡＮ）などの通信ネットワークを包含する。ＬＡＮ技術としては、光ファイバ分散データインターフェース（ＦＤＤＩ）、銅線分散データインターフェース（ＣＤＤＩ）、Ｅｔｈｅｒｎｅｔ／ＩＥＥＥ８０２．３、Ｔｏｋｅｎ  Ｒｉｎｇ／ＩＥＥＥ８０２．５などが挙げられる。ＷＡＮ技術としては、ポイントツーポイントリンク、統合サービスデジタルネットワーク（ＩＳＤＮ）及びその変形などの回路交換ネットワーク、パケット交換ネットワーク並びにデジタル加入者回線（ＤＳＬ）が挙げられるが、これらに限定されない。
【０３２５】
様々な態様では、図４３のコンピュータシステム２１０、図９〜図１０の撮像モジュール２３８、及び／又は可視化システム２０８、及び／又はプロセッサモジュール２３２は、画像プロセッサ、画像処理エンジン、メディアプロセッサ、又はデジタル画像の処理に使用される任意の専用デジタル信号プロセッサ（ＤＳＰ）を含んでもよい。画像プロセッサは、単一命令複数データ（ＳＩＭＤ）、又は複数命令複数データ（ＭＩＭＤ）技術を用いた並列コンピューティングを使用して速度及び効率を高めることができる。デジタル画像処理エンジンは、様々なタスクを実行することができる。画像プロセッサは、マルチコアプロセッサアーキテクチャを備えるチップ上のシステムであってもよい。
【０３２６】
通信接続部（複数可）とは、ネットワークインターフェースをバスに接続するために用いられるハードウェア／ソフトウェアを指す。例示の明瞭さのため通信接続部はコンピュータシステム内部に示されているが、通信接続部はコンピュータシステム２１０の外部にあってもよい。例示のみを目的として、ネットワークインターフェースへの接続に必要なハードウェア／ソフトウェアとしては、通常の電話グレードモデム、ケーブルモデム及びＤＳＬモデムを含むモデム、ＩＳＤＮアダプタ並びにイーサネットカードなどの内部及び外部技術が挙げられる。
【０３２７】
図４４は、本開示の一態様による、ＵＳＢネットワークハブ３００装置の一態様の機能ブロック図を示す。図示した態様では、ＵＳＢネットワークハブ装置３００は、Ｔｅｘａｓ  Ｉｎｓｔｒｕｍｅｎｔｓ製ＴＵＳＢ２０３６集積回路ハブを採用する。ＵＳＢネットワークハブ３００は、ＵＳＢ２．０規格に準拠する、上流ＵＳＢ送受信ポート３０２と、最大３つの下流ＵＳＢ送受信ポート３０４、３０６、３０８と、を提供するＣＭＯＳ装置である。上流ＵＳＢ送受信ポート３０２は、差動データプラス（ＤＰ０）入力とペアリングされた差動データマイナス（ＤＭ０）入力を含む差動ルートデータポートである。３つの下流ＵＳＢ送受信ポート３０４、３０６、３０８は、各ポートが差動データマイナス（ＤＭ１〜ＤＭ３）出力とペアリングした差動データプラス（ＤＰ１〜ＤＰ３）出力を含む差動データポートである。
【０３２８】
ＵＳＢネットワークハブ３００装置は、マイクロコントローラの代わりにデジタル状態マシンを備えて実装され、ファームウェアのプログラミングを必要としない。完全準拠したＵＳＢ送受信機が、上流ＵＳＢ送受信ポート３０２及び全ての下流ＵＳＢ送受信ポート３０４、３０６、３０８の回路に統合されている。下流ＵＳＢ送受信ポート３０４、３０６、３０８は、ポートに取り付けられた装置の速度に応じて立ち上がり速度を自動的に設定することによって、最高速度及び低速の装置の両方をサポートする。ＵＳＢネットワークハブ３００装置は、バスパワーモード又はセルフパワーモードのいずれかで構成されてもよく、電力を管理するためのハブパワー論理３１２を含む。
【０３２９】
ＵＳＢネットワークハブ３００装置は、シリアルインターフェースエンジン３１０（ＳＩＥ）を含む。ＳＩＥ３１０は、ＵＳＢネットワークハブ３００ハードウェアのフロントエンドであり、ＵＳＢ仕様書の第８章に記載されているプロトコルの大部分を取り扱う。ＳＩＥ３１０は、典型的には、トランザクションレベルまでのシグナリングを理解する。これが取り扱う機能としては、パケット認識、トランザクションの並べ替え、ＳＯＰ、ＥＯＰ、ＲＥＳＥＴ及びＲＥＳＵＭＥ信号の検出／生成、クロック／データ分離、非ゼロ復帰逆転（ＮＲＺＩ）データ符号化／復号及びビットスタッフィング、ＣＲＣ生成及びチェック（トークン及びデータ）、パケットＩＤ（ＰＩＤ）の生成及びチェック／復号、並びに／又はシリアル・パラレル／パラレル・シリアル変換が挙げられ得る。３１０はクロック入力３１４を受信し、ポート論理回路３２０、３２２、３２４を介して上流ＵＳＢ送受信ポート３０２と下流ＵＳＢ送受信ポート３０４、３０６、３０８との間の通信を制御するため、サスペンド／レジューム論理並びにフレームタイマー３１６回路及びハブリピータ回路３１８に連結されている。ＳＩＥ３１０は、シリアルＥＥＰＲＯＭインターフェース３３０を介してシリアルＥＥＰＲＯＭからコマンドを制御するように、インターフェース論理を介してコマンドデコーダ３２６に連結される。
【０３３０】
様々な態様では、ＵＳＢネットワークハブ３００は、最大６つの論理層（階層）内に構成された１２７個の機能を単一のコンピュータに接続することができる。更に、ＵＳＢネットワークハブ３００は、通信及び電力分配の両方を提供する標準化された４本のワイヤケーブルを使用して全ての周辺機器に接続することができる。電力構成は、バスパワーモード及びセルフパワーモードである。ＵＳＢネットワークハブ３００は、個々のポート電力管理又は連動ポート電力管理のいずれかを備えるバスパワーハブ及び個々のポート電力管理又は連動ポート電力管理のいずれかを備えるセルフパワーハブの、電力管理の４つのモードをサポートするように構成されてもよい。一態様では、ＵＳＢケーブル、ＵＳＢネットワークハブ３００を使用して、上流ＵＳＢ送受信ポート３０２はＵＳＢホストコントローラにプラグ接続され、下流ＵＳＢ送受信ポート３０４、３０６、３０８はＵＳＢに互換性のある装置を接続するために露出される、といった具合である。
【０３３１】
外科用器具のハードウェア
図４５は、本開示の１つ以上の態様による、外科用器具又はツールの制御システム４７０の論理図を示す。システム４７０は、制御回路を備える。制御回路は、プロセッサ４６２及びメモリ４６８を備えるマイクロコントローラ４６１を含む。例えば、センサ４７２、４７４、４７６のうちの１つ又は２つ以上が、プロセッサ４６２にリアルタイムなフィードバックを提供する。モータドライバ４９２によって駆動されるモータ４８２は、長手方向に移動可能な変位部材を動作可能に連結して、Ｉビームナイフ要素を駆動する。追跡システム４８０は、長手方向に移動可能な変位部材の位置を判定するように構成されている。位置情報は、長手方向に移動可能な駆動部材の位置、並びに発射部材、発射バー、及びＩビームナイフ要素の位置を判定するようにプログラム又は構成することができるプロセッサ４６２に提供される。追加のモータが、Ｉビームの発射、閉鎖管の移動、シャフトの回転、及び関節運動を制御するために、ツールドライバインターフェースに提供されてもよい。ディスプレイ４７３は、器具の様々な動作条件を表示し、データ入力のためのタッチスクリーン機能を含んでもよい。ディスプレイ４７３上に表示された情報は、内視鏡撮像モジュールを介して取得された画像とオーバーレイさせることができる。
【０３３２】
一態様では、マイクロコントローラ４６１は、Ｔｅｘａｓ  Ｉｎｓｔｒｕｍｅｎｔｓ製のＡＲＭ  Ｃｏｒｔｅｘの商品名で知られているものなど、任意のシングルコア又はマルチコアプロセッサであってもよい。一態様では、主マイクロコントローラ４６１は、例えば、その詳細が製品データシートで入手可能である、最大４０ＭＨｚの２５６ＫＢのシングルサイクルフラッシュメモリ若しくは他の不揮発性メモリのオンチップメモリ、性能を４０ＭＨｚ超に改善するためのプリフェッチバッファ、３２ＫＢのシングルサイクルＳＲＡＭ、ＳｔｅｌｌａｒｉｓＷａｒｅ（登録商標）ソフトウェアを搭載した内部ＲＯＭ、２ＫＢのＥＥＰＲＯＭ、１つ若しくは２つ以上のＰＷＭモジュール、１つ若しくは２つ以上のＱＥＩアナログ、及び／又は１２個のアナログ入力チャネルを備える１つ若しくは２つ以上の１２ビットＡＤＣを含む、Ｔｅｘａｓ  Ｉｎｓｔｒｕｍｅｎｔｓから入手可能なＬＭ４Ｆ２３０Ｈ５ＱＲ  ＡＲＭ  Ｃｏｒｔｅｘ−Ｍ４Ｆプロセッサコアであってもよい。
【０３３３】
一態様では、マイクロコントローラ４６１は、同じくＴｅｘａｓ  Ｉｎｓｔｒｕｍｅｎｔｓ製のＨｅｒｃｕｌｅｓ  ＡＲＭ  Ｃｏｒｔｅｘ  Ｒ４の商品名で知られるＴＭＳ５７０及びＲＭ４ｘなどの２つのコントローラ系ファミリーを含む安全コントローラを含んでもよい。安全コントローラは、拡張性のある性能、接続性及びメモリの選択肢を提供しながら、高度な集積型安全機構を提供するために、中でも特に、ＩＥＣ６１５０８及びＩＳＯ２６２６２の安全限界用途専用に構成されてもよい。
【０３３４】
マイクロコントローラ４６１は、ナイフ及び関節運動システムの速度及び位置に対する精密制御など、様々な機能を実行するようにプログラムされてもよい。一態様では、マイクロコントローラ４６１は、プロセッサ４６２及びメモリ４６８を含む。電動モータ４８２は、ギアボックス、及び関節運動又はナイフシステムへの機械的連結部を備えたブラシ付き直流（direct current、ＤＣ）モータであってもよい。一態様では、モータ駆動器４９２は、Ａｌｌｅｇｒｏ  Ｍｉｃｒｏｓｙｓｔｅｍｓ，Ｉｎｃから入手可能なＡ３９４１であってもよい。他のモータ駆動器を、絶対位置決めシステムを備える追跡システム４８０で使用するために容易に置き換えることができる。絶対位置決めシステムの詳細な説明は、その全体が参照により本明細書に組み込まれる「ＳＹＳＴＥＭＳ  ＡＮＤ  ＭＥＴＨＯＤＳ  ＦＯＲ  ＣＯＮＴＲＯＬＬＩＮＧ  Ａ  ＳＵＲＧＩＣＡＬ  ＳＴＡＰＬＩＮＧ  ＡＮＤ  ＣＵＴＴＩＮＧ  ＩＮＳＴＲＵＭＥＮＴ」と題する２０１７年１０月１９日公開の米国特許出願公開第２０１７／０２９６２１３号に記載されている。
【０３３５】
マイクロコントローラ４６１は、変位部材及び関節運動システムの速度及び位置に対する正確な制御を提供するようにプログラムされてもよい。マイクロコントローラ４６１は、マイクロコントローラ４６１のソフトウェア内で応答を計算するように構成されてもよい。計算された応答は、実際のシステムの測定された応答と比較されて「観測された」応答が得られ、これが実際のフィードバックの判定に用いられる。観測された応答は、シミュレーションによる応答の滑らかで連続的な性質を、測定による応答と釣り合わせる好適な同調された値であり、これはシステムに及ぼす外部の影響を検出することができる。
【０３３６】
一態様では、モータ４８２は、モータ駆動器４９２によって制御されてもよく、外科用器具又はツールの発射システムによって使用され得る。様々な形態において、モータ４８２は、例えば、約２５，０００ＲＰＭの最大回転速度を有するブラシ付きＤＣ駆動モータであってもよい。別の配置において、モータ４８２はブラシレスモータ、コードレスモータ、同期モータ、ステッパモータ、又は任意の他の好適な電気モータを含んでもよい。モータ駆動器４９２は、例えば、電界効果トランジスタ（field-effect transistor、ＦＥＴ）を含むＨブリッジ駆動器を備えてもよい。モータ４８２は、外科用器具又はツールに制御電力を供給するために、ハンドルアセンブリ又はツールハウジングに解除可能に装着された電源アセンブリによって給電され得る。電源アセンブリは、外科用器具又はツールに給電するための電源として使用され得る、直列に接続された多数の電池セルを含み得る電池を含んでもよい。特定の状況下では、電源アセンブリの電池セルは、交換可能及び／又は再充電可能であってもよい。少なくとも１つの例では、電池セルは、電源アセンブリに連結可能かつ電源アセンブリから分離可能であり得るリチウムイオン電池であり得る。
【０３３７】
モータ駆動器４９２は、Ａｌｌｅｇｒｏ  Ｍｉｃｒｏｓｙｓｔｅｍｓ，Ｉｎｃから入手可能なＡ３９４１であってもよい。Ａ３９４１  ４９２は、特にブラシ付きＤＣモータなどの誘導負荷を目的として設計された外部Ｎチャネルパワー金属酸化膜半導体電界効果トランジスタ（metal-oxide semiconductor field-effect transistor、ＭＯＳＦＥＴ）と共に使用するためのフルブリッジコントローラである。駆動器４９２は、固有の電荷ポンプレギュレータを備え、これは、完全（＞１０Ｖ）ゲート駆動を７Ｖまでの電池電圧に提供し、Ａ３９４１が５．５Ｖまでの低減ゲート駆動で動作することを可能にする。ＮチャネルＭＯＳＦＥＴに必要な上記の電池供給電圧を与えるために、ブートストラップコンデンサが用いられてもよい。ハイサイド駆動用の内部電荷ポンプにより、ＤＣ（１００％デューティサイクル）動作が可能となる。フルブリッジは、ダイオード又は同期整流を用いて高速又は低速減衰モードで駆動され得る。低速減衰モードにおいて、電流の再循環は、ハイサイドのＦＥＴによっても、ローサイドのＦＥＴによっても可能である。電力ＦＥＴは、レジスタで調節可能なデッドタイムによって、シュートスルーから保護される。統合診断は、低電圧、温度過昇、及びパワーブリッジの異常を指示するものであり、ほとんどの短絡状態下でパワーＭＯＳＦＥＴを保護するように構成され得る。他のモータ駆動器を、絶対位置決めシステムを備えた追跡システム４８０で使用するために容易に置換することができる。
【０３３８】
追跡システム４８０は、本開示の一態様による位置センサ４７２を備える制御されたモータ駆動回路配置を備える。絶対位置決めシステム用の位置センサ４７２は、変位部材の位置に対応する固有の位置信号を提供する。一態様では、変位部材は、ギア減速機アセンブリの対応する駆動ギアと噛合係合するための駆動歯のラックを備える長手方向に移動可能な駆動部材を表す。他の態様では、変位部材は、駆動歯のラックを含むように適合及び構成され得る発射部材を表す。更に別の態様では、変位部材は、発射バー又はＩビームを表し、それらの各々は、駆動歯のラックを含むように適合及び構成されてもよい。したがって、本明細書で使用するとき、変位部材という用語は、一般的に、駆動部材、発射部材、発射バー、Ｉビーム、又は変位され得る任意の要素など、外科用器具又はツールの任意の可動部材を指すために使用される。一態様では、長手方向に移動可能な駆動部材は、発射部材、発射バー、及びＩビームに連結される。したがって、絶対位置決めシステムは、実際には、長手方向に移動可能な駆動部材の直線変位を追跡することによって、Ｉビームの直線変位を追跡することができる。様々な他の態様では、変位部材は、直線変位を測定するのに好適な任意の位置センサ４７２に連結されてもよい。したがって、長手方向に移動可能な駆動部材、発射部材、発射バー、若しくはＩビーム、又はそれらの組み合わせは、任意の好適な直線変位センサに連結されてもよい。直線変位センサは、接触式又は非接触式変位センサを含んでもよい。直線変位センサは、線形可変差動変圧器（linear variable differential transformers、ＬＶＤＴ）、差動可変磁気抵抗型変換器（differential variable reluctance transducers、ＤＶＲＴ）、スライドポテンショメータ、移動可能な磁石及び一連の直線上に配置されたホール効果センサを備える磁気感知システム、固定された磁石及び一連の移動可能な直線上に配置されたホール効果センサを備える磁気感知システム、移動可能な光源及び一連の直線上に配置された光ダイオード若しくは光検出器を備える光学検出システム、固定された光源及び一連の移動可能な直線上に配置された光ダイオード若しくは光検出器を備える光学検出システム、又はこれらの任意の組み合わせを含んでもよい。
【０３３９】
電動モータ４８２は、変位部材上の駆動歯のセット又はラックと噛合係合で装着されるギアアセンブリと動作可能にインターフェースする回転式シャフトを含んでもよい。センサ素子は、位置センサ４７２素子の１回転が、変位部材のいくらかの直線長手方向並進に対応するように、ギアアセンブリに動作可能に連結されてもよい。ギヤリング及びセンサの機構を、ラックピニオン機構によって直線アクチュエータに、又はスパーギア若しくは他の接続部によって回転アクチュエータに連結することができる。電源は、絶対位置決めシステムに電力を供給し、出力インジケータは、絶対位置決めシステムの出力を表示することができる。変位部材は、ギア減速機アセンブリの対応する駆動ギアと噛合係合するために、その上に形成された駆動歯のラックを備える長手方向に移動可能な駆動部材を表す。変位部材は、長手方向に移動可能な発射部材、発射バー、Ｉビーム、又はこれらの組合せを表す。
【０３４０】
位置センサ４７２と関連付けられたセンサ素子の１回転は、変位部材の長手方向直線変位ｄ１に相当し、ｄ１は、変位部材に連結されたセンサ素子の１回転した後で、変位部材が点「ａ」から点「ｂ」まで移動する長手方向の直線距離である。センサ配置は、位置センサ４７２が変位部材のフルストロークに対して１回以上の回転を完了する結果をもたらすギアの減速を介して接続されてもよい。位置センサ４７２は、変位部材のフルストロークに対して複数回の回転を完了することができる。
【０３４１】
位置センサ４７２の２回以上の回転に対する固有の位置信号を提供するために、一連のスイッチ（ここでｎは１より大きい整数である）が、単独で用いられても、ギアの減速との組み合わせで用いられてもよい。スイッチの状態は、マイクロコントローラ４６１にフィードバックされ、マイクロコントローラ４６１は、論理を適用して、変位部材の長手方向の直線変位ｄ１＋ｄ２＋．．．ｄｎに対応する固有の位置信号を判定する。位置センサ４７２の出力はマイクロコントローラ４６１に提供される。センサ配置の位置センサ４７２は、位置信号又は値の固有の組み合わせを出力する、磁気センサ、電位差計などのアナログ回転センサ、又はアナログホール効果素子のアレイを備えてもよい。
【０３４２】
位置センサ４７２は、例えば、磁界の全磁界又はベクトル成分を測定するか否かに基づいて分類される磁気センサなどの、任意の数の磁気感知素子を備えてもよい。両タイプの磁気センサを生産するために用いられる技術は、物理学及び電子工学の多数の側面を含んでいる。磁界の感知に使用される技術としては、とりわけ、探りコイル、フラックスゲート、光ポンピング、核摂動（nuclear precession）、ＳＱＵＩＤ、ホール効果、異方性磁気抵抗、巨大磁気抵抗、磁気トンネル接合、巨大磁気インピーダンス、磁歪／圧電複合材、磁気ダイオード、磁気トランジスタ、光ファイバ、磁気光学、及び微小電気機械システムベースの磁気センサが挙げられる。
【０３４３】
一態様では、絶対位置決めシステムを備える追跡システム４８０の位置センサ４７２は、磁気回転絶対位置決めシステムを備える。位置センサ４７２は、Ａｕｓｔｒｉａ  Ｍｉｃｒｏｓｙｓｔｅｍｓ，ＡＧから入手可能なＡＳ５０５５ＥＱＦＴシングルチップ磁気回転位置センサとして実装されてもよい。位置センサ４７２は、マイクロコントローラ４６１と連携して絶対位置決めシステムを提供する。位置センサ４７２は、低電圧低電力の構成要素であり、磁石の上方に位置する位置センサ４７２のエリアに、４つのホール効果素子を含む。更に、高解像度ＡＤＣ及びスマート電力管理コントローラがチップ上に設けられている。加算、減算、ビットシフト、及びテーブル参照演算のみを必要とする、双曲線関数及び三角関数を計算する簡潔かつ効率的なアルゴリズムを実装するために、桁毎法（digit-by-digit method）及びボルダーアルゴリズム（Volder's algorithm）としても知られる、座標回転デジタルコンピュータ（coordinate rotation digital computer、ＣＯＲＤＩＣ）プロセッサが設けられる。角度位置、アラームビット、及び磁界情報は、シリアル周辺インターフェース（serial peripheral interface、ＳＰＩ）インターフェースなどの標準的なシリアル通信インターフェースを介してマイクロコントローラ４６１に伝送される。位置センサ４７２は、１２ビット又は１４ビットの解像度を提供する。位置センサ４７２は、小型のＱＦＮ１６ピン４×４×０．８５ｍｍパッケージで提供されるＡＳ５０５５チップであってもよい。
【０３４４】
絶対位置決めシステムを備える追跡システム４８０は、ＰＩＤ、状態フィードバック、及び適応コントローラなどのフィードバックコントローラを備えてもよく、かつ／又はこれを実装するようにプログラムされてもよい。電源が、フィードバックコントローラからの信号を、システムへの物理的入力、この場合は電圧へと変換する。他の例としては、電圧、電流、及び力のＰＷＭが挙げられる。位置センサ４７２によって測定される位置に加えて、物理的システムの物理パラメータを測定するために、他のセンサ（複数化）が設けられてもよい。いくつかの態様では、他のセンサ（複数可）としては、その全体が参照により本明細書に組み込まれる、「ＳＴＡＰＬＥ  ＣＡＲＴＲＩＤＧＥ  ＴＩＳＳＵＥ  ＴＨＩＣＫＮＥＳＳ  ＳＥＮＳＯＲ  ＳＹＳＴＥＭ」と題する２０１６年５月２４日発行の米国特許第９，３４５，４８１号、その全体が参照により本明細書に組み込まれる、「ＳＴＡＰＬＥ  ＣＡＲＴＲＩＤＧＥ  ＴＩＳＳＵＥ  ＴＨＩＣＫＮＥＳＳ  ＳＥＮＳＯＲ  ＳＹＳＴＥＭ」と題する２０１４年９月１８日公開の米国特許出願公開第２０１４／０２６３５５２号、及びその全体が参照により本明細書に組み込まれる、「ＴＥＣＨＮＩＱＵＥＳ  ＦＯＲ  ＡＤＡＰＴＩＶＥ  ＣＯＮＴＲＯＬ  ＯＦ  ＭＯＴＯＲ  ＶＥＬＯＣＩＴＹ  ＯＦ  Ａ  ＳＵＲＧＩＣＡＬ  ＳＴＡＰＬＩＮＧ  ＡＮＤ  ＣＵＴＴＩＮＧ  ＩＮＳＴＲＵＭＥＮＴ」と題する２０１７年６月２０日出願の米国特許出願第１５／６２８，１７５号に記載されているものなどのセンサ配置を挙げることができる。デジタル信号処理システムでは、絶対位置決めシステムはデジタルデータ取得システムに連結され、ここで絶対位置決めシステムの出力は有限の解像度及びサンプリング周波数を有する。絶対位置決めシステムは、計算された応答を測定された応答に向けて駆動する加重平均及び理論制御ループなどのアルゴリズムを使用して、計算された応答を測定された応答と組み合わせるために、比較及び組み合わせ回路を備え得る。入力を知ることによって物理的システムの状態及び出力がどうなるかを予測するために、物理的システムの計算された応答は、質量、慣性、粘性摩擦、誘導抵抗などの特性を考慮に入れる。
【０３４５】
絶対位置決めシステムは、モータ４８２が単に前方又は後方に経た工程の数を計数して装置アクチュエータ、駆動バー、ナイフなどの位置を推定する従来の回転エンコーダで必要となり得るような、変位部材をリセット（ゼロ又はホーム）位置へ後退又は前進させることなしに、器具の電源投入時に変位部材の絶対位置を提供する。
【０３４６】
例えば歪みゲージ又は微小歪みゲージなどのセンサ４７４は、例えば、アンビルに適用される閉鎖力を示すことができる、クランプ動作中にアンビルに及ぼされる歪みの振幅などのエンドエフェクタの１つ又は２つ以上のパラメータを測定するように構成される。測定された歪みは、デジタル信号に変換されて、プロセッサ４６２に提供される。センサ４７４の代わりに、又はこれに加えて、例えば、負荷センサなどのセンサ４７６が、閉鎖駆動システムによってアンビルに加えられる閉鎖力を測定することができる。例えば、負荷センサなどのセンサ４７６は、外科用器具又はツールの発射ストローク中にＩビームに加えられる発射力を測定することができる。Ｉビームは、楔形スレッドと係合するように構成されており、楔形スレッドは、ステープルドライバを上向きにカム作用して、ステープルを押し出してアンビルと変形接触させるように構成されている。Ｉビームはまた、Ｉビームを発射バーによって遠位に前進させる際に組織を切断するために使用することができる、鋭い切刃を含む。代替的に、モータ４８２による電流引き込みを測定するために、電流センサ４７８を用いることができる。発射部材を前進させるのに必要な力は、例えば、モータ４８２によって引き込まれる電流に対応し得る。測定された力は、デジタル信号に変換されて、プロセッサ４６２に提供される。
【０３４７】
一形態では、歪みゲージセンサ４７４を使用して、エンドエフェクタによって組織に加えられる力を測定することができる。治療される組織に対するエンドエフェクタによる力を測定するために、歪みゲージをエンドエフェクタに連結することができる。エンドエフェクタによって把持された組織に印加される力を測定するためのシステムは、例えば、エンドエフェクタの１つ又は２つ以上のパラメータを測定するように構成された微小歪みゲージなどの歪みゲージセンサ４７４を備える。一態様では、歪みゲージセンサ４７４は、クランプ動作中にエンドエフェクタのジョー部材に及ぼされる歪みの振幅又は大きさを測定することができ、これは組織の圧縮を示すことができる。測定された歪みは、デジタル信号に変換されて、マイクロコントローラ４６１のプロセッサ４６２に提供される。負荷センサ４７６は、例えば、アンビルとステープルカートリッジとの間に捕捉された組織を切断するために、ナイフ要素を動作させるために使用される力を測定することができる。磁界センサは、捕捉された組織の厚さを測定するために用いることができる。磁界センサの測定値もデジタル信号に変換されて、プロセッサ４６２に提供され得る。
【０３４８】
センサ４７４、４７６によってそれぞれ測定される、組織の圧縮、組織の厚さ、及び／又はエンドエフェクタを組織上で閉鎖するのに必要な力の測定値は、発射部材の選択された位置、及び／又は発射部材の速度の対応する値を特性決定するために、マイクロコントローラ４６１によって使用することができる。一例では、メモリ４６８は、評価の際にマイクロコントローラ４６１によって用いることができる技術、等式及び／又はルックアップテーブルを記憶することができる。
【０３４９】
外科用器具又はツールの制御システム４７０はまた、図８〜図１１に示されるようにモジュール式通信ハブと通信するための有線又は無線通信回路を備えてもよい。
【０３５０】
図４６は、本開示の一態様による、外科用器具又はツールの態様を制御するように構成された制御回路５００を示す。制御回路５００は、本明細書に説明される様々なプロセスを実装するように構成することができる。制御回路５００は、少なくとも１つのメモリ回路５０４に連結された１つ又は２つ以上のプロセッサ５０２（例えば、マイクロプロセッサ、マイクロコントローラ）を備えるマイクロコントローラを備えることができる。メモリ回路５０４は、プロセッサ５０２によって実行されると、本明細書に記載される様々なプロセスを実装するための機械命令をプロセッサ５０２に実行させる、機械実行可能命令を記憶する。プロセッサ５０２は、当該技術分野で既知の多数のシングルコア又はマルチコアプロセッサのうちの任意の１つであってもよい。メモリ回路５０４は、揮発性及び不揮発性の記憶媒体を備えることができる。プロセッサ５０２は、命令処理ユニット５０６及び演算ユニット５０８を含んでもよい。命令処理ユニットは、本開示のメモリ回路５０４から命令を受信するように構成されてもよい。
【０３５１】
図４７は、本開示の一態様による、外科用器具又はツールの態様を制御するように構成された組み合わせ論理回路５１０を示す。組み合わせ論理回路５１０は、本明細書に記載される様々なプロセスを実装するように構成することができる。組み合わせ論理回路５１０は、入力５１４で外科用器具又はツールと関連付けられたデータを受信し、組み合わせ論理５１２によってデータを処理し、出力５１６を提供するように構成された組み合わせ論理５１２を含む有限状態マシンを含み得る。
【０３５２】
図４８は、本開示の一態様による、外科用器具又はツールの態様を制御するように構成された順序論理回路５２０を示す。順序論理回路５２０又は組み合わせ論理５２２は、本明細書に記載される様々なプロセスを実装するように構成することができる。順序論理回路５２０は有限状態マシンを含んでもよい。順序論理回路５２０は、例えば、組み合わせ論理５２２、少なくとも１つのメモリ回路５２４、及びクロック５２９を含んでもよい。少なくとも１つのメモリ回路５２４は、有限状態マシンの現在の状態を記憶することができる。特定の例では、順序論理回路５２０は、同期式又は非同期式であってもよい。組み合わせ論理５２２は、入力５２６から外科用器具又はツールと関連付けられたデータを受信し、組み合わせ論理５２２によってデータを処理し、出力５２８を提供するように構成される。他の態様では、回路は、プロセッサ（例えば、図４６のプロセッサ５０２）と、本明細書の様々なプロセスを実装する有限状態マシンと、の組み合わせを含んでもよい。他の態様では、有限状態マシンは、組み合わせ論理回路（例えば、図４７の組み合わせ論理回路５１０）と順序論理回路５２０の組み合わせを含むことができる。
【０３５３】
図４９は、様々な機能を実行するために起動させることができる複数のモータを備える外科用器具又はツールを示す。特定の例では、第１のモータを起動させて第１の機能を実行することができ、第２のモータを起動させて第２の機能を実行することができ、第３のモータを起動させて第３の機能を実行することができ、第４のモータを起動させて第４の機能を実行することができる、といった具合である。特定の例では、ロボット外科用器具６００の複数のモータは個々に起動されて、エンドエフェクタにおいて発射運動、閉鎖運動、及び／又は関節運動を生じさせることができる。発射運動、閉鎖運動、及び／又は関節運動は、例えばシャフトアセンブリを介してエンドエフェクタに伝達することができる。
【０３５４】
特定の例では、外科用器具システム又はツールは発射モータ６０２を含んでもよい。発射モータ６０２は、具体的にはＩビーム要素を変位させるために、モータ６０２によって生成された発射運動をエンドエフェクタに伝達するように構成することができる、発射モータ駆動アセンブリ６０４に動作可能に連結されてもよい。特定の例では、モータ６０２によって生成される発射運動によって、例えば、ステープルをステープルカートリッジから、エンドエフェクタによって捕捉された組織内へと配備し、かつ／又はＩビーム要素の切刃を前進させて、捕捉された組織を切断してもよい。Ｉビーム要素は、モータ６０２の方向を逆転させることによって後退させることができる。
【０３５５】
特定の例では、外科用器具又はツールは閉鎖モータ６０３を含んでもよい。閉鎖モータ６０３は、具体的には閉鎖管を変位させてアンビルを閉鎖し、アンビルとステープルカートリッジとの間で組織を圧縮するためにモータ６０３によって生成された閉鎖運動をエンドエフェクタに伝達するように構成され得る、閉鎖モータ駆動アセンブリ６０５と動作可能に連結されてもよい。閉鎖運動によって、例えば、エンドエフェクタが開放構成から接近構成へと遷移して組織を取り込むことができる。エンドエフェクタは、モータ６０３の方向を逆転させることによって開放位置に遷移され得る。
【０３５６】
特定の例では、外科用器具又はツールは、例えば、１つ又は２つ以上の関節運動モータ６０６ａ、６０６ｂを含んでもよい。モータ６０６ａ、６０６ｂは、モータ６０６ａ、６０６ｂによって生成された関節運動をエンドエフェクタに伝達するように構成され得る、対応する関節運動モータ駆動アセンブリ６０８ａ、６０８ｂに動作可能に連結され得る。特定の例では、関節運動によって、例えば、エンドエフェクタがシャフトに対して関節運動することができる。
【０３５７】
上述したように、外科用器具又はツールは、様々な独立した機能を実施するように構成され得る複数のモータを含んでもよい。特定の例では、外科用器具又はツールの複数のモータは、他のモータが停止した状態を維持している間に、個別に又は別個に起動させて、１つ又は２つ以上の機能を実施することができる。例えば、関節運動モータ６０６ａ、６０６ｂを起動させて、発射モータ６０２が停止した状態を維持している間に、エンドエフェクタを関節運動させることができる。代替的に、発射モータ６０２を起動させて、関節運動モータ６０６が停止している間に、複数のステープルを発射させ、及び／又は刃先を前進させることができる。更に、閉鎖モータ６０３は、本明細書の以下でより詳細に説明されるように、閉鎖管及びＩビーム要素を遠位に前進させるために、発射モータ６０２と同時に起動されてもよい。
【０３５８】
特定の例では、外科用器具又はツールは、外科用器具又はツールの複数のモータと共に用いることができる、共通の制御モジュール６１０を含んでもよい。特定の例では、共通の制御モジュール６１０は、一度に複数のモータのうちの１つに対応することができる。例えば、共通の制御モジュール６１０は、ロボット外科用器具の複数のモータ対して個々に連結及び分離が可能であってもよい。特定の例では、外科用器具又はツールの複数のモータは、共通の制御モジュール６１０などの１つ又は２つ以上の共通の制御モジュールを共有してもよい。特定の例では、外科用器具又はツールの複数のモータは、共通の制御モジュール６１０に個別にかつ選択的に係合することができる。特定の例では、共通の制御モジュール６１０は、外科用器具又はツールの複数のモータのうちの一方との連携から、外科用器具又はツールの複数のモータのうちのもう一方との連携へと選択的に切り替えることができる。
【０３５９】
少なくとも１つの例では、共通の制御モジュール６１０は、関節運動モータ６０６ａ、６０６ｂとの動作可能な係合と、発射モータ６０２又は閉鎖モータ６０３のいずれかとの動作可能な係合と、の間で選択的に切り替えることができる。少なくとも１つの実施例では、図４９に示すように、スイッチ６１４は、複数の位置及び／又は状態間を移動又は遷移させることができる。例えば、第１の位置６１６では、スイッチ６１４は、共通の制御モジュール６１０を発射モータ６０２と電気的に連結してもよく、第２の位置６１７では、スイッチ６１４は、共通の制御モジュール６１０を閉鎖モータ６０３と電気的に連結してもよく、第３の位置６１８ａでは、スイッチ６１４は、共通の制御モジュール６１０を第１の関節運動モータ６０６ａと電気的に連結してもよく、第４の位置６１８ｂでは、スイッチ６１４は、共通の制御モジュール６１０を第２の関節運動モータ６０６ｂと電気的に連結してもよい。特定の例では、同時に、別個の共通の制御モジュール６１０を、発射モータ６０２、閉鎖モータ６０３、及び関節運動モータ６０６ａ、６０６ｂと電気的に連結してもよい。特定の例では、スイッチ６１４は、機械的スイッチ、電気機械的スイッチ、固体スイッチ、又は任意の好適な切り替え機構であってもよい。
【０３６０】
モータ６０２、６０３、６０６ａ、６０６ｂの各々は、モータのシャフト上の出力トルクを測定するためのトルクセンサを備えてもよい。エンドエフェクタ上の力は、ジョーの外側の力センサによって、又はジョーを作動させるモータのトルクセンサなどによって、任意の従来の様式で感知されてもよい。
【０３６１】
様々な例では、図４９に示されるように、共通の制御モジュール６１０は、１つ以上のＨブリッジＦＥＴを備え得るモータ駆動器６２６を備えてもよい。モータ駆動器６２６は、例えば、マイクロコントローラ６２０（「コントローラ」）からの入力に基づいて、電源６２８から共通の制御モジュール６１０に連結されたモータへと伝達された電力を変調してもよい。特定の例では、上述したように、例えば、モータが共通の制御モジュール６１０に連結されている間にマイクロコントローラ６２０を用いて、モータによって引き込まれる電流を判定することができる。
【０３６２】
特定の例では、マイクロコントローラ６２０は、マイクロプロセッサ６２２（「プロセッサ」）と、１つ又は２つ以上の非一時的コンピュータ可読媒体又はメモリユニット６２４（「メモリ」）と、を含んでもよい。特定の例では、メモリ６２４は、様々なプログラム命令を記憶することができ、それが実行されると、プロセッサ６２２に、本明細書に記載される複数の機能及び／又は計算を実施させることができる。特定の例では、メモリユニット６２４の１つ又は２つ以上が、例えば、プロセッサ６２２に連結されてもよい。
【０３６３】
特定の例では、電源６２８を用いて、例えばマイクロコントローラ６２０に電力を供給してもよい。特定の例では、電源６２８は、例えばリチウムイオン電池などの電池（又は「電池パック」若しくは「パワーパック」）を含んでもよい。特定の例では、電池パックは、外科用器具６００に電力を供給するため、ハンドルに解除可能に装着されるように構成されてもよい。直列で接続された多数の電池セルを、電源６２８として使用してもよい。特定の例では、電源６２８は、例えば、交換可能及び／又は再充電可能であってもよい。
【０３６４】
様々な例では、プロセッサ６２２は、モータ駆動器６２６を制御して、共通の制御モジュール６１０に連結されるモータの位置、回転方向、及び／又は速度を制御することができる。特定の例では、プロセッサ６２２は、モータ駆動器６２６に信号伝達して、共通の制御モジュール６１０に連結されるモータを停止及び／又は使用不能にすることができる。「プロセッサ」という用語は、本明細書で使用されるとき、任意の好適なマイクロプロセッサ、マイクロコントローラ、又は、コンピュータの中央処理装置（central processing unit、ＣＰＵ）の機能を１つの集積回路又は最大で数個の集積回路上で統合した他の基本コンピューティング装置を含むと理解されるべきである。プロセッサは、デジタルデータを入力として受理し、メモリに記憶された命令に従ってそのデータを処理し、結果を出力として提供する、多目的のプログラマブル素子である。これは、内部メモリを有するので、逐次的デジタル論理の一例である。プロセッサは、二進数法で表される数字及び記号で動作する。
【０３６５】
一例では、プロセッサ６２２は、Ｔｅｘａｓ  Ｉｎｓｔｒｕｍｅｎｔｓ製のＡＲＭ  Ｃｏｒｔｅｘの商品名で知られているものなど、任意のシングルコア又はマルチコアプロセッサであってもよい。特定の例では、マイクロコントローラ６２０は、例えばＴｅｘａｓ  Ｉｎｓｔｒｕｍｅｎｔｓから入手可能なＬＭ  ４Ｆ２３０Ｈ５ＱＲであってもよい。少なくとも１つの実施例では、Ｔｅｘａｓ  ＩｎｓｔｒｕｍｅｎｔｓのＬＭ４Ｆ２３０Ｈ５ＱＲは、製品データシートで容易に利用可能な機能の中でもとりわけ、最大４０ＭＨｚの２５６ＫＢのシングルサイクルフラッシュメモリ若しくは他の不揮発性メモリのオンチップメモリ、性能を４０ＭＨｚ超に改善するためのプリフェッチバッファ、３２ＫＢのシングルサイクルＳＲＡＭ、ＳｔｅｌｌａｒｉｓＷａｒｅ（登録商標）ソフトウェアを搭載した内部ＲＯＭ、２ＫＢのＥＥＰＲＯＭ、１つ又は２つ以上のＰＷＭモジュール、１つ又は２つ以上のＱＥＩアナログ、１２個のアナログ入力チャネルを備える１つ又は２つ以上の１２ビットＡＤＣを含むＡＲＭ  Ｃｏｒｔｅｘ−Ｍ４Ｆプロセッサコアである。他のマイクロコントローラが、モジュール４４１０と共に使用するのに容易に代用されてもよい。したがって、本開示は、この文脈に限定されるべきではない。
【０３６６】
特定の例では、メモリ６２４は、共通の制御モジュール６１０に連結可能な外科用器具６００のモータの各々を制御するためのプログラム命令を含んでもよい。例えば、メモリ６２４は、発射モータ６０２、閉鎖モータ６０３、及び関節運動モータ６０６ａ、６０６ｂを制御するためのプログラム命令を含んでもよい。このようなプログラム命令は、プロセッサ６２２に、外科用器具又はツールのアルゴリズム又は制御プログラムからの入力に従って、発射機能、閉鎖機能、及び関節運動機能を制御させることができる。
【０３６７】
特定の例では、例えば、センサ６３０などの１つ又は２つ以上の機構及び／又はセンサを用いて、特定の設定で使用すべきプログラム命令をプロセッサ６２２に警告することができる。例えば、センサ６３０は、エンドエフェクタの発射、閉鎖、及び関節運動に関連するプログラム命令を使用するようにプロセッサ６２２に警告することができる。特定の例では、センサ６３０は、例えば、スイッチ６１４の位置を感知するために用いることができる位置センサを備えてもよい。したがって、プロセッサ６２２は、例えば、センサ６３０を介してスイッチ６１４が第１の位置６１６にあることを検出すると、エンドエフェクタのＩビームの発射と関連付けられたプログラム命令を使用することができ、プロセッサ６２２は、例えば、センサ６３０を介してスイッチ６１４が第２の位置６１７にあることを検出すると、アンビルの閉鎖と関連付けられたプログラム命令を使用することができ、プロセッサ６２２は、例えば、センサ６３０を介してスイッチ６１４が第３の位置６１８ａ又は第４の位置６１８ｂにあることを検出すると、エンドエフェクタの関節運動と関連付けられたプログラム命令を使用することができる。
【０３６８】
図５０は、本開示の一態様による、本明細書に記載される外科用ツールを操作するように構成されたロボット外科用器具７００の概略図である。ロボット外科用器具７００は、単一又は複数の関節運動駆動連結部のいずれかを用いて、変位部材の遠位／近位並進、閉鎖管の遠位／近位変位、シャフトの回転及び関節運動を制御するようにプログラム又は構成されてもよい。一態様では、外科用器具７００は、発射部材、閉鎖部材、シャフト部材、又は１つ若しくは２つ以上の関節運動部材を独立して制御するようにプログラム又は構成されてもよい。外科用器具７００は、モータ駆動式の発射部材、閉鎖部材、シャフト部材、又は１つ若しくは２つ以上の関節運動部材を制御するように構成された制御回路７１０を備える。
【０３６９】
一態様では、ロボット外科用器具７００は、複数のモータ７０４ａ〜７０４ｅを介して、エンドエフェクタ７０２のアンビル７１６及びＩビーム７１４（鋭い切刃を含む）部分、取り外し可能なステープルカートリッジ７１８、シャフト７４０、並びに１つ以上の関節運動部材７４２ａ、７４２ｂを制御するように構成された制御回路７１０を備える。位置センサ７３４は、Ｉビーム７１４の位置フィードバックを制御回路７１０に提供するように構成することができる。他のセンサ７３８は、制御回路７１０にフィードバックを提供するように構成されてもよい。タイマー／カウンタ７３１は、制御回路７１０にタイミング及びカウント情報を提供する。モータ７０４ａ〜７０４ｅを動作させるためにエネルギー源７１２が設けられてもよく、電流センサ７３６はモータ電流フィードバックを制御回路７１０に提供する。モータ７０４ａ〜７０４ｅは、開ループ又は閉ループフィードバック制御において制御回路７１０によって個別に操作することができる。
【０３７０】
一態様では、制御回路７１０は、１つ以上のマイクロコントローラ、マイクロプロセッサ、又は１つ若しくは複数のプロセッサに、１つ以上のタスクを実施させる命令を実行するための他の好適なプロセッサを備えてもよい。一態様では、タイマー／カウンタ７３１は、経過時間又はデジタルカウントなどの出力信号を制御回路７１０に提供して、位置センサ７３４によって判定されたＩビーム７１４の位置をタイマー／カウンタ７３１の出力と相関させ、その結果、制御回路７１０は、Ｉビーム７１４が開始位置に対して特定の位置にあるときの、開始位置又は時間（ｔ）に対する特定の時間（ｔ）におけるＩビーム７１４の位置を判定することができる。タイマー／カウンタ７３１は、経過時間を測定するか、外部イベントを計数するか、又は外部イベントの時間を測定するように構成されてよい。
【０３７１】
一態様では、制御回路７１０は、１つ以上の組織状態に基づいてエンドエフェクタ７０２の機能を制御するようにプログラムされてもよい。制御回路７１０は、本明細書に記載されるように、直接的又は間接的のいずれかで厚さなどの組織状態を感知するようにプログラムされてもよい。制御回路７１０は、組織状態に基づいて発射制御プログラム又は閉鎖制御プログラムを選択するようにプログラムされてもよい。発射制御プログラムは、変位部材の遠位運動を記述することができる。様々な組織状態をより良好に処理するために様々な発射制御プログラムを選択することができる。例えば、より厚い組織が存在する場合、制御回路７１０は、変位部材をより低速で、かつ／又はより低電力で並進させるようにプログラムされてもよい。より薄い組織が存在する場合、制御回路７１０は、変位部材をより高速で、かつ／又はより高電力で並進させるようにプログラムされてもよい。閉鎖制御プログラムは、アンビル７１６によって組織に加えられる閉鎖力を制御し得る。その他の制御プログラムは、シャフト７４０及び関節運動部材７４２ａ、７４２ｂの回転を制御する。
【０３７２】
一態様では、制御回路７１０は、モータ設定点信号を生成することができる。モータ設定点信号は、様々なモータコントローラ７０８ａ〜７０８ｅに提供されてもよい。モータコントローラ７０８ａ〜７０８ｅは、本明細書で説明するように、モータ７０４ａ〜７０４ｅにモータ駆動信号を提供してモータ７０４ａ〜７０４ｅを駆動するように構成された１つ以上の回路を備えてもよい。いくつかの例では、モータ７０４ａ〜７０４ｅはブラシ付きＤＣ電動モータであってもよい。例えば、モータ７０４ａ〜７０４ｅの速度は、それぞれのモータ駆動信号に比例してもよい。いくつかの例では、モータ７０４ａ〜７０４ｅはブラシレスＤＣ電動モータであってもよく、それぞれのモータ駆動信号は、モータ７０４ａ〜７０４ｅの１つ以上の固定子巻線に提供されるＰＷＭ信号を含んでもよい。また、いくつかの例では、モータコントローラ７０８ａ〜７０８ｅは省略されてもよく、制御回路７１０がモータ駆動信号を直接生成してもよい。
【０３７３】
一態様では、制御回路７１０は、最初に、モータ７０４ａ〜７０４ｅのそれぞれを、変位部材のストロークの第１の開ループ部分では開ループ構成で動作させてもよい。ストロークの開ループ部分の間のロボット外科用器具７００の応答に基づいて、制御回路７１０は、閉ループ構成の発射制御プログラムを選択してもよい。器具の応答としては、開ループ部分の間の変位部材の並進距離、開ループ部分の間に経過する時間、開ループ部分の間にモータ７０４ａ〜７０４ｅのうちの１つに提供されるエネルギー、モータ駆動信号のパルス幅の合計などが挙げられ得る。開ループ部分の後で、制御回路７１０は、変位部材ストロークの第２の部分に対して選択された発射制御プログラムを実施してもよい。例えば、ストロークの閉ループ部分の間、制御回路７１０は、変位部材の位置を記述する並進データに基づいてモータ７０４ａ〜７０４ｅのうちの１つを閉ループ式に変調して、変位部材を一定速度で並進させてもよい。
【０３７４】
一態様では、モータ７０４ａ〜７０４ｅは、エネルギー源７１２から電力を受け取ることができる。エネルギー源７１２は、主交流電源、電池、スーパーキャパシタ又は任意の他の好適なエネルギー源によって駆動されるＤＣ電源であってもよい。モータ７０４ａ〜７０４ｅは、それぞれの伝達機構７０６ａ〜７０６ｅを介して、Ｉビーム７１４、アンビル７１６、シャフト７４０、関節運動７４２ａ、及び関節運動７４２ｂなどの個々の可動機械的要素に機械的に連結されてもよい。伝達機構７０６ａ〜７０６ｅは、モータ７０４ａ〜７０４ｅを可動機械的要素に連結するための１つ以上のギア又は他の連結構成要素を含んでもよい。位置センサ７３４は、Ｉビーム７１４の位置を感知することができる。位置センサ７３４は、Ｉビーム７１４の位置を示す位置データを生成することができる任意の種類のセンサであってもよく、又はそれを含んでもよい。いくつかの実施例では、位置センサ７３４は、Ｉビーム７１４が遠位及び近位に並進すると一連のパルスを制御回路７１０に提供するように構成されたエンコーダを含んでもよい。制御回路７１０は、パルスを追跡して、Ｉビーム７１４の位置を判定してもよい。例えば近接センサを含む他の好適な位置センサが使用されてもよい。他の種類の位置センサは、Ｉビーム７１４の運動を示す他の信号を提供することができる。また、いくつかの例では、位置センサ７３４は省略されてもよい。モータ７０４ａ〜７０４ｅのいずれかがステップモータである場合、制御回路７１０は、モータ７０４が実行するように命令されたステップの数及び方向を合計することによって、Ｉビーム７１４の位置を追跡することができる。位置センサ７３４は、エンドエフェクタ７０２内又は器具の任意の他の部分にて位置することができる。モータ７０４ａ〜７０４ｅのそれぞれの出力は、力を感知するためのトルクセンサ７４４ａ〜７４４ｅを含み、駆動シャフトの回転を感知するエンコーダを有する。
【０３７５】
一態様では、制御回路７１０は、エンドエフェクタ７０２のＩビーム７１４部分などの発射部材を駆動するように構成されている。制御回路７１０はモータ制御部７０８ａにモータ設定点を提供し、モータ制御部７０８ａはモータ７０４ａに駆動信号を提供する。モータ７０４ａの出力シャフトは、トルクセンサ７４４ａに連結されている。トルクセンサ７４４ａは、Ｉビーム７１４に連結された伝達機構７０６ａに連結される。伝達機構７０６ａは、エンドエフェクタ７０２の長手方向軸に沿って遠位方向及び近位方向へのＩビーム７１４の移動を制御するための回転要素及び発射部材などの可動機械的要素を備える。一態様では、モータ７０４ａは、第１のナイフ駆動ギア及び第２のナイフ駆動ギアを含むナイフギア減速セットを含むナイフギアアセンブリに連結されていてもよい。トルクセンサ７４４ａは、制御回路７１０に発射力フィードバック信号を提供する。発射力信号は、Ｉビーム７１４を発射又は変位させるために必要な力を表す。位置センサ７３４は、発射ストロークに沿ったＩビーム７１４の位置又は発射部材の位置を、フィードバック信号として制御回路７１０に提供するように構成することができる。エンドエフェクタ７０２は、制御回路７１０にフィードバック信号を提供するように構成された追加のセンサ７３８を含んでもよい。使用準備が整うと、制御回路７１０は、モータ制御部７０８ａに発射信号を提供することができる。発射信号に応答して、モータ７０４ａは、発射部材をエンドエフェクタ７０２の長手方向軸線に沿って近位のストローク開始位置からストローク開始位置の遠位側にあるストローク終了位置まで、遠位方向に駆動することができる。発射部材が遠位に並進すると、遠位端に配置された切断要素を備えるＩビーム７１４は、遠位に前進して、ステープルカートリッジ７１８とアンビル７１６との間に位置する組織を切断する。
【０３７６】
一態様では、制御回路７１０は、エンドエフェクタ７０２のアンビル７１６部分などの閉鎖部材を駆動するように構成されている。制御回路７１０は、モータ７０４ｂに駆動信号を提供するモータ制御部７０８ｂにモータ設定値を提供する。モータ７０４ｂの出力シャフトは、トルクセンサ７４４ｂに連結されている。トルクセンサ７４４ｂは、アンビル７１６に連結された伝達装置７０６ｂに連結される。伝達装置７０６ｂは、開放位置及び閉位置からのアンビル７１６の移動を制御するための回転要素及び閉鎖部材などの可動機械的要素を含む。一態様では、モータ７０４ｂは、閉鎖スパーギアと噛合係合して支持される閉鎖減速ギアセットを含む閉鎖ギアアセンブリに連結されている。トルクセンサ７４４ｂは、制御回路７１０に閉鎖力フィードバック信号を提供する。閉鎖力フィードバック信号は、アンビル７１６に適用される閉鎖力を表す。位置センサ７３４は、閉鎖部材の位置をフィードバック信号として制御回路７１０に提供するように構成されてもよい。エンドエフェクタ７０２内の追加のセンサ７３８は、閉鎖力フィードバック信号を制御回路７１０に提供することができる。枢動可能なアンビル７１６は、ステープルカートリッジ７１８の反対側に位置決めされる。使用準備が整うと、制御回路７１０は、モータ制御部７０８ｂに閉鎖信号を提供することができる。閉鎖信号に応答して、モータ７０４ｂは、閉鎖部材を前進させて、クランプアーム７１６とステープルカートリッジ７１８との間で組織を把持する。
【０３７７】
一態様では、制御回路７１０は、エンドエフェクタ７０２を回転させるために、シャフト７４０などのシャフト部材を回転させるように構成されている。制御回路７１０は、モータ７０４ｃに駆動信号を提供するモータ制御部７０８ｃにモータ設定点を提供する。モータ７０４ｃの出力シャフトは、トルクセンサ７４４ｃに連結されている。トルクセンサ７４４ｃは、シャフト７４０に連結された伝達機構７０６ｃに連結されている。伝達機構７０６ｃは、シャフト７４０の時計回り又は反時計回りの回転を、３６０度まで及びそれを超えて制御するための回転要素などの可動機械的要素を含む。一態様では、モータ７０４ｃは、ツール装着プレート上に動作可能に支持された回転ギアアセンブリによって動作可能に係合されるように、近位閉鎖管の近位端上に形成された（又はこれに取り付けられた）管状ギアセグメントを含む回転伝達機構アセンブリに連結されている。トルクセンサ７４４ｃは、制御回路７１０に回転力フィードバック信号を提供する。回転力フィードバック信号は、シャフト７４０に加えられる回転力を表す。位置センサ７３４は、閉鎖部材の位置をフィードバック信号として制御回路７１０に提供するように構成されてもよい。シャフトエンコーダなどの追加のセンサ７３８が、シャフト７４０の回転位置を制御回路７１０に提供してもよい。
【０３７８】
一態様では、制御回路７１０は、エンドエフェクタ７０２を関節運動させるように構成されている。制御回路７１０は、モータ制御部７０８ｄにモータ設定点を提供し、モータ制御部７０８ｄは、モータ７０４ｄに駆動信号を提供する。モータ７０４ｄの出力シャフトは、トルクセンサ７４４ｄに連結される。トルクセンサ７４４ｄは、関節運動部材７４２ａに連結された伝達機構７０６ｄに連結されている。伝達機構７０６ｄは、エンドエフェクタ７０２の±６５°の関節運動を制御するための関節運動要素などの可動機械的要素を含む。一態様では、モータ７０４ｄは、関節運動ナットに連結され、関節運動ナットは、遠位スパイン部分の近位端部分上で回転可能に軸支され、遠位スパイン部分の近位端部分上で関節運動ギアアセンブリによって回転可能に駆動される。トルクセンサ７４４ｄは、制御回路７１０に関節運動力フィードバック信号を提供する。関節運動力フィードバック信号は、エンドエフェクタ７０２に加えられる関節運動力を表す。関節運動エンコーダなどのセンサ７３８は、エンドエフェクタ７０２の関節運動位置を制御回路７１０に提供してもよい。
【０３７９】
別の態様では、ロボット外科システム７００の関節運動機能は、２つの関節運動部材又は連結部７４２ａ、７４２ｂを含んでもよい。これらの関節運動部材７４２ａ、７４２ｂは、２つのモータ７０８ｄ、７０８ｅによって駆動されるロボットインターフェース（ラック）上の個別のディスクによって駆動される。個別の発射モータ７０４ａが提供されると、ヘッドが運動していないときにヘッドに抵抗保持運動及び負荷を提供するために、かつヘッドが関節運動しているときに関節運動を提供するために、関節運動連結部７４２ａ、７４２ｂのそれぞれは、他の連結部に対して拮抗的に駆動され得る。関節運動部材７４２ａ、７４２ｂは、ヘッドが回転するときに規定の半径でヘッドに取り付けられる。したがって、ヘッドが回転するとプッシュプル連結部の機械的利益は変化する。この機械的利点の変化は、他の関節運動連結部の駆動システムでより顕著であり得る。
【０３８０】
一態様では、１つ以上のモータ７０４ａ〜７０４ｅは、ギアボックスと、発射部材、閉鎖部材又は関節運動部材への機械的連結部を備えるブラシ付きＤＣモータと、を備えてもよい。別の例としては、変位部材、関節運動連結部、閉鎖管及びシャフトなどの可動機械的要素を動作させる電動モータ７０４ａ〜７０４ｅが挙げられる。外部影響とは、組織、周囲体及び物理系上の摩擦などのものの、測定されていない予測不可能な影響である。こうした外部影響は、電動モータ７０４ａ〜７０４ｅの１つに反して作用する障害（drag）と呼ばれることがある。障害などの外部影響は、物理系の動作を物理系の所望の動作から逸脱させることがある。
【０３８１】
一態様では、位置センサ７３４は、絶対位置決めシステムとして実装されてもよい。一態様では、位置センサ７３４は、Ａｕｓｔｒｉａ  Ｍｉｃｒｏｓｙｓｔｅｍｓ，ＡＧから入手可能なＡＳ５０５５ＥＱＦＴシングルチップ磁気回転位置センサとして実装される磁気回転絶対位置決めシステムを備えてもよい。位置センサ７３４は、制御回路７１０とインターフェース接続されて、絶対位置決めシステムを提供することができる。位置は、磁石の上方に位置し、加算、減算、ビットシフト及びテーブル参照演算のみを必要とする、双曲線関数及び三角関数を計算する簡潔かつ効率的なアルゴリズムを実装するために設けられ、桁毎法及びボルダーアルゴリズムとしても知られるＣＯＲＤＩＣプロセッサに連結された、複数のホール効果素子を含み得る。
【０３８２】
一態様では、制御回路７１０は、１つ以上のセンサ７３８と通信してもよい。センサ７３８は、エンドエフェクタ７０２上に配置され、ロボット外科用器具７００と共に動作して、間隙距離対時間、組織圧縮対時間及びアンビル歪み対時間などの様々な導出パラメータを測定するように適合されてもよい。センサ７３８は、磁気センサ、磁界センサ、歪みゲージ、ロードセル、圧力センサ、力センサ、トルクセンサ、渦電流センサなどの誘導センサ、抵抗センサ、容量センサ、光学センサ及び／又はエンドエフェクタ７０２の１つ以上のパラメータを測定するための任意の他の好適なセンサを備えてもよい。センサ７３８は、１つ以上のセンサを含むことができる。センサ７３８は、分割された電極を使用して組織の位置を判定するために、ステープルカートリッジ７１８のデッキ上に配置されてもよい。トルクセンサ７４４ａ〜７４４ｅは、とりわけ、発射力、閉鎖力及び／又は関節運動力などの力を感知するように構成されてもよい。したがって、制御回路７１０は、（１）遠位閉鎖管によって経験される閉鎖負荷及びその位置、（２）ラックにある発射部材及びその位置、（３）ステープルカートリッジ７１８のどの部分がその上に組織を有しているか、並びに（４）両方の関節運動ロッド上の負荷及び位置を感知することができる。
【０３８３】
一態様では、１つ以上のセンサ７３８は、クランプ留め状態中のアンビル７１６における歪みの大きさを測定するように構成された、微小歪みゲージなどの歪みゲージを備えてもよい。歪みゲージは、歪みの大きさに伴って振幅が変動する電気信号を提供する。センサ７３８は、アンビル７１６とステープルカートリッジ７１８との間で圧縮された組織の存在によって生成された圧力を検出するように構成された圧力センサを備えてもよい。センサ７３８は、アンビル７１６とステープルカートリッジ７１８との間に位置する組織部分のインピーダンスを検出するように構成されてもよく、このインピーダンスは、それらの間に位置する組織の厚さ及び／又は充満度を示す。
【０３８４】
一態様では、センサ７３８は、とりわけ、１つ以上のリミットスイッチ、電気機械装置、固体スイッチ、ホール効果装置、磁気抵抗（ＭＲ）装置、巨大磁気抵抗（ＧＭＲ）装置、磁力計として実装されてもよい。他の実装形態では、センサ７３８は、とりわけ光センサ、ＩＲセンサ、紫外線センサなどの光の影響下で動作する固体スイッチとして実装されてもよい。更に、スイッチは、トランジスタ（例えば、ＦＥＴ、接合ＦＥＴ、ＭＯＳＦＥＴ、双極など）などの固体装置であってもよい。他の実装形態では、センサ７３８は、とりわけ、導電体非含有スイッチ、超音波スイッチ、加速度計及び慣性センサを含んでもよい。
【０３８５】
一態様では、センサ７３８は、閉鎖駆動システムによってアンビル７１６に及ぼされる力を測定するように構成され得る。例えば、１つ又は２つ以上のセンサ７３８は、閉鎖管によってアンビル７１６に加えられる閉鎖力を検出するために、閉鎖管とアンビル７１６との間の相互作用点に位置してもよい。アンビル７１６に対して及ぼされる力は、アンビル７１６とステープルカートリッジ７１８との間に捕捉された組織部分が経験する組織圧縮を表すものであり得る。１つ以上のセンサ７３８を、閉鎖駆動システムに沿って様々な相互作用点に配置して、閉鎖駆動システムによりアンビル７１６に適用される閉鎖力を検出することができる。１つ以上のセンサ７３８は、クランプ動作中にリアルタイムで、制御回路７１０のプロセッサによってサンプリングされてもよい。制御回路７１０は、リアルタイムのサンプル測定値を受信して、時間ベースの情報を提供及び分析し、アンビル７１６に適用される閉鎖力をリアルタイムで評価する。
【０３８６】
一態様では、電流センサ７３６を用いて、モータ７０４ａ〜７０４ｅのそれぞれによって引き込まれる電流を測定することができる。Ｉビーム７１４などの可動機械的要素のいずれかを前進させるのに必要な力は、モータ７０４ａ〜７０４ｅのうちの１つによって引き込まれる電流に対応する。力はデジタル信号に変換されて、制御回路７１０に提供される。制御回路７１０は、器具の実際のシステムの応答をコントローラのソフトウェアでシミュレートするように構成することができる。変位部材を作動させて、エンドエフェクタ７０２内のＩビーム７１４を目標速度又はその付近で移動させることができる。ロボット外科用器具７００は、フィードバックコントローラを含むことができ、フィードバックコントローラは、例えば、ＰＩＤ、状態フィードバック、線形二次（ＬＱＲ）及び／又は適応型コントローラが挙げられるがこれらに限定されない、任意のフィードバックコントローラのうちのいずれか１つであってもよい。ロボット外科用器具７００は、フィードバックコントローラからの信号を、例えば、ケース電圧、ＰＷＭ電圧、周波数変調電圧、電流、トルク及び／又は力などの物理的入力に変換するための電源を含むことができる。更なる詳細は、その全体が参照により本明細書に組み込まれる、２０１７年６月２９日出願の「ＣＬＯＳＥＤ  ＬＯＯＰ  ＶＥＬＯＣＩＴＹ  ＣＯＮＴＲＯＬ  ＴＥＣＨＮＩＱＵＥＳ  ＦＯＲ  ＲＯＢＯＴＩＣ  ＳＵＲＧＩＣＡＬ  ＩＮＳＴＲＵＭＥＮＴ」と題する米国特許出願第１５／６３６，８２９号に開示されている。
【０３８７】
図５１は、本開示の一態様による、変位部材の遠位並進を制御するようにプログラムされた外科用器具７５０のブロック図を示す。一態様では、外科用器具７５０は、Ｉビーム７６４などの変位部材の遠位並進を制御するようにプログラムされる。外科用器具７５０は、アンビル７６６、Ｉビーム７６４（鋭い切刃を含む）、及び取り外し可能なステープルカートリッジ７６８を備えることができるエンドエフェクタ７５２を備える。
【０３８８】
Ｉビーム７６４などの直線変位部材の位置、移動、変位、及び／又は並進は、絶対位置決めシステム、センサ機構、及び位置センサ７８４によって測定することができる。Ｉビーム７６４が長手方向に移動可能な駆動部材に連結されているため、Ｉビーム７６４の位置は、位置センサ７８４を使用して長手方向に移動可能な駆動部材の位置を測定することによって判定することができる。したがって、以下の説明では、Ｉビーム７６４の位置、変位、及び／又は並進は、本明細書に記載される位置センサ７８４によって達成することができる。制御回路７６０は、Ｉビーム７６４などの変位部材の並進を制御するようにプログラムされてもよい。いくつかの実施例では、制御回路７６０は、１つ以上のマイクロコントローラ、マイクロプロセッサ、又は、プロセッサ若しくは複数のプロセッサに記載される方法で変位部材、例えばＩビーム７６４を制御させる命令を実行するための他の好適なプロセッサを備えてもよい。一態様では、タイマー／カウンタ７８１は、経過時間又はデジタルカウントなどの出力信号を制御回路７６０に提供して、位置センサ７８４によって判定されたＩビーム７６４の位置をタイマー／カウンタ７８１の出力と相関させ、その結果、制御回路７６０は、開始位置に対する特定の時間（ｔ）におけるＩビーム７６４の位置を判定することができる。タイマー／カウンタ７８１は、経過時間を測定するか、外部イベントを計数するか、又は外部イベントの時間を測定するように構成されてよい。
【０３８９】
制御回路７６０は、モータ設定点信号７７２を生成してもよい。モータ設定点信号７７２は、モータコントローラ７５８に提供されてもよい。モータコントローラ７５８は、本明細書で説明するように、モータ７５４にモータ駆動信号７７４を提供してモータ７５４を駆動するように構成された１つ以上の回路を備えてもよい。いくつかの例では、モータ７５４は、ブラシ付きＤＣ電動モータであってもよい。例えば、モータ７５４の速度は、モータ駆動信号７７４に比例してもよい。いくつかの例では、モータ７５４はブラシレスＤＣ電動モータであってもよく、モータ駆動信号７７４は、モータ７５４の１つ以上の固定子巻線に提供されるＰＷＭ信号を含んでもよい。また、いくつかの例では、モータコントローラ７５８は省略されてもよく、制御回路７６０がモータ駆動信号７７４を直接生成してもよい。
【０３９０】
モータ７５４は、エネルギー源７６２から電力を受け取ることができる。エネルギー源７６２は、電池、スーパーキャパシタ又は任意の他の好適なエネルギー源であってもよく、あるいはそれを含んでもよい。モータ７５４は、伝達機構７５６を介してＩビーム７６４に機械的に連結されてもよい。伝達機構７５６は、モータ７５４をＩビーム７６４に連結するための１つ以上の歯車又は他の連結構成要素を含んでもよい。位置センサ７８４は、Ｉビーム７６４の位置を感知することができる。位置センサ７８４は、Ｉビーム７６４の位置を示す位置データを生成することができる任意の種類のセンサであってもよいか、又はそれを含んでもよい。いくつかの実施例では、位置センサ７８４は、Ｉビーム７６４が遠位及び近位に並進すると一連のパルスを制御回路７６０に提供するように構成されたエンコーダを含んでもよい。制御回路７６０は、パルスを追跡してＩビーム７６４の位置を判定してもよい。例えば近接センサを含む他の好適な位置センサが使用されてもよい。他の種類の位置センサは、Ｉビーム７６４の運動を示す他の信号を提供することができる。また、いくつかの例では、位置センサ７８４は省略されてもよい。モータ７５４がステップモータである場合、制御回路７６０は、モータ７５４が実行するように命令されたステップの数及び方向を合計することによって、Ｉビーム７６４の位置を追跡することができる。位置センサ７８４は、エンドエフェクタ７５２内又は器具の任意の他の部分にて位置することができる。
【０３９１】
制御回路７６０は、１つ以上のセンサ７８８と通信することができる。センサ７８８は、エンドエフェクタ７５２上に配置され、外科用器具７５０と共に動作して、間隙距離対時間、組織圧縮対時間及びアンビル歪み対時間などの様々な導出パラメータを測定するように適合されてもよい。センサ７８８は、磁気センサ、磁界センサ、歪みゲージ、圧力センサ、力センサ、渦電流センサなどの誘導センサ、抵抗センサ、容量センサ、光学センサ及び／又はエンドエフェクタ７５２の１つ以上のパラメータを測定するための任意の他の好適なセンサを備えてもよい。センサ７８８は、１つ以上のセンサを含むことができる。
【０３９２】
１つ以上のセンサ７８８は、クランプ留め状態中のアンビル７６６における歪みの大きさを測定するように構成された、微小歪みゲージなどの歪みゲージを備えてもよい。歪みゲージは、歪みの大きさに伴って振幅が変動する電気信号を提供する。センサ７８８は、アンビル７６６とステープルカートリッジ７６８との間で圧縮された組織の存在によって生成された圧力を検出するように構成された圧力センサを備えてもよい。センサ７８８は、アンビル７６６とステープルカートリッジ７６８との間に位置する組織部分のインピーダンスを検出するように構成することができ、このインピーダンスは、それらの間に位置する組織の厚さ及び／又は充満度を示す。
【０３９３】
センサ７８８は、閉鎖駆動システムにより、アンビル７６６上に及ぼされる力を測定するように構成されてもよい。例えば、１つ又は２つ以上のセンサ７８８は、閉鎖管によってアンビル７６６に加えられる閉鎖力を検出するために、閉鎖管とアンビル７６６との間の相互作用点に位置し得る。アンビル７６６に対して及ぼされる力は、アンビル７６６とステープルカートリッジ７６８との間に捕捉された組織部分が経験する組織圧縮を表すものであり得る。１つ以上のセンサ７８８を、閉鎖駆動システムに沿って様々な相互作用点に位置決めして、閉鎖駆動システムによりアンビル７６６に適用される閉鎖力を検出することができる。１つ以上のセンサ７８８は、クランプ動作中にリアルタイムで、制御回路７６０のプロセッサによってサンプリングされてもよい。制御回路７６０は、リアルタイムのサンプル測定値を受信して、時間ベースの情報を提供及び分析し、アンビル７６６に適用される閉鎖力をリアルタイムで評価する。
【０３９４】
モータ７５４によって引き込まれる電流を測定するために、電流センサ７８６を用いることができる。Ｉビーム７６４を前進させるのに必要な力は、モータ７５４によって引き込まれる電流に対応する。力はデジタル信号に変換されて、制御回路７６０に提供される。
【０３９５】
制御回路７６０は、器具の実際のシステムの応答をコントローラのソフトウェアでシミュレートするように構成することができる。変位部材を作動させて、エンドエフェクタ７５２内のＩビーム７６４を目標速度又はその付近で移動させることができる。外科用器具７５０は、フィードバックコントローラを含むことができ、フィードバックコントローラは、例えば、ＰＩＤ、状態フィードバック、ＬＱＲ及び／又は適応コントローラが挙げられるがこれらに限定されない、任意のフィードバックコントローラのうちのいずれか１つであってもよい。外科用器具７５０は、フィードバックコントローラからの信号を、例えば、ケース電圧、ＰＷＭ電圧、周波数変調電圧、電流、トルク及び／又は力などの物理的入力に変換するための電源を含むことができる。
【０３９６】
外科用器具７５０の実際の駆動システムは、ギアボックス、並びに関節運動及び／又はナイフシステムへの機械的連結部を備えるブラシ付きＤＣモータによって、変位部材、切断部材、又はＩビーム７６４を駆動するように構成されている。別の例は、交換式シャフトアセンブリの、例えば変位部材及び関節運動ドライバを動作させる電動モータ７５４である。外部影響とは、組織、周囲体及び物理系上の摩擦などのものの、測定されていない予測不可能な影響である。こうした外部影響は、電動モータ７５４に反して作用する障害と呼ばれることがある。障害などの外部影響は、物理系の動作を物理系の所望の動作から逸脱させることがある。
【０３９７】
様々な例示的態様は、モータ駆動の外科用ステープル留め及び切断手段を有するエンドエフェクタ７５２を備える外科用器具７５０を対象とする。例えば、モータ７５４は、エンドエフェクタ７５２の長手方向軸線に沿って遠位方向及び近位方向に変位部材を駆動してもよい。エンドエフェクタ７５２は、枢動可能なアンビル７６６と、使用のために構成される場合は、アンビル７６６の反対側に配置されたステープルカートリッジ７６８とを備えてもよい。臨床医は、本明細書に記載されるように、アンビル７６６とステープルカートリッジ７６８との間に組織を把持してもよい。器具７５０を使用する準備が整うと、臨床医は、例えば器具７５０のトリガを押すことによって発射信号を提供することができる。発射信号に応じて、モータ７５４は、変位部材をエンドエフェクタ７５２の長手方向軸線に沿って、近位のストローク開始位置からストローク開始位置の遠位にあるストローク終了位置まで遠位方向に駆動することができる。変位部材が遠位方向に並進するにつれて、遠位端に配置された切断要素を有するＩビーム７６４は、ステープルカートリッジ７６８とアンビル７６６との間の組織を切断することができる。
【０３９８】
様々な実施例では、外科用器具７５０は、１つ以上の組織状態に基づいて、例えば、Ｉビーム７６４などの変位部材の遠位並進を制御するようにプログラムされた制御回路７６０を備えてもよい。制御回路７６０は、本明細書に記載されるように、直接的又は間接的のいずれかで厚さなどの組織状態を感知するようにプログラムされてもよい。制御回路７６０は、組織状態に基づいて発射制御プログラムを選択するようにプログラムされてもよい。発射制御プログラムは、変位部材の遠位運動を記述することができる。様々な組織状態をより良好に処理するために様々な発射制御プログラムを選択することができる。例えば、より厚い組織が存在する場合、制御回路７６０は、変位部材をより低速で、かつ／又はより低電力で並進させるようにプログラムされてもよい。より薄い組織が存在する場合、制御回路７６０は、変位部材をより高速で、かつ／又はより高電力で並進させるようにプログラムされてもよい。
【０３９９】
いくつかの例では、制御回路７６０は、最初に、モータ７５４を、変位部材のストロークの第１の開ループ部分に対する開ループ構成で動作させてもよい。ストロークの開ループ部分の間の器具７５０の応答に基づいて、制御回路７６０は、発射制御プログラムを選択してもよい。器具の応答としては、開ループ部分の間の変位部材の並進距離、開ループ部分の間に経過する時間、開ループ部分の間にモータ７５４に提供されるエネルギー、モータ駆動信号のパルス幅の合計などを挙げることができる。開ループ部分の後、制御回路７６０は、変位部材ストロークの第２の部分に対して、選択された発射制御プログラムを実施してもよい。例えば、ストロークの閉ループ部分の間、制御回路７６０は、変位部材の位置を記述する並進データに基づいてモータ７５４を閉ループ式に変調して、変位部材を一定速度で並進させてもよい。更なる詳細は、その全体が参照により本明細書に組み込まれる、２０１７年９月２９日出願の「ＳＹＳＴＥＭ  ＡＮＤ  ＭＥＴＨＯＤＳ  ＦＯＲ  ＣＯＮＴＲＯＬＬＩＮＧ  Ａ  ＤＩＳＰＬＡＹ  ＯＦ  Ａ  ＳＵＲＧＩＣＡＬ  ＩＮＳＴＲＵＭＥＮＴ」と題する米国特許出願第１５／７２０，８５２号に開示されている。
【０４００】
図５２は、本開示の一態様による、様々な機能を制御するように構成された外科用器具７９０の概略図である。一態様では、外科用器具７９０は、Ｉビーム７６４などの変位部材の遠位並進を制御するようにプログラムされる。外科用器具７９０は、アンビル７６６と、Ｉビーム７６４と、ＲＦカートリッジ７９６（破線で示す）と交換することができる着脱可能なステープルカートリッジ７６８と、を備えることができるエンドエフェクタ７９２を備える。
【０４０１】
一態様では、センサ７８８は、とりわけ、リミットスイッチ、電気機械装置、固体スイッチ、ホール効果装置、ＭＲ装置、ＧＭＲ装置、磁力計として実装されてもよい。他の実装形態では、センサ６３８は、とりわけ光センサ、ＩＲセンサ、紫外線センサなどの光の影響下で動作する固体スイッチであってもよい。更に、スイッチは、トランジスタ（例えば、ＦＥＴ、接合ＦＥＴ、ＭＯＳＦＥＴ、双極など）などの固体装置であってもよい。他の実装形態では、センサ７８８は、とりわけ、導電体非含有スイッチ、超音波スイッチ、加速度計及び慣性センサを含んでもよい。
【０４０２】
一態様では、位置センサ７８４は、Ａｕｓｔｒｉａ  Ｍｉｃｒｏｓｙｓｔｅｍｓ（ＡＧ）から入手可能なＡＳ５０５５ＥＱＦＴシングルチップ磁気回転位置センサとして実装される磁気回転絶対位置決めシステムを備える絶対位置決めシステムとして実装されてもよい。位置センサ７８４は、制御回路７６０とインターフェース接続されて、絶対位置決めシステムを提供することができる。位置は、磁石の上方に位置し、加算、減算、ビットシフト及びテーブル参照演算のみを必要とする、双曲線関数及び三角関数を計算する簡潔かつ効率的なアルゴリズムを実装するために設けられ、桁毎法及びボルダーアルゴリズムとしても知られるＣＯＲＤＩＣプロセッサに連結された、複数のホール効果素子を含み得る。
【０４０３】
一態様では、Ｉビーム７６４は、上に組織切断ブレードを動作可能に支持するナイフ本体を備えるナイフ部材として実装されてもよく、アンビル係合タブ又は特徴部及びチャネル係合特徴部又は足部を更に含んでよい。一態様では、ステープルカートリッジ７６８は、標準的な（機械的）外科用締結具カートリッジとして実装されてもよい。一態様では、ＲＦカートリッジ７９６は、ＲＦカートリッジとして実装されてもよい。これら、及び他のセンサ構成は、その全体が本明細書に参照により組み込まれる、２０１７年６月２０日出願の「ＴＥＣＨＮＩＱＵＥＳ  ＦＯＲ  ＡＤＡＰＴＩＶＥ  ＣＯＮＴＲＯＬ  ＯＦ  ＭＯＴＯＲ  ＶＥＬＯＣＩＴＹ  ＯＦ  Ａ  ＳＵＲＧＩＣＡＬ  ＳＴＡＰＬＩＮＧ  ＡＮＤ  ＣＵＴＴＩＮＧ  ＩＮＳＴＲＵＭＥＮＴ」と題する同一出願者の米国特許出願第１５／６２８，１７５号に記載されている。
【０４０４】
Ｉビーム７６４などの直線変位部材の位置、移動、変位、及び／又は並進は、絶対位置決めシステム、センサ機構、及び位置センサ７８４として表される位置センサにより、測定可能である。Ｉビーム７６４が長手方向に移動可能な駆動部材に連結されているため、Ｉビーム７６４の位置は、位置センサ７８４を使用して長手方向に移動可能な駆動部材の位置を測定することによって判定することができる。したがって、以下の説明では、Ｉビーム７６４の位置、変位、及び／又は並進は、本明細書に記載される位置センサ７８４によって達成することができる。制御回路７６０は、本明細書に記載されるように、Ｉビーム７６４などの変位部材の並進を制御するようにプログラムされてもよい。いくつかの実施例では、制御回路７６０は、１つ以上のマイクロコントローラ、マイクロプロセッサ、又は、プロセッサ若しくは複数のプロセッサに記載される方法で変位部材、例えばＩビーム７６４を制御させる命令を実行するための他の好適なプロセッサを備えてもよい。一態様では、タイマー／カウンタ７８１は、経過時間又はデジタルカウントなどの出力信号を制御回路７６０に提供して、位置センサ７８４によって判定されたＩビーム７６４の位置をタイマー／カウンタ７８１の出力と相関させ、その結果、制御回路７６０は、開始位置に対する特定の時間（ｔ）におけるＩビーム７６４の位置を判定することができる。タイマー／カウンタ７８１は、経過時間を測定するか、外部イベントを計数するか、又は外部イベントの時間を測定するように構成されてよい。
【０４０５】
制御回路７６０は、モータ設定点信号７７２を生成してもよい。モータ設定点信号７７２は、モータコントローラ７５８に提供されてもよい。モータコントローラ７５８は、本明細書で説明するように、モータ７５４にモータ駆動信号７７４を提供してモータ７５４を駆動するように構成された１つ以上の回路を備えてもよい。いくつかの例では、モータ７５４は、ブラシ付きＤＣ電動モータであってもよい。例えば、モータ７５４の速度は、モータ駆動信号７７４に比例してもよい。いくつかの例では、モータ７５４はブラシレスＤＣ電動モータであってもよく、モータ駆動信号７７４は、モータ７５４の１つ以上の固定子巻線に提供されるＰＷＭ信号を含んでもよい。また、いくつかの例では、モータコントローラ７５８は省略されてもよく、制御回路７６０がモータ駆動信号７７４を直接生成してもよい。
【０４０６】
モータ７５４は、エネルギー源７６２から電力を受け取ることができる。エネルギー源７６２は、電池、スーパーキャパシタ又は任意の他の好適なエネルギー源であってもよく、あるいはそれを含んでもよい。モータ７５４は、伝達機構７５６を介してＩビーム７６４に機械的に連結されてもよい。伝達機構７５６は、モータ７５４をＩビーム７６４に連結するための１つ以上の歯車又は他の連結構成要素を含んでもよい。位置センサ７８４は、Ｉビーム７６４の位置を感知することができる。位置センサ７８４は、Ｉビーム７６４の位置を示す位置データを生成することができる任意の種類のセンサであってもよいか、又はそれを含んでもよい。いくつかの実施例では、位置センサ７８４は、Ｉビーム７６４が遠位及び近位に並進すると一連のパルスを制御回路７６０に提供するように構成されたエンコーダを含んでもよい。制御回路７６０は、パルスを追跡してＩビーム７６４の位置を判定してもよい。例えば近接センサを含む他の好適な位置センサが使用されてもよい。他の種類の位置センサは、Ｉビーム７６４の運動を示す他の信号を提供することができる。また、いくつかの例では、位置センサ７８４は省略されてもよい。モータ７５４がステップモータである場合、制御回路７６０は、モータが実行するように命令されたステップの数及び方向を合計することによって、Ｉビーム７６４の位置を追跡することができる。位置センサ７８４は、エンドエフェクタ７９２内又は器具の任意の他の部分にて位置することができる。
【０４０７】
制御回路７６０は、１つ以上のセンサ７８８と通信することができる。センサ７８８は、エンドエフェクタ７９２上に配置され、外科用器具７９０と共に動作して、間隙距離対時間、組織圧縮対時間及びアンビル歪み対時間などの様々な導出パラメータを測定するように適合されてもよい。センサ７８８は、磁気センサ、磁界センサ、歪みゲージ、圧力センサ、力センサ、渦電流センサなどの誘導センサ、抵抗センサ、容量センサ、光学センサ及び／又はエンドエフェクタ７９２の１つ以上のパラメータを測定するための任意の他の好適なセンサを備えてもよい。センサ７８８は、１つ以上のセンサを含むことができる。
【０４０８】
１つ以上のセンサ７８８は、クランプ留め状態中のアンビル７６６における歪みの大きさを測定するように構成された、微小歪みゲージなどの歪みゲージを備えてもよい。歪みゲージは、歪みの大きさに伴って振幅が変動する電気信号を提供する。センサ７８８は、アンビル７６６とステープルカートリッジ７６８との間で圧縮された組織の存在によって生成された圧力を検出するように構成された圧力センサを備えてもよい。センサ７８８は、アンビル７６６とステープルカートリッジ７６８との間に位置する組織部分のインピーダンスを検出するように構成することができ、このインピーダンスは、それらの間に位置する組織の厚さ及び／又は充満度を示す。
【０４０９】
センサ７８８は、閉鎖駆動システムにより、アンビル７６６に及ぼされる力を測定するように構成することができる。例えば、１つ又は２つ以上のセンサ７８８は、閉鎖管によってアンビル７６６に加えられる閉鎖力を検出するために、閉鎖管とアンビル７６６との間の相互作用点に位置し得る。アンビル７６６に対して及ぼされる力は、アンビル７６６とステープルカートリッジ７６８との間に捕捉された組織部分が経験する組織圧縮を表すものであり得る。１つ以上のセンサ７８８を、閉鎖駆動システムに沿って様々な相互作用点に位置決めして、閉鎖駆動システムによりアンビル７６６に適用される閉鎖力を検出することができる。１つ以上のセンサ７８８は、制御回路７６０のプロセッサ部分によるクランプ動作中にリアルタイムでサンプリングされてもよい。制御回路７６０は、リアルタイムのサンプル測定値を受信して、時間ベースの情報を提供及び分析し、アンビル７６６に適用される閉鎖力をリアルタイムで評価する。
【０４１０】
モータ７５４によって引き込まれる電流を測定するために、電流センサ７８６を用いることができる。Ｉビーム７６４を前進させるのに必要な力は、モータ７５４によって引き込まれる電流に対応する。力はデジタル信号に変換されて、制御回路７６０に提供される。
【０４１１】
ＲＦエネルギー源７９４は、エンドエフェクタ７９２に連結され、ＲＦカートリッジ７９６がステープルカートリッジ７６８の代わりにエンドエフェクタ７９２内に装填されると、ＲＦカートリッジ７９６に加えられる。制御回路７６０は、ＲＦエネルギーのＲＦカートリッジ７９６への送達を制御する。
【０４１２】
更なる詳細は、その全体が参照により本明細書に組み込まれる、２０１７年６月２８日出願の「ＳＵＲＧＩＣＡＬ  ＳＹＳＴＥＭ  ＣＯＵＰＬＡＢＬＥ  ＷＩＴＨ  ＳＴＡＰＬＥ  ＣＡＲＴＲＩＤＧＥ  ＡＮＤ  ＲＡＤＩＯ  ＦＲＥＱＵＥＮＣＹ  ＣＡＲＴＲＩＤＧＥ，ＡＮＤ  ＭＥＴＨＯＤ  ＯＦ  ＵＳＩＮＧ  ＳＡＭＥ」と題する米国特許出願第１５／６３６，０９６号に開示されている。
【０４１３】
発生器ハードウェア
図５３は、他の利点の中でも、インダクタレス同調を提供するように構成された発生器８００の簡略ブロック図である。発生器８００の追加の詳細は、２０１５年６月２３日出願の米国特許第９，０６０，７７５号、表題「ＳＵＲＧＩＣＡＬ  ＧＥＮＥＲＡＴＯＲ  ＦＯＲ  ＵＬＴＲＡＳＯＮＩＣ  ＡＮＤ  ＥＬＥＣＴＲＯＳＵＲＧＩＣＡＬ  ＤＥＶＩＣＥＳ」に記載されており、同文献は、その全体が参考により本明細書に組み込まれる。発生器８００は、電力変圧器８０６を介して非絶縁段階８０４と通信する患者絶縁段階８０２を含んでもよい。電力変圧器８０６の二次巻線８０８は、絶縁段階８０２内に収容され、例えば、超音波外科用器具、ＲＦ電気外科用器具、並びに単独又は同時に送達可能な超音波及びＲＦエネルギーモードを含む多機能型外科用器具などの様々な外科用器具に駆動信号を送達するために駆動信号出力部８１０ａ、８１０ｂ、８１０ｃを画定するためのタップ構成（例えば、センタタップ又は非センタタップ構成）を備えることができる。具体的には、駆動信号出力部８１０ａ、８１０ｃは、超音波駆動信号（例えば、４２０Ｖの二乗平均根（root-mean-square、ＲＭＳ）駆動信号）を超音波外科用器具に出力してもよく、駆動信号出力部８１０ｂ、８１０ｃは、電力変圧器８０６のセンタタップに対応する駆動信号出力部８１０ｂにより、ＲＦ電気外科用駆動信号（例えば、１００ＶのＲＭＳ駆動信号）をＲＦ電気外科用器具に出力してもよい。
【０４１４】
特定の形態では、超音波及び電気外科用の駆動信号は、別個の外科用器具に、及び／又は超音波エネルギー及び電気外科用エネルギーの両方を組織に送達する能力を有する多機能型外科用器具などの単一の外科用器具に、同時に供給されてもよい。専用の電気外科用器具及び／又は複合多機能超音波／電気外科用器具のどちらかへと提供される電気外科用信号は、治療用又は治療量以下のレベルの信号のどちらかであり、治療量以下の信号は、例えば、組織又は器具状態を監視して、発生器へとフィードバックを提供することに使用され得る、と理解されよう。例えば、超音波及びＲＦ信号は、以下でより詳細に論じられるように、所望の出力信号を外科用器具に提供するために、単一の出力ポートを有する発生器から別個に又は同時に送達され得る。したがって、発生器は、超音波エネルギー及び電気外科用ＲＦエネルギーを組み合わせて、複合エネルギーを多機能超音波／電気外科用器具に送達することができる。双極電極は、エンドエフェクタの一方又は両方のジョーの上に配置することができる。一方のジョーは、同時に働く、電気外科用ＲＦエネルギーに加えて超音波エネルギーによって駆動されてもよい。超音波エネルギーが組織を切開するために用いられてもよい一方で、電気外科用ＲＦエネルギーは、血管封止に用いられてもよい。
【０４１５】
非絶縁段階８０４は、電力変圧器８０６の一次巻線８１４に接続された出力部を有する電力増幅器８１２を含むことができる。特定の形態では、電力増幅器８１２は、プッシュプル増幅器を含んでもよい。例えば、非絶縁段階８０４は、対応するアナログ信号を電力増幅器８１２の入力に続いて供給するデジタル−アナログ変換器（digital-to-analog converter、ＤＡＣ）回路８１８に、デジタル出力を供給するための論理デバイス８１６を更に含んでもよい。特定の形態では、論理デバイス８１６は、例えば、他の論理回路の中でも、プログラマブルゲートアレイ（programmable gate array、ＰＧＡ）、ＦＰＧＡ、プログラマブル論理デバイス（programmable logic device、ＰＬＤ）を含んでもよい。したがって、論理デバイス８１６は、ＤＡＣ回路８１８を介して電力増幅器８１２の入力を制御することにより、駆動信号出力部８１０ａ、８１０ｂ、８１０ｃで出現する駆動信号の多くのパラメータ（例えば、周波数、波形、波形振幅）のうちのいずれかを制御することができる。特定の形態では、また以下で説明するように、論理デバイス８１６は、プロセッサ（例えば、以下で説明するＤＳＰ）と共に、多数のＤＳＰベースの及び／又は他の制御アルゴリズムを実施して、発生器８００によって出力される駆動信号のパラメータを制御することができる。
【０４１６】
電力は、スイッチモードレギュレータ８２０、例えば、電力変換器によって、電力増幅器８１２の電力レールに供給されてもよい。特定の形態では、スイッチモードレギュレータ８２０は、例えば、調整可能なバックレギュレータを含んでもよい。非絶縁段階８０４は、第１のプロセッサ８２２を更に含んでもよく、この第１のプロセッサは、一形態では、例えば、Ａｎａｌｏｇ  Ｄｅｖｉｃｅｓ（Ｎｏｒｗｏｏｄ，ＭＡ）から入手可能なＡｎａｌｏｇ  Ｄｅｖｉｃｅｓ  ＡＤＳＰ−２１４６９  ＳＨＡＲＣ  ＤＳＰなどのＤＳＰプロセッサを含んでもよいが、様々な形態において、任意の好適なプロセッサが使用されてもよい。特定の形態では、ＤＳＰプロセッサ８２２は、電力増幅器８１２からＤＳＰプロセッサ８２２がＡＤＣ回路８２４を介して受信する電圧フィードバックデータに応じて、スイッチモードレギュレータ８２０の動作を制御してもよい。一形態では、例えば、ＤＳＰプロセッサ８２２は、電力増幅器８１２によって増幅された信号（例えば、ＲＦ信号）の波形エンベロープを、ＡＤＣ回路８２４を介して入力として受信してもよい。次いで、ＤＳＰプロセッサ８２２は、電力増幅器８１２に供給されるレール電圧が増幅された信号の波形エンベロープを追跡するように、（例えば、ＰＷＭ出力を介して）スイッチモードレギュレータ８２０を制御してもよい。波形エンベロープに基づいて、電力増幅器８１２のレール電圧を動的に変調することにより、電力増幅器８１２の効率は、固定レール電圧増幅器スキームに対して顕著に改善することができる。
【０４１７】
特定の形態では、論理デバイス８１６は、ＤＳＰプロセッサ８２２と共に、直接デジタルシンセサイザ制御スキームなどのデジタル合成回路を実装して、発生器８００によって出力される駆動信号の波形形状、周波数、及び／又は振幅を制御してもよい。一形態では、例えば、論理デバイス８１６は、ＦＰＧＡ内に埋め込まれてもよいＲＡＭ  ＬＵＴなどの、動的に更新されるルックアップテーブル（lookup table、ＬＵＴ）内に記憶された波形サンプルを呼び出すことによって、ＤＤＳ制御アルゴリズムを実施してもよい。この制御アルゴリズムは、超音波変換器などの超音波変換器をその共振周波数における明瞭な正弦波電流によって駆動することができる、超音波用途で特に有用である。他の周波数が寄生共振を励起し得るため、動作分岐電流の全歪みが最小化又は低減されることに対応して、望ましくない共振効果が最小化又は低減されることができる。発生器８００によって出力される駆動信号の波形形状が、出力駆動回路内に存在する歪みの様々な発生源（例えば、電力変圧器８０６、電力増幅器８１２）によって影響されるため、駆動信号に基づいた電圧及び電流のフィードバックデータを、ＤＳＰプロセッサ８２２によって実施される誤差制御アルゴリズムなどのアルゴリズムに入力することができ、これにより、動的、継続的に（例えば、リアルタイムで）、ＬＵＴに記憶された波形サンプルを好適に予め歪ませる又は修正することによって、歪みを補償する。一形態では、ＬＵＴサンプルに加えられる予歪みの量又は程度は、計算された動作分岐電流と所望の電流波形との間の誤差に基づいてもよく、誤差は、サンプル毎に決定される。このようにして、予め歪ませたＬＵＴサンプルは、駆動回路を通じて処理される場合、超音波変換器を最適に駆動するために、所望の波形形状（例えば、正弦波）を有する動作ブランチ駆動信号を生じ得る。そのような形態では、ＬＵＴ波形サンプルは、したがって、駆動信号の所望の波形を表すのではなく、歪み効果を考慮した際の、動作分岐駆動信号の所望の波形を最終的に生成するために必要な波形を表す。
【０４１８】
非絶縁段階８０４は、発生器８００によって出力される駆動信号の電圧及び電流をそれぞれサンプリングするために、各絶縁変圧器８３０、８３２を介して電力変圧器８０６の出力部に連結された第１ＡＤＣ回路８２６及び第２ＡＤＣ回路８２８を更に備えてもよい。特定の形態では、ＡＤＣ回路８２６、８２８は、駆動信号のオーバーサンプリングを可能にするために、高速（例えば、８０メガサンプル／秒（mega samples per second、ＭＳＰＳ））でサンプリングするように構成することができる。一形態では、例えば、ＡＤＣ回路８２６、８２８のサンプリング速度は、駆動信号のおよそ２００ｘ（周波数による）のオーバーサンプリングを可能にしてもよい。特定の形態では、ＡＤＣ回路８２６、８２８のサンプリング動作は、双方向マルチプレクサを介し、入力電圧及び電流信号を受信する単一のＡＤＣ回路によって実施されてもよい。発生器８００の形態での高速サンプリングの使用は、とりわけ、動作ブランチを通って流れる複素電流の計算（これは、上述のＤＤＳベースの波形形状制御を実施するために、特定の形態で使用されてもよい）、サンプリングされた信号の正確なデジタルフィルタリング、及び高精度での実電力消費の計算を可能にすることができる。ＡＤＣ回路８２６、８２８によって出力される電圧及び電流フィードバックデータは、論理デバイス８１６によって受信して処理することができ（例えば、先着順処理方式（first-in-first-out、ＦＩＦＯ）バッファ、マルチプレクサ）、例えば、ＤＳＰプロセッサ８２２による以後の読み出しのために、データメモリに格納されてもよい。上記のように、電圧及び電流のフィードバックデータは、動的及び進行に応じたベースで、ＬＵＴ波形サンプルを予め歪ませるか又は修正するため、アルゴリズムへの入力として使用され得る。特定の形態では、これは、電圧及び電流のフィードバックデータ対が得られる場合に、論理デバイス８１６によって出力された対応するＬＵＴサンプルに基づき、又は別の方法でこれに関連して、記憶された各電圧及び電流のフィードバックデータ対がインデックス付けされることを必要とし得る。この方法によるＬＵＴサンプルと電圧及び電流のフィードバックデータとの同期は、予歪みアルゴリズムの正確なタイミング及び安定性に寄与する。
【０４１９】
特定の形態では、電圧及び電流のフィードバックデータは、駆動信号の周波数及び／又は振幅（例えば、電流振幅）を制御するために使用されてもよい。例えば、一形態では、電圧及び電流のフィードバックデータは、インピーダンス相を決定するために使用されてもよい。駆動信号の周波数はその後、判定されたインピーダンス相とインピーダンス相設定点（例えば、０°）との間の差を最小化又は低減するように制御されてもよく、したがって高調波歪みの効果を最小化又は低減し、これに対応してインピーダンス相測定正確性を向上させる。相インピーダンス及び周波数制御信号の判定は、例えば、ＤＳＰプロセッサ８２２に実装されてもよく、周波数制御信号は、論理デバイス８１６によって実装されるＤＤＳ制御アルゴリズムへの入力として供給される。
【０４２０】
別の形態では、例えば、電流のフィードバックデータは、駆動信号の電流振幅を電流振幅設定点で維持するために監視されてもよい。電流振幅設定値は、直接指定されてもよく、又は指定された電圧振幅及び電力設定値に基づいて間接的に判定されてもよい。特定の形態では、電流振幅の制御は、例えば、ＤＳＰプロセッサ８２２内の比例−積分−微分（proportional-integral-derivative、ＰＩＤ）制御アルゴリズムなどの、制御アルゴリズムによって実施されてもよい。駆動信号の電流振幅を好適に制御するために、制御アルゴリズムにより制御される変数としては、例えば、論理デバイス８１６に格納されるＬＵＴ波形サンプルのスケーリング、及び／又はＤＡＣ回路８３４を介したＤＡＣ回路８１８（これは電力増幅器８１２に入力を供給する）のフルスケール出力電圧を挙げることができる。
【０４２１】
非絶縁段階８０４は、とりわけユーザインターフェース（user interface、ＵＩ）機能を提供するために、第２のプロセッサ８３６を更に含んでもよい。一形態では、ＵＩプロセッサ８３６は、例えば、Ａｔｍｅｌ  Ｃｏｒｐｏｒａｔｉｏｎ（Ｓａｎ  Ｊｏｓｅ，Ｃａｌｉｆｏｒｎｉａ）から入手可能な、ＡＲＭ  ９２６ＥＪ−Ｓコアを有するＡｔｍｅｌ  ＡＴ９１ＳＡＭ９２６３プロセッサを含んでもよい。ＵＩプロセッサ８３６によってサポートされるＵＩ機能の例としては、聴覚的及び視覚的なユーザフィードバック、周辺装置との通信（例えば、ＵＳＢインターフェースを介して）、フットスイッチとの通信、入力装置（例えば、タッチスクリーンディスプレイ）との通信、並びに出力装置（例えば、スピーカ）との通信を挙げることができる。ＵＩプロセッサ８３６は、ＤＳＰプロセッサ８２２及び論理デバイス８１６と（例えば、ＳＰＩバスを介して）通信することができる。ＵＩプロセッサ８３６は、ＵＩ機能を主にサポートしてもよいが、特定の形態では、また、ＤＳＰプロセッサ８２２と協調して、危険の緩和を実施してもよい。例えば、ＵＩプロセッサ８３６は、ユーザ入力及び／又は他の入力（例えば、タッチスクリーン入力、フットスイッチ入力、温度センサ入力）の様々な様相を監視するようにプログラミングされてもよく、かつ誤った状態が検出されると、発生器８００の駆動出力を無効化してもよい。
【０４２２】
特定の形態では、ＤＳＰプロセッサ８２２及びＵＩプロセッサ８３６の両方は、例えば、発生器８００の動作状態を判定し、監視してもよい。ＤＳＰプロセッサ８２２に関して、発生器８００の動作状態は、例えば、どの制御及び／又は診断プロセスがＤＳＰプロセッサ８２２によって実施されるかを表してもよい。ＵＩプロセッサ８３６に関して、発生器８００の動作状態は、例えば、ＵＩ（例えば、ディスプレイスクリーン、音）のどの要素がユーザに提示されるかを表してもよい。ＤＳＰプロセッサ８２２及びＵＩプロセッサ８３６はそれぞれ、発生器８００の現在の動作状態を別個に維持し、現在の動作状態からの可能な遷移を、認識し評価してもよい。ＤＳＰプロセッサ８２２は、この関係におけるマスタとして機能し、動作状態間の遷移が生じるときを判定してもよい。ＵＩプロセッサ８３６は、動作状態間の有効な遷移を認識してもよく、また特定の遷移が適切であるかを確認してもよい。例えば、ＤＳＰプロセッサ８２２が、ＵＩプロセッサ８３６に特定の状態へと遷移するように命令すると、ＵＩプロセッサ８３６は、要求される遷移が有効であることを検証してもよい。要求される状態間の遷移がＵＩプロセッサ８３６によって無効であると判定された場合、ＵＩプロセッサ８３６は、発生器８００を故障モードにしてもよい。
【０４２３】
非絶縁段階８０４は、入力装置を監視するためのコントローラ８３８（例えば、発生器８００をオン及びオフするために使用される静電容量式タッチセンサ、静電容量式タッチスクリーン）を更に含むことができる。特定の形態では、コントローラ８３８は、少なくとも１つのプロセッサ、及び／又はＵＩプロセッサ８３６と通信する他のコントローラデバイスを含んでもよい。一形態では、例えば、コントローラ８３８は、１つ以上の静電容量式タッチセンサを介して提供されるユーザ入力を監視するように構成されたプロセッサ（例えば、Ａｔｍｅｌから入手可能なＭｅｇ１６８  ８ビットコントローラ）を含むことができる。一形態では、コントローラ８３８は、静電容量式タッチスクリーンからのタッチデータの取得を制御及び管理するための、タッチスクリーンコントローラ（例えば、Ａｔｍｅｌから入手可能なＱＴ５４８０タッチスクリーンコントローラ）を含むことができる。
【０４２４】
特定の形態では、発生器８００が「電源オフ」状態にあるとき、コントローラ８３８は、（例えば、後述の電源８５４などの、発生器８００の電源からのラインを介して）動作電力を受信し続けてもよい。このようにして、コントローラ８３８は、発生器８００をオン及びオフするための入力装置（例えば、発生器８００の前側パネルに配置された静電容量式タッチセンサ）を監視し続けることができる。発生器８００が電源オフ状態にあるとき、コントローラ８３８は、ユーザによる「オン／オフ」入力装置の起動が検出された場合、電源を起動することができる（例えば、電源８５４の１つ以上のＤＣ／ＤＣ電圧変換器８５６の動作を有効化する）。その結果、コントローラ８３８は、発生器８００を「電源オン」状態に遷移させるためのシーケンスを開始することができる。逆に、発生器８００が電源オン状態にあるときに「オン／オフ」入力装置の起動が検出された場合、コントローラ８３８は、発生器８００を電源オフ状態に遷移させるためのシーケンスを開始することができる。特定の形態では、例えば、コントローラ８３８は、「オン／オフ」入力装置の起動をＵＩプロセッサ８３６に報告することができ、その結果、発生器８００を電力オフ状態へ遷移させるために必要なプロセスシーケンスを実施する。そのような形態では、コントローラ８３８は、発生器８００の電源オン状態が確立された後に、発生器８００から電力を排除するための別個の能力を有しないことがある。
【０４２５】
特定の形態では、コントローラ８３８は、ユーザに電源オン又は電源オフシーケンスが開始されたことを警告するために、発生器８００に可聴又は他の感覚的フィードバックを提供させてもよい。そのような警告は、電源オン又は電源オフシーケンスの開始時、及びシーケンスと関連する他のプロセスの開始前に提供されてもよい。
【０４２６】
特定の形態では、絶縁段階８０２は、例えば、外科用器具の制御回路（例えば、ハンドピーススイッチを含む制御回路）と、例えば、論理デバイス８１６、ＤＳＰプロセッサ８２２、及び／又はＵＩプロセッサ８３６などの非絶縁段階８０４の構成要素との間の、通信インターフェースを提供するために、器具インターフェース回路８４０を含んでもよい。器具インターフェース回路８４０は、例えば、ＩＲベースの通信リンクなどの、絶縁段階８０２と非絶縁段階８０４との間の好適な程度の電気的絶縁を維持する通信リンクを介して、非絶縁段階８０４の構成要素と情報を交換することができる。例えば、非絶縁段階８０４から駆動される絶縁変圧器によって電力供給される低ドロップアウト電圧レギュレータを使用して、器具インターフェース回路８４０に電力を供給することができる。
【０４２７】
一形態では、器具インターフェース回路８４０は、信号調整回路８４４と通信している論理回路８４２（例えば、論理回路、プログラマブル論理回路、ＰＧＡ、ＦＰＧＡ、ＰＬＤ）を含むことができる。信号調整回路８４４は、同一の周波数を有する双極呼掛け信号を生成するために、論理回路８４２から周期信号（例えば、２ｋＨｚ方形波）を受信するように構成することができる。呼掛け信号は、例えば、差動増幅器によって供給される双極電流源を使用して発生させることができる。呼掛け信号は、（例えば、発生器８００を外科用器具に接続するケーブル内の導電ペアを使用することによって）外科用器具制御回路に通信され、制御回路の状態又は構成を判定するために監視されてもよい。制御回路は、多数のスイッチ、抵抗器、及び／又はダイオードを含んでもよく、制御回路の状態又は構成が１つ以上の特性に基づいて個別に識別可能であるように、呼掛け信号の１つ以上の特性（例えば、振幅、整流）を修正してもよい。一形態では、例えば、信号調整回路８４４は、呼掛け信号が通過する経路から生じる制御回路の入力にわたって出現する電圧信号のサンプルを生成するための、ＡＤＣ回路を含むことができる。論理回路８４２（又は、非絶縁段階８０４の構成要素）は、次いで、ＡＤＣ回路サンプルに基づいて、制御回路の状態又は構成を判定することができる。
【０４２８】
一形態では、器具インターフェース回路８４０は、第１のデータ回路インターフェース８４６を含んで、論理回路８４２（又は器具インターフェース回路８４０のその他の要素）と、外科用器具内に配置される又は別の方法で関連付けられた第１のデータ回路と、の間の情報交換を可能にしてもよい。特定の形態では、例えば、第１のデータ回路は、発生器８００を有する特定の外科用器具タイプ又はモデルとインターフェース接続させるために、外科用器具ハンドピースに一体的に取り付けられたケーブル内、又はアダプタ内に配置されてもよい。第１のデータ回路は、任意の好適な方法で実装されてもよく、例えば、第１のデータ回路に関して本明細書に記載されたものを含む任意の好適なプロトコルに従って、発生器と通信してもよい。特定の形態では、第１のデータ回路は、ＥＥＰＲＯＭデバイスなどの、不揮発性記憶デバイスを含み得る。特定の形態では、第１のデータ回路インターフェース８４６は、論理回路８４２とは別個に実装されてもよく、好適な回路（例えば、別個の論理デバイス、プロセッサ）を含み、論理回路８４２と第１のデータ回路との間の通信を可能にしてもよい。その他の形態では、第１のデータ回路インターフェース８４６は、論理回路８４２と一体であってもよい。
【０４２９】
特定の形態では、第１のデータ回路は、第１のデータ回路が関連している特定の外科用器具に関する情報を記憶してもよい。そのような情報は、例えば、モデル番号、シリアル番号、外科用器具が使用された動作数、及び／又は任意の他のタイプの情報を含むことができる。この情報は、器具インターフェース回路８４０によって（例えば、論理回路８４２によって）読み出され、出力装置を介したユーザへの提示のため、及び／又は発生器８００の機能若しくは動作の制御のために、非絶縁段階８０４の構成要素（例えば、論理デバイス８１６、ＤＳＰプロセッサ８２２、及び／又はＵＩプロセッサ８３６）に伝達されてもよい。加えて、任意の種類の情報が、第１のデータ回路インターフェース８４６を介して内部に記憶させるために、（例えば、論理回路８４２を使用して）第１のデータ回路に通信されてもよい。そのような情報は、例えば、外科用器具が使用された最新の手術数並びに／又はその使用の日付及び／若しくは時間を含んでもよい。
【０４３０】
上記のように、外科用器具は、器具の互換性及び／又は廃棄性を促進するために、ハンドピースから取り外し可能であってもよい（例えば、多機能型外科用器具は、ハンドピースから取り外し可能であってもよい）。そのような場合、従来の発生器は、使用されている特定の器具構成を認識し、これに対応して制御及び診断プロセスを最適化する能力が制限されている場合がある。しかし、この問題に対処するために、外科用器具に読み取り可能なデータ回路を追加することは、適合性の観点から問題がある。例えば、必要なデータ読み取り機能性を欠く発生器との後方互換性を保つように外科用器具を設計することは、例えば、異なる信号スキーム、設計複雑性及び費用のために、実用的でない場合がある。本明細書で論じられる器具の形態は、既存の外科用器具に実装されてもよいデータ回路を経済的に使用し、外科用器具と最新の発生器プラットフォームとの適合性を維持するための設計変更を最小限にすることによってこれらの懸念に対処する。
【０４３１】
加えて、発生器８００の形態は、器具ベースのデータ回路との通信を可能にしてもよい。例えば、発生器８００は、器具（例えば、多機能型外科用器具）内に収容される第２のデータ回路と通信するように構成することができる。いくつかの形態では、第２のデータ回路は、本明細書に記載される第１のデータ回路のものと類似した多くのものに実装されてもよい。器具インターフェース回路８４０は、この通信を可能にする第２のデータ回路インターフェース８４８を含むことができる。一形態では、第２のデータ回路インターフェース８４８は、トライステートデジタルインターフェースを含んでもよいが、他のインターフェースも使用されてもよい。特定の形態では、第２のデータ回路は、一般にデータを送信及び／又は受信するための任意の回路であってもよい。一形態では、例えば、第２のデータ回路は、第２のデータ回路が関連付けられた特定の外科用器具に関する情報を記憶してもよい。そのような情報は、例えば、モデル番号、シリアル番号、外科用器具が使用された動作数、及び／又は任意の他のタイプの情報を含むことができる。
【０４３２】
いくつかの形態では、第２のデータ回路は、関連する超音波変換器、エンドエフェクタ、又は超音波駆動システムの電気的及び／又は超音波的特性に関する情報を記憶してもよい。例えば、第１のデータ回路は、本明細書に記載されたように、バーンイン周波数スロープを示してもよい。加えて、又は代わりに、第２のデータ回路インターフェース８４８を介して内部に記憶させるために、第２のデータ回路に任意の種類の情報を通信してもよい（例えば、論理回路８４２を使用して）。そのような情報は例えば、器具が使用された最新の動作数、並びに／又は、その使用の日付及び／若しくは時間を含んでもよい。特定の形態では、第２のデータ回路は、１つ以上のセンサ（例えば、器具ベースの温度センサ）によって取得されたデータを送信してもよい。特定の形態では、第２のデータ回路は、発生器８００からデータを受信し、受信したデータに基づいてユーザにインジケーション（例えば、発光ダイオードのインジケーション又はその他の可視インジケーション）を提供してもよい。
【０４３３】
特定の形態では、第２のデータ回路及び第２のデータ回路インターフェース８４８は、論理回路８４２と第２のデータ回路との間の通信を、この目的のための追加的な導体（例えば、ハンドピースを発生器８００に接続するケーブルの専用導体）の提供を必要とせずにもたらすことができるように、構成することができる。一形態では、例えば、使用される導体のうちの１つが、信号調整回路８４４からハンドピース内の制御回路へ呼掛け信号を送信するなど、既存のケーブル配線上に実装されたワンワイヤバス通信方式を使用して、第２のデータ回路との間で情報を通信することができる。このようにして、元来必要とされる場合がある外科用器具への設計変更又は修正は、最小化されるか又は低減される。更に、一般的な物理的チャネル上で実施される異なる種類の通信を周波数帯域分離することができるため、第２のデータ回路の存在は、必要なデータ読み取り機能を有しない発生器にとって「不可視」であり、したがって、外科用器具の後方互換性を可能にする。
【０４３４】
特定の形態では、絶縁段階８０２は、直流電流が患者を通るのを防ぐために、駆動信号出力部８１０ｂに接続された、少なくとも１つのブロッキングコンデンサ８５０−１を含んでもよい。単一のブロッキングコンデンサは、例えば、医学的規制又は基準に準拠することが必要とされる場合がある。単一コンデンサ設計における故障は比較的稀であるが、それでもなおそのような故障は否定的な結果をもたらす恐れがある。一形態では、第２のブロッキングコンデンサ８５０−２は、ブロッキングコンデンサ８５０−１と直列で提供されてもよく、ブロッキングコンデンサ８５０−１と８５０−２との間の点からの電流漏洩が、例えば、漏れ電流により誘発される電圧をサンプリングするために、ＡＤＣ回路８５２によって監視される。サンプルは、例えば、論理回路８４２によって受信されてもよい。（電圧サンプルによって示されるような）漏れ電流の変化に基づいて、発生器８００は、ブロッキングコンデンサ８５０−１、８５０−２のうちの少なくとも１つが故障したときを判定して、したがって、単一の故障点を有する単一コンデンサ設計に勝る利点を提供することができる。
【０４３５】
特定の形態では、非絶縁段階８０４は、好適な電圧及び電流でＤＣ電力を送達するための電源８５４を含むことができる。電源は、例えば、４８ＶＤＣシステム電圧を送達するための、４００Ｗ電源を含み得る。電源８５４は、電源の出力を受信して発生器８００の様々な構成要素によって必要とされる電圧及び電流でＤＣ出力を生成するための１つ以上のＤＣ／ＤＣ電圧変換器８５６を更に備えることができる。コントローラ８３８と関連して上述したように、ＤＣ／ＤＣ電圧変換器８５６のうちの１つ以上は、ユーザによる「オン／オフ」入力装置の起動がコントローラ８３８によって検出されたときにコントローラ８３８から入力を受信し、ＤＣ／ＤＣ電圧変換器８５６の動作を可能にする又はそれを起動させることができる。
【０４３６】
図５４は、発生器８００（図５３）の一形態である発生器９００の例を示す。発生器９００は、複数のエネルギーモダリティを外科用器具に送達するように構成されている。発生器９００は、エネルギーを外科用器具に送達するためのＲＦ信号及び超音波信号を単独で又は同時にのいずれかで提供する。ＲＦ信号及び超音波信号は、単独で又は組み合わせて提供されてもよく、また同時に提供されてもよい。上述したように、少なくとも１つの発生器出力部は、単一のポートを通して複数のエネルギーモダリティ（例えば、とりわけ超音波、双極若しくは単極ＲＦ、不可逆及び／若しくは可逆電気穿孔法並びに／又はマイクロ波エネルギー）を送達することができ、これらの信号は、組織を治療するために個別に又は同時にエンドエフェクタに送達することができる。
【０４３７】
発生器９００は、波形発生器９０４に連結されたプロセッサ９０２を備える。プロセッサ９０２及び波形発生器９０４は、プロセッサ９０２に連結されたメモリに記憶された情報（開示を明瞭にするために示されず）に基づいて、様々な信号波形を発生するように構成されている。波形に関連するデジタル情報は、デジタル入力をアナログ出力に変換するために１つ以上のＤＡＣ回路を含む波形発生器９０４に提供される。アナログ出力は、信号調節及び増幅のために、増幅器１１０６に供給される。増幅器９０６の、調節され増幅された出力は、電力変圧器９０８に連結されている。信号は、電力変圧器９０８を横断して患者絶縁側にある二次側に連結されている。第１のエネルギーモダリティの第１の信号は、ＥＮＥＲＧＹ１及びＲＥＴＵＲＮとラベルされた端子間の外科用器具に提供される。第２のエネルギーモダリティの第２の信号は、コンデンサ９１０にわたって連結され、ＥＮＥＲＧＹ２及びＲＥＴＵＲＮとラベルされた端子間の外科用器具に提供される。３つ以上のエネルギーモダリティが出力されてもよく、したがって添え字「ｎ」は、最大ｎ個のＥＮＥＲＧＹｎ端子が提供され得ることを表示するために使用することができ、このｎは、２以上の正の整数であることが理解されよう。最大「ｎ」個のリターンパス（ＲＥＴＵＲＮｎ）が、本開示の範囲から逸脱することなく提供されてもよいことも理解されよう。
【０４３８】
第１の電圧感知回路９１２は、ＥＮＥＲＧＹ１及びＲＥＴＵＲＮパスとラベルされた端子にわたって連結され、それらの間の出力電圧を測定する。第２の電圧感知回路９２４は、ＥＮＥＲＧＹ２及びＲＥＴＵＲＮパスとラベルされた端子にわたって連結され、それらの間の出力電圧を測定する。電流感知回路９１４は、いずれかのエネルギーモダリティの出力電流を測定するために、図示される電力変圧器９０８の二次側のＲＥＴＵＲＮ区間と直列に配設される。異なるリターンパスが各エネルギーモダリティに対して提供される場合、別個の電流感知回路は各リターン区間で提供されねばならない。第１の電圧感知回路９１２及び第２の電圧感知回路９２４の出力が対応の絶縁変圧器９１６、９２２に提供され、電流感知回路９１４の出力は、別の絶縁変圧器９１８に提供される。電力変圧器９０８の一次側（非患者絶縁側）における絶縁変圧器９１６、９２８、９２２の出力は、１つ以上のＡＤＣ回路９２６に提供される。ＡＤＣ回路９２６のデジタル化された出力は、更なる処理及び計算のためにプロセッサ９０２に提供される。出力電圧及び出力電流のフィードバック情報は、外科用器具に提供される出力電圧及び電流を調整するために、またいくつかあるパラメータの中で出力インピーダンスを計算するために使用することができる。プロセッサ９０２と患者絶縁回路との間の入力／出力通信は、インターフェース回路９２０を介して提供される。センサもまた、インターフェース回路９２０を介してプロセッサ９０２と電気通信してもよい。
【０４３９】
一態様では、インピーダンスは、ＥＮＥＲＧＹ１／ＲＥＴＵＲＮとラベルされた端子にわたって連結された第１の電圧感知回路９１２又はＥＮＥＲＧＹ２／ＲＥＴＵＲＮとラベルされた端子にわたって連結された第２の電圧感知回路９２４のいずれかの出力を、電力変圧器９０８の二次側のＲＥＴＵＲＮ区間と直列に配置された電流感知回路９１４の出力で割ることによって、プロセッサ９０２により判定されてもよい。第１の電圧感知回路９１２及び第２の電圧感知回路９２４の出力は、個別の絶縁変圧器９１６、９２２に提供され、電流感知回路９１４の出力は、別の絶縁変圧器９１６に提供される。ＡＤＣ回路９２６からのデジタル化された電圧及び電流感知測定値は、インピーダンスを計算するためにプロセッサ９０２に提供される。一例として、第１のエネルギーモダリティＥＮＥＲＧＹ１は、超音波エネルギーであってもよく、第２のエネルギーモダリティＥＮＥＲＧＹ２は、ＲＦエネルギーであってもよい。それでも、超音波エネルギーモダリティ及び双極又は単極ＲＦエネルギーモダリティに加えて、他のエネルギーモダリティには、数ある中でも不可逆並びに／又は可逆電気穿孔法及び／若しくはマイクロ波エネルギーが挙げられる。また、図５４に例示された例は、単一の戻り経路ＲＥＴＵＲＮが２つ以上のエネルギーモダリティに提供されてもよいことを示しているが、他の態様では、複数の戻り経路ＲＥＴＵＲＮｎが、各エネルギーモダリティＥＮＥＲＧＹｎに提供されてもよい。したがって、本明細書に記載されるように、超音波変換器のインピーダンスは、第１の電圧感知回路９１２の出力を電流感知回路９１４で割ることによって測定されてもよく、組織のインピーダンスは、第２の電圧感知回路９２４の出力を電流感知回路９１４で割ることによって測定されてもよい。
【０４４０】
図５４に示すように、少なくとも１つの出力ポートを含む発生器９００は、実行される組織の処置の種類に応じて、電力を、例えば、とりわけ超音波、双極若しくは単極ＲＦ、不可逆及び／若しくは可逆電気穿孔法、並びに／又はマイクロ波エネルギーなどの１つ以上のエネルギーモダリティの形態でエンドエフェクタに提供するために、単一の出力部を有し、かつ複数のタップを有する電力変圧器９０８を含むことができる。例えば、発生器９００は、単極又は双極ＲＦ電気外科用電極のいずれかを用いて、超音波変換器を駆動するために高電圧かつ低電流で、組織封止のためのＲＦ電極を駆動するために低電圧かつ高電流で、又はスポット凝固のための凝固波形でエネルギーを送達することができる。発生器９００からの出力波形は、周波数を外科用器具のエンドエフェクタに提供するために、誘導、切り替え又はフィルタリングされ得る。超音波変換器の発生器９００の出力部への接続部は、好ましくは、図５４に示したＥＮＥＲＧＹ１とラベルされた出力部とＲＥＴＵＲＮとラベルされた出力部との間に位置するであろう。一実施例では、ＲＦ双極電極の発生器９００の出力部への接続部は、好ましくは、ＥＮＥＲＧＹ２とラベルされた出力部とＲＥＴＵＲＮとラベルされた出力部との間に位置するであろう。単極出力の場合、好ましい接続部は、ＥＮＥＲＧＹ２出力部及びＲＥＴＵＲＮ出力部に接続された好適なリターンパッドへの活性電極（例えば、ペンシル型又は他のプローブ）であろう。
【０４４１】
更なる詳細は、その全体が参照により本明細書に組み込まれる、「ＴＥＣＨＮＩＱＵＥＳ  ＦＯＲ  ＯＰＥＲＡＴＩＮＧ  ＧＥＮＥＲＡＴＯＲ  ＦＯＲ  ＤＩＧＩＴＡＬＬＹ  ＧＥＮＥＲＡＴＩＮＧ  ＥＬＥＣＴＲＩＣＡＬ  ＳＩＧＮＡＬ  ＷＡＶＥＦＯＲＭＳ  ＡＮＤ  ＳＵＲＧＩＣＡＬ  ＩＮＳＴＲＵＭＥＮＴＳ」と題する２０１７年３月３０日公開の米国特許出願公開第２０１７／００８６９１４号に開示されている。
【０４４２】
本説明全体で使用される用語「無線」及びその派生語は、非固体媒体を介して変調電磁放射線の使用を通じてデータを通信し得る回路、装置、システム、方法、技術、通信チャネルなどを説明するために使用されてもよい。この用語は、関連する装置がいかなる有線も含まないことを意味するものではないが、一部の態様では、それらは存在しない可能性がある。通信モジュールは、Ｗｉ−Ｆｉ（ＩＥＥＥ８０２．１１ファミリー）、ＷｉＭＡＸ（ＩＥＥＥ８０２．１６ファミリー）、ＩＥＥＥ８０２．２０、ロング・ターム・エボリューション（ＬＴＥ）、Ｅｖ−ＤＯ、ＨＳＰＡ＋、ＨＳＤＰＡ＋、ＨＳＵＰＡ＋、ＥＤＧＥ、ＧＳＭ、ＧＰＲＳ、ＣＤＭＡ、ＴＤＭＡ、ＤＥＣＴ、Ｂｌｕｅｔｏｏｔｈ、これらのイーサネット派生物のみならず、３Ｇ、４Ｇ、５Ｇ及びそれ以降と指定される任意の他の無線及び有線プロトコルが挙げられるがこれらに限定されない、多数の無線又は有線通信規格又はプロトコルのうちのいずれかを実装してもよい。コンピューティングモジュールは、複数の通信モジュールを含んでもよい。例えば、第１の通信モジュールは、Ｗｉ−Ｆｉ及びＢｌｕｅｔｏｏｔｈなどの短距離無線通信専用であってもよく、第２の通信モジュールは、ＧＰＳ、ＥＤＧＥ、ＧＰＲＳ、ＣＤＭＡ、ＷｉＭＡＸ、ＬＴＥ、Ｅｖ−ＤＯなどの長距離無線通信専用であってもよい。
【０４４３】
本明細書で使用するとき、プロセッサ又は処理ユニットは、いくつかの外部データソース（通常はメモリ）又は何らかの他のデータストリーム上で動作を実行する電子回路である。この用語は、本明細書では、多くの専用「プロセッサ」を組み合わせたシステム又はコンピュータシステム（特にシステムオンチップ（ＳｏＣ））内の中央プロセッサ（中央処理ユニット）を指すために使用される。
【０４４４】
本明細書で使用するとき、チップ上のシステム又はシステムオンチップ（ＳｏＣ又はＳＯＣ）は、コンピュータ又は他の電子システムの全ての構成要素を統合する集積回路（「ＩＣ」又は「チップ」としても知られる）である。これは、デジタル、アナログ、混合信号及び多くの場合は高周波数機能を、全て単一の基材上に含むことができる。ＳｏＣは、マイクロコントローラ（又はマイクロプロセッサ）を、グラフィックス処理ユニット（ＧＰＵ）、Ｗｉ−Ｆｉモジュール又はコプロセッサなどの最新の周辺装置と統合する。ＳｏＣは、内蔵メモリを含んでもよく、含まなくてもよい。
【０４４５】
本明細書で使用するとき、マイクロコントローラ又はコントローラは、マイクロプロセッサを周辺回路及びメモリと統合するシステムである。マイクロコントローラ（又はマイクロコントローラユニットのＭＣＵ）は、単一の集積回路上の小型コンピュータとして実装されてもよい。これはＳｏＣと同様であってもよく、ＳｏＣは、その構成要素の１つとしてマイクロコントローラを含み得る。マイクロコントローラは、１つ以上のコア処理ユニット（ＣＰＵ）と共にメモリ及びプログラム可能な入力／出力周辺機器を収容することができる。強誘電性のＲＡＭ、ＮＯＲフラッシュ又はＯＴＰ  ＲＯＭの形態のプログラムメモリ及び少量のＲＡＭもまた、チップ上にしばしば含まれる。マイクロコントローラは、パーソナルコンピュータ又は様々な個別のチップで構成された他の汎用用途で使用されるマイクロプロセッサとは対照的に、組み込み型用途用に採用され得る。
【０４４６】
本明細書で使用するとき、コントローラ又はマイクロコントローラという用語は、周辺装置とインターフェース接続するスタンドアロンＩＣ又はチップ装置であってもよい。これは、その装置の動作（及び当該装置との接続）を管理する外部装置上のコンピュータ又はコントローラの２つの部分間の連結部であってもよい。
【０４４７】
本明細書で説明されるプロセッサ又はマイクロコントローラはいずれも、Ｔｅｘａｓ  Ｉｎｓｔｒｕｍｅｎｔｓ製のＡＲＭ  Ｃｏｒｔｅｘの商品名で知られているものなど、任意のシングルコア又はマルチコアプロセッサであってもよい。一態様では、プロセッサは、例えば、Ｔｅｘａｓ  Ｉｎｓｔｒｕｍｅｎｔｓから入手可能なＬＭ４Ｆ２３０Ｈ５ＱＲ  ＡＲＭ  Ｃｏｒｔｅｘ−Ｍ４Ｆプロセッサコアであってもよい。このプロセッサコアは、最大４０ＭＨｚの２５６ＫＢのシングルサイクルフラッシュメモリ若しくは他の不揮発性メモリのオンチップメモリ、性能を４０ＭＨｚ超に改善するためのプリフェッチバッファ、３２ＫＢのシングルサイクルシリアルランダムアクセスメモリ（ＳＲＡＭ）、ＳｔｅｌｌａｒｉｓＷａｒｅ（登録商標）ソフトウェアを搭載した内部読み出し専用メモリ（ＲＯＭ）、２ＫＢの電気的消去可能プログラマブル読み出し専用メモリ（ＥＥＰＲＯＭ）、１つ以上のパルス幅変調（ＰＷＭ）モジュール、１つ以上の直交エンコーダ入力（ＱＥＩ）アナログ、１２個のアナログ入力チャネルを備える１つ以上の１２ビットアナログ−デジタル変換器（ＡＤＣ）を含む。なお、その詳細は、製品データシートで入手可能である。
【０４４８】
一態様では、プロセッサは、同じくＴｅｘａｓ  Ｉｎｓｔｒｕｍｅｎｔｓ製のＨｅｒｃｕｌｅｓ  ＡＲＭ  Ｃｏｒｔｅｘ  Ｒ４の商品名で知られるＴＭＳ５７０及びＲＭ４ｘなどの２つのコントローラ系ファミリーを含む安全コントローラを含んでもよい。安全コントローラは、拡張性のある性能、接続性及びメモリの選択肢を提供しながら、高度な集積型安全機構を提供するために、中でも特に、ＩＥＣ６１５０８及びＩＳＯ２６２６２の安全限界用途専用に構成されてもよい。
【０４４９】
モジュール式装置は、外科用ハブ内に受容可能な（例えば図３及び図９に関連して説明される）モジュールと、対応する外科用ハブと接続又はペアリングするために様々なモジュールに接続することができる外科用装置又は器具と、を含む。モジュール式装置としては、例えば、インテリジェント外科用器具、医療用撮像装置、吸引／灌注装置、排煙器、エネルギー発生器、ベンチレータ、吸入器及びディスプレイが挙げられる。本明細書に記載されるモジュール式装置は、制御アルゴリズムによって制御することができる。制御アルゴリズムは、モジュール式装置自体上で、特定のモジュール式装置がペアリングされる外科用ハブ上で、又はモジュール式装置及び外科用ハブの両方の上で（例えば、分散コンピューティングアーキテクチャを介して）、実行され得る。いくつかの例示では、モジュール式装置の制御アルゴリズムは、モジュール式装置自体によって（すなわち、モジュール式装置内の、モジュール式装置上の、又はモジュール式装置に接続されたセンサによって）感知されたデータに基づいて装置を制御する。このデータは、手術中の患者に関連するもの（例えば、組織特性又は送気圧）であってもよく、又はモジュール式装置自体（例えば、前進するナイフの速度、モータ電流、又はエネルギーレベル）に関連するものであってもよい。例えば、外科用ステープル留め及び切断器具の制御アルゴリズムは、ナイフが前進する際にナイフにより生じた抵抗に基づき、器具のモータが組織を貫いてそのナイフを駆動させる速度を制御することができる。
【０４５０】
状況認識
状況認識は、データベース及び／又は器具から受信したデータから外科処置に関連する情報を判定又は推測するための、外科システムのいくつかの態様の能力である。情報は、実行されている処置の種類、手術されている組織の種類、又は処置の対象である体腔を含むことができる。外科処置に関連するコンテキスト情報により、外科システムは、例えば、それに接続され、かつ外科処置の過程でコンテキスト化した情報又は提案を外科医に提供するモジュール式装置（例えば、ロボットアーム及び／又はロボット外科用ツール）を制御する方法を改善することができる。
【０４５１】
ここで図５５を参照すると、例えば、外科用ハブ１０６又は２０６などのハブの状況認識を示す時間線５２００が示されている。時間線５２００は例示的な外科処置と、外科用ハブ１０６、２０６が、外科処置の各工程でデータソースから受信したデータから導き出すことができるコンテキスト情報と、を示す。時間線５２００は、手術室を設置することから開始し、患者を術後回復室に移送することで終了する肺区域切除手術の過程で、看護師、外科医及び他の医療関係者がとるであろう典型的な工程を示す。
【０４５２】
状況認識外科用ハブ１０６、２０６は、外科処置の過程全体にわたって、医療関係者が外科用ハブ１０６、２０６とペアリングされたモジュール式装置を使用する度に生成されるデータを含むデータをデータソースから受信する。外科用ハブ１０６、２０６は、ペアリングされたモジュール式装置及び他のデータソースからこのデータを受信する。そして任意の所与の時間に処置のどの工程が実行されているかなどの新しいデータが受信されると、進行中の処置に関する推定（すなわち、コンテキスト情報）を継続的に導出することができる。外科用ハブ１０６、２０６の状況認識システムは、例えば、レポートを生成するために処置に関するデータを記録すること、医療関係者によってとられている工程を検証すること、特定の処置工程に関連し得るデータ又はプロンプトを（例えば、ディスプレイスクリーンを介して）提供すること、コンテキストに基づいてモジュール式装置を調節すること（例えば、モニタを起動する、医療用撮像装置の視界（ＦＯＶ）を調節する、又は超音波外科用器具若しくはＲＦ電気外科用器具のエネルギーレベルを変更することなど）及び上述の任意の他のこうした動作を行うことが可能である。
【０４５３】
この例示的な処置における第１の工程５２０２として、病院職員は、病院のＥＭＲデータベースから患者の電子医療記録（Electronic Medical Record、ＥＭＲ）を読み出す。ＥＭＲにおける選択された患者データに基づいて、外科用ハブ１０６、２０６は、実行される処置が胸郭処置であると判定する。
【０４５４】
第２の工程５２０４では、職員は、処置のために入来する医療用品をスキャンする。外科用ハブ１０６、２０６は、スキャンされた用品を様々な種類の処置で利用される用品のリストと相互参照し、用品の組み合わせが、胸郭処置に対応するものであることを確認する。更に、外科用ハブ１０６、２０６はまた、処置が楔状処置ではないと判定することができる（入来する用品が、胸郭楔状処置に必要な特定の用品を含まないか、又は別の点で胸郭楔状処置に対応していないかのいずれかであるため）。
【０４５５】
第３の工程５２０６では、医療関係者は、外科用ハブ１０６、２０６に通信可能に接続されたスキャナを介して患者のバンドをスキャンする。続いて、外科用ハブ１０６、２０６は、スキャンされたデータに基づいて患者の識別情報を確認することができる。
【０４５６】
第４の工程５２０８では、医療スタッフが補助装置をオンにする。利用される補助装置は、外科処置の種類及び外科医によって使用される技術に従って変わり得るが、この例示的な場合では、これらとしては、排煙器、吸入器及び医療用撮像装置が挙げられる。補助装置が起動されると、モジュール式装置である補助装置は、その初期化プロセスの一部として、モジュール式装置の特定の近傍内に位置する外科用ハブ１０６、２０６と自動的にペアリングすることができる。続いて、外科用ハブ１０６、２０６は、この術前又は初期化段階中にそれとペアリングされるモジュール式装置の種類を検出することによって、外科処置に関するコンテキスト情報を導出することができる。この特定の例では、外科用ハブ１０６、２０６は、ペアリングされたモジュール式装置のこの特定の組み合わせに基づいて、外科処置がＶＡＴＳ手術であると判定する。患者のＥＭＲからのデータ、手術に用いられる医療用品のリスト及びハブに接続するモジュール式装置の種類の組み合わせに基づいて、外科用ハブ１０６、２０６は、外科チームが実行する特定の処置を概ね推定することができる。外科用ハブ１０６、２０６が、何の特定の処置が実行されているかを認識すると、続いて外科用ハブ１０６、２０６は、メモリから、又はクラウドからその処置の工程を読み出して、次に接続されたデータソース（例えば、モジュール式装置及び患者監視装置）からその後受信したデータを相互参照して、外科処置のどの工程を外科チームが実行しているかを推定することができる。
【０４５７】
第５の工程５２１０では、職員は、ＥＫＧ電極及び他の患者監視装置を患者に取り付ける。ＥＫＧ電極及び他の患者監視装置は、外科用ハブ１０６、２０６とペアリングすることができる。外科用ハブ１０６、２０６が患者監視装置からデータの受信を開始すると、外科用ハブ１０６、２０６は患者が手術室にいることを確認する。
【０４５８】
第６の工程５２１２では、医療関係者は患者に麻酔をかける。外科用ハブ１０６、２０６は、例えば、ＥＫＧデータ、血圧データ、ベンチレータデータ又はこれらの組み合わせを含む、モジュール式装置及び／又は患者監視装置からのデータに基づいて、患者が麻酔下にあることを推定することができる。第６の工程５２１２が完了すると、肺区域切除手術の術前部分が完了し、手術部分が開始する。
【０４５９】
第７の工程５２１４では、手術をされている患者の肺が虚脱される（他方、換気が対側肺に切り替えられる）。外科用ハブ１０６、２０６は、例えば、患者の肺が虚脱されたことをベンチレータデータから推定することができる。外科用ハブ１０６、２０６は、患者の肺が虚脱したのを検出したことを、処置の予期される工程（事前にアクセス又は読み出すことができる）と比較することができるため、処置の手術部分が既に開始されたと推定して、それによって肺を虚脱させることがこの特定の処置における第１の手術工程であると判定することができる。
【０４６０】
第８の工程５２１６では、医療用撮像装置（例えば、スコープ）が挿入され、医療用撮像装置からのビデオ映像が開始される。外科用ハブ１０６、２０６は、医療用撮像装置への接続を通じて医療用撮像装置データ（すなわち、ビデオ又は画像データ）を受信する。医療用撮像装置データを受信すると、外科用ハブ１０６、２０６は、外科処置の腹腔鏡部分が開始したことを判定することができる。更に、外科用ハブ１０６、２０６は、実行されている特定の処置が、肺葉切除とは異なり区域切除術であると判定することができる（処置の第２の工程５２０４で受信したデータに基づいて、楔状処置は外科用ハブ１０６、２０６によって既にその可能性がないと判断されていることに留意されたい）。医療用撮像装置１２４（図３３）からのデータは、実行されている処置の種類に関するコンテキスト情報を判定するために多くの異なる方法で用いられてもよい。例えば、患者の解剖学的構造を可視化したものに対して、医療用撮像装置が向いている角度を判定したり、用いられている（すなわち、起動されており、外科用ハブ１０６、２０６とペアリングされている）医療用撮像装置の数を監視したり、用いられている可視化装置の種類を監視したりするために用いられてよい。例えば、ＶＡＴＳ肺葉切除術を実施するための１つの技術は、カメラを患者の胸腔の前下方角部の横隔膜上方に配置するが、他方、ＶＡＴＳ区域切除術を実施するための１つの技術は、カメラを、区域裂に対して前方の肋間位置に配置する。例えば、パターン認識又は機械学習技術を使用して、状況認識システムは、患者の解剖学的構造を可視化したものに基づいて、医療用撮像装置の位置を認識するように訓練され得る。別の例として、ＶＡＴＳ肺葉切除術を実施するための１つの技術は、単一の医療用撮像装置を利用するが、ＶＡＴＳ区域切除術を実施するための別の技術は複数のカメラを利用する。更に別の例として、ＶＡＴＳ区域切除術を実施するための１つの技術は、区域裂を可視化するために赤外線光源（可視化システムの一部として外科用ハブに通信可能に連結され得る）を使用するが、これはＶＡＴＳ肺葉切除術では使用されない。医療用撮像装置からのこのデータのいずれか又は全てを追跡することによって、外科用ハブ１０６、２０６は、実行中の特定の種類の外科処置及び／又は特定の種類の外科処置に使用されている技術を判定することができる。
【０４６１】
第９の工程５２１８で、外科チームは、処置の切開工程を開始する。外科用ハブ１０６、２０６は、エネルギー器具が発射されていることを示すＲＦ又は超音波発生器からのデータを受信するため、外科医が患者の肺を切開して動員するプロセスにあると推定することができる。外科用ハブ１０６、２０６は、受信されたデータを外科処置の読み出しされた工程と相互参照して、過程のこの時点（すなわち、上述された処置の工程が完了した後）で発射されているエネルギー器具が、切開工程に対応していると判定することができる。特定の例では、エネルギー器具は、ロボット外科システムのロボットアームに取り付けられたエネルギーツールであり得る。
【０４６２】
第１０の工程５２２０で、外科チームは、処置の結紮工程に進む。外科用ハブ１０６、２０６は、外科用ステープル留め及び切断器具から、その器具が発射されていることを示すデータを受信するので、外科医が現在、動脈及び静脈を結紮していると推定することができる。前工程と同様に、外科用ハブ１０６、２０６は、外科用ステープル留め及び切断器具からのデータの受信を、読み出しされたプロセス内の工程と相互参照することによって、この推定を導出することができる。特定の例では、外科用器具は、ロボット外科システムのロボットアームに取り付けられた外科用ツールであり得る。
【０４６３】
第１１の工程５２２２では、処置の区域切除部分が実行される。外科用ハブ１０６、２０６は、そのカートリッジからのデータを含む、外科用ステープル留め及び切断器具からのデータに基づいて、外科医が実質組織を横切開していると推定することができる。カートリッジのデータは、例えば、器具によって発射されるステープルのサイズ又は種類に対応することができる。異なる種類のステープルが異なる種類の組織に利用されるため、カートリッジのデータは、ステープル留め及び／又は横切開されている組織の種類を示すことができる。この場合、発射されるステープルの種類は実質組織（又は他の同様の組織種）に用いられ、これにより、外科用ハブ１０６、２０６は、処置の区域切除部分が実行されていると推定することができる。
【０４６４】
続いて第１２の工程５２２４で、ノード切開工程が実行される。外科用ハブ１０６、２０６は、ＲＦ又は超音波器具が発射されていることを示す発生器から受信したデータに基づいて、外科チームがノードを切開し、漏れ試験を実施していると推定することができる。この特定の処置の場合、実質組織が横切開された後に用いられるＲＦ又は超音波器具は、ノード切開工程に対応しており、それにより、外科用ハブ１０６、２０６が上記の推定を行うことが可能となる。異なる器具が特定の作業に対してより良好に適合するため、外科医は、処置中の特定の工程に応じて、定期的に外科用ステープル留め／切断器具と外科用エネルギー（すなわち、ＲＦ又は超音波）器具とを、交互に切り替えることに留意されたい。したがって、ステープル留め／切断器具及び外科用エネルギー器具が使用される特定のシーケンスは、外科医が処置のどの工程を実行中であるかを示すことができる。更に、特定の例では、外科処置中の１つ以上の工程にロボットツールを使用することができ、かつ／又は外科処置中の１つ以上の工程にハンドヘルド外科用器具を使用することができる。外科医（複数可）は、例えば、ロボットツールとハンドヘルド外科用器具とを交互に使用することができ、かつ／又は装置を同時に使用することができる。第１２の工程５２２４が完了すると、切開部が閉鎖され、処置の術後部分が開始する。
【０４６５】
第１３の工程５２２６では、患者を麻酔から醒ます作業が行われる。外科用ハブ１０６、２０６は、例えば、ベンチレータデータに基づいて（すなわち、患者の呼吸速度が増加し始める）、患者が麻酔から覚醒しつつあると推定することができる。
【０４６６】
最後に、第１４の工程５２２８は、医療関係者が患者から様々な患者監視装置を除去することである。したがって、外科用ハブ１０６、２０６は、ハブがＥＫＧ、ＢＰ及び患者監視装置からの他のデータを喪失したとき、患者が回復室に移送されていると推定することができる。この例示的な処置の説明から分かるように、外科用ハブ１０６、２０６と通信可能に連結された各種データソースから受信されたデータに基づいて、外科用ハブ１０６、２０６は、所与の外科処置の各工程がいつ行われているかを判定又は推定することができる。
【０４６７】
状況認識については、その開示内容の全体が参照により本明細書に組み込まれる、「ＩＮＴＥＲＡＣＴＩＶＥ  ＳＵＲＧＩＣＡＬ  ＰＬＡＴＦＯＲＭ」と題する２０１７年１２月２８日出願の米国仮特許出願第６２／６１１，３４１号で更に説明されている。特定の例では、例えば本明細書で開示される様々なロボット外科システムを含むロボット外科システムの動作は、その状況認識及び／若しくはその構成要素からのフィードバックに基づいて、並びに／又はクラウド１０４からの情報に基づいて、ハブ１０６、２０６によって制御されてもよい。
【実施例】
【０４６８】
本明細書に記載される主題の様々な態様は、以下の番号付けされた実施例において説明される。
【０４６９】
実施例１：手術部位から微粒子を排出するための方法が開示される。この方法は、微粒子排出モジュール及び外科用ハブを通信可能に接続することであって、外科用ハブが外科用ハブ筐体を備え、微粒子排出モジュールが、外科用ハブ筐体内に受容されるように構成されていることを含む。この方法は、手術部位から微粒子排出モジュール内に微粒子を除去することと、除去された微粒子を分析することと、除去された微粒子の分析に基づいて、微粒子排出モジュールの動作を修正することと、を更に含む。
【０４７０】
実施例２：発生器モジュールを外科用ハブ筐体に取り付けることを更に含む、実施例１に記載の方法。
【０４７１】
実施例３：発生器モジュールと微粒子排出モジュールとを通信可能に接続することを更に含む、実施例２に記載の方法。
【０４７２】
実施例４：発生器モジュールを単極装置、双極装置、及び超音波装置のうちの少なくとも１つに接続することを更に含む、実施例２及び３のいずれか１つに記載の方法。
【０４７３】
実施例５：除去された微粒子の分析に基づいて、発生器モジュールの動作を修正することを更に含む、実施例２〜４のいずれか１つに記載の方法。
【０４７４】
実施例６：発生器モジュールが複数のサブ発生器モジュールを備え、外科用ハブは、サブ発生器モジュール間の通信を容易にして、サブ発生器モジュールが単一の発生器モジュールとして機能することを可能にするように構成されている、実施例２〜５のいずれか１つに記載の方法。
【０４７５】
実施例７：微粒子排出モジュールが流体ラインを含み、流体ラインの端部が外科用ハブ筐体内で終端する、実施例１〜６のいずれか１つに記載の方法。
【０４７６】
実施例８：手術部位から微粒子を排出するための方法が開示される。この方法は、微粒子排出モジュール及び外科用ハブを接続することであって、外科用ハブが外科用ハブ筐体を備え、微粒子排出モジュールが、外科用ハブ筐体内に受容されるように構成されていることを含む。この方法は、手術部位内の外科用器具を作動させることと、手術部位から微粒子排出モジュール内に微粒子を引き込むことと、除去された微粒子を分析することと、微粒子の分析に基づいて、微粒子排出モジュールの動作パラメータを修正することと、を更に含む。
【０４７７】
実施例９：外科用器具が、単極装置、双極装置、及び超音波装置のうちの少なくとも１つを含む、実施例８に記載の方法。
【０４７８】
実施例１０：発生器モジュールを外科用ハブ筐体に取り付けることを更に含む、実施例８及び９のいずれか１つに記載の方法。
【０４７９】
実施例１１：発生器モジュールと排煙モジュールとを通信可能に接続することを更に含む、実施例１０に記載の方法。
【０４８０】
実施例１２：発生器モジュールを単極装置、双極装置、及び超音波装置のうちの少なくとも１つに接続することを更に含む、実施例１０及び１１のいずれか１つに記載の方法。
【０４８１】
実施例１３：微粒子の分析に基づいて、発生器モジュールの動作を修正することを更に含む、実施例１０〜１２のいずれか１つに記載の方法。
【０４８２】
実施例１４：発生器モジュールが複数のサブ発生器モジュールを備え、外科用ハブは、サブ発生器モジュール間の通信を容易にして、サブ発生器モジュールが単一の発生器モジュールとして機能することを可能にするように構成されている、実施例１０〜１３のいずれか１つに記載の方法。
【０４８３】
実施例１５：手術部位から煙を排出するための方法が開示される。この方法は、排煙モジュール及び外科用ハブを接続することであって、外科用ハブが外科用ハブ筐体を備え、排煙モジュールが、外科用ハブ筐体内に受容されるように構成されていることを含む。この方法は、手術部位内に排煙モジュールの構成要素を挿入することと、手術部位から煙を除去することと、除去された煙を分析することと、除去された煙の分析に基づいて、排煙モジュールの動作を修正することと、を更に含む。
【０４８４】
実施例１６：発生器モジュールを外科用ハブ筐体に取り付けることを更に含む、実施例１５に記載の方法。
【０４８５】
実施例１７：発生器モジュールと排煙モジュールとを接続することを更に含む、実施例１６に記載の方法。
【０４８６】
実施例１８：発生器モジュールを単極装置、双極装置、及び超音波装置のうちの少なくとも１つに接続することを更に含む、実施例１６及び１７のいずれか１つに記載の方法。
【０４８７】
実施例１９：除去された煙の分析に基づいて、発生器モジュールの動作を修正することを更に含む、実施例１６〜１８のいずれか１つに記載の方法。
【０４８８】
実施例２０：発生器モジュールが複数のサブ発生器モジュールを備え、外科用ハブは、サブ発生器モジュール間の通信を容易にして、サブ発生器モジュールが単一の発生器モジュールとして機能することを可能にするように構成されている、実施例１６〜１９のいずれか１つに記載の方法。
【０４８９】
本明細書に記載される主題の様々な追加の態様は、以下の番号付けされた実施例において説明される。
【０４９０】
実施例１：方法であって、外科用排出システムによって、パラメータの値を取得することと、パラメータの値をクラウドコンピューティングネットワーク及び外科用ハブのうちの少なくとも１つに送信することと、クラウドコンピューティングネットワーク及び外科用ハブのうちの少なくとも１つによって、パラメータの値を処理することと、クラウドコンピューティングネットワーク及び外科用ハブのうちの少なくとも１つによって、外科用排出システム及びモジュール式装置のうちの少なくとも１つに対するパラメータの値の影響を判定することと、クラウドコンピューティングネットワーク及び外科用ハブのうちの少なくとも１つから、外科用排出システム及びモジュール式装置のうちの少なくとも１つに動作を調整するための命令を送信することと、命令に基づいて、外科用排出システム及びモジュール式装置のうちの少なくとも１つによって動作を調整することと、を含む、方法。
【０４９１】
実施例２：パラメータが、外科用排出システム内の内部センサによって感知される、実施例１に記載の方法。
【０４９２】
実施例３：パラメータが、微粒子濃度、エアロゾルの割合、又は化学分析、及びこれらの任意の組み合わせのうちの少なくとも１つである、実施例２に記載の方法。
【０４９３】
実施例４：外科用排気システム内の内部センサが、流体センサ、化学センサ、レーザー微粒子カウンタ、又は圧力センサ、及びこれらの任意の組み合わせのうちの少なくとも１つである、実施例１〜３のいずれか１つに記載の方法。
【０４９４】
実施例５：パラメータが操作パラメータである、実施例１〜４のいずれか１つに記載の方法。
【０４９５】
実施例６：操作パラメータが、空気流、圧力差、又は空気品質、及びこれらの任意の組み合わせのうちの少なくとも１つである、実施例５に記載の方法。
【０４９６】
実施例７：操作パラメータが、空気品質微粒子センサ又は周囲圧力センサ、及びこれらの任意の組み合わせのうちの少なくとも１つによって感知される、実施例１〜６のいずれか１つに記載の方法。
【０４９７】
実施例８：パラメータの値を、外科用ハブからクラウドコンピューティングネットワークに送信することを更に含む、実施例１〜７のいずれか１つに記載の方法。
【０４９８】
実施例９：パラメータの値をクラウドコンピューティングネットワークに送信する前に、パラメータの値が外科用ハブによって操作される、実施例８に記載の方法。
【０４９９】
実施例１０：パラメータの値が、ネットワークルータを介して外科用ハブからクラウドコンピューティングネットワークに送信される、実施例１〜９のいずれか１つに記載の方法。
【０５００】
実施例１１：クラウドコンピューティングネットワークから外科用ハブに、動作を調整するための命令を送信することを更に含む、実施例１〜１０のいずれか１つに記載の方法。
【０５０１】
実施例１２：外科用ハブが、外科用排出システム及びモジュール式装置のうちの少なくとも１つに動作を調整するための命令を送信する、実施例１１に記載の方法。
【０５０２】
実施例１３：外科用排出システムが、少なくとも２つのパラメータの値を取得する、実施例１〜１２のいずれか１つに記載の方法。
【０５０３】
実施例１４：モジュール式装置が、可視化回路、ロボット回路、インテリジェント通信回路、撮像回路、発生器、吸引／灌注回路、通信機、プロセッサ、ストレージアレイ、及び手術室マッピング回路のうちの少なくとも１つである、実施例１〜１３のいずれか１つに記載の方法。
【０５０４】
実施例１５：クラウドコンピューティングネットワーク及び外科用ハブのうちの少なくとも１つが、外科用排出システム及びモジュール式装置のうちの少なくとも１つと双方向通信している、実施例１〜１４のいずれか１つに記載の方法。
【０５０５】
実施例１６：クラウドコンピューティングネットワークが、外科用ハブと双方向通信している、実施例１〜１５のいずれか１つに記載の方法。
【０５０６】
実施例１７：クラウドコンピューティングネットワーク及び外科用ハブのうちの少なくとも１つが、外科用排出システム及びモジュール式装置のうちの少なくとも１つに対するパラメータの値の影響を判定するために、メモリに格納されるアルゴリズムを含む、実施例１〜１６のいずれか１つに記載の方法。
【０５０７】
実施例１８：クラウドコンピューティングネットワーク及び外科用ハブのうちの少なくとも１つが、外科用排出システム及びモジュール式装置のうちの少なくとも１つに対するパラメータの値の影響を判定するために、メモリに格納される学習ソフトウェアを含む、実施例１〜１７のいずれか１つに記載の方法。
【０５０８】
実施例１９：コンピュータ実装外科用システムであって、外科用ハブであって、プロセッサと、メモリと、を含む外科用ハブと、外科用ハブと通信する排煙モジュールであって、パラメータの値を取得し、パラメータの値をクラウドコンピューティングネットワーク及び外科用ハブのうちの少なくとも１つに送信するように構成されている、排煙モジュールと、を備え、クラウドコンピューティングネットワーク及び外科用ハブのうちの少なくとも１つが、パラメータの値を処理し、排煙モジュール及びモジュール式装置の少なくとも１つに対するパラメータの値の影響を判定し、排煙モジュール及びモジュール式装置のうちの少なくとも１つに動作を調整するための命令を送るように構成されており、排煙モジュール及びモジュール式装置のうちの少なくとも１つが、命令に基づいて動作を調整するように構成されている、コンピュータ実装外科用システム。
【０５０９】
実施例２０：コンピュータ可読命令を記憶する非一時的コンピュータ可読媒体であって、実行されると、マシンに、パラメータの値を外科的排出システムによって取得させ、パラメータの値をクラウドコンピューティングネットワーク及び外科用ハブのうちの少なくとも１つに送信させ、クラウドコンピューティングネットワーク及び外科用ハブのうちの少なくとも１つによって、パラメータの値を処理させ、クラウドコンピューティングネットワーク及び外科用ハブのうちの少なくとも１つによって、外科用排出システム及びモジュール式装置のうちの少なくとも１つに対するパラメータの値の影響を判定させ、クラウドコンピューティングネットワーク及び外科用ハブのうちの少なくとも１つから、外科用排出システム及びモジュール式装置のうちの少なくとも１つに動作を調整するための命令を送信させ、かつ、命令に基づいて、外科用排出システム及びモジュール式装置のうちの少なくとも１つによって動作を調整させる、非一時的コンピュータ可読媒体。
【０５１０】
実施例２１：方法であって、外科用排出システムによって、パラメータの値を取得することと、ネットワークルータを介して、パラメータの値をクラウドコンピューティングネットワークに送信することと、クラウドコンピューティングネットワークによって、パラメータの値を処理することと、クラウドコンピューティングネットワークによって、外科用排出システム及びモジュール式装置のうちの少なくとも１つに対するパラメータの値の影響を判定することと、ネットワークルータを介して、クラウドコンピューティングネットワークから外科用排出システム及びモジュール式装置のうちの少なくとも１つに動作を調整するための命令を送信することと、命令に基づいて、外科用排出システム及びモジュール式装置のうちの少なくとも１つによって動作を調整することと、を含む、方法。
【０５１１】
実施例２２：パラメータが、外科用排出システム内の内部センサによって感知される、実施例２１に記載の方法。
【０５１２】
実施例２３：パラメータが、微粒子濃度、エアロゾルの割合、又は化学分析、及びこれらの任意の組み合わせのうちの少なくとも１つである、実施例２１〜２２のいずれか１つに記載の方法。
【０５１３】
実施例２４：外科用排気システム内の内部センサが、流体センサ、化学センサ、レーザー微粒子カウンタ、又は圧力センサ、及びこれらの任意の組み合わせのうちの少なくとも１つである、実施例２１〜２３のいずれか１つに記載の方法。
【０５１４】
実施例２５：パラメータが操作パラメータである、実施例２１〜２４のいずれか１つに記載の方法。
【０５１５】
実施例２６：操作パラメータが、空気流、圧力差、又は空気品質、及びこれらの任意の組み合わせのうちの少なくとも１つである、実施例２５に記載の方法。
【０５１６】
実施例２７：操作パラメータが、空気品質微粒子センサ又は周囲圧力センサ、及びこれらの任意の組み合わせのうちの少なくとも１つによって感知される、実施例２５〜２６のいずれか１つに記載の方法。
【０５１７】
実施例２８：方法であって、外科用排出システムによって、パラメータの値を取得することと、パラメータの値を外科用ハブに送信することと、ネットワークルータを介して、パラメータの値を外科用ハブからクラウドコンピューティングネットワークに送信することと、クラウドコンピューティングネットワークによって、パラメータの値を処理することと、クラウドコンピューティングネットワークによって、外科用排出システム及びモジュール式装置のうちの少なくとも１つに対するパラメータの値の影響を判定することと、ネットワークルータを介して、クラウドコンピューティングネットワークから外科用排出システム及びモジュール式装置のうちの少なくとも１つに動作を調整するための命令を送信することと、命令に基づいて、外科用排出システム及びモジュール式装置のうちの少なくとも１つによって動作を調整することと、を含む、方法。
【０５１８】
実施例２９：パラメータが、外科用排出システム内の内部センサによって感知される、実施例２８に記載の方法。
【０５１９】
実施例３０：外科用排気システム内の内部センサが、流体センサ、化学センサ、レーザー微粒子カウンタ、又は圧力センサ、及びこれらの任意の組み合わせのうちの少なくとも１つである、実施例２９に記載の方法。
【０５２０】
実施例３１：パラメータが、微粒子濃度、エアロゾルの割合、又は化学分析、及びこれらの任意の組み合わせのうちの少なくとも１つである、実施例２８〜３０のいずれか１つに記載の方法。
【０５２１】
実施例３２：パラメータが操作パラメータである、実施例２８〜３１のいずれか１つに記載の方法。
【０５２２】
実施例３３：操作パラメータが、空気流、圧力差、又は空気品質、及びこれらの任意の組み合わせのうちの少なくとも１つである、実施例３２に記載の方法。
【０５２３】
実施例３４：操作パラメータが、空気品質微粒子センサ又は周囲圧力センサ、及びこれらの任意の組み合わせのうちの少なくとも１つによって感知される、実施例３２〜３３のいずれか１つに記載の方法。
【０５２４】
実施例３５：方法であって、外科用排出システムによって、パラメータの値を取得することと、パラメータの値を外科用ハブに送信することと、外科用ハブによって、パラメータの値を処理することと、外科用ハブによって、外科用排出システム及びモジュール式装置のうちの少なくとも１つに対するパラメータの値の影響を判定することと、外科用ハブから外科用排出システム及びモジュール式装置のうちの少なくとも１つに動作を調整するための命令を送信することと、命令に基づいて、外科用排出システム及びモジュール式装置のうちの少なくとも１つによって動作を調整することと、を含む、方法。
【０５２５】
実施例３６：パラメータが、外科用排出システム内の内部センサによって感知される、実施例３５に記載の方法。
【０５２６】
実施例３７：パラメータが、微粒子濃度、エアロゾルの割合、又は化学分析、及びこれらの任意の組み合わせのうちの少なくとも１つである、実施例３５〜３６のいずれか１つに記載の方法。
【０５２７】
実施例３８：外科用排気システム内の内部センサが、流体センサ、化学センサ、レーザー微粒子カウンタ、又は圧力センサ、及びこれらの任意の組み合わせのうちの少なくとも１つである、実施例３５〜３７のいずれか１つに記載の方法。
【０５２８】
実施例３９：パラメータが操作パラメータである、実施例３５〜３８のいずれか１つに記載の方法。
【０５２９】
実施例４０：操作パラメータが、空気流、圧力差、又は空気品質、及びこれらの任意の組み合わせのうちの少なくとも１つである、実施例３５〜３９のいずれか１つに記載の方法。
【０５３０】
実施例４１：操作パラメータが、空気品質微粒子センサ及び周囲圧力センサのうちの少なくとも１つによって感知される、実施例３５〜４０のいずれか１つに記載の方法。
【０５３１】
実施例４２：コンピュータ実装外科用システムであって、外科用ハブと、外科用ハブ内に位置付けられた排煙モジュールであって、センサによってパラメータを感知し、パラメータを外科用ハブに送信するように構成されている、排煙モジュールと、を備え、外科用ハブは、パラメータを分析し、パラメータの分析に基づいて、外科用ハブと通信する排煙モジュール及び第２のモジュールのうちの少なくとも１つの動作を修正するように構成されている、コンピュータ実装外科用システム。
【０５３２】
実施例４３：プロセッサ及びプロセッサに連結されたメモリを備える外科用ハブであって、メモリが、実施例２１〜３１のいずれか１つに記載の方法を実施するための、プロセッサによって実行可能な命令を記憶している、外科用ハブ。
【０５３３】
実施例４４：コンピュータ可読命令を記憶する非一時的コンピュータ可読媒体であって、実行されると、マシンに、実施例２１〜３１のいずれか１つに記載の方法を実施させる、非一時的コンピュータ可読媒体。
【０５３４】
実施例４５：方法であって、外科用排出システムによって、パラメータの値を取得することと、パラメータの値をクラウドコンピューティングネットワーク及び外科用ハブのうちの少なくとも１つに送信することと、クラウドコンピューティングネットワーク及び外科用ハブのうちの少なくとも１つによって、パラメータの値を処理することと、クラウドコンピューティングネットワーク及び外科用ハブのうちの少なくとも１つによって、外科用排出システム及びモジュール式装置のうちの少なくとも１つに対するパラメータの値の影響を判定することと、クラウドコンピューティングネットワーク及び外科用ハブのうちの少なくとも１つから、外科用排出システム及びモジュール式装置のうちの少なくとも１つに動作を調整するための命令を送信することと、命令に基づいて、外科用排出システム及びモジュール式装置のうちの少なくとも１つによって動作を調整することと、を含む、方法。
【０５３５】
実施例４６：パラメータが、外科用排出システム内の内部センサによって感知される、実施例４５に記載の方法。
【０５３６】
実施例４７：パラメータが、微粒子濃度、エアロゾルの割合、又は化学分析、及びこれらの任意の組み合わせのうちの少なくとも１つである、実施例４５〜４６のいずれか１つに記載の方法。
【０５３７】
実施例４８：外科用排気システム内の内部センサが、流体センサ、化学センサ、レーザー微粒子カウンタ、又は圧力センサ、及びこれらの任意の組み合わせのうちの少なくとも１つである、実施例４５〜４７のいずれか１つに記載の方法。
【０５３８】
実施例４９：パラメータが操作パラメータである、実施例４５〜４８のいずれか１つに記載の方法。
【０５３９】
実施例５０：操作パラメータが、空気流、圧力差、又は空気品質、及びこれらの任意の組み合わせのうちの少なくとも１つである、実施例４５〜４９のいずれか１つに記載の方法。
【０５４０】
実施例５１：操作パラメータが、空気品質微粒子センサ又は周囲圧力センサ、及びこれらの任意の組み合わせのうちの少なくとも１つによって感知される、実施例４５〜５０のいずれか１つに記載の方法。
【０５４１】
実施例５２：パラメータの値を、外科用ハブからクラウドコンピューティングネットワークに送信することを更に含む、実施例４５〜５１のいずれか１つに記載の方法。
【０５４２】
実施例５３：パラメータの値をクラウドコンピューティングネットワークに送信する前に、パラメータの値が外科用ハブによって操作される、実施例４５〜５２のいずれか１つに記載の方法。
【０５４３】
実施例５４：パラメータの値が、ネットワークルータを介して外科用ハブからクラウドコンピューティングネットワークに送信される、実施例４５〜５３のいずれか１つに記載の方法。
【０５４４】
実施例５５：クラウドコンピューティングネットワークから外科用ハブに、動作を調整するための命令を送信することを更に含む、実施例４５〜５４のいずれか１つに記載の方法。
【０５４５】
実施例５６：外科用ハブが、外科用排出システム及びモジュール式装置のうちの少なくとも１つに動作を調整するための命令を送信する、実施例４５〜５５いずれか１つに記載の方法。
【０５４６】
実施例５７：外科用排出システムが、少なくとも２つのパラメータの値を取得する、実施例４５〜５６のいずれか１つに記載の方法。
【０５４７】
実施例５８：モジュール式装置が、可視化回路、ロボット回路、インテリジェント通信回路、撮像回路、発生器、吸引／灌注回路、通信機、プロセッサ、ストレージアレイ、及び手術室マッピング回路のうちの少なくとも１つである、実施例４５〜５７のいずれか１つに記載の方法。
【０５４８】
実施例５９：クラウドコンピューティングネットワーク及び外科用ハブのうちの少なくとも１つが、外科用排出システム及びモジュール式装置のうちの少なくとも１つと双方向通信している、実施例４５〜５８のいずれか１つに記載の方法。
【０５４９】
実施例６０：クラウドコンピューティングネットワークが、外科用ハブと双方向通信している、実施例４５〜５９のいずれか１つに記載の方法。
【０５５０】
実施例６１：クラウドコンピューティングネットワーク及び外科用ハブのうちの少なくとも１つが、外科用排出システム及びモジュール式装置のうちの少なくとも１つに対するパラメータの値の影響を判定するために、メモリに格納されるアルゴリズムを含む、実施例４５〜６０のいずれか１つに記載の方法。
【０５５１】
実施例６２：クラウドコンピューティングネットワーク及び外科用ハブのうちの少なくとも１つが、外科用排出システム及びモジュール式装置のうちの少なくとも１つに対するパラメータの値の影響を判定するために、メモリに格納される学習ソフトウェアを含む、実施例４５〜６１のいずれか１つに記載の方法。
【０５５２】
実施例６３：コンピュータ実装外科用システムであって、外科用ハブであって、プロセッサと、メモリと、を含む外科用ハブと、外科用ハブと通信する排煙モジュールであって、パラメータの値を取得し、パラメータの値をクラウドコンピューティングネットワーク及び外科用ハブのうちの少なくとも１つに送信するように構成されている、排煙モジュールと、を備え、クラウドコンピューティングネットワーク及び外科用ハブのうちの少なくとも１つが、パラメータの値を処理し、排煙モジュール及びモジュール式装置の少なくとも１つに対するパラメータの値の影響を判定し、排煙モジュール及びモジュール式装置のうちの少なくとも１つに動作を調整するための命令を送るように構成されており、排煙モジュール及びモジュール式装置のうちの少なくとも１つが、命令に基づいて動作を調整するように構成されている、コンピュータ実装外科用システム。
【０５５３】
実施例６４：コンピュータ可読命令を記憶する非一時的コンピュータ可読媒体であって、実行されると、マシンに、パラメータの値を外科的排出システムによって取得させ、パラメータの値をクラウドコンピューティングネットワーク及び外科用ハブのうちの少なくとも１つに送信させ、クラウドコンピューティングネットワーク及び外科用ハブのうちの少なくとも１つによって、パラメータの値を処理させ、クラウドコンピューティングネットワーク及び外科用ハブのうちの少なくとも１つによって、外科用排出システム及びモジュール式装置のうちの少なくとも１つに対するパラメータの値の影響を判定させ、クラウドコンピューティングネットワーク及び外科用ハブのうちの少なくとも１つから、外科用排出システム及びモジュール式装置のうちの少なくとも１つに動作を調整するための命令を送信させ、かつ、命令に基づいて、外科用排出システム及びモジュール式装置のうちの少なくとも１つによって動作を調整させる、非一時的コンピュータ可読媒体。
【０５５４】
本明細書に記載される主題の様々な追加の態様は、以下の番号付けされた実施例において説明される。
【０５５５】
実施例１：外科用ハブであって、制御回路であって、複数のセグメントを含む制御回路を備え、複数のセグメントが、第１のセグメント、第２のセグメント、及び第３のセグメントを含み、第１のセグメントが、メインプロセッサ及び安全プロセッサを含み、メインプロセッサが、メモリに連結されており、メモリは、第２及び第３のセグメントの前に、第１のセグメントに通電し、第１のセグメントが第１の機能を実施した後に、第２及び第３のセグメントに通電するための、メインプロセッサによって実行可能な命令を記憶しており、第２のセグメントが、感知回路及びディスプレイ回路を含み、第３のセグメントが、モータ制御回路及びモータを含む、外科用ハブ。
【０５５６】
実施例２：第１の機能が、短絡及びエラーのうちの少なくとも１つについて、第１、第２、及び第３のセグメントをチェックすることである、実施例１に記載の外科用ハブ。
【０５５７】
実施例３：第１の機能が、第１、第２、及び第３のセグメントに対して安全チェックを実施することである、実施例１〜２のいずれか１つに記載の外科用ハブ。
【０５５８】
実施例４：第１の機能が、感知回路、ディスプレイ回路、モータ制御回路、及びモータが正しい構成要素であることを検証することである、実施例１〜３のいずれか１つに記載の外科用ハブ。
【０５５９】
実施例５：制御回路が、メインプロセッサ、安全プロセッサ、感知回路、ディスプレイ回路、モータ制御回路、及びモータを識別し、かつ表示デバイス上で、メインプロセッサ、安全プロセッサ、感知回路、ディスプレイ回路、モータ制御回路、及びモータのステータスを表示する、実施例１〜４のいずれか１つに記載の外科用ハブ。
【０５６０】
実施例６：制御回路が、第１のセグメント、第２のセグメント、及び第３のセグメントを識別し、かつ表示デバイス上でユーザに、第１のセグメント、第２のセグメント、及び第３のセグメントのステータスを表示する、実施例１〜５のいずれか１つに記載の外科用ハブ。
【０５６１】
実施例７：モータに連結されたポンプを更に備える、実施例１〜６のいずれか１つに記載の外科用ハブ。
【０５６２】
実施例８：モータが、第１の状態又は第２の状態で動作する、実施例１〜７のいずれか１つに記載の外科用ハブ。
【０５６３】
実施例９：第１の状態が、ユーザによって起動され、モータが、第１の速度でポンプを動作させる、実施例１〜８のいずれか１つに記載の外科用ハブ。
【０５６４】
実施例１０：モータが、第２の状態において第２の速度でポンプを動作させる、実施例１〜９のいずれか１つに記載の外科用ハブ。
【０５６５】
実施例１１：外科用排出システム内のセグメント化された制御回路を動作させる方法であって、第１のセグメントを起動することであって、第１のセグメントが、メインプロセッサ及び安全プロセッサを含む、ことと、第１のセグメントに第１の機能を実施させることと、第２のセグメントを起動することであって、第２のセグメントが、感知回路及びディスプレイ回路を含む、起動することと、第３のセグメントを起動することであって、第３のセグメントが、モータ制御回路及びモータを含む、起動することと、を含む、方法。
【０５６６】
実施例１２：第１の機能が、短絡及びエラーのうちの少なくとも１つについて、第１、第２、及び第３のセグメントをチェックすることである、実施例１１に記載のセグメント化された制御回路を動作させる方法。
【０５６７】
実施例１３：第１の機能が、第１、第２、及び第３のセグメントに対して安全チェックを実施することである、実施例１１〜１２のいずれか１つに記載のセグメント化された制御回路を動作させる方法。
【０５６８】
実施例１４：第１の機能が、感知回路、ディスプレイ回路、モータ制御回路、及びモータが正しい構成要素であることを検証することである、実施例１１〜１３のいずれか１つに記載のセグメント化された制御回路を動作させる方法。
【０５６９】
実施例１５：制御回路によって、メインプロセッサ、安全プロセッサ、感知回路、ディスプレイ回路、モータ制御回路、及びモータを識別することと、表示デバイス上で、メインプロセッサ、安全プロセッサ、感知回路、ディスプレイ回路、モータ制御回路、及びモータのステータスを表示することと、を更に含む、実施例１１〜１４のいずれか１つに記載のセグメント化された制御回路を動作させる方法。
【０５７０】
実施例１６：制御回路によって、第１のセグメント、第２のセグメント、及び第３のセグメントを識別することと、表示デバイス上で、第１のセグメント、第２のセグメント、及び第３のセグメントのステータスを表示することと、を更に含む、実施例１１〜１５のいずれか１つに記載のセグメント化された制御回路を動作させる方法。
【０５７１】
実施例１７：第１の状態又は第２の状態でモータを動作させることを更に含む、実施例１１〜１６のいずれか１つに記載のセグメント化された制御回路を動作させる方法。
【０５７２】
実施例１８：第１の状態が、ユーザによって起動され、モータが、第１の速度でポンプを動作させる、実施例１１〜１７のいずれか１つに記載のセグメント化された制御回路を動作させる方法。
【０５７３】
実施例１９：モータが、第２の状態において第２の速度でポンプを動作させる、実施例１１〜１８のいずれか１つに記載のセグメント化された制御回路を動作させる方法。
【０５７４】
実施例２０：コンピュータ可読命令を記憶する非一時的コンピュータ可読媒体であって、コンピュータ可読命令が、実行されたときに、マシンに、第１のセグメントを起動することであって、第１のセグメントが、メインプロセッサ及び安全プロセッサを含む、ことと、第１のセグメントに第１の機能を実施させることと、第２のセグメントを起動することであって、第２のセグメントが、感知回路及びディスプレイ回路を含む、起動することと、第３のセグメントを起動することであって、第３のセグメントが、モータ制御回路及びモータを含む、起動することと、を行わせる、非一時的コンピュータ可読媒体。
【０５７５】
実施例２１：外科用排出システムであって、制御回路を備え、制御回路が、複数のセグメントを含み、複数のセグメントが、第１のセグメント、第２のセグメント、及び第３のセグメントを含み、第１のセグメントが、メインプロセッサ及び安全プロセッサを含み、メインプロセッサが、メモリに連結されており、メモリは、第２及び第３のセグメントの前に、第１のセグメントに通電し、第１のセグメントが第１の機能を実施した後に、第２及び第３のセグメントに通電するための、メインプロセッサによって実行可能な命令を記憶しており、第２のセグメントが、感知回路及びディスプレイ回路を含み、第３のセグメントが、モータ制御回路及びモータを含む、外科用排出システム。
【０５７６】
実施例２２：第１の機能が、短絡及びエラーのうちの少なくとも１つについて、第１、第２、及び第３のセグメントをチェックすることである、実施例２１に記載の外科用排出システム。
【０５７７】
実施例２３：第１の機能が、第１、第２、及び第３のセグメントに対して安全チェックを実施することである、実施例２１〜２２のいずれか１つに記載の外科用排出システム。
【０５７８】
実施例２４：第１の機能は、感知回路、ディスプレイ回路、モータ制御回路、及びモータが正しい構成要素であることを検証することである、実施例２１〜２３のいずれか１つに記載の外科用排出システム。
【０５７９】
実施例２５：制御回路が、メインプロセッサ、安全プロセッサ、感知回路、ディスプレイ回路、モータ制御回路、及びモータを識別し、かつ表示デバイス上で、メインプロセッサ、安全プロセッサ、感知回路、ディスプレイ回路、モータ制御回路、及びモータのステータスを表示する、実施例２１〜２４のいずれか１つに記載の外科用排出システム。
【０５８０】
実施例２６：制御回路が、第１のセグメント、第２のセグメント、及び第３のセグメントを識別し、かつ表示デバイス上でユーザに、第１のセグメント、第２のセグメント、及び第３のセグメントのステータスを表示する、実施例２１〜２５のいずれか１つに記載の外科用排出システム。
【０５８１】
実施例２７：モータに連結されたポンプを更に備える、実施例２１〜２６のいずれか１つに記載の外科用排出システム。
【０５８２】
実施例２８：モータが、第１の状態又は第２の状態で動作する、実施例２１〜２７のいずれか１つに記載の外科用排出システム。
【０５８３】
実施例２９：第１の状態が、ユーザによって起動され、モータが、ポンプを急速な速度で動作させる、実施例２８に記載の外科用排出システム。
【０５８４】
実施例３０：第２の状態が遅い状態であり、モータがポンプをより遅い速度で動作させる、実施例２８〜２９のいずれか１つに記載の外科用排出。
【０５８５】
実施例３１：外科用排出システム内のセグメント化された制御回路を動作させる方法であって、第１のセグメントを起動することであって、第１のセグメントが、メインプロセッサ及び安全プロセッサを含む、ことと、第１のセグメントに第１の機能を実施させることと、第２のセグメントを起動することであって、第２のセグメントが、感知回路及びディスプレイ回路を含む、起動することと、第３のセグメントを起動することであって、第３のセグメントが、モータ制御回路及びモータを含む、起動することと、を含む、方法。
【０５８６】
実施例３２：第１の機能が、短絡及びエラーのうちの少なくとも１つについて、第１、第２、及び第３のセグメントをチェックすることである、実施例３１に記載のセグメント化された制御回路を動作させる方法。
【０５８７】
実施例３３：第１の機能が、第１、第２、及び第３のセグメントに対して安全チェックを実施することである、実施例３１〜３２のいずれか１つに記載のセグメント化された制御回路を動作させる方法。
【０５８８】
実施例３４：第１の機能が、感知回路、ディスプレイ回路、モータ制御回路、及びモータが正しい構成要素であることを検証することである、実施例３１〜３３のいずれか１つに記載のセグメント化された制御回路を動作させる方法。
【０５８９】
実施例３５：制御回路によって、メインプロセッサ、安全プロセッサ、感知回路、ディスプレイ回路、モータ制御回路、及びモータを識別することと、表示デバイス上で、メインプロセッサ、安全プロセッサ、感知回路、ディスプレイ回路、モータ制御回路、及びモータのステータスを表示することと、を更に含む、実施例３１〜３４のいずれか１つに記載のセグメント化された制御回路を動作させる方法。
【０５９０】
実施例３６：制御回路によって、第１のセグメント、第２のセグメント、及び第３のセグメントを識別することと、表示デバイス上で、第１のセグメント、第２のセグメント、及び第３のセグメントのステータスを表示することと、を更に含む、実施例３１〜３５のいずれか１つに記載のセグメント化された制御回路を動作させる方法。
【０５９１】
実施例３７：ポンプが、モータに連結されている、実施例３１〜３６のいずれか１つに記載のセグメント化された制御回路を動作させる方法。
【０５９２】
実施例３８：第１の状態又は第２の状態でモータを動作させることを更に含む、実施例３７に記載のセグメント化された制御回路を動作させる方法。
【０５９３】
実施例３９：第１の状態が、ユーザによって起動され、モータが、ポンプを急速な速度で動作させる、実施例３８に記載のセグメント化された制御回路を動作させる方法。
【０５９４】
実施例４０：第２の状態が、遅い状態であり、モータがポンプをより遅い速度で動作させる、実施例３８〜３９のいずれか１つに記載のセグメント化された制御回路を動作させる方法。
【０５９５】
実施例４１：プロセッサ及びプロセッサに連結されたメモリを備える外科用ハブであって、メモリが、実施例３１〜４０のいずれか１つに記載の方法を実施するための、プロセッサによって実行可能な命令を記憶している、外科用ハブ。
【０５９６】
実施例４２：コンピュータ可読命令を記憶する非一時的コンピュータ可読媒体であって、実行されると、マシンに、実施例３１〜４０のいずれか１つに記載の方法を実施させる、非一時的コンピュータ可読媒体。
【０５９７】
実施例４３：第１の状態が、ユーザによって起動され、モータが、ポンプを第１の速度で動作させる、実施例３８に記載のセグメント化された制御回路を動作させる方法。
【０５９８】
実施例４４：モータが、第２の状態において第２の速度でポンプを動作させる、実施例３８に記載のセグメント化された制御回路を動作させる方法。
【０５９９】
実施例４５：コンピュータ可読命令を記憶する非一時的コンピュータ可読媒体であって、コンピュータ可読命令が、実行されたときに、マシンに、第１のセグメントを起動することであって、第１のセグメントが、メインプロセッサ及び安全プロセッサを含む、ことと、第１のセグメントに第１の機能を実施させることと、第２のセグメントを起動することであって、第２のセグメントが、感知回路及びディスプレイ回路を含む、起動することと、第３のセグメントを起動することであって、第３のセグメントが、モータ制御回路及びモータを含む、起動することと、を行わせる、非一時的コンピュータ可読媒体。
【０６００】
本明細書に記載される主題の様々な追加の態様は、以下の番号付けされた実施例において説明される。
【０６０１】
実施例１：外科用排出システムであって、排煙装置であって、ポンプと、ポンプに動作可能に連結されたモータと、を含む、排煙装置と、通信回路と、通信回路を通じて排煙デバイスと通信するフィルタデバイスと、を備え、フィルタデバイスが、複数のフィルタ構成要素を含み、複数のフィルタ構成要素が、流体フィルタ、微粒子フィルタ、及び炭フィルタのうちの少なくとも１つを含む、複数のフィルタ要素と、複数のフィルタセンサと、を備え、通信回路が、複数のフィルタ構成要素を認証することと、当該複数のフィルタ構成要素のうちの少なくとも１つの残存寿命を検証することと、複数のフィルタ構成要素から出力されたパラメータを更新することと、複数のフィルタ構成要素から出力されたエラーを記録することと、を行うための、プロセッサによって実行可能な命令を記憶している、外科用排出システム。
【０６０２】
実施例２：通信回路が、通信回路によって識別され得るフィルタ構成要素の数又は種類を制限するように更に構成されている、実施例１に記載の外科用排出システム。
【０６０３】
実施例３：通信回路が、認証の結果に基づいて、複数のフィルタ構成要素を有効化又は無効化するように更に構成されている、実施例１〜２のいずれか１つに記載の外科用排出システム。
【０６０４】
実施例４：通信回路が、フィルタ構成要素情報を使用することによって複数のフィルタ構成要素を認証する、実施例１〜３のいずれか１つに記載の外科用排出システム。
【０６０５】
実施例５：フィルタ構成要素情報が、複数のフィルタ構成要素の製品種類、製品名、一意のデバイス識別子、製品商標、シリアル番号、及び構成パラメータのうちの少なくとも１つを含む、実施例４に記載の外科用排出システム。
【０６０６】
実施例６：フィルタデバイスが、複数のフィルタ構成要素から出力されたパラメータを通信回路に送信する前に、パラメータを暗号化するように構成されている、実施例１〜５のいずれか１つに記載の外科用排出システム。
【０６０７】
実施例７：暗号化されたパラメータを受信すると、通信回路が、暗号化されたパラメータを復号化する、実施例６に記載の外科用排出システム。
【０６０８】
実施例８：通信装置が、マスタデバイスとして機能し、フィルタデバイスが、スレーブデバイスとして機能し、マスタデバイスとスレーブデバイスとの間の通信が、認証プロセスを実施するときに、マスタデバイスからスレーブデバイスに一方向性である、実施例１〜７のいずれか１つに記載の外科用排出システム。
【０６０９】
実施例９：通信回路を通じた排煙装置とフィルタデバイスとの間の通信のための方法であって、方法が、通信回路によって、フィルタデバイス内の複数のフィルタ構成要素を認証することであって、複数のフィルタ構成要素が、流体フィルタ、微粒子フィルタ、及び炭フィルタのうちの少なくとも１つを含む複数のフィルタ要素と、複数のフィルタセンサと、を含む、認証することと、当該通信回路によって、当該複数のフィルタ構成要素のうちの少なくとも１つの残存寿命を検証することと、通信回路によって、複数のフィルタ構成要素から出力されたパラメータを更新することと、通信回路によって、複数のフィルタ構成要素から出力されたエラーを記録することと、を含み、排煙デバイスが、ポンプと、ポンプに動作可能に連結されたモータと、を含む、方法。
【０６１０】
実施例１０：通信回路によって識別され得るフィルタ構成要素の数又は種類を制限することを更に含む、実施例９に記載の方法。
【０６１１】
実施例１１：通信回路によって、認証の結果に基づいて複数のフィルタ構成要素を有効化又は無効化することを更に含む、実施例９に記載の方法。
【０６１２】
実施例１２：通信回路が、フィルタ構成要素情報を使用することによって複数のフィルタ構成要素を認証する、実施例９〜１１のいずれか１つに記載の方法。
【０６１３】
実施例１３：フィルタ構成要素情報が、複数のフィルタ構成要素の製品種類、製品名、一意のデバイス識別子、製品商標、シリアル番号、及び構成パラメータのうちの少なくとも１つを含む、実施例１２に記載の方法。
【０６１４】
実施例１４：複数のフィルタ構成要素から出力されたパラメータを通信回路に送信する前に、フィルタデバイスによって、パラメータを暗号化することを更に含む、実施例９〜１３のいずれか１つに記載の方法。
【０６１５】
実施例１５：暗号化されたパラメータを受信すると、通信回路によって、暗号化されたパラメータを復号化することを更に含む、実施例１４に記載の方法。
【０６１６】
実施例１６：通信装置が、マスタデバイスとして機能し、フィルタデバイスが、スレーブデバイスとして機能し、マスタデバイスとスレーブデバイスとの間の通信が、認証工程を実施するときに、マスタデバイスからスレーブデバイスに一方向性である、実施例９〜１５のいずれか１つに記載の方法。
【０６１７】
実施例１７：プロセッサ及びプロセッサに連結されたメモリを備える外科用ハブであって、メモリが、実施例９〜１６のいずれか１つに記載の方法を実施するための、プロセッサによって実行可能な命令を記憶している、外科用ハブ。
【０６１８】
実施例１８：コンピュータ可読命令を記憶する非一時的コンピュータ可読媒体であって、実行されると、マシンに、実施例９〜１６のいずれか１つに記載の方法を実施させる、非一時的コンピュータ可読媒体。
【０６１９】
実施例１９：プロセッサ、及びプロセッサに連結されたメモリを備える外科用ハブであって、メモリが、フィルタデバイス内の複数のフィルタ構成要素を認証することであって、複数のフィルタ構成要素が、流体フィルタ、微粒子フィルタ、及び炭フィルタのうちの少なくとも１つを含む、複数のフィルタ要素と、複数のフィルタセンサと、を含む、認証することと、当該複数のフィルタ構成要素のうちの少なくとも１つの残存寿命を検証することと、複数のフィルタ構成要素から出力されたパラメータを更新することと、複数のフィルタ構成要素から出力されたエラーを記録することと、を行うための、プロセッサによって実行可能な命令を記憶している、外科用ハブ。
【０６２０】
実施例２０：メモリが、識別され得るフィルタ構成要素の数又は種類を制限するための、プロセッサによって実行可能な更なる命令を記憶している、実施例１９に記載の外科用ハブ。
【０６２１】
実施例２１：メモリが、認証の結果に基づいて、複数のフィルタ構成要素を有効化又は無効化するための、プロセッサによって実行可能な更なる命令を記憶している、実施例１９〜２０のいずれか１つに記載の外科用ハブ。
【０６２２】
実施例２２：複数のフィルタ構成要素が、複数のフィルタ構成要素の製品種類、製品名、一意のデバイス識別子、製品商標、シリアル番号、及び構成パラメータのうちの少なくとも１つを含むフィルタ構成要素情報を使用することによって認証される、実施例１９〜２１のいずれか１つに記載の外科用ハブ。
【０６２３】
本明細書に記載される主題の様々な追加の態様は、以下の番号付けされた実施例において説明される。
【０６２４】
実施例１：外科用排出システムであって、ポンプと、ポンプに動作可能に連結されたモータと、ポンプに流体連結された流路と、を備え、流路が、流路を通って移動する流体中の大液滴を抽出するように構成された第１の流体フィルタと、流路を通って移動する流体中の小液滴を抽出するように構成された第２の流体フィルタと、を含み、第１の流体フィルタが、第２の流体フィルタと直列に連結されており、第１の流体フィルタが、第２の流体フィルタの上流に位置付けられており、第２の流体フィルタの出口ポートが、非流体フィルタの入口ポートに連結されている、外科用排出システム。
【０６２５】
実施例２：第１の再循環チャネルを更に備え、第１の再循環チャネルの入口ポートが、第２の流体フィルタと非流体フィルタとの間に位置付けられ、第１の再循環チャネルが、第２の流体フィルタから流出した流体を再循環させるように構成されている、実施例１に記載の外科用排出システム。
【０６２６】
実施例３：第１の再循環チャネルを閉鎖及び開放するように構成された第１の再循環弁を更に備え、第１の再循環弁が開放されたときに、第２の流体フィルタから流出した流体が、第１の再循環チャネルを通って再循環される、実施例２に記載の外科用排出システム。
【０６２７】
実施例４：第１の再循環弁付近に位置付けられた第１のセンサを更に備え、第１のセンサが、流体のパラメータを検出するように構成されており、第１の再循環弁は、第１のセンサによって検出されたパラメータが第１の所定の閾値以上であるときに、第１の再循環チャネルを開放する、実施例３に記載の外科用排出システム。
【０６２８】
実施例５：第１の再循環チャネル内に方向付けられた流体が、第２の流体フィルタの上流の流体経路内に注入される、実施例２〜４のいずれか１つに記載の外科用排出システム。
【０６２９】
実施例６：第１の再循環チャネル内に方向付けられた流体が、第１の流体フィルタに注入される、実施例５に記載の外科用排出システム。
【０６３０】
実施例７：第１の再循環チャネル内に方向付けられた流体が、第２の流体フィルタの上流部分に注入される、実施例２〜６のいずれか１つに記載の外科用排出システム。
【０６３１】
実施例８：第１の再循環チャネルが、第１の再循環チャネルの入口ポートから下方に延在し、これにより、第２の流体フィルタから流出した流体中の大液滴又は小液滴が重力を介して記第１の再循環チャネルに方向付けられることを可能にする、実施例２〜７のいずれか１つに記載の外科用排出システム。
【０６３２】
実施例９：第２の再循環チャネルを更に備え、第２の再循環チャネルの入口ポートが、第１の流体フィルタと第２の流体フィルタとの間に位置付けられており、第２の再循環チャネルが、第１の流体フィルタから流出した流体を再循環させるように構成されている、実施例２〜８のいずれか１つに記載の外科用排出システム。
【０６３３】
実施例１０：第２の再循環チャネルを閉鎖及び開放するように構成された第２の再循環弁を更に備え、第２の再循環弁が開放されたときに、第１の流体フィルタから流出した流体が、第２の再循環チャネルを通って再循環される、実施例９に記載の外科用排出システム。
【０６３４】
実施例１１：第２の再循環弁付近に位置付けられた第２のセンサを更に備え、第２のセンサが、流体のパラメータを検出するように構成されており、第２の再循環弁は、第２のセンサによって検出されたパラメータが第２の所定の閾値以上であるときに、第２の再循環チャネルを開放する、実施例１０に記載の外科用排出システム。
【０６３５】
実施例１２：第２の再循環チャネル内に方向付けられた流体が、第１の流体フィルタの上流の流体経路内に注入される、実施例９〜１１のいずれか１つに記載の外科用排出システム。
【０６３６】
実施例１３：第２の再循環チャネル内に方向付けられた流体が、第１の流体フィルタの上流部分に注入される、実施例９〜１２のいずれか１つに記載の外科用排出システム。
【０６３７】
実施例１４：第２の再循環チャネルが、第２の再循環チャネルの入口ポートから下方に延在し、これにより、第１の流体フィルタから流出した流体中の大液滴又は小液滴が重力を介して第２の再循環チャネルに方向付けられることを可能にする、実施例９〜１３のいずれか１つに記載の外科用排出システム。
【０６３８】
実施例１５：第１の流体フィルタが少なくとも１つのバッフルを備える、実施例１〜１４のいずれか１つに記載の外科用排出システム。
【０６３９】
実施例１６：第１の流体フィルタが切換弁を備える、実施例１〜１５のいずれか１つに記載の外科用排出システム。
【０６４０】
実施例１７：第２の流体フィルタが、膜フィルタ、ハニカムフィルタ、及び多孔質構造フィルタ、並びにこれらの組み合わせからなる群から選択されるフィルタを含む、実施例１〜１６のいずれか１つに記載の外科用排出システム。
【０６４１】
実施例１８：非流体フィルタが、微粒子フィルタを含む、実施例１〜１７のいずれか１つに記載の外科用排出システム。
【０６４２】
実施例１９：第１の流体フィルタ及び第２の流体フィルタのうちの少なくとも１つは、再循環チャネルを通じて実施される再循環プロセスの数が第３の所定の閾値以上であると判定されたときに、無効化される、実施例１〜１７のいずれか１つに記載の外科用排出システム。
【０６４３】
実施例２０：外科用排出システムであって、ポンプと、ポンプに動作可能に連結されたモータと、ポンプに流体連結された流路と、を備え、流路が、流路を通って移動する流体中の大液滴を抽出するように構成された第１の流体フィルタであって、少なくとも１つのバッフルを含む、第１の流体フィルタと、流路を通って移動する流体中の小液滴を抽出するように構成された第２の流体フィルタと、を含み、第２の流体フィルタが、膜フィルタ、ハニカムフィルタ、及び多孔質構造フィルタ、並びにこれらの組み合わせからなる群から選択されるフィルタを含み、第１の流体フィルタが、第２の流体フィルタと直列に連結され、第１の流体フィルタが、第２の流体フィルタの上流に位置付けられ、第２の流体フィルタの出口ポートが、非流体フィルタの入口ポートに連結されている、外科用排出システム。
【０６４４】
実施例２１：第１の再循環チャネルを更に備え、第１の再循環チャネルの入口ポートが、第２の流体フィルタと非流体フィルタとの間に位置付けられ、第１の再循環チャネルが、第２の流体フィルタから流出した流体を再循環させるように構成されている、実施例２０に記載の外科用排出システム。
【０６４５】
実施例２２：第２の再循環チャネルを更に備え、第２の再循環チャネルの入口ポートが、第１の流体フィルタと第２の流体フィルタとの間に位置付けられており、第２の再循環チャネルが、第１の流体フィルタから流出した流体を再循環させるように構成されている、実施例２０〜２１のいずれか１つに記載の外科用排出システム。
【０６４６】
本明細書に記載される主題の様々な追加の態様は、以下の番号付けされた実施例において説明される。
【０６４７】
実施例１：電気外科用システムの戻りパッドであって、患者に印加された無線周波数電流を受信するように構成された複数の導電性部材と、患者に適用された神経制御信号、及び神経制御信号の適用から生じる患者の解剖学的特徴部の動きのうちの少なくとも１つを検出するように構成された複数の感知装置と、を備える、戻りパッド。
【０６４８】
実施例２：複数の導電性部材が、患者と容量性カップリングするように更に構成されている、実施例１の戻りパッド。
【０６４９】
実施例３：複数の導電性部材のうちの少なくとも１つを、複数の導電性部材のうちの別の１つから選択的に分離するように構成された切り替え装置を更に備える、実施例１〜２のいずれか１つに記載の戻りパッド。
【０６５０】
実施例４：導電性部材のそれぞれを互いから選択的に分離するように構成された切り替え装置を更に備える、実施例１〜３のいずれか１つに記載の戻りパッド。
【０６５１】
実施例５：複数の導電性部材を患者から選択的に分離するように構成された切り替え装置を更に備える、実施例１〜４のいずれか１つに記載の戻りパッド。
【０６５２】
実施例６：複数の導電性部材を発生器から選択的に分離するように構成された切り替え装置を更に備える、実施例１〜５のいずれか１つに記載の戻りパッド。
【０６５３】
実施例７：複数の導電性部材のそれぞれを発生器に選択的に連結するように構成された切り替え装置を更に備える、実施例１〜６のいずれか１つに記載の戻りパッド。
【０６５４】
実施例８：複数の感知装置が感知装置のアレイとして構成されている、実施例１〜７のいずれか１つに記載の戻りパッド。
【０６５５】
実施例９：複数の感知装置のそれぞれが、複数の導電性部材のうちの対応する１つに連結されている、実施例１〜８のいずれか１つに記載の戻りパッド。
【０６５６】
実施例１０：複数の導電性部材のそれぞれが、複数の感知装置のうちの対応する１つに連結されている、実施例１〜９のいずれか１つに記載の戻りパッド。
【０６５７】
実施例１１：複数の感知装置のうちの少なくとも１つが、圧力センサ、加速度計、及び圧力センサ及び加速度計のうちの１つを含む、実施例１〜１０のいずれか１つに記載の戻りパッド。
【０６５８】
実施例１２：複数の感知装置のそれぞれが、検出を示す信号を出力するように更に構成されている、実施例１〜１１のいずれか１つに記載の戻りパッド。
【０６５９】
実施例１３：電気外科用システムであって、無線周波数で交流を供給するように構成された発生器と、交流を患者に印加するように構成された器具と、患者に容量性カップリング可能な戻りパッドであって、戻りパッドが、無線周波数電流を伝導するように構成された複数の導電性部材であって、患者に容量性カップリング可能であり、かつ発生器に選択的に連結可能である、複数の導電性部材を含む、戻りパッドと、患者に適用された神経制御信号、及び神経制御信号の適用から生じる患者の解剖学的特徴部の動きのうちの少なくとも１つを検出するように構成された複数の感知装置と、戻りパッド及び発生器に連結された導体と、を備える、電気外科用システム。
【０６６０】
実施例１４：複数の感知装置のそれぞれに連結された多入力単一出力切り替え装置を更に備える、実施例１３に記載の電気外科用システム。
【０６６１】
実施例１５：多入力単一出力切り替え装置に連結されたアナログデジタル変換器を更に備える、実施例１４の電気外科用システム。
【０６６２】
実施例１６：発生器が、高周波波形として交流を発生し、患者の神経を刺激するように構成された低周波波形を発生し、高周波波形を利用して低周波波形を変調し、合成波形を形成し、かつ、合成波形を器具に供給するように更に構成されている、実施例１〜１５のいずれか１つに記載の電気外科用システム。
【０６６３】
実施例１７：発生器が、低周波波形を振幅変調して合成波形を形成するように更に構成されている、実施例１〜１６のいずれか１つに記載の電気外科用システム。
【０６６４】
実施例１８：電気外科システムの戻りパッドであって、患者と容量性カップリングするように構成された複数の電極と、患者に適用された神経制御信号、及び神経制御信号の適用から生じる患者の解剖学的特徴部の動きのうちの少なくとも１つを検出するように構成された感知装置のアレイと、を備える、戻りパッド。
【０６６５】
実施例１９：感知装置のアレイの各感知装置が、検出を示す信号を出力するように構成されている、実施例１８の戻りパッド。
【０６６６】
実施例２０：感知装置のアレイの各感知装置が、複数の電極のうちの対応する１つ上に配置されている、実施例１８〜１９のいずれか１つに記載の戻りパッド。
【０６６７】
いくつかの形態が例示され説明されてきたが、添付の「特許請求の範囲」をそのような詳述に制限又は限定することは、本出願人が意図するところではない。多数の修正、変形、変化、置換、組み合わせ及びこれらの形態の等価物を実装することができ、本開示の範囲から逸脱することなく当業者により想到されるであろう。更に、記述する形態に関連した各要素の構造は、その要素によって行われる機能を提供するための手段として代替的に説明することができる。また、材料が特定の構成要素に関して開示されているが、他の材料が使用されてもよい。したがって、上記の説明文及び添付の特許請求の範囲は、全てのそのような修正、組み合わせ及び変形を、開示される形態の範囲に含まれるものとして網羅することを意図としたものである点を理解されたい。添付の特許請求の範囲は、全てのそのような修正、変形、変化、置換、修正及び等価物を網羅することを意図する。
【０６６８】
上記の詳細な説明は、ブロック図、フローチャート及び／又は例を用いて装置及び／又はプロセスの様々な形態について記載してきた。そのようなブロック図、フローチャート及び／又は例が１つ以上の機能及び／又は動作を含む限り、当業者に理解されたいこととして、そのようなブロック図、フローチャート及び／又は例に含まれる各機能及び／又は動作は、多様なハードウェア、ソフトウェア、ファームウェア又はこれらの事実上の任意の組み合わせによって、個々にかつ／又は集合的に実装することができる。当業者には、本明細書で開示される形態のうちのいくつかの態様の全部又は一部が、１台以上のコンピュータ上で稼働する１つ以上のコンピュータプログラムとして（例えば、１台以上のコンピュータシステム上で稼働する１つ以上のプログラムとして）、１つ以上のプロセッサ上で稼働する１つ以上のプログラムとして（例えば、１つ以上のマイクロプロセッサ上で稼働する１つ以上のプログラムとして）、ファームウェアとして、又はこれらの実質的に任意の組み合わせとして集積回路上で等価に実現することができ、回路を設計すること、並びに／又はソフトウェア及び／若しくはファームウェアのコードを記述することは、本開示を鑑みれば当業者の技能の範囲内に含まれることが理解されよう。更に、当業者には理解されることとして、本明細書に記載した主題の機構は、多様な形式で１つ以上のプログラム製品として配布されることが可能であり、本明細書に記載した主題の具体的な形態は、配布を実際に行うために使用される信号搬送媒体の特定の種類にかかわらず用いられる。
【０６６９】
様々な開示された態様を実行するように論理をプログラムするために使用される命令は、ダイナミックランダムアクセスメモリ（ＤＲＡＭ）、キャッシュ、フラッシュメモリ又は他のストレージなどのシステム内メモリに記憶され得る。更に、命令は、ネットワークを介して、又は他のコンピュータ可読媒体によって分配され得る。したがって、機械可読媒体としては、機械（例えば、コンピュータ）によって読み出し可能な形態で情報を記憶又は送信するための任意の機構が挙げられ得るが、フロッピーディスケット、光ディスク、コンパクトディスク、読み出し専用メモリ（ＣＤ−ＲＯＭ）、並びに磁気光学ディスク、読み出し専用メモリ（ＲＯＭ）、ランダムアクセスメモリ（ＲＡＭ）、消去可能プログラマブル読み出し専用メモリ（ＥＰＲＯＭ）、電気的消去可能プログラマブル読み出し専用メモリ（ＥＥＰＲＯＭ）、磁気若しくは光カード、フラッシュメモリ又は、電気的、光学的、音響的、若しくは他の形態の伝播信号（例えば、搬送波、赤外線信号、デジタル信号など）を介してインターネットを介した情報の送信に使用される有形機械可読ストレージに限定されない。したがって、非一時的コンピュータ可読媒体としては、機械（例えば、コンピュータ）によって読み出し可能な形態で電子命令又は情報を記憶又は送信するのに好適な任意の種類の有形機械可読媒体が挙げられる。
【０６７０】
本明細書の任意の態様で使用されるとき、用語「制御回路」は、例えば、ハードワイヤード回路、プログラマブル回路（例えば、１つ以上の個々の命令処理コアを含むコンピュータプロセッサ、処理ユニット、プロセッサ、マイクロコントローラ、マイクロコントローラユニット、コントローラ、デジタル信号プロセッサ（ＤＳＰ）、プログラマブル論理デバイス（ＰＬＤ）、プログラマブル論理アレイ（ＰＬＡ）、又はフィールドプログラマブルゲートアレイ（ＦＰＧＡ））、状態機械回路、プログラマブル回路によって実行される命令を記憶するファームウェア、及びこれらの任意の組み合わせを指すことができる。制御回路は、集合的に又は個別に、例えば、集積回路（ＩＣ）、特定用途向け集積回路（ＡＳＩＣ）、システムオンチップ（ＳｏＣ）、デスクトップコンピュータ、ラップトップコンピュータ、タブレットコンピュータ、サーバ、スマートフォンなどの、より大きなシステムの一部を形成する回路として具現化され得る。したがって、本明細書で使用するとき、「制御回路」としては、少なくとも１つの個別の電気回路を有する電気回路、少なくとも１つの集積回路を有する電気回路、少なくとも１つの特定用途向け集積回路を有する電気回路、コンピュータプログラムによって構成された汎用コンピューティング装置（例えば、本明細書で説明したプロセス及び／若しくは装置を少なくとも部分的に実行するコンピュータプログラムによって構成された汎用コンピュータ、又は本明細書で説明したプロセス及び／若しくは装置を少なくとも部分的に実行するコンピュータプログラムによって構成されたマイクロプロセッサ）を形成する電気回路、メモリ装置（例えば、ランダムアクセスメモリの形態）を形成する電気回路及び／又は通信装置（例えばモデム、通信スイッチ、又は光−電気設備）を形成する電気回路が挙げられるが、これらに限定されない。当業者は、本明細書で述べた主題が、アナログ若しくはデジタルの形式又はこれらのいくつかの組み合わせで実現されてもよいことを認識するであろう。
【０６７１】
本明細書の任意の態様で使用される場合、用語「論理」は、前述の動作のいずれかを実行するように構成されたアプリケーション、ソフトウェア、ファームウェア及び／又は回路を指し得る。ソフトウェアは、非一時的コンピュータ可読記憶媒体上に記録されたソフトウェアパッケージ、コード、命令、命令セット及び／又はデータとして具現化されてもよい。ファームウェアは、メモリ装置内のコード、命令、若しくは命令セット及び／又はハードコードされた（例えば、不揮発性の）データとして具現化されてもよい。
【０６７２】
本明細書の任意の態様で使用するとき、用語「構成要素」、「システム」、「モジュール」などは、ハードウェア、ハードウェアとソフトウェアとの組み合わせ、ソフトウェア、又は実行中のソフトウェアのどちらかであるコンピュータ関連エンティティを指すことができる。
【０６７３】
本明細書の任意の態様で使用するとき、「アルゴリズム」とは、所望の結果につながる工程の自己無撞着シーケンスを指し、「工程」とは、必ずしも必要ではないが、記憶、転送、結合、比較及び別様に操作されることが可能な電気又は磁気信号の形態をなすことができる物理量及び／又は論理状態の操作を指す。これらの信号を、ビット、値、要素、記号、文字、用語、番号などとして言及することが一般的な扱い方である。これらの及び類似の用語は、適切な物理量と関連付けられてもよく、また単に、これらの量及び／又は状態に適用される便利なラベルである。
【０６７４】
ネットワークとしては、パケット交換ネットワークが挙げられ得る。通信装置は、選択されたパケット交換ネットワーク通信プロトコルを使用して、互いに通信することができる。１つの例示的な通信プロトコルとしては、伝送制御プロトコル／インターネットプロトコル（ＴＣＰ／ＩＰ）を使用して通信を可能にすることができるイーサネット通信プロトコルを挙げることができる。イーサネットプロトコルは、Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）によって発行された２００８年１２月発行の表題「ＩＥＥＥ８０２．３Ｓｔａｎｄａｒｄ」、及び／又は本規格の後のバージョンのイーサネット規格に準拠するか、又は互換性があり得る。代替的に又は追加的に、通信装置は、Ｘ．２５通信プロトコルを使用して互いに通信することができる。Ｘ．２５通信プロトコルは、Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ（ＩＴＵ−Ｔ）によって公布された規格に準拠するか、又は互換性があり得る。代替的に又は追加的に、通信装置は、フレームリレー通信プロトコルを使用して互いに通信することができる。フレームリレー通信プロトコルは、Ｃｏｎｓｕｌｔａｔｉｖｅ  Ｃｏｍｍｉｔｔｅｅ  ｆｏｒ  Ｉｎｔｅｒｎａｔｉｏｎａｌ  Ｔｅｌｅｇｒａｐｈ  ａｎｄ  Ｔｅｌｅｐｈｏｎｅ（ＣＣＩＴＴ）及び／又はｔｈｅ  Ａｍｅｒｉｃａｎ  Ｎａｔｉｏｎａｌ  Ｓｔａｎｄａｒｄｓ  Ｉｎｓｔｉｔｕｔｅ（ＡＮＳＩ）によって公布された規格に準拠するか、又は互換性があり得る。代替的に又は追加的に、送受信機は、非同期転送モード（ＡＴＭ）通信プロトコルを使用して互いに通信することが可能であり得る。ＡＴＭ通信プロトコルは、ＡＴＭ  Ｆｏｒｕｍによって「ＡＴＭ−ＭＰＬＳ  Ｎｅｔｗｏｒｋ  Ｉｎｔｅｒｗｏｒｋｉｎｇ２．０」という題で２００１年８月に公開されたＡＴＭ規格及び／又は本規格の後のバージョンに準拠するか、又は互換性があり得る。当然のことながら、異なる及び／又は後に開発されたコネクション型ネットワーク通信プロトコルは、本明細書で等しく企図される。
【０６７５】
別段の明確な定めがない限り、前述の開示から明らかなように、前述の開示全体を通じて、「処理する」、「計算する」、「算出する」、「決定する」、「表示する」などの用語を使用する議論は、コンピュータシステムのレジスタ及びメモリ内で物理（電子的）量として表現されるデータを、コンピュータシステムのメモリ若しくはレジスタ又はそのような情報記憶、伝送、若しくは表示装置内で物理量として同様に表現される他のデータへと操作し変換する、コンピュータシステム又は類似の電子計算装置の動作及び処理を指していることが理解されよう。
【０６７６】
１つ以上の構成要素が、本明細書中で、「ように構成される（configured to)」、「ように構成可能である（configurable to）」、「動作可能である／ように動作する（operable/operative to)」、「適合される／適合可能である（adapted/adaptable）」、「ことが可能である（able to）」、「準拠可能である／準拠する（conformable/conformed to）」などと言及され得る。当業者は、「ように構成される」は、一般に、文脈上他の意味に解釈すべき場合を除き、アクティブ状態の構成要素及び／又は非アクティブ状態の構成要素及び／又はスタンドバイ状態の構成要素を包含し得ることを理解するであろう。
【０６７７】
「近位」及び「遠位」という用語は、本明細書では、外科用器具のハンドル部分を操作する臨床医を基準として使用される。「近位」という用語は、臨床医に最も近い部分を指し、「遠位」という用語は、臨床医から離れた位置にある部分を指す。便宜上及び明確性のために、「垂直」、「水平」、「上」及び「下」などの空間的用語が、本明細書において図面に対して使用され得ることが更に理解されよう。しかしながら、外科用器具は、多くの向き及び位置で使用されるものであり、これらの用語は限定的及び／又は絶対的であることを意図したものではない。
【０６７８】
当業者は、一般に、本明細書で使用され、かつ特に添付の特許請求の範囲（例えば、添付の特許請求の範囲の本文）で使用される用語は、概して「オープンな」用語として意図されるものである（例えば、「含む（including）」という用語は、「〜を含むが、それらに限定されない（including but not limited to）」と解釈されるべきであり、「有する（having）」という用語は「〜を少なくとも有する（having at least）」と解釈されるべきであり、「含む（includes）」という用語は「〜を含むが、それらに限定されない（includes but is not limited to）」と解釈されるべきであるなど）ことを理解するであろう。更に、導入された請求項記載（introduced claim recitation）において特定の数が意図される場合、かかる意図は当該請求項中に明確に記載され、またかかる記載がない場合は、かかる意図は存在しないことが、当業者には理解されるであろう。例えば、理解を助けるものとして、後続の添付の特許請求の範囲は、「少なくとも１つの（at least one）」及び「１つ以上の（one or more）」という導入句を、請求項記載を導入するために含むことがある。しかしながら、かかる句の使用は、「ａ」又は「ａｎ」という不定冠詞によって請求項記載を導入した場合に、たとえ同一の請求項内に「１つ以上の」又は「少なくとも１つの」といった導入句及び「ａ」又は「ａｎ」という不定冠詞が含まれる場合であっても、かかる導入された請求項記載を含むいかなる特定の請求項も、かかる記載事項を１つのみ含む請求項に限定されると示唆されるものと解釈されるべきではない（例えば、「ａ」及び／又は「ａｎ」は通常、「少なくとも１つの」又は「１つ以上の」を意味するものと解釈されるべきである）。定冠詞を使用して請求項記載を導入する場合にも、同様のことが当てはまる。
【０６７９】
更に、導入された請求項記載において特定の数が明示されている場合であっても、かかる記載は、典型的には、少なくとも記載された数を意味するものと解釈されるべきであることが、当業者には認識されるであろう（例えば、他に修飾語のない、単なる「２つの記載事項」という記載がある場合、一般的に、少なくとも２つの記載事項、又は２つ以上の記載事項を意味する）。更に、「Ａ、Ｂ及びＣなどのうちの少なくとも１つ」に類する表記が用いられる場合、一般に、かかる構文は、当業者がその表記を理解するであろう意味で意図されている（例えば、「Ａ、Ｂ及びＣのうちの少なくとも１つを有するシステム」は、限定するものではないが、Ａのみ、Ｂのみ、Ｃのみ、ＡとＢの両方、ＡとＣの両方、ＢとＣの両方及び／又はＡとＢとＣの全てなどを有するシステムを含む）。「Ａ、Ｂ又はＣなどのうちの少なくとも１つ」に類する表記が用いられる場合、一般に、かかる構文は、当業者がその表記を理解するであろう意味で意図されている（例えば、「Ａ、Ｂ、又はＣのうちの少なくとも１つを有するシステム」は、限定するものではないが、Ａのみ、Ｂのみ、Ｃのみ、ＡとＢの両方、ＡとＣの両方、ＢとＣの両方及び／又はＡとＢとＣの全てなどを有するシステムを含む）。更に、典型的には、２つ以上の選択的な用語を表すあらゆる選言的な語及び／又は句は、文脈上他の意味に解釈すべき場合を除いて、明細書内であろうと、請求の範囲内であろうと、あるいは図面内であろうと、それら用語のうちの１つ、それらの用語のうちのいずれか、又はそれらの用語の両方を含む可能性を意図すると理解されるべきであることが、当業者には理解されよう。例えば、「Ａ又はＢ」という句は、典型的には、「Ａ」又は「Ｂ」又は「Ａ及びＢ」の可能性を含むものと理解されよう。
【０６８０】
添付の特許請求の範囲に関して、当業者は、本明細書における引用した動作は一般に、任意の順序で実施され得ることを理解するであろう。また、様々な動作のフロー図がシーケンス（複数可）で示されているが、様々な動作は、例示されたもの以外の順序で行われてもよく、又は同時に行われてもよいことが理解されるべきである。かかる代替の順序付けの例は、文脈上他の意味に解釈すべき場合を除いて、重複、交互配置、割り込み、再順序付け、増加的、予備的、追加的、同時、逆又は他の異なる順序付けを含んでもよい。更に、「〜に応答する」、「〜に関連する」といった用語、又は他の過去時制の形容詞は、一般に、文脈上他の意味に解釈すべき場合を除き、かかる変化形を除外することが意図されるものではない。
【０６８１】
「一態様」、「態様」、「例示」、「一例示」などへの任意の参照は、その態様に関連して記載される特定の機構、構造又は特性が少なくとも１つの態様に含まれると意味することは特記に値する。したがって、本明細書の全体を通じて様々な場所に見られる語句「一態様では」、「態様では」、「例示では」及び「一例示では」は、必ずしも全てが同じ態様を指すものではない。更に、特定の特徴、構造、又は特性は、１つ以上の態様において任意の好適な様態で組み合わせることができる。
【０６８２】
本明細書で参照され、かつ／又は任意の出願データシートに列挙される任意の特許出願、特許、非特許刊行物、又は他の開示資料は、組み込まれる資料が本明細書と矛盾しない範囲で、参照により本明細書に組み込まれる。それ自体、また必要な範囲で、本明細書に明瞭に記載される開示内容は、参考として本明細書に組み込まれているあらゆる矛盾する記載に優先するものとする。現行の定義、見解、又は本明細書に記載されるその他の開示内容と矛盾する任意の内容、又はそれらの部分は本明細書に参考として組み込まれるものとするが、参照内容と現行の開示内容との間に矛盾が生じない範囲においてのみ、参照されるものとする。
【０６８３】
要約すると、本明細書に記載した構想を用いる結果として得られる多くの利益が記載されてきた。１つ以上の形態の上述の記載は、例示及び説明を目的として提示されているものである。包括的であることも、開示された厳密な形態に限定することも意図されていない。上記の教示を鑑みて、修正又は変形が可能である。１つ以上の形態は、原理及び実際の応用について例示し、それによって、様々な形態を様々な修正例と共に、想到される特定の用途に適するものとして当業者が利用できるようにするために、選択され記載されたものである。本明細書と共に提示される特許請求の範囲が全体的な範囲を定義することが意図される。
【０６８４】
〔実施の態様〕
（１）  手術部位から微粒子を排出する方法であって、
微粒子排出モジュール及び外科用ハブを通信可能に接続することであって、前記外科用ハブが外科用ハブ筐体を備え、前記微粒子排出モジュールが、前記外科用ハブ筐体内に受容されるように構成されている、ことと、
前記手術部位から前記微粒子排出モジュール内に微粒子を除去することと、
除去された前記微粒子を分析することと、
前記除去された微粒子の前記分析に基づいて、前記微粒子排出モジュールの動作を修正することと、を含む、方法。
（２）  発生器モジュールを前記外科用ハブ筐体に取り付けることを更に含む、実施態様１に記載の方法。
（３）  前記発生器モジュールと前記微粒子排出モジュールとを通信可能に接続することを更に含む、実施態様２に記載の方法。
（４）  前記発生器モジュールを単極装置、双極装置、及び超音波装置のうちの少なくとも１つに接続することを更に含む、実施態様２に記載の方法。
（５）  前記除去された微粒子の前記分析に基づいて、前記発生器モジュールの動作を修正することを更に含む、実施態様２に記載の方法。
【０６８５】
（６）  前記発生器モジュールが複数のサブ発生器モジュールを備え、前記外科用ハブは、前記サブ発生器モジュール間の通信を容易にして、前記サブ発生器モジュールが単一の発生器モジュールとして機能することを可能にするように構成されている、実施態様２に記載の方法。
（７）  前記微粒子排出モジュールが流体ラインを含み、前記流体ラインの端部が前記外科用ハブ筐体内で終端する、実施態様１に記載の方法。
（８）  手術部位から微粒子を排出する方法であって、
微粒子排出モジュール及び外科用ハブを接続することであって、前記外科用ハブが外科用ハブ筐体を備え、前記微粒子排出モジュールが、前記外科用ハブ筐体内に受容されるように構成されている、ことと、
前記手術部位内で外科用器具を起動させることと、
前記手術部位から前記微粒子排出モジュール内に微粒子を引き出すことと、
前記微粒子を分析することと、
前記微粒子の前記分析に基づいて、前記微粒子排出モジュールの動作パラメータを修正することと、を含む、方法。
（９）  前記外科用器具が、単極装置、双極装置、及び超音波装置のうちの少なくとも１つを含む、実施態様８に記載の方法。
（１０）  発生器モジュールを前記外科用ハブ筐体に取り付けることを更に含む、実施態様８に記載の方法。
【０６８６】
（１１）  前記発生器モジュールと排煙モジュールとを通信可能に接続することを更に含む、実施態様１０に記載の方法。
（１２）  前記発生器モジュールを単極装置、双極装置、及び超音波装置のうちの少なくとも１つに接続することを更に含む、実施態様１０に記載の方法。
（１３）  前記微粒子の前記分析に基づいて、前記発生器モジュールの動作を修正することを更に含む、実施態様１０に記載の方法。
（１４）  前記発生器モジュールが複数のサブ発生器モジュールを備え、前記外科用ハブは、前記サブ発生器モジュール間の通信を容易にして、前記サブ発生器モジュールが単一の発生器モジュールとして機能することを可能にするように構成されている、実施態様１０に記載の方法。
（１５）  手術部位から煙を排出する方法であって、
排煙モジュール及び外科用ハブを接続することであって、前記外科用ハブが外科用ハブ筐体を備え、前記排煙モジュールが、前記外科用ハブ筐体内に受容されるように構成されている、ことと、
前記排煙モジュールの構成要素を前記手術部位内に挿入することと、
前記手術部位から煙を除去することと、
除去された前記煙を分析することと、
前記除去された煙の前記分析に基づいて、前記排煙モジュールの動作を修正することと、を含む、方法。
【０６８７】
（１６）  発生器モジュールを前記外科用ハブ筐体に取り付けることを更に含む、実施態様１５に記載の方法。
（１７）  前記発生器モジュールと前記排煙モジュールとを接続することを更に含む、実施態様１６に記載の方法。
（１８）  前記発生器モジュールを単極装置、双極装置、及び超音波装置のうちの少なくとも１つに接続することを更に含む、実施態様１６に記載の方法。
（１９）  前記除去された煙の前記分析に基づいて、前記発生器モジュールの動作を修正することを更に含む、実施態様１６に記載の方法。
（２０）  前記発生器モジュールが複数のサブ発生器モジュールを備え、前記外科用ハブは、前記サブ発生器モジュール間の通信を容易にして、前記サブ発生器モジュールが単一の発生器モジュールとして機能することを可能にするように構成されている、実施態様１６に記載の方法。
【図１】
2021519637.tif 000003
【図２】
2021519637.tif 000004
【図３】
2021519637.tif 000005
【図４】
2021519637.tif 000006
【図５】
2021519637.tif 000007
【図６】
2021519637.tif 000008
【図７】
2021519637.tif 000009
【図８】
2021519637.tif 000010
【図９】
2021519637.tif 000011
【図１０】
2021519637.tif 000012
【図１１】
2021519637.tif 000013
【図１２】
2021519637.tif 000014
【図１３】
2021519637.tif 000015
【図１４】
2021519637.tif 000016
【図１５】
2021519637.tif 000017
【図１６】
2021519637.tif 000018
【図１７】
2021519637.tif 000019
【図１８】
2021519637.tif 000020
【図１９】
2021519637.tif 000021
【図２０】
2021519637.tif 000022
【図２１】
2021519637.tif 000023
【図２２】
2021519637.tif 000024
【図２３】
2021519637.tif 000025
【図２４】
2021519637.tif 000026
【図２５】
2021519637.tif 000027
【図２６】
2021519637.tif 000028
【図２７】
2021519637.tif 000029
【図２８】
2021519637.tif 000030
【図２９】
2021519637.tif 000031
【図３０】
2021519637.tif 000032
【図３１】
2021519637.tif 000033
【図３２】
2021519637.tif 000034
【図３３】
2021519637.tif 000035
【図３４】
2021519637.tif 000036
【図３５】
2021519637.tif 000037
【図３６】
2021519637.tif 000038
【図３７】
2021519637.tif 000039
【図３８】
2021519637.tif 000040
【図３９】
2021519637.tif 000041
【図４０】
2021519637.tif 000042
【図４１】
2021519637.tif 000043
【図４２】
2021519637.tif 000044
【図４３】
2021519637.tif 000045
【図４４】
2021519637.tif 000046
【図４５】
2021519637.tif 000047
【図４６】
2021519637.tif 000048
【図４７】
2021519637.tif 000049
【図４８】
2021519637.tif 000050
【図４９】
2021519637.tif 000051
【図５０】
2021519637.tif 000052
【図５１】
2021519637.tif 000053
【図５２】
2021519637.tif 000054
【図５３】
2021519637.tif 000055
【図５４】
2021519637.tif 000056
【図５５】
2021519637.tif 000057
【国際調査報告】
2021519637.tif 000058
2021519637.tif 000059
2021519637.tif 000060